(57)【要約】  本発明は、データ伝送のための方法及び装置を開示した。当該方法では、ＵＥ側では、第１の送信時間間隔で送信するアップリンクチャネルの送信期間が第２の送信時間間隔で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信する。ネットワーク側では、ＵＥが所定の規則の下でアップリンクチャネルを選択して送信することを決定し、残りのアップリンクチャネルでの送信を放棄するか、または、残りのアップリンクチャネルをパンクチャリングして送信する。本発明によれば、異なる送信時間間隔を採用するチャネルがオーバーラップするときも、ＵＥが正確に送信することができる。  【選択図】図３
2019531657.tif 000002
【特許請求の範囲】
【請求項１】
第１の送信時間間隔ＴＴＩ長で送信するアップリンクチャネルの送信期間が第２のＴＴＩ長で送信するアップリンクチャネルの送信期間とオーバーラップするかどうかを判定するステップと、
オーバーラップすると判定した場合、所定の規則の下で一部のアップリンクチャネルを選択して送信し、残りのアップリンクチャネルでの送信を放棄し、または、残りのアップリンクチャネルをパンクチャリングして送信するステップとを備えることを特徴とするデータ伝送のための方法。
【請求項２】
前記第１のＴＴＩ長が前記第２のＴＴＩ長より大きいことを特徴とする請求項１に記載のデータ伝送のための方法。
【請求項３】
前記アップリンクチャネルは、アップリンク制御チャネル及びアップリンク共有チャネルのうちの少なくとも１つであることを特徴とする請求項１に記載のデータ伝送のための方法。
【請求項４】
前記所定の規則は、以下の規則のうちの１つまたは組み合わせであり、
アップリンク制御チャネルを選択し、アップリンク共有チャネルでの送信を放棄するか、またはアップリンク共有チャネルをパンクチャリングして送信し、
第２のＴＴＩ長で送信するアップリンクチャネルを選択し、第１のＴＴＩ長で送信するアップリンクチャネルでの送信を放棄するか、または、第１のＴＴＩ長で送信するアップリンクチャネルをパンクチャリングして送信し、
アップリンク制御情報（ＵＣＩ）を搬送するアップリンクチャネルを選択し、ＵＣＩを搬送するアップリンクチャネルが複数ある場合、優先度の高いＵＣＩを搬送するアップリンクチャネルを選択し、優先度の高いＵＣＩを搬送するアップリンクチャネルが複数ある場合、前記規則を再利用して選択し、残りのアップリンクチャネルでの送信を放棄するか、または、残りのアップリンクチャネルをパンクチャリングして送信することを特徴とする請求項１に記載のデータ伝送のための方法。
【請求項５】
選択されていない残りのアップリンクチャネル上のＵＣＩを所定の規則１の下で選択されたアップリンクチャネルに転送して送信することを特徴とする請求項４に記載のデータ伝送のための方法。
【請求項６】
第１のＴＴＩ長で送信するアップリンク共有チャネル及び/または第１のＴＴＩ長で送信するアップリンク制御チャネルが、第２のＴＴＩ長で送信するアップリンク制御チャネルとオーバーラップする場合、以下の方式の少なくとも１つを適用し、
第１の方式では、前記第２のＴＴＩ長で送信するアップリンク制御チャネルを選択して送信し、前記第１のＴＴＩ長で送信するアップリンク共有チャネル及び/または第１のＴＴＩ長で送信するアップリンク制御チャネルを放棄し、または、前記第２のＴＴＩ長で送信するアップリンク制御チャネルとオーバーラップする前記第１のＴＴＩ長で送信するアップリンク共有チャネル及び/または第１のＴＴＩ長で送信するアップリンク制御チャネル内のシンボル上の情報をパンクチャリングし、
第２の方式では、前記第１のＴＴＩ長で送信するアップリンク共有チャネル及び/またはアップリンク制御チャネルを選択し、前記第２のＴＴＩ長で送信するアップリンク制御チャネルを放棄し、
第３の方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第１の方式または前記第２の方式で同じ優先度のＵＣＩを搬送する複数のチャネルから選択することを特徴とする請求項１に記載のデータ伝送のための方法。
【請求項７】
前記第１の方式を適用する場合、前記第１のＴＴＩ長で送信するアップリンク共有チャネル及び/または第１のＴＴＩ長で送信するアップリンク制御チャネルで搬送されるＵＣＩを、所定の規則１または所定の規則２の下で前記第２のＴＴＩ長で送信するアップリンク制御チャネルに転送して送信し、
前記第２の方式を適用する場合、前記第２のＴＴＩ長で送信するアップリンク制御チャネルで搬送されるＵＣＩを、所定の規則１または所定の規則３の下で前記第１のＴＴＩ長で送信するアップリンク共有チャネル及び/または第１のＴＴＩ長で送信するアップリンク制御チャネルに転送して送信し、
前記第３方式を適用する場合、選択されていない残りのアップリンクチャネル上のＵＣＩを、前記所定の規則１の下で選択されたアップリンクチャネルに転送して送信することを特徴とする請求項６に記載のデータ伝送のための方法。
【請求項８】
前記第１の方式を適用する場合、前記所定の規則２は以下方式のうちの１つまたは組み合わせを含み、
前記第１のＴＴＩ長で送信するアップリンク共有チャネル及び/または第１のＴＴＩ長で送信するアップリンク制御チャネルで搬送されるＵＣＩのすべてを、前記第２のＴＴＩ長で送信するアップリンク制御チャネルに転送して送信し、
前記第１のＴＴＩ長で送信するアップリンク共有チャネル及び/または第１のＴＴＩ長で送信するアップリンク制御チャネルで搬送されるＵＣＩがＡＣＫ／ＮＡＣＫ及び/またはスケジューリング要求（Ｓｃｈｅｄｕｌｉｎｇ Ｒｅｑｕｅｓｔ，ＳＲ）であれば、前記ＵＣＩを前記第２のＴＴＩ長で送信するアップリンク制御チャネルに転送して送信し、前記第１のＴＴＩ長で送信するアップリンク共有チャネル及び/または第１のＴＴＩ長で送信するアップリンク制御チャネルで搬送されるＵＣＩが周期チャネル状態情報（Ｐｅｒｉｏｄｉｃａｌ Ｃｈａｎｎｅｌ Ｓｔａｔｅ Ｉｎｆｏｒｍａｔｉｏｎ,  Ｐ−ＣＳＩ）を含む場合、前記第１のＴＴＩ長で送信するアップリンク共有チャネル及び/または第１のＴＴＩ長で送信するアップリンク制御チャネルで搬送されるＰ−ＣＳＩを放棄し、または、前記第２のＴＴＩ長で送信するアップリンク制御チャネルにＰ−ＣＳＩが含まれる場合、前記第１のＴＴＩ長で送信するアップリンク共有チャネル及び/または第１のＴＴＩ長で送信するアップリンク制御チャネルで搬送されるＰ−ＣＳＩを放棄し、前記第２のＴＴＩ長で送信するアップリンク制御チャネルにＰ−ＣＳＩが含まれない場合、前記第１のＴＴＩ長で送信するアップリンク共有チャネル及び/または第１のＴＴＩ長で送信するアップリンク制御チャネルで搬送されるＰ−ＣＳＩを、第２のＴＴＩ長で送信するアップリンク制御チャネルに転送して送信し、
第１のＴＴＩ長で送信するアップリンク共有チャネル及び/または第１のＴＴＩ長で送信するアップリンク制御チャネルの送信期間の間に、第２のＴＴＩ長で送信するアップリンク制御チャネル複数があれば、
最初１つのまたは最後１つの第２のＴＴＩ長で送信するアップリンク制御チャネルを選択して前記ＵＣＩを搬送し、または、
Ｐ−ＣＳＩ搬送用の、第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＰ−ＣＳＩを搬送し、ＡＣＫ／ＮＡＣＫ及び/またはＳＲ搬送用の、第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記第１のＴＴＩ長で送信するアップリンク共有チャネル及び/または第１のＴＴＩ長で送信するアップリンク制御チャネル内の対応のＵＣＩを搬送するためのものとし、
前記第２の方式を適用する場合、前記所定の規則３は、以下方式のうちの１つまたは組み合わせを含み、
前記第２のＴＴＩ長で送信するアップリンク制御チャネルで搬送されるＵＣＩすべてを、前記第２のＴＴＩ長で送信するアップリンク制御チャネルで搬送されるＵＣＩすべてを、前記第１のＴＴＩ長で送信するアップリンク共有チャネル及び/または第１のＴＴＩ長で送信するアップリンク制御チャネルに転送して送信し、
前記第２のＴＴＩ長で送信するアップリンク制御チャネルで搬送されるＵＣＩがＡＣＫ／ＮＡＣＫ及び/またはＳＲである場合、前記ＵＣＩを前記第１のＴＴＩ長で送信するアップリンク共有チャネル及び/または第１のＴＴＩ長で送信するアップリンク制御チャネルに転送して送信し、前記第２のＴＴＩ長で送信するアップリンク制御チャネルで搬送されるＵＣＩがＰ−ＣＳＩを含む場合、前記第２のＴＴＩ長で送信するアップリンク制御チャネルで搬送されるＰ−ＣＳＩを放棄し、または、前記第１のＴＴＩ長で送信するアップリンク共有チャネル及び/または第１のＴＴＩ長で送信するアップリンク制御チャネルがＰ−ＣＳＩを搬送する場合、前記第２のＴＴＩ長で送信するアップリンク制御チャネルで搬送されるＰ−ＣＳＩを放棄し、前記第１のＴＴＩ長で送信するアップリンク共有チャネル及び/または第１のＴＴＩ長で送信するアップリンク制御チャネルがＰ−ＣＳＩを搬送しない場合、前記第２のＴＴＩ長で送信するアップリンク制御チャネルで搬送されるＰ−ＣＳＩを、前記第２のＴＴＩ長で送信するアップリンク共有チャネル及び/または第１のＴＴＩ長で送信するアップリンク制御チャネルに転送して送信し、
前記第１のＴＴＩ長で送信するアップリンク共有チャネル及び第１のＴＴＩ長で送信するアップリンク制御チャネル両方があれば、そのうちの１つを選択して前記ＵＣＩを搬送し、または、前記ＵＣＩの一部を前記第１のＴＴＩ長で送信するアップリンク共有チャネルで搬送し、前記ＵＣＩの残りの部分を前記第１のＴＴＩ長で送信するアップリンク制御チャネルで搬送し、及び/または、第１のＴＴＩ長で送信するアップリンク共有チャネル複数があれば、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがランダムアクセス応答（ＲＡＲ） ｇｒａｎｔに対応するアップリンク共有チャネルであれば、前記ＵＣＩを送信しない、
前記第３方式を適用する場合、選択されたアップリンクチャネルが第２のＴＴＩ長で送信するアップリンク制御チャネルであれば、第１のＴＴＩ長で送信するアップリンク共有チャネル及び/または第１のＴＴＩ長で送信するアップリンク制御チャネルの送信期間の間に、第２のＴＴＩ長で送信するアップリンク制御チャネル複数があれば、前記所定の規則２の方式で前記ＵＣＩを搬送するチャネルを選択し、選択されたアップリンクチャネルが第１のＴＴＩ長で送信するアップリンク共有チャネル及び/または第１のＴＴＩ長で送信するアップリンク制御チャネルである場合、第１のＴＴＩ長で送信するアップリンク共有チャネル及びアップリンク制御チャネル両方があるか、または、複数の第１のＴＴＩ長で送信するアップリンク共有チャネルがあれば、前記所定の規則３の方式で、前記ＵＣＩを搬送するチャネルを選択することを特徴とする請求項７に記載のデータ伝送のための方法。
【請求項９】
第１のＴＴＩ長で送信するアップリンク共有チャネルが第２のＴＴＩ長で送信するアップリンク共有チャネルとオーバーラップする場合、以下の方式の少なくとも１つを適用し、
第４方式では、前記第２のＴＴＩ長で送信するアップリンク共有チャネルを選択して送信し、前記第１のＴＴＩ長で送信するアップリンク共有チャネルを放棄し、または、前記第２のＴＴＩ長で送信するアップリンク共有チャネルとオーバーラップする、前記第１のＴＴＩ長で送信するアップリンク共有チャネル内のシンボル上の情報をパンクチャリングし、
第５方式では、前記第１のＴＴＩ長で送信するアップリンク共有チャネルを選択して送信し、前記第２のＴＴＩ長で送信するアップリンク共有チャネルを放棄し、
第６方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第３方式または前記第４方式で同じ優先度のＵＣＩを搬送する複数のチャネルから選択することを特徴とする請求項１に記載のデータ伝送のための方法。
【請求項１０】
前記第４方式が適用される場合、前記第１のＴＴＩ長で送信するアップリンク共有チャネルで搬送されるＵＣＩを、所定の規則１または所定の規則４の下で前記第２のＴＴＩ長で送信するアップリンク共有チャネルに転送して送信し、 
前記第５方式が適用される場合、前記第２のＴＴＩ長で送信するアップリンク共有チャネルで搬送されるＵＣＩを、所定の規則１または所定の規則５の下で前記第１のＴＴＩ長で送信するアップリンク共有チャネルに転送して送信し、
前記第６方式が適用される場合、選択されていない残りのアップリンクチャネル上のＵＣＩを所定の規則１の下で選択されたアップリンクチャネルに転送して送信することを特徴とする請求項９に記載のデータ伝送のための方法。
【請求項１１】
前記第４方式が適用される場合、前記所定の規則４は、以下方式のうちの１つまたは組み合わせを含み、
前記第１のＴＴＩ長で送信するアップリンク共有チャネルで搬送されるＵＣＩすべてを、前記第２のＴＴＩ長で送信するアップリンク共有チャネルに転送して送信し、
前記第１のＴＴＩ長で送信するアップリンク共有チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク共有チャネルで搬送されるＵＣＩがＰ−ＣＳＩを含む場合、前記第１のＴＴＩ長で送信するアップリンク共有チャネルで搬送されるＰ−ＣＳＩを放棄し、または、前記第２のＴＴＩ長で送信するアップリンク共有チャネルがＰ−ＣＳＩを搬送している場合、前記第１のＴＴＩ長で送信するアップリンク共有チャネルで搬送されるＰ−ＣＳＩを放棄し、前記第２のＴＴＩ長で送信するアップリンク共有チャネルがＰ−ＣＳＩを搬送していない場合、前記第１のＴＴＩ長で送信するアップリンク共有チャネルで搬送されるＰ−ＣＳＩを、前記第２のＴＴＩ長で送信するアップリンク共有チャネルに転送して送信し、
第１のＴＴＩ長で送信するアップリンク共有チャネルの送信期間に第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、プライマリコンポーネントキャリア（ＰＣＣ）に前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するセカンダリコンポーネントキャリア（ＳＣＣ）のうちの最小キャリアインデックスのＳＣＣ上の前記第２のＴＴＩ長で送信するアップリンク共有チャネルを選択して前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第５方式が適用される場合、前記所定の規則５は以下方式のうちの１つまたは組み合わせを含み、
前記第２のＴＴＩ長で送信するアップリンク共有チャネルで搬送されるＵＣＩすべてを、前記第１のＴＴＩ長で送信するアップリンク共有チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク共有チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク共有チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク共有チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク共有チャネルに転送して送信し、
第１のＴＴＩ長で送信するアップリンク共有チャネル複数があれば、ＰＣＣに前記第１のＴＴＩ長で送信するアップリンク共有チャネルがある場合、ＰＣＣ上の前記第１のＴＴＩ長送信するアップリンク共有チャネルを選択して、前記ショート物理アップリンク共有チャネルｓＰＵＳＣＨ上のＵＣＩを送信し、ＰＣＣに第１のＴＴＩ長で送信するアップリンク共有チャネルがなければ、前記第１のＴＴＩ長で送信するアップリンク共有チャネルを有するＳＣＣのうちの最小キャリアインデックスのＳＣＣ上の前記第１のＴＴＩ長で送信するアップリンク共有チャネルを選択して、前記ｓＰＵＳＣＨ上のＵＣＩを送信し、前記選択された第１のＴＴＩ長で送信するアップリンク共有チャネルがＲＡＲ ｇｒａｎｔに対応するアップリンク共有チャネルである場合、前記ＵＣＩを送信しない、
前記第６方式が適用される場合、選択されたアップリンクチャネルが第２のＴＴＩ長で送信するアップリンク共有チャネルであるとき、第１のＴＴＩ長で送信するアップリンク共有チャネルの送信期間に第２のＴＴＩ長で送信するアップリンク共有チャネル複数があれば、前記所定の規則４の方式で、ＵＣＩを搬送するチャネルを選択し、選択されたアップリンクチャネルが第１のＴＴＩ長で送信するアップリンク共有チャネルであるとき、第１のＴＴＩ長で送信するアップリンク共有チャネル複数があれば、前記所定の規則５の方式で、ＵＣＩを搬送するチャネルを選択することを特徴とする請求項１０に記載のデータ伝送のための方法。
【請求項１２】
第１のＴＴＩ長で送信するアップリンク制御チャネルが、第２のＴＴＩ長で送信するアップリンク共有チャネルとオーバーラップする場合、以下の方式の少なくとも１つを適用し、
第７方式では、前記第２のＴＴＩ長で送信するアップリンク共有チャネルを選択して送信し、前記第１のＴＴＩ長で送信するアップリンク制御チャネルを放棄し、または、前記第２のＴＴＩ長で送信するアップリンク共有チャネルとオーバーラップする前記第１のＴＴＩ長で送信するアップリンク制御チャネル内のシンボル上の情報をパンクチャリングし、
第８方式では、前記第１のＴＴＩ長で送信するアップリンク制御チャネルを選択して送信し、前記第２のＴＴＩ長で送信するアップリンク共有チャネルを放棄し、
第９方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第７方式または前記第８方式で同じ優先度のＵＣＩを搬送する複数のチャネルから選択することを特徴とする請求項１に記載のデータ伝送のための方法。
【請求項１３】
前記第７方式が適用される場合、前記第１のＴＴＩ長で送信するアップリンク制御チャネルで搬送されるＵＣＩを、所定の規則１または所定の規則６の下で前記第２のＴＴＩ長で送信するアップリンク共有チャネルに転送して送信し、
前記第８方式が適用される場合、前記第２のＴＴＩ長で送信するアップリンク共有チャネルがＵＣＩを搬送している場合、前記ＵＣＩを所定の規則１または所定の規則７の下で前記第１のＴＴＩ長で送信するアップリンク制御チャネルに転送して送信し、
前記第９方式が適用される場合、選択されていない残りのアップリンクチャネル上のＵＣＩを所定の規則１の下で選択されたアップリンクチャネルに転送して送信することを特徴とする請求項１２に記載のデータ伝送のための方法。
【請求項１４】
前記第７方式が適用される場合、前記所定の規則６は、以下方式のうちの１つまたは組み合わせを含み、
前記第１のＴＴＩ長で送信するアップリンク制御チャネルで搬送されるＵＣＩすべてを、前記第２のＴＴＩ長で送信するアップリンク共有チャネルに転送して送信し、
前記第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク制御チャネルで搬送されるＵＣＩがＰ−ＣＳＩを含む場合、前記第１のＴＴＩ長で送信するアップリンク制御チャネルで搬送されるＰ−ＣＳＩを放棄し、または、前記第２のＴＴＩ長で送信するアップリンク共有チャネルがＰ−ＣＳＩを搬送する場合、前記第１のＴＴＩ長で送信するアップリンク制御チャネルで搬送されるＰ−ＣＳＩを放棄し、前記第２のＴＴＩ長で送信するアップリンク共有チャネルがＰ−ＣＳＩを搬送しない場合、前記第１のＴＴＩ長で送信するアップリンク制御チャネルで搬送されるＰ−ＣＳＩを、前記第２のＴＴＩ長で送信するアップリンク共有チャネルに転送して送信し、
第１のＴＴＩ長で送信するアップリンク制御チャネルの送信期間に複数の第２のＴＴＩ長で送信するアップリンク共有チャネル複数がある場合、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第８方式が適用される場合、前記所定の規則７は、以下方式のうちの１つまたは組み合わせを含み、
前記第２のＴＴＩ長で送信するアップリンク共有チャネルで搬送されるＵＣＩの全てを、前記第１のＴＴＩ長で送信するアップリンク制御チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク制御チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク制御チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク制御チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク制御チャネルに転送して送信し、
前記第９方式が適用される場合、選択されたアップリンクチャネルが第２のＴＴＩ長で送信するアップリンク共有チャネルであるとき、第１のＴＴＩ長で送信するアップリンク制御チャネルの送信期間に複数の第２のＴＴＩ長で送信するアップリンク共有チャネル複数がある場合、前記所定の規則７の方式でＵＣＩを搬送するチャネルを選択することを特徴とする請求項１３に記載のデータ伝送のための方法。
【請求項１５】
前記ＵＣＩ優先度は、ＳＲの優先度がＡＣＫ／ＮＡＣＫの優先度以上であり、ＡＣＫ／ＮＡＣＫの優先度がＰ−ＣＳＩの優先度よりも高いことを特徴とする請求項４、請求項６、請求項９及び請求項１２のいずれか１項に記載のデータ伝送のための方法。
【請求項１６】
前記所定の規則１は、以下方式のうちの１つまたは組み合わせを含み、
選択されていない残りのアップリンクチャネル上のＵＣＩを選択されたアップリンクチャネルに転送して送信し、
選択されていない残りのアップリンクチャネル上のＵＣＩがＡＣＫ／ＮＡＣＫ及び/またはＳＲである場合、前記ＵＣＩを選択されたアップリンクチャネルに転送して送信し、選択されていない残りのアップリンクチャネル上のＵＣＩがＰ−ＣＳＩを含む場合、前記選択されていない残りのアップリンクチャネル上のＰ−ＣＳＩを放棄し、または、選択されたアップリンクチャネルがＰ−ＣＳＩを搬送している場合、前記選択されていない残りのアップリンクチャネル上のＰ−ＣＳＩを放棄し、選択されたアップリンクチャネルがＰ−ＣＳＩを搬送していない場合、選択されていないチャネルで搬送されるＰ−ＣＳＩを、選択されたアップリンクチャネルに転送して送信し、
選択されたアップリンクチャネルが第１のＴＴＩ長で送信するアップリンク共有チャネル及び/または第１のＴＴＩ長で送信する第１のＴＴＩ長で送信するアップリンク制御チャネルである場合は、第１のＴＴＩ長で送信するアップリンク共有チャネル及び第１のＴＴＩ長で送信するアップリンク制御チャネル両方があるとき、そのうちの１つを選択して前記ＵＣＩを搬送し、または、前記ＵＣＩの一部を第１のＴＴＩ長で送信するアップリンク共有チャネルで搬送されるようにし、前記ＵＣＩの残りの部分を第１のＴＴＩ長で送信するアップリンク制御チャネルで搬送されるようにし、第１のＴＴＩ長を利用するアップリンク共有チャネル複数がある場合、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
選択されたアップリンクチャネルが第２のＴＴＩ長で送信するアップリンク制御チャネルであれば、前記第１のＴＴＩ長の間に第２のＴＴＩ長で送信するアップリンク制御チャネル複数があるとき、最初１つのまたは最後１つの第２のＴＴＩ長で送信するアップリンク制御チャネルを選択して前記ＵＣＩを搬送し、または、Ｐ−ＣＳＩ搬送用の、第２のＴＴＩ長で送信するアップリンク制御チャネルを選択して、前記選択されていない残りのアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記選択されていない残りのアップリンクチャネル内のＰ−ＣＳＩを搬送するためのものとし、ＡＣＫ／ＮＡＣＫ及び/またはＳＲ搬送用の、第２のＴＴＩ長で送信するアップリンク制御チャネルを選択して前記選択されていない残りのアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して前記選択されていない残りのアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記選択されていない残りのアップリンクチャネル内の対応のＵＣＩを搬送するためのものとし、
選択されたアップリンクチャネルが第２のＴＴＩ長で送信するアップリンク共有チャネルであるとき、前記第１のＴＴＩ長の間に複数の第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを搬送し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して前記ＵＣＩを搬送し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しないことを特徴とする請求項５、請求項７、請求項１１及び請求項１３のいずれか１項に記載のデータ伝送のための方法。
【請求項１７】
第１のＴＴＩ長で送信するアップリンクチャネルの送信電力と、第２のＴＴＩ長で送信するアップリンクチャネルの送信電力との合計が、ＵＥに許容される最大送信電力を超えるかどうかを判定し、最大送信電力を超えると、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信し、及び/または、
第１のＴＴＩ長で送信するアップリンクチャネルと第２のＴＴＩ長で送信するアップリンクチャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信し、及び/または、
第１のＴＴＩ長で送信するアップリンク制御チャネルと第２のＴＴＩ長で送信するアップリンク共有チャネルとの同時送信をサポートするかどうかを判定し、及び/または、第１のＴＴＩ長で送信するアップリンク共有チャネルと第２のＴＴＩ長で送信するアップリンク制御チャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信することを特徴とする請求項１ないし請求項１６のいずれか１項に記載のデータ伝送のための方法。
【請求項１８】
第１のＴＴＩ長で送信するアップリンクチャネルの送信期間が第２のＴＴＩ長で送信するアップリンクチャネルの送信期間とオーバーラップするかどうかを判定し、
オーバーラップすると判定した場合、ＵＥが所定の規則の下でアップリンクチャネルを選択して送信することを決定し、残りのアップリンクチャネルでの送信を放棄するか、または、残りのアップリンクチャネルをパンクチャリングして送信することを特徴とするデータ伝送のための方法。 
【請求項１９】
前記第１のＴＴＩ長が前記第２のＴＴＩ長より大きいことを特徴とする請求項１８に記載のデータ伝送のための方法。 
【請求項２０】
前記アップリンクチャネルは、アップリンク制御チャネル及びアップリンク共有チャネルのうちの少なくとも１つであることを特徴とする請求項１８に記載のデータ伝送のための方法。 
【請求項２１】
前記所定の規則は、以下の規則のうちの１つまたは組み合わせであり、
アップリンク制御チャネルを選択し、アップリンク共有チャネルでの送信を放棄するか、またはアップリンク共有チャネルをパンクチャリングして送信し、
第２のＴＴＩ長で送信するアップリンクチャネルを選択し、第１のＴＴＩ長で送信するアップリンクチャネルでの送信を放棄するか、または、第１のＴＴＩ長で送信するアップリンクチャネルをパンクチャリングして送信し、
ＵＣＩを搬送するアップリンクチャネルを選択し、ＵＣＩを送信するアップリンクチャネルが複数ある場合、優先度の高いＵＣＩを搬送するアップリンクチャネルを選択し、優先度の高いＵＣＩを搬送するアップリンクチャネルが複数ある場合、前記規則を再利用して選択し、残りのアップリンクチャネルでの送信を放棄するか、または、残りのアップリンクチャネルをパンクチャリングして送信することを特徴とする請求項１８に記載のデータ伝送のための方法。 
【請求項２２】
ＵＥが選択されていない残りのアップリンクチャネル上のＵＣＩを所定の規則１の下で選択されたアップリンクチャネルに転送して送信することを決定することを特徴とする請求項２１に記載のデータ伝送のための方法。 
【請求項２３】
第１のＴＴＩ長で送信するアップリンク共有チャネル及び/または第１のＴＴＩ長で送信するアップリンク制御チャネルが、第２のＴＴＩ長で送信するアップリンク制御チャネルとオーバーラップする場合、以下の方式の少なくとも１つを適用し、
第１の方式では、以下のことを決定し、ＵＥが前記第２のＴＴＩ長で送信するアップリンク制御チャネルを選択して送信し、前記第１のＴＴＩ長で送信するアップリンク共有チャネル及び/または第１のＴＴＩ長で送信するアップリンク制御チャネルを放棄し、または、前記第２のＴＴＩ長で送信するアップリンク制御チャネルとオーバーラップする前記第１のＴＴＩ長で送信するアップリンク共有チャネル及び/または第１のＴＴＩ長で送信するアップリンク制御チャネル内のシンボル上の情報をパンクチャリングし、
第２の方式では、ＵＥが前記第１のＴＴＩ長で送信するアップリンク共有チャネル及び/またはアップリンク制御チャネルを選択し、前記第２のＴＴＩ長で送信するアップリンク制御チャネルを放棄することを決定し、
第３の方式では、以下のことを決定し、ＵＥがＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第１の方式または前記第２の方式で同じ優先度のＵＣＩを搬送する複数のチャネルから選択することを特徴とする請求項１８に記載のデータ伝送のための方法。 
【請求項２４】
前記第１の方式を適用する場合、がＵＥが前記第１のＴＴＩ長で送信するアップリンク共有チャネル及び/または第１のＴＴＩ長で送信するアップリンク制御チャネルで搬送されるＵＣＩを、所定の規則１または所定の規則２の下で前記第２のＴＴＩ長で送信するアップリンク制御チャネルに転送して送信し、
前記第２の方式を適用する場合、以下のことを決定し、ＵＥが前記第２のＴＴＩ長で送信するアップリンク制御チャネルで搬送されるＵＣＩを、所定の規則１または所定の規則３の下で前記第１のＴＴＩ長で送信するアップリンク共有チャネル及び/または第１のＴＴＩ長で送信するアップリンク制御チャネルに転送して送信し、
前記第３方式を適用する場合、以下のことを決定し、ＵＥが選択されていない残りのアップリンクチャネル上のＵＣＩを、前記所定の規則１の下で選択されたアップリンクチャネルに転送して送信することを特徴とする請求項２３に記載のデータ伝送のための方法。
【請求項２５】
前記第１の方式を適用する場合、前記所定の規則２は以下方式のうちの１つまたは組み合わせを含み、
前記第１のＴＴＩ長で送信するアップリンク共有チャネル及び/または第１のＴＴＩ長で送信するアップリンク制御チャネルで搬送されるＵＣＩのすべてを、前記第２のＴＴＩ長で送信するアップリンク制御チャネルに転送して送信し、
前記第１のＴＴＩ長で送信するアップリンク共有チャネル及び/または第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク制御チャネルに転送して送信し、前記第１のＴＴＩ長で送信するアップリンク共有チャネル及び/または第１のＴＴＩ長で送信するアップリンク制御チャネルで搬送されるＵＣＩがＰ−ＣＳＩを含む場合、前記第１のＴＴＩ長で送信するアップリンク共有チャネル及び/または第１のＴＴＩ長で送信するアップリンク制御チャネルで搬送されるＰ−ＣＳＩを放棄し、または、前記第２のＴＴＩ長で送信するアップリンク制御チャネルにＰ−ＣＳＩが含まれる場合、前記第１のＴＴＩ長で送信するアップリンク共有チャネル及び/または第１のＴＴＩ長で送信するアップリンク制御チャネルで搬送されるＰ−ＣＳＩを放棄し、前記第２のＴＴＩ長で送信するアップリンク制御チャネルにＰ−ＣＳＩが含まれない場合、前記第１のＴＴＩ長で送信するアップリンク共有チャネル及び/または第１のＴＴＩ長で送信するアップリンク制御チャネルで搬送されるＰ−ＣＳＩを、第２のＴＴＩ長で送信するアップリンク制御チャネルに転送して送信し、
第１のＴＴＩ長で送信するアップリンク共有チャネル及び/または第１のＴＴＩ長で送信するアップリンク制御チャネルの送信期間の間に、第２のＴＴＩ長で送信するアップリンク制御チャネル複数があれば、
最初１つのまたは最後１つの第２のＴＴＩ長で送信するアップリンク制御チャネルを選択して前記ＵＣＩを搬送し、または、
Ｐ−ＣＳＩ搬送用の、第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＰ−ＣＳＩを搬送し、ＡＣＫ／ＮＡＣＫ及び/またはＳＲ搬送用の、第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記第１のＴＴＩ長で送信するアップリンク共有チャネル及び/または第１のＴＴＩ長で送信するアップリンク制御チャネル内の対応のＵＣＩを搬送するためのものとし、
前記第２の方式を適用する場合、前記所定の規則３は、以下方式のうちの１つまたは組み合わせを含み、
前記第２のＴＴＩ長で送信するアップリンク制御チャネルで搬送されるＵＣＩすべてを、前記第２のＴＴＩ長で送信するアップリンク制御チャネルで搬送されるＵＣＩすべてを、前記第１のＴＴＩ長で送信するアップリンク共有チャネル及び/または第１のＴＴＩ長で送信するアップリンク制御チャネルに転送して送信し、
前記第２のＴＴＩ長で送信するアップリンク制御チャネルで搬送されるＵＣＩがＡＣＫ／ＮＡＣＫ及び/またはＳＲである場合、前記ＵＣＩを前記第１のＴＴＩ長で送信するアップリンク共有チャネル及び/または第１のＴＴＩ長で送信するアップリンク制御チャネルに転送して送信し、前記第２のＴＴＩ長で送信するアップリンク制御チャネルで搬送されるＵＣＩがＰ−ＣＳＩを含む場合、前記第２のＴＴＩ長で送信するアップリンク制御チャネルで搬送されるＰ−ＣＳＩを放棄し、または、前記第１のＴＴＩ長で送信するアップリンク共有チャネル及び/または第１のＴＴＩ長で送信するアップリンク制御チャネルがＰ−ＣＳＩを搬送する場合、前記第２のＴＴＩ長で送信するアップリンク制御チャネルで搬送されるＰ−ＣＳＩを放棄し、前記第１のＴＴＩ長で送信するアップリンク共有チャネル及び/または第１のＴＴＩ長で送信するアップリンク制御チャネルがＰ−ＣＳＩを搬送しない場合、前記第２のＴＴＩ長で送信するアップリンク制御チャネルで搬送されるＰ−ＣＳＩを、前記第２のＴＴＩ長で送信するアップリンク共有チャネル及び/または第１のＴＴＩ長で送信するアップリンク制御チャネルに転送して送信し、
前記第１のＴＴＩ長で送信するアップリンク共有チャネル及び第１のＴＴＩ長で送信するアップリンク制御チャネル両方があれば、そのうちの１つを選択して前記ＵＣＩを搬送し、または、前記ＵＣＩの一部を前記第１のＴＴＩ長で送信するアップリンク共有チャネルで搬送し、前記ＵＣＩの残りの部分を前記第１のＴＴＩ長で送信するアップリンク制御チャネルで搬送し、及び/または、第１のＴＴＩ長で送信するアップリンク共有チャネル複数があれば、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
前記第３方式を適用する場合、選択されたアップリンクチャネルが第２のＴＴＩ長で送信するアップリンク制御チャネルであれば、第１のＴＴＩ長で送信するアップリンク共有チャネル及び/または第１のＴＴＩ長で送信するアップリンク制御チャネルの送信期間の間に、第２のＴＴＩ長で送信するアップリンク制御チャネル複数があれば、前記所定の規則２の方式で前記ＵＣＩを搬送するチャネルを選択し、選択されたアップリンクチャネルが第１のＴＴＩ長で送信するアップリンク共有チャネル及び/または第１のＴＴＩ長で送信するアップリンク制御チャネルである場合、第１のＴＴＩ長で送信するアップリンク共有チャネル及びアップリンク制御チャネル両方があるか、または、複数の第１のＴＴＩ長で送信するアップリンク共有チャネルがあれば、前記所定の規則３の方式で、前記ＵＣＩを搬送するチャネルを選択することを特徴とする請求項２４に記載のデータ伝送のための方法。 
【請求項２６】
第１のＴＴＩ長で送信するアップリンク共有チャネルが第２のＴＴＩ長で送信するアップリンク共有チャネルとオーバーラップする場合、以下の方式の少なくとも１つを適用し、
第４方式では、以下のことを決定し、ＵＥが前記第２のＴＴＩ長で送信するアップリンク共有チャネルを選択して送信し、前記第１のＴＴＩ長で送信するアップリンク共有チャネルを放棄し、または、前記第２のＴＴＩ長で送信するアップリンク共有チャネルとオーバーラップする、前記第１のＴＴＩ長で送信するアップリンク共有チャネル内のシンボル上の情報をパンクチャリングし、
第５方式では、以下のことを決定し、ＵＥが前記第１のＴＴＩ長で送信するアップリンク共有チャネルを選択して送信し、前記第２のＴＴＩ長で送信するアップリンク共有チャネルを放棄し、
第６方式では、以下のことを決定し、ＵＥがＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第３方式または前記第４方式で同じ優先度のＵＣＩを搬送する複数のチャネルから選択することを特徴とする請求項１８に記載のデータ伝送のための方法。 
【請求項２７】
前記第４方式が適用される場合、以下のことを決定し、ＵＥが前記第１のＴＴＩ長で送信するアップリンク共有チャネルで搬送されるＵＣＩを、所定の規則１または所定の規則４の下で前記第２のＴＴＩ長で送信するアップリンク共有チャネルに転送して送信し、 
前記第５方式が適用される場合、以下のことを決定し、ＵＥが前記第２のＴＴＩ長で送信するアップリンク共有チャネルで搬送されるＵＣＩを、所定の規則１または所定の規則５の下で前記第１のＴＴＩ長で送信するアップリンク共有チャネルに転送して送信し、
前記第６方式が適用される場合、ＵＥが選択されていない残りのアップリンクチャネル上のＵＣＩを所定の規則１の下で選択されたアップリンクチャネルに転送して送信することを決定することを特徴とする請求項２６に記載のデータ伝送のための方法。 
【請求項２８】
前記第４方式が適用される場合、前記所定の規則４は、以下方式のうちの１つまたは組み合わせを含み、
前記第１のＴＴＩ長で送信するアップリンク共有チャネルで搬送されるＵＣＩすべてを、前記第２のＴＴＩ長で送信するアップリンク共有チャネルに転送して送信し、
前記第１のＴＴＩ長で送信するアップリンク共有チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク共有チャネルで搬送されるＵＣＩがＰ−ＣＳＩを含む場合、前記第１のＴＴＩ長で送信するアップリンク共有チャネルで搬送されるＰ−ＣＳＩを放棄し、または、前記第２のＴＴＩ長で送信するアップリンク共有チャネルがＰ−ＣＳＩを搬送している場合、前記第１のＴＴＩ長で送信するアップリンク共有チャネルで搬送されるＰ−ＣＳＩを放棄し、前記第２のＴＴＩ長で送信するアップリンク共有チャネルがＰ−ＣＳＩを搬送していない場合、前記第１のＴＴＩ長で送信するアップリンク共有チャネルで搬送されるＰ−ＣＳＩを、前記第２のＴＴＩ長で送信するアップリンク共有チャネルに転送して送信し、
第１のＴＴＩ長で送信するアップリンク共有チャネルの送信期間に第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第５方式が適用される場合、前記所定の規則５は以下方式のうちの１つまたは組み合わせを含み、
前記第２のＴＴＩ長で送信するアップリンク共有チャネルで搬送されるＵＣＩすべてを、前記第１のＴＴＩ長で送信するアップリンク共有チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク共有チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク共有チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク共有チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク共有チャネルに転送して送信し、
第１のＴＴＩ長で送信するアップリンク共有チャネル複数があれば、ＰＣＣに前記第１のＴＴＩ長で送信するアップリンク共有チャネルがある場合、ＰＣＣ上の前記第１のＴＴＩ長送信するアップリンク共有チャネルを選択して、前記ｓＰＵＳＣＨ上のＵＣＩを送信し、ＰＣＣに第１のＴＴＩ長で送信するアップリンク共有チャネルがなければ、前記第１のＴＴＩ長で送信するアップリンク共有チャネルを有するＳＣＣのうちの最小キャリアインデックスのＳＣＣ上の前記第１のＴＴＩ長で送信するアップリンク共有チャネルを選択して、前記ｓＰＵＳＣＨ上のＵＣＩを送信し、前記選択された第１のＴＴＩ長で送信するアップリンク共有チャネルがＲＡＲ ｇｒａｎｔに対応するアップリンク共有チャネルである場合、前記ＵＣＩを送信しない、
前記第６方式が適用される場合、選択されたアップリンクチャネルが第２のＴＴＩ長で送信するアップリンク共有チャネルであるとき、第１のＴＴＩ長で送信するアップリンク共有チャネルの送信期間に第２のＴＴＩ長で送信するアップリンク共有チャネル複数があれば、前記所定の規則４の方式で、ＵＣＩを搬送するチャネルを選択し、選択されたアップリンクチャネルが第１のＴＴＩ長で送信するアップリンク共有チャネルであるとき、第１のＴＴＩ長で送信するアップリンク共有チャネル複数があれば、前記所定の規則５の方式で、ＵＣＩを搬送するチャネルを選択することを特徴とする請求項２７に記載のデータ伝送のための方法。 
【請求項２９】
第１のＴＴＩ長で送信するアップリンク制御チャネルが、第２のＴＴＩ長で送信するアップリンク共有チャネルとオーバーラップする場合、以下の方式の少なくとも１つを適用し、
第７方式では、以下のことを決定し、ＵＥが前記第２のＴＴＩ長で送信するアップリンク共有チャネルを選択して送信し、前記第１のＴＴＩ長で送信するアップリンク制御チャネルを放棄し、または、前記第２のＴＴＩ長で送信するアップリンク共有チャネルとオーバーラップする前記第１のＴＴＩ長で送信するアップリンク制御チャネル内のシンボル上の情報をパンクチャリングし、
第８方式では、以下のことを決定し、ＵＥが前記第１のＴＴＩ長で送信するアップリンク制御チャネルを選択して送信し、前記第２のＴＴＩ長で送信するアップリンク共有チャネルを放棄し、
第９方式では、以下のことを決定し、ＵＥがＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第７方式または前記第８方式で同じ優先度のＵＣＩを搬送する複数のチャネルから選択することを特徴とする請求項１８に記載のデータ伝送のための方法。 
【請求項３０】
前記第７方式が適用される場合、以下のことを決定し、ＵＥが前記第１のＴＴＩ長で送信するアップリンク制御チャネルで搬送されるＵＣＩを、所定の規則１または所定の規則６の下で前記第２のＴＴＩ長で送信するアップリンク共有チャネルに転送して送信し、
前記第８方式が適用される場合、前記第２のＴＴＩ長で送信するアップリンク共有チャネルがＵＣＩを搬送している場合、ＵＥが前記ＵＣＩを所定の規則１または所定の規則７の下で前記第１のＴＴＩ長で送信するアップリンク制御チャネルに転送して送信することを決定し、
前記第９方式が適用される場合、ＵＥが選択されていない残りのアップリンクチャネル上のＵＣＩを所定の規則１の下で選択されたアップリンクチャネルに転送して送信することを決定することを特徴とする請求項２９に記載のデータ伝送のための方法。 
【請求項３１】
前記第７方式が適用される場合、前記所定の規則６は、以下方式のうちの１つまたは組み合わせを含み、
前記第１のＴＴＩ長で送信するアップリンク制御チャネルで搬送されるＵＣＩすべてを、前記第２のＴＴＩ長で送信するアップリンク共有チャネルに転送して送信し、
前記第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク制御チャネルで搬送されるＵＣＩがＰ−ＣＳＩを含む場合、前記第１のＴＴＩ長で送信するアップリンク制御チャネルで搬送されるＰ−ＣＳＩを放棄し、または、前記第２のＴＴＩ長で送信するアップリンク共有チャネルがＰ−ＣＳＩを搬送する場合、前記第１のＴＴＩ長で送信するアップリンク制御チャネルで搬送されるＰ−ＣＳＩを放棄し、前記第２のＴＴＩ長で送信するアップリンク共有チャネルがＰ−ＣＳＩを搬送しない場合、前記第１のＴＴＩ長で送信するアップリンク制御チャネルで搬送されるＰ−ＣＳＩを、前記第２のＴＴＩ長で送信するアップリンク共有チャネルに転送して送信し、
第１のＴＴＩ長で送信するアップリンク制御チャネルの送信期間に複数の第２のＴＴＩ長で送信するアップリンク共有チャネル複数がある場合、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第８方式が適用される場合、前記所定の規則７は、以下方式のうちの１つまたは組み合わせを含み、
前記第２のＴＴＩ長で送信するアップリンク共有チャネルで搬送されるＵＣＩの全てを、前記第１のＴＴＩ長で送信するアップリンク制御チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク制御チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク制御チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク制御チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク制御チャネルに転送して送信し、
前記第９方式が適用される場合、選択されたアップリンクチャネルが第２のＴＴＩ長で送信するアップリンク共有チャネルであるとき、第１のＴＴＩ長で送信するアップリンク制御チャネルの送信期間に複数の第２のＴＴＩ長で送信するアップリンク共有チャネル複数がある場合、前記所定の規則７の方式でＵＣＩを搬送するチャネルを選択することを特徴とする請求項３０に記載のデータ伝送のための方法。 
【請求項３２】
前記ＵＣＩ優先度は、ＳＲの優先度がＡＣＫ／ＮＡＣＫの優先度以上であり、ＡＣＫ／ＮＡＣＫの優先度がＰ−ＣＳＩの優先度よりも高いことを特徴とする請求項２１、請求項２３、請求項２６及び請求項２９のいずれか１項に記載のデータ伝送のための方法。 
【請求項３３】
前記所定の規則１は、以下方式のうちの１つまたは組み合わせを含み、
選択されていない残りのアップリンクチャネル上のＵＣＩを選択されたアップリンクチャネルに転送して送信し、
選択されていない残りのアップリンクチャネル上のＵＣＩがＡＣＫ／ＮＡＣＫ及び/またはＳＲである場合、前記ＵＣＩを選択されたアップリンクチャネルに転送して送信し、選択されていない残りのアップリンクチャネル上のＵＣＩがＰ−ＣＳＩを含む場合、前記選択されていない残りのアップリンクチャネル上のＰ−ＣＳＩを放棄し、または、選択されたアップリンクチャネルがＰ−ＣＳＩを搬送している場合、前記選択されていない残りのアップリンクチャネル上のＰ−ＣＳＩを放棄し、選択されたアップリンクチャネルがＰ−ＣＳＩを搬送していない場合、選択されていないチャネルで搬送されるＰ−ＣＳＩを、選択されたアップリンクチャネルに転送して送信し、
選択されたアップリンクチャネルが第１のＴＴＩ長で送信するアップリンク共有チャネル及び/または第１のＴＴＩ長で送信する第１のＴＴＩ長で送信するアップリンク制御チャネルである場合は、第１のＴＴＩ長で送信するアップリンク共有チャネル及び第１のＴＴＩ長で送信するアップリンク制御チャネル両方があるとき、そのうちの１つを選択して前記ＵＣＩを搬送し、または、前記ＵＣＩの一部を第１のＴＴＩ長で送信するアップリンク共有チャネルで搬送されるようにし、前記ＵＣＩの残りの部分を第１のＴＴＩ長で送信するアップリンク制御チャネルで搬送されるようにし、第１のＴＴＩ長を利用するアップリンク共有チャネル複数がある場合、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
選択されたアップリンクチャネルが第２のＴＴＩ長で送信するアップリンク制御チャネルであれば、前記第１のＴＴＩ長の間に第２のＴＴＩ長で送信するアップリンク制御チャネル複数があるとき、最初１つのまたは最後１つの第２のＴＴＩ長で送信するアップリンク制御チャネルを選択して前記ＵＣＩを搬送し、または、Ｐ−ＣＳＩ搬送用の、第２のＴＴＩ長で送信するアップリンク制御チャネルを選択して、前記選択されていない残りのアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記選択されていない残りのアップリンクチャネル内のＰ−ＣＳＩを搬送するためのものとし、ＡＣＫ／ＮＡＣＫ及び/またはＳＲ搬送用の、第２のＴＴＩ長で送信するアップリンク制御チャネルを選択して前記選択されていない残りのアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して前記選択されていない残りのアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記選択されていない残りのアップリンクチャネル内の対応のＵＣＩを搬送するためのものとし、
選択されたアップリンクチャネルが第２のＴＴＩ長で送信するアップリンク共有チャネルであるとき、前記第１のＴＴＩ長の間に複数の第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを搬送し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して前記ＵＣＩを搬送し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しないことを特徴とする請求項２２、請求項２４、請求項２８及び請求項３０のいずれか１項に記載のデータ伝送のための方法。 
【請求項３４】
ＵＥが下記のステップで動作することを決定し、
第１のＴＴＩ長で送信するアップリンクチャネルの送信電力と、第２のＴＴＩ長で送信するアップリンクチャネルの送信電力との合計が、ＵＥに許容される最大送信電力を超えるかどうかを判定し、最大送信電力を超えると、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信し、及び/または、
第１のＴＴＩ長で送信するアップリンクチャネルと第２のＴＴＩ長で送信するアップリンクチャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信し、及び/または、
第１のＴＴＩ長で送信するアップリンク制御チャネルと第２のＴＴＩ長で送信するアップリンク共有チャネルとの同時送信をサポートするかどうかを判定し、及び/または、第１のＴＴＩ長で送信するアップリンク共有チャネルと第２のＴＴＩ長で送信するアップリンク制御チャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信することを特徴とする請求項１８ないし請求項３３のいずれか１項に記載のデータ伝送のための方法。 
【請求項３５】
第１のＴＴＩ長で送信するアップリンクチャネルの送信期間が第２のＴＴＩ長で送信するアップリンクチャネルの送信期間とオーバーラップするかどうかを判定するように構成される、第１の決定モジュールと、
オーバーラップすると判定した場合、所定の規則の下で一部のアップリンクチャネルを選択して送信し、残りのアップリンクチャネルでの送信を放棄し、または、残りのアップリンクチャネルをパンクチャリングして送信する用に構成される、送信モジュールと、
を備えることを特徴とするデータ伝送のための装置。 
【請求項３６】
前記第１のＴＴＩ長が前記第２のＴＴＩ長より大きいことを特徴とする請求項３５に記載のデータ伝送のための装置。 
【請求項３７】
前記アップリンクチャネルは、アップリンク制御チャネル及びアップリンク共有チャネルのうちの少なくとも１つであることを特徴とする請求項３５に記載のデータ伝送のための装置。 
【請求項３８】
前記所定の規則は、以下の規則のうちの１つまたは組み合わせであり、
アップリンク制御チャネルを選択し、アップリンク共有チャネルでの送信を放棄するか、またはアップリンク共有チャネルをパンクチャリングして送信し、
第２のＴＴＩ長で送信するアップリンクチャネルを選択し、第１のＴＴＩ長で送信するアップリンクチャネルでの送信を放棄するか、または、第１のＴＴＩ長で送信するアップリンクチャネルをパンクチャリングして送信し、
ＵＣＩを搬送するアップリンクチャネルを選択し、ＵＣＩを送信するアップリンクチャネルが複数ある場合、優先度の高いＵＣＩを搬送するアップリンクチャネルを選択し、優先度の高いＵＣＩを搬送するアップリンクチャネルが複数ある場合、前記規則を再利用して選択し、残りのアップリンクチャネルでの送信を放棄するか、または、残りのアップリンクチャネルをパンクチャリングして送信することを特徴とする請求項３５に記載のデータ伝送のための装置。 
【請求項３９】
選択されていない残りのアップリンクチャネル上のＵＣＩを所定の規則１の下で選択されたアップリンクチャネルに転送して送信することを特徴とする請求項３８に記載のデータ伝送のための装置。 
【請求項４０】
第１のＴＴＩ長で送信するアップリンク共有チャネル及び/または第１のＴＴＩ長で送信するアップリンク制御チャネルが、第２のＴＴＩ長で送信するアップリンク制御チャネルとオーバーラップする場合、以下の方式の少なくとも１つを適用し、
第１の方式では、前記第２のＴＴＩ長で送信するアップリンク制御チャネルを選択して送信し、前記第１のＴＴＩ長で送信するアップリンク共有チャネル及び/または第１のＴＴＩ長で送信するアップリンク制御チャネルを放棄し、または、前記第２のＴＴＩ長で送信するアップリンク制御チャネルとオーバーラップする前記第１のＴＴＩ長で送信するアップリンク共有チャネル及び/または第１のＴＴＩ長で送信するアップリンク制御チャネル内のシンボル上の情報をパンクチャリングし、
第２の方式では、前記第１のＴＴＩ長で送信するアップリンク共有チャネル及び/またはアップリンク制御チャネルを選択し、前記第２のＴＴＩ長で送信するアップリンク制御チャネルを放棄し、
第３の方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第１の方式または前記第２の方式で同じ優先度のＵＣＩを搬送する複数のチャネルから選択することを特徴とする請求項３５に記載のデータ伝送のための装置。 
【請求項４１】
前記第１の方式を適用する場合、前記第１のＴＴＩ長で送信するアップリンク共有チャネル及び/または第１のＴＴＩ長で送信するアップリンク制御チャネルで搬送されるＵＣＩを、所定の規則１または所定の規則２の下で前記第２のＴＴＩ長で送信するアップリンク制御チャネルに転送して送信し、
前記第２の方式を適用する場合、前記第２のＴＴＩ長で送信するアップリンク制御チャネルで搬送されるＵＣＩを、所定の規則１または所定の規則３の下で前記第１のＴＴＩ長で送信するアップリンク共有チャネル及び/または第１のＴＴＩ長で送信するアップリンク制御チャネルに転送して送信し、
前記第３方式を適用する場合、選択されていない残りのアップリンクチャネル上のＵＣＩを、前記所定の規則１の下で選択されたアップリンクチャネルに転送して送信することを特徴とする請求項４０に記載のデータ伝送のための装置。 
【請求項４２】
前記第１の方式を適用する場合、前記所定の規則２は以下方式のうちの１つまたは組み合わせを含み、
前記第１のＴＴＩ長で送信するアップリンク共有チャネル及び/または第１のＴＴＩ長で送信するアップリンク制御チャネルで搬送されるＵＣＩのすべてを、前記第２のＴＴＩ長で送信するアップリンク制御チャネルに転送して送信し、
前記第１のＴＴＩ長で送信するアップリンク共有チャネル及び/または第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク制御チャネルに転送して送信し、前記第１のＴＴＩ長で送信するアップリンク共有チャネル及び/または第１のＴＴＩ長で送信するアップリンク制御チャネルで搬送されるＵＣＩがＰ−ＣＳＩを含む場合、前記第１のＴＴＩ長で送信するアップリンク共有チャネル及び/または第１のＴＴＩ長で送信するアップリンク制御チャネルで搬送されるＰ−ＣＳＩを放棄し、または、前記第２のＴＴＩ長で送信するアップリンク制御チャネルにＰ−ＣＳＩが含まれる場合、前記第１のＴＴＩ長で送信するアップリンク共有チャネル及び/または第１のＴＴＩ長で送信するアップリンク制御チャネルで搬送されるＰ−ＣＳＩを放棄し、前記第２のＴＴＩ長で送信するアップリンク制御チャネルにＰ−ＣＳＩが含まれない場合、前記第１のＴＴＩ長で送信するアップリンク共有チャネル及び/または第１のＴＴＩ長で送信するアップリンク制御チャネルで搬送されるＰ−ＣＳＩを、第２のＴＴＩ長で送信するアップリンク制御チャネルに転送して送信し、
第１のＴＴＩ長で送信するアップリンク共有チャネル及び/または第１のＴＴＩ長で送信するアップリンク制御チャネルの送信期間の間に、第２のＴＴＩ長で送信するアップリンク制御チャネル複数があれば、
最初１つのまたは最後１つの第２のＴＴＩ長で送信するアップリンク制御チャネルを選択して前記ＵＣＩを搬送し、または、
Ｐ−ＣＳＩ搬送用の、第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＰ−ＣＳＩを搬送し、ＡＣＫ／ＮＡＣＫ及び/またはＳＲ搬送用の、第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記第１のＴＴＩ長で送信するアップリンク共有チャネル及び/または第１のＴＴＩ長で送信するアップリンク制御チャネル内の対応のＵＣＩを搬送するためのものとし、
前記第２の方式を適用する場合、前記所定の規則３は、以下方式のうちの１つまたは組み合わせを含み、
前記第２のＴＴＩ長で送信するアップリンク制御チャネルで搬送されるＵＣＩすべてを、前記第２のＴＴＩ長で送信するアップリンク制御チャネルで搬送されるＵＣＩすべてを、前記第１のＴＴＩ長で送信するアップリンク共有チャネル及び/または第１のＴＴＩ長で送信するアップリンク制御チャネルに転送して送信し、
前記第２のＴＴＩ長で送信するアップリンク制御チャネルで搬送されるＵＣＩがＡＣＫ／ＮＡＣＫ及び/またはＳＲである場合、前記ＵＣＩを前記第１のＴＴＩ長で送信するアップリンク共有チャネル及び/または第１のＴＴＩ長で送信するアップリンク制御チャネルに転送して送信し、前記第２のＴＴＩ長で送信するアップリンク制御チャネルで搬送されるＵＣＩがＰ−ＣＳＩを含む場合、前記第２のＴＴＩ長で送信するアップリンク制御チャネルで搬送されるＰ−ＣＳＩを放棄し、または、前記第１のＴＴＩ長で送信するアップリンク共有チャネル及び/または第１のＴＴＩ長で送信するアップリンク制御チャネルがＰ−ＣＳＩを搬送する場合、前記第２のＴＴＩ長で送信するアップリンク制御チャネルで搬送されるＰ−ＣＳＩを放棄し、前記第１のＴＴＩ長で送信するアップリンク共有チャネル及び/または第１のＴＴＩ長で送信するアップリンク制御チャネルがＰ−ＣＳＩを搬送しない場合、前記第２のＴＴＩ長で送信するアップリンク制御チャネルで搬送されるＰ−ＣＳＩを、前記第２のＴＴＩ長で送信するアップリンク共有チャネル及び/または第１のＴＴＩ長で送信するアップリンク制御チャネルに転送して送信し、
前記第１のＴＴＩ長で送信するアップリンク共有チャネル及び第１のＴＴＩ長で送信するアップリンク制御チャネル両方があれば、そのうちの１つを選択して前記ＵＣＩを搬送し、または、前記ＵＣＩの一部を前記第１のＴＴＩ長で送信するアップリンク共有チャネルで搬送し、前記ＵＣＩの残りの部分を前記第１のＴＴＩ長で送信するアップリンク制御チャネルで搬送し、及び/または、第１のＴＴＩ長で送信するアップリンク共有チャネル複数があれば、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
前記第３方式を適用する場合、選択されたアップリンクチャネルが第２のＴＴＩ長で送信するアップリンク制御チャネルであれば、第１のＴＴＩ長で送信するアップリンク共有チャネル及び/または第１のＴＴＩ長で送信するアップリンク制御チャネルの送信期間の間に、第２のＴＴＩ長で送信するアップリンク制御チャネル複数があれば、前記所定の規則２の方式で前記ＵＣＩを搬送するチャネルを選択し、選択されたアップリンクチャネルが第１のＴＴＩ長で送信するアップリンク共有チャネル及び/または第１のＴＴＩ長で送信するアップリンク制御チャネルである場合、第１のＴＴＩ長で送信するアップリンク共有チャネル及びアップリンク制御チャネル両方があるか、または、複数の第１のＴＴＩ長で送信するアップリンク共有チャネルがあれば、前記所定の規則３の方式で、前記ＵＣＩを搬送するチャネルを選択することを特徴とする請求項４１に記載のデータ伝送のための装置。 
【請求項４３】
第１のＴＴＩ長で送信するアップリンク共有チャネルが第２のＴＴＩ長で送信するアップリンク共有チャネルとオーバーラップする場合、以下の方式の少なくとも１つを適用し、
第４方式では、前記第２のＴＴＩ長で送信するアップリンク共有チャネルを選択して送信し、前記第１のＴＴＩ長で送信するアップリンク共有チャネルを放棄し、または、前記第２のＴＴＩ長で送信するアップリンク共有チャネルとオーバーラップする、前記第１のＴＴＩ長で送信するアップリンク共有チャネル内のシンボル上の情報をパンクチャリングし、
第５方式では、前記第１のＴＴＩ長で送信するアップリンク共有チャネルを選択して送信し、前記第２のＴＴＩ長で送信するアップリンク共有チャネルを放棄し、
第６方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第３方式または前記第４方式で同じ優先度のＵＣＩを搬送する複数のチャネルから選択することを特徴とする請求項３５に記載のデータ伝送のための装置。 
【請求項４４】
前記第４方式が適用される場合、前記第１のＴＴＩ長で送信するアップリンク共有チャネルで搬送されるＵＣＩを、所定の規則１または所定の規則４の下で前記第２のＴＴＩ長で送信するアップリンク共有チャネルに転送して送信し、 
前記第５方式が適用される場合、前記第２のＴＴＩ長で送信するアップリンク共有チャネルで搬送されるＵＣＩを、所定の規則１または所定の規則５の下で前記第１のＴＴＩ長で送信するアップリンク共有チャネルに転送して送信し、
前記第６方式が適用される場合、選択されていない残りのアップリンクチャネル上のＵＣＩを所定の規則１の下で選択されたアップリンクチャネルに転送して送信することを特徴とする請求項４３に記載のデータ伝送のための装置。 
【請求項４５】
前記第４方式が適用される場合、前記所定の規則４は、以下方式のうちの１つまたは組み合わせを含み、
前記第１のＴＴＩ長で送信するアップリンク共有チャネルで搬送されるＵＣＩすべてを、前記第２のＴＴＩ長で送信するアップリンク共有チャネルに転送して送信し、
前記第１のＴＴＩ長で送信するアップリンク共有チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク共有チャネルで搬送されるＵＣＩがＰ−ＣＳＩを含む場合、前記第１のＴＴＩ長で送信するアップリンク共有チャネルで搬送されるＰ−ＣＳＩを放棄し、または、前記第２のＴＴＩ長で送信するアップリンク共有チャネルがＰ−ＣＳＩを搬送している場合、前記第１のＴＴＩ長で送信するアップリンク共有チャネルで搬送されるＰ−ＣＳＩを放棄し、前記第２のＴＴＩ長で送信するアップリンク共有チャネルがＰ−ＣＳＩを搬送していない場合、前記第１のＴＴＩ長で送信するアップリンク共有チャネルで搬送されるＰ−ＣＳＩを、前記第２のＴＴＩ長で送信するアップリンク共有チャネルに転送して送信し、
第１のＴＴＩ長で送信するアップリンク共有チャネルの送信期間に第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第５方式が適用される場合、前記所定の規則５は以下方式のうちの１つまたは組み合わせを含み、
前記第２のＴＴＩ長で送信するアップリンク共有チャネルで搬送されるＵＣＩすべてを、前記第１のＴＴＩ長で送信するアップリンク共有チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク共有チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク共有チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク共有チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク共有チャネルに転送して送信し、
第１のＴＴＩ長で送信するアップリンク共有チャネル複数があれば、ＰＣＣに前記第１のＴＴＩ長で送信するアップリンク共有チャネルがある場合、ＰＣＣ上の前記第１のＴＴＩ長送信するアップリンク共有チャネルを選択して、前記ｓＰＵＳＣＨ上のＵＣＩを送信し、ＰＣＣに第１のＴＴＩ長で送信するアップリンク共有チャネルがなければ、前記第１のＴＴＩ長で送信するアップリンク共有チャネルを有するＳＣＣのうちの最小キャリアインデックスのＳＣＣ上の前記第１のＴＴＩ長で送信するアップリンク共有チャネルを選択して、前記ｓＰＵＳＣＨ上のＵＣＩを送信し、前記選択された第１のＴＴＩ長で送信するアップリンク共有チャネルがＲＡＲ ｇｒａｎｔに対応するアップリンク共有チャネルである場合、前記ＵＣＩを送信しない、
前記第６方式が適用される場合、選択されたアップリンクチャネルが第２のＴＴＩ長で送信するアップリンク共有チャネルであるとき、第１のＴＴＩ長で送信するアップリンク共有チャネルの送信期間に第２のＴＴＩ長で送信するアップリンク共有チャネル複数があれば、前記所定の規則４の方式で、ＵＣＩを搬送するチャネルを選択し、選択されたアップリンクチャネルが第１のＴＴＩ長で送信するアップリンク共有チャネルであるとき、第１のＴＴＩ長で送信するアップリンク共有チャネル複数があれば、前記所定の規則５の方式で、ＵＣＩを搬送するチャネルを選択することを特徴とする請求項４４に記載のデータ伝送のための装置。 
【請求項４６】
第１のＴＴＩ長で送信するアップリンク制御チャネルが、第２のＴＴＩ長で送信するアップリンク共有チャネルとオーバーラップする場合、以下の方式の少なくとも１つを適用し、
第７方式では、前記第２のＴＴＩ長で送信するアップリンク共有チャネルを選択して送信し、前記第１のＴＴＩ長で送信するアップリンク制御チャネルを放棄し、または、前記第２のＴＴＩ長で送信するアップリンク共有チャネルとオーバーラップする前記第１のＴＴＩ長で送信するアップリンク制御チャネル内のシンボル上の情報をパンクチャリングし、
第８方式では、前記第１のＴＴＩ長で送信するアップリンク制御チャネルを選択して送信し、前記第２のＴＴＩ長で送信するアップリンク共有チャネルを放棄し、
第９方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第７方式または前記第８方式で同じ優先度のＵＣＩを搬送する複数のチャネルから選択することを特徴とする請求項３５に記載のデータ伝送のための装置。 
【請求項４７】
前記第７方式が適用される場合、前記第１のＴＴＩ長で送信するアップリンク制御チャネルで搬送されるＵＣＩを、所定の規則１または所定の規則６の下で前記第２のＴＴＩ長で送信するアップリンク共有チャネルに転送して送信し、
前記第８方式が適用される場合、前記第２のＴＴＩ長で送信するアップリンク共有チャネルがＵＣＩを搬送している場合、前記ＵＣＩを所定の規則１または所定の規則７の下で前記第１のＴＴＩ長で送信するアップリンク制御チャネルに転送して送信し、
前記第９方式が適用される場合、選択されていない残りのアップリンクチャネル上のＵＣＩを所定の規則１の下で選択されたアップリンクチャネルに転送して送信することを特徴とする請求項４６に記載のデータ伝送のための装置。 
【請求項４８】
前記第７方式が適用される場合、前記所定の規則６は、以下方式のうちの１つまたは組み合わせを含み、
前記第１のＴＴＩ長で送信するアップリンク制御チャネルで搬送されるＵＣＩすべてを、前記第２のＴＴＩ長で送信するアップリンク共有チャネルに転送して送信し、
前記第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク制御チャネルで搬送されるＵＣＩがＰ−ＣＳＩを含む場合、前記第１のＴＴＩ長で送信するアップリンク制御チャネルで搬送されるＰ−ＣＳＩを放棄し、または、前記第２のＴＴＩ長で送信するアップリンク共有チャネルがＰ−ＣＳＩを搬送する場合、前記第１のＴＴＩ長で送信するアップリンク制御チャネルで搬送されるＰ−ＣＳＩを放棄し、前記第２のＴＴＩ長で送信するアップリンク共有チャネルがＰ−ＣＳＩを搬送しない場合、前記第１のＴＴＩ長で送信するアップリンク制御チャネルで搬送されるＰ−ＣＳＩを、前記第２のＴＴＩ長で送信するアップリンク共有チャネルに転送して送信し、
第１のＴＴＩ長で送信するアップリンク制御チャネルの送信期間に複数の第２のＴＴＩ長で送信するアップリンク共有チャネル複数がある場合、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第８方式が適用される場合、前記所定の規則７は、以下方式のうちの１つまたは組み合わせを含み、
前記第２のＴＴＩ長で送信するアップリンク共有チャネルで搬送されるＵＣＩの全てを、前記第１のＴＴＩ長で送信するアップリンク制御チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク制御チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク制御チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク制御チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク制御チャネルに転送して送信し、
前記第９方式が適用される場合、選択されたアップリンクチャネルが第２のＴＴＩ長で送信するアップリンク共有チャネルであるとき、第１のＴＴＩ長で送信するアップリンク制御チャネルの送信期間に複数の第２のＴＴＩ長で送信するアップリンク共有チャネル複数がある場合、前記所定の規則７の方式でＵＣＩを搬送するチャネルを選択することを特徴とする請求項４７に記載のデータ伝送のための装置。 
【請求項４９】
前記ＵＣＩ優先度は、ＳＲの優先度がＡＣＫ／ＮＡＣＫの優先度以上であり、ＡＣＫ／ＮＡＣＫの優先度がＰ−ＣＳＩの優先度よりも高いことを特徴とする請求項３８、請求項４０、請求項４３及び請求項４６のいずれか１項に記載のデータ伝送のための装置。 
【請求項５０】
前記所定の規則１は、以下方式のうちの１つまたは組み合わせを含み、
選択されていない残りのアップリンクチャネル上のＵＣＩを選択されたアップリンクチャネルに転送して送信し、
選択されていない残りのアップリンクチャネル上のＵＣＩがＡＣＫ／ＮＡＣＫ及び/またはＳＲである場合、前記ＵＣＩを選択されたアップリンクチャネルに転送して送信し、選択されていない残りのアップリンクチャネル上のＵＣＩがＰ−ＣＳＩを含む場合、前記選択されていない残りのアップリンクチャネル上のＰ−ＣＳＩを放棄し、または、選択されたアップリンクチャネルがＰ−ＣＳＩを搬送している場合、前記選択されていない残りのアップリンクチャネル上のＰ−ＣＳＩを放棄し、選択されたアップリンクチャネルがＰ−ＣＳＩを搬送していない場合、選択されていないチャネルで搬送されるＰ−ＣＳＩを、選択されたアップリンクチャネルに転送して送信し、
選択されたアップリンクチャネルが第１のＴＴＩ長で送信するアップリンク共有チャネル及び/または第１のＴＴＩ長で送信する第１のＴＴＩ長で送信するアップリンク制御チャネルである場合は、第１のＴＴＩ長で送信するアップリンク共有チャネル及び第１のＴＴＩ長で送信するアップリンク制御チャネル両方があるとき、そのうちの１つを選択して前記ＵＣＩを搬送し、または、前記ＵＣＩの一部を第１のＴＴＩ長で送信するアップリンク共有チャネルで搬送されるようにし、前記ＵＣＩの残りの部分を第１のＴＴＩ長で送信するアップリンク制御チャネルで搬送されるようにし、第１のＴＴＩ長を利用するアップリンク共有チャネル複数がある場合、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
選択されたアップリンクチャネルが第２のＴＴＩ長で送信するアップリンク制御チャネルであれば、前記第１のＴＴＩ長の間に第２のＴＴＩ長で送信するアップリンク制御チャネル複数があるとき、最初１つのまたは最後１つの第２のＴＴＩ長で送信するアップリンク制御チャネルを選択して前記ＵＣＩを搬送し、または、Ｐ−ＣＳＩ搬送用の、第２のＴＴＩ長で送信するアップリンク制御チャネルを選択して、前記選択されていない残りのアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記選択されていない残りのアップリンクチャネル内のＰ−ＣＳＩを搬送するためのものとし、ＡＣＫ／ＮＡＣＫ及び/またはＳＲ搬送用の、第２のＴＴＩ長で送信するアップリンク制御チャネルを選択して前記選択されていない残りのアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して前記選択されていない残りのアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記選択されていない残りのアップリンクチャネル内の対応のＵＣＩを搬送するためのものとし、
選択されたアップリンクチャネルが第２のＴＴＩ長で送信するアップリンク共有チャネルであるとき、前記第１のＴＴＩ長の間に複数の第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを搬送し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して前記ＵＣＩを搬送し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しないことを特徴とする請求項３９、請求項４１、請求項４５及び請求項４７のいずれか１項に記載のデータ伝送のための装置。 
【請求項５１】
第１のＴＴＩ長で送信するアップリンクチャネルの送信電力と、第２のＴＴＩ長で送信するアップリンクチャネルの送信電力との合計が、ＵＥに許容される最大送信電力を超えるかどうかを判定し、最大送信電力を超えると、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信し、及び/または、
第１のＴＴＩ長で送信するアップリンクチャネルと第２のＴＴＩ長で送信するアップリンクチャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信し、及び/または、
第１のＴＴＩ長で送信するアップリンク制御チャネルと第２のＴＴＩ長で送信するアップリンク共有チャネルとの同時送信をサポートするかどうかを判定し、及び/または、第１のＴＴＩ長で送信するアップリンク共有チャネルと第２のＴＴＩ長で送信するアップリンク制御チャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信することを特徴とする請求項３５ないし請求項５０のいずれか１項に記載のデータ伝送のための装置。 
【請求項５２】
第１のＴＴＩ長で送信するアップリンクチャネルの送信期間が第２のＴＴＩ長で送信するアップリンクチャネルの送信期間とオーバーラップするかどうかを判定するように構成される、第２の決定モジュールと、
オーバーラップすると判定した場合、ＵＥが所定の規則の下でアップリンクチャネルを選択して送信することを決定し、残りのアップリンクチャネルでの送信を放棄するか、または、残りのアップリンクチャネルをパンクチャリングして送信するように構成される、送信決定モジュールと、
を備えることを特徴とするデータ伝送のための装置。
【請求項５３】
前記第１のＴＴＩ長が前記第２のＴＴＩ長より大きいことを特徴とする請求項５２に記載のデータ伝送のための装置。
【請求項５４】
前記アップリンクチャネルは、アップリンク制御チャネル及びアップリンク共有チャネルのうちの少なくとも１つであることを特徴とする請求項５２に記載のデータ伝送のための装置。
【請求項５５】
前記所定の規則は、以下の規則のうちの１つまたは組み合わせであり、
アップリンク制御チャネルを選択し、アップリンク共有チャネルでの送信を放棄するか、またはアップリンク共有チャネルをパンクチャリングして送信し、
第２のＴＴＩ長で送信するアップリンクチャネルを選択し、第１のＴＴＩ長で送信するアップリンクチャネルでの送信を放棄するか、または、第１のＴＴＩ長で送信するアップリンクチャネルをパンクチャリングして送信し、
ＵＣＩを搬送するアップリンクチャネルを選択し、ＵＣＩを送信するアップリンクチャネルが複数ある場合、優先度の高いＵＣＩを搬送するアップリンクチャネルを選択し、優先度の高いＵＣＩを搬送するアップリンクチャネルが複数ある場合、前記規則を再利用して選択し、残りのアップリンクチャネルでの送信を放棄するか、または、残りのアップリンクチャネルをパンクチャリングして送信することを特徴とする請求項５２に記載のデータ伝送のための装置。
【請求項５６】
ＵＥが選択されていない残りのアップリンクチャネル上のＵＣＩを所定の規則１の下で選択されたアップリンクチャネルに転送して送信することを決定することを特徴とする請求項５５に記載のデータ伝送のための装置。
【請求項５７】
第１のＴＴＩ長で送信するアップリンク共有チャネル及び/または第１のＴＴＩ長で送信するアップリンク制御チャネルが、第２のＴＴＩ長で送信するアップリンク制御チャネルとオーバーラップする場合、以下の方式の少なくとも１つを適用し、
第１の方式では、以下のことを決定し、ＵＥが前記第２のＴＴＩ長で送信するアップリンク制御チャネルを選択して送信し、前記第１のＴＴＩ長で送信するアップリンク共有チャネル及び/または第１のＴＴＩ長で送信するアップリンク制御チャネルを放棄し、または、前記第２のＴＴＩ長で送信するアップリンク制御チャネルとオーバーラップする前記第１のＴＴＩ長で送信するアップリンク共有チャネル及び/または第１のＴＴＩ長で送信するアップリンク制御チャネル内のシンボル上の情報をパンクチャリングし、
第２の方式では、ＵＥが前記第１のＴＴＩ長で送信するアップリンク共有チャネル及び/またはアップリンク制御チャネルを選択し、前記第２のＴＴＩ長で送信するアップリンク制御チャネルを放棄することを決定し、
第３の方式では、以下のことを決定し、ＵＥがＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第１の方式または前記第２の方式で同じ優先度のＵＣＩを搬送する複数のチャネルから選択することを特徴とする請求項５２に記載のデータ伝送のための装置。
【請求項５８】
前記第１の方式をを適用する場合、以下のことを決定し、ＵＥが前記第１のＴＴＩ長で送信するアップリンク共有チャネル及び/または第１のＴＴＩ長で送信するアップリンク制御チャネルで搬送されるＵＣＩを、所定の規則１または所定の規則２の下で前記第２のＴＴＩ長で送信するアップリンク制御チャネルに転送して送信し、
前記第２の方式をを適用する場合、以下のことを決定し、ＵＥが前記第２のＴＴＩ長で送信するアップリンク制御チャネルで搬送されるＵＣＩを、所定の規則１または所定の規則３の下で前記第１のＴＴＩ長で送信するアップリンク共有チャネル及び/または第１のＴＴＩ長で送信するアップリンク制御チャネルに転送して送信し、
前記第３方式を適用する場合、以下のことを決定し、ＵＥが選択されていない残りのアップリンクチャネル上のＵＣＩを、前記所定の規則１の下で選択されたアップリンクチャネルに転送して送信することを特徴とする請求項５７に記載のデータ伝送のための装置。
【請求項５９】
前記第１の方式を適用する場合、前記所定の規則２は以下方式のうちの１つまたは組み合わせを含み、
前記第１のＴＴＩ長で送信するアップリンク共有チャネル及び/または第１のＴＴＩ長で送信するアップリンク制御チャネルで搬送されるＵＣＩのすべてを、前記第２のＴＴＩ長で送信するアップリンク制御チャネルに転送して送信し、
前記第１のＴＴＩ長で送信するアップリンク共有チャネル及び/または第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク制御チャネルに転送して送信し、前記第１のＴＴＩ長で送信するアップリンク共有チャネル及び/または第１のＴＴＩ長で送信するアップリンク制御チャネルで搬送されるＵＣＩがＰ−ＣＳＩを含む場合、前記第１のＴＴＩ長で送信するアップリンク共有チャネル及び/または第１のＴＴＩ長で送信するアップリンク制御チャネルで搬送されるＰ−ＣＳＩを放棄し、または、前記第２のＴＴＩ長で送信するアップリンク制御チャネルにＰ−ＣＳＩが含まれる場合、前記第１のＴＴＩ長で送信するアップリンク共有チャネル及び/または第１のＴＴＩ長で送信するアップリンク制御チャネルで搬送されるＰ−ＣＳＩを放棄し、前記第２のＴＴＩ長で送信するアップリンク制御チャネルにＰ−ＣＳＩが含まれない場合、前記第１のＴＴＩ長で送信するアップリンク共有チャネル及び/または第１のＴＴＩ長で送信するアップリンク制御チャネルで搬送されるＰ−ＣＳＩを、第２のＴＴＩ長で送信するアップリンク制御チャネルに転送して送信し、
第１のＴＴＩ長で送信するアップリンク共有チャネル及び/または第１のＴＴＩ長で送信するアップリンク制御チャネルの送信期間の間に、第２のＴＴＩ長で送信するアップリンク制御チャネル複数があれば、
最初１つのまたは最後１つの第２のＴＴＩ長で送信するアップリンク制御チャネルを選択して前記ＵＣＩを搬送し、または、
Ｐ−ＣＳＩ搬送用の、第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＰ−ＣＳＩを搬送し、ＡＣＫ／ＮＡＣＫ及び/またはＳＲ搬送用の、第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記第１のＴＴＩ長で送信するアップリンク共有チャネル及び/または第１のＴＴＩ長で送信するアップリンク制御チャネル内の対応のＵＣＩを搬送するためのものとし、
前記第２の方式を適用する場合、前記所定の規則３は、以下方式のうちの１つまたは組み合わせを含み、
前記第２のＴＴＩ長で送信するアップリンク制御チャネルで搬送されるＵＣＩすべてを、前記第２のＴＴＩ長で送信するアップリンク制御チャネルで搬送されるＵＣＩすべてを、前記第１のＴＴＩ長で送信するアップリンク共有チャネル及び/または第１のＴＴＩ長で送信するアップリンク制御チャネルに転送して送信し、
前記第２のＴＴＩ長で送信するアップリンク制御チャネルで搬送されるＵＣＩがＡＣＫ／ＮＡＣＫ及び/またはＳＲである場合、前記ＵＣＩを前記第１のＴＴＩ長で送信するアップリンク共有チャネル及び/または第１のＴＴＩ長で送信するアップリンク制御チャネルに転送して送信し、前記第２のＴＴＩ長で送信するアップリンク制御チャネルで搬送されるＵＣＩがＰ−ＣＳＩを含む場合、前記第２のＴＴＩ長で送信するアップリンク制御チャネルで搬送されるＰ−ＣＳＩを放棄し、または、前記第１のＴＴＩ長で送信するアップリンク共有チャネル及び/または第１のＴＴＩ長で送信するアップリンク制御チャネルがＰ−ＣＳＩを搬送する場合、前記第２のＴＴＩ長で送信するアップリンク制御チャネルで搬送されるＰ−ＣＳＩを放棄し、前記第１のＴＴＩ長で送信するアップリンク共有チャネル及び/または第１のＴＴＩ長で送信するアップリンク制御チャネルがＰ−ＣＳＩを搬送しない場合、前記第２のＴＴＩ長で送信するアップリンク制御チャネルで搬送されるＰ−ＣＳＩを、前記第２のＴＴＩ長で送信するアップリンク共有チャネル及び/または第１のＴＴＩ長で送信するアップリンク制御チャネルに転送して送信し、
前記第１のＴＴＩ長で送信するアップリンク共有チャネル及び第１のＴＴＩ長で送信するアップリンク制御チャネル両方があれば、そのうちの１つを選択して前記ＵＣＩを搬送し、または、前記ＵＣＩの一部を前記第１のＴＴＩ長で送信するアップリンク共有チャネルで搬送し、前記ＵＣＩの残りの部分を前記第１のＴＴＩ長で送信するアップリンク制御チャネルで搬送し、及び/または、第１のＴＴＩ長で送信するアップリンク共有チャネル複数があれば、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
前記第３方式を適用する場合、選択されたアップリンクチャネルが第２のＴＴＩ長で送信するアップリンク制御チャネルであれば、第１のＴＴＩ長で送信するアップリンク共有チャネル及び/または第１のＴＴＩ長で送信するアップリンク制御チャネルの送信期間の間に、第２のＴＴＩ長で送信するアップリンク制御チャネル複数があれば、前記所定の規則２の方式で前記ＵＣＩを搬送するチャネルを選択し、選択されたアップリンクチャネルが第１のＴＴＩ長で送信するアップリンク共有チャネル及び/または第１のＴＴＩ長で送信するアップリンク制御チャネルである場合、第１のＴＴＩ長で送信するアップリンク共有チャネル及びアップリンク制御チャネル両方があるか、または、複数の第１のＴＴＩ長で送信するアップリンク共有チャネルがあれば、前記所定の規則３の方式で、前記ＵＣＩを搬送するチャネルを選択することを特徴とする請求項５８に記載のデータ伝送のための装置。
【請求項６０】
第１のＴＴＩ長で送信するアップリンク共有チャネルが第２のＴＴＩ長で送信するアップリンク共有チャネルとオーバーラップする場合、以下の方式の少なくとも１つを適用し、
第４方式では、以下のことを決定し、ＵＥが前記第２のＴＴＩ長で送信するアップリンク共有チャネルを選択して送信し、前記第１のＴＴＩ長で送信するアップリンク共有チャネルを放棄し、または、前記第２のＴＴＩ長で送信するアップリンク共有チャネルとオーバーラップする、前記第１のＴＴＩ長で送信するアップリンク共有チャネル内のシンボル上の情報をパンクチャリングし、
第５方式では、以下のことを決定し、ＵＥが前記第１のＴＴＩ長で送信するアップリンク共有チャネルを選択して送信し、前記第２のＴＴＩ長で送信するアップリンク共有チャネルを放棄し、
第６方式では、以下のことを決定し、ＵＥがＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第３方式または前記第４方式で同じ優先度のＵＣＩを搬送する複数のチャネルから選択することを特徴とする請求項５２に記載のデータ伝送のための装置。
【請求項６１】
前記第４方式が適用される場合、以下のことを決定し、ＵＥが前記第１のＴＴＩ長で送信するアップリンク共有チャネルで搬送されるＵＣＩを、所定の規則１または所定の規則４の下で前記第２のＴＴＩ長で送信するアップリンク共有チャネルに転送して送信し、 
前記第５方式が適用される場合、以下のことを決定し、ＵＥが前記第２のＴＴＩ長で送信するアップリンク共有チャネルで搬送されるＵＣＩを、所定の規則１または所定の規則５の下で前記第１のＴＴＩ長で送信するアップリンク共有チャネルに転送して送信し、
前記第６方式が適用される場合、ＵＥが選択されていない残りのアップリンクチャネル上のＵＣＩを所定の規則１の下で選択されたアップリンクチャネルに転送して送信することを決定することを特徴とする請求項６０に記載のデータ伝送のための装置。
【請求項６２】
前記第４方式が適用される場合、前記所定の規則４は、以下方式のうちの１つまたは組み合わせを含み、
前記第１のＴＴＩ長で送信するアップリンク共有チャネルで搬送されるＵＣＩすべてを、前記第２のＴＴＩ長で送信するアップリンク共有チャネルに転送して送信し、
前記第１のＴＴＩ長で送信するアップリンク共有チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク共有チャネルで搬送されるＵＣＩがＰ−ＣＳＩを含む場合、前記第１のＴＴＩ長で送信するアップリンク共有チャネルで搬送されるＰ−ＣＳＩを放棄し、または、前記第２のＴＴＩ長で送信するアップリンク共有チャネルがＰ−ＣＳＩを搬送している場合、前記第１のＴＴＩ長で送信するアップリンク共有チャネルで搬送されるＰ−ＣＳＩを放棄し、前記第２のＴＴＩ長で送信するアップリンク共有チャネルがＰ−ＣＳＩを搬送していない場合、前記第１のＴＴＩ長で送信するアップリンク共有チャネルで搬送されるＰ−ＣＳＩを、前記第２のＴＴＩ長で送信するアップリンク共有チャネルに転送して送信し、
第１のＴＴＩ長で送信するアップリンク共有チャネルの送信期間に第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第５方式が適用される場合、前記所定の規則５は以下方式のうちの１つまたは組み合わせを含み、
前記第２のＴＴＩ長で送信するアップリンク共有チャネルで搬送されるＵＣＩすべてを、前記第１のＴＴＩ長で送信するアップリンク共有チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク共有チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク共有チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク共有チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク共有チャネルに転送して送信し、
第１のＴＴＩ長で送信するアップリンク共有チャネル複数があれば、ＰＣＣに前記第１のＴＴＩ長で送信するアップリンク共有チャネルがある場合、ＰＣＣ上の前記第１のＴＴＩ長送信するアップリンク共有チャネルを選択して、前記ｓＰＵＳＣＨ上のＵＣＩを送信し、ＰＣＣに第１のＴＴＩ長で送信するアップリンク共有チャネルがなければ、前記第１のＴＴＩ長で送信するアップリンク共有チャネルを有するＳＣＣのうちの最小キャリアインデックスのＳＣＣ上の前記第１のＴＴＩ長で送信するアップリンク共有チャネルを選択して、前記ｓＰＵＳＣＨ上のＵＣＩを送信し、前記選択された第１のＴＴＩ長で送信するアップリンク共有チャネルがＲＡＲ ｇｒａｎｔに対応するアップリンク共有チャネルである場合、前記ＵＣＩを送信しない、
前記第６方式が適用される場合、選択されたアップリンクチャネルが第２のＴＴＩ長で送信するアップリンク共有チャネルであるとき、第１のＴＴＩ長で送信するアップリンク共有チャネルの送信期間に第２のＴＴＩ長で送信するアップリンク共有チャネル複数があれば、前記所定の規則４の方式で、ＵＣＩを搬送するチャネルを選択し、選択されたアップリンクチャネルが第１のＴＴＩ長で送信するアップリンク共有チャネルであるとき、第１のＴＴＩ長で送信するアップリンク共有チャネル複数があれば、前記所定の規則５の方式で、ＵＣＩを搬送するチャネルを選択することを特徴とする請求項６１に記載のデータ伝送のための装置。
【請求項６３】
第１のＴＴＩ長で送信するアップリンク制御チャネルが、第２のＴＴＩ長で送信するアップリンク共有チャネルとオーバーラップする場合、以下の方式の少なくとも１つを適用し、
第７方式では、以下のことを決定し、ＵＥが前記第２のＴＴＩ長で送信するアップリンク共有チャネルを選択して送信し、前記第１のＴＴＩ長で送信するアップリンク制御チャネルを放棄し、または、前記第２のＴＴＩ長で送信するアップリンク共有チャネルとオーバーラップする前記第１のＴＴＩ長で送信するアップリンク制御チャネル内のシンボル上の情報をパンクチャリングし、
第８方式では、以下のことを決定し、ＵＥが前記第１のＴＴＩ長で送信するアップリンク制御チャネルを選択して送信し、前記第２のＴＴＩ長で送信するアップリンク共有チャネルを放棄し、
第９方式では、以下のことを決定し、ＵＥがＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第７方式または前記第８方式で同じ優先度のＵＣＩを搬送する複数のチャネルから選択することを特徴とする請求項５２に記載のデータ伝送のための装置。
【請求項６４】
前記第７方式が適用される場合、以下のことを決定し、ＵＥが前記第１のＴＴＩ長で送信するアップリンク制御チャネルで搬送されるＵＣＩを、所定の規則１または所定の規則６の下で前記第２のＴＴＩ長で送信するアップリンク共有チャネルに転送して送信し、
前記第８方式が適用される場合、前記第２のＴＴＩ長で送信するアップリンク共有チャネルがＵＣＩを搬送している場合、ＵＥが前記ＵＣＩを所定の規則１または所定の規則７の下で前記第１のＴＴＩ長で送信するアップリンク制御チャネルに転送して送信することを決定し、
前記第９方式が適用される場合、ＵＥが選択されていない残りのアップリンクチャネル上のＵＣＩを所定の規則１の下で選択されたアップリンクチャネルに転送して送信することを決定することを特徴とする請求項６３に記載のデータ伝送のための装置。
【請求項６５】
前記第７方式が適用される場合、前記所定の規則６は、以下方式のうちの１つまたは組み合わせを含み、
前記第１のＴＴＩ長で送信するアップリンク制御チャネルで搬送されるＵＣＩすべてを、前記第２のＴＴＩ長で送信するアップリンク共有チャネルに転送して送信し、
前記第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク制御チャネルで搬送されるＵＣＩがＰ−ＣＳＩを含む場合、前記第１のＴＴＩ長で送信するアップリンク制御チャネルで搬送されるＰ−ＣＳＩを放棄し、または、前記第２のＴＴＩ長で送信するアップリンク共有チャネルがＰ−ＣＳＩを搬送する場合、前記第１のＴＴＩ長で送信するアップリンク制御チャネルで搬送されるＰ−ＣＳＩを放棄し、前記第２のＴＴＩ長で送信するアップリンク共有チャネルがＰ−ＣＳＩを搬送しない場合、前記第１のＴＴＩ長で送信するアップリンク制御チャネルで搬送されるＰ−ＣＳＩを、前記第２のＴＴＩ長で送信するアップリンク共有チャネルに転送して送信し、
第１のＴＴＩ長で送信するアップリンク制御チャネルの送信期間に複数の第２のＴＴＩ長で送信するアップリンク共有チャネル複数がある場合、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第８方式が適用される場合、前記所定の規則７は、以下方式のうちの１つまたは組み合わせを含み、
前記第２のＴＴＩ長で送信するアップリンク共有チャネルで搬送されるＵＣＩの全てを、前記第１のＴＴＩ長で送信するアップリンク制御チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク制御チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク制御チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク制御チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク制御チャネルに転送して送信し、
前記第９方式が適用される場合、選択されたアップリンクチャネルが第２のＴＴＩ長で送信するアップリンク共有チャネルであるとき、第１のＴＴＩ長で送信するアップリンク制御チャネルの送信期間に複数の第２のＴＴＩ長で送信するアップリンク共有チャネル複数がある場合、前記所定の規則７の方式でＵＣＩを搬送するチャネルを選択することを特徴とする請求項６４に記載のデータ伝送のための装置。
【請求項６６】
前記ＵＣＩ優先度は、ＳＲの優先度がＡＣＫ／ＮＡＣＫの優先度以上であり、ＡＣＫ／ＮＡＣＫの優先度がＰ−ＣＳＩの優先度よりも高いことを特徴とする請求項５５、請求項５７、請求項６０及び請求項６３のいずれか１項に記載のデータ伝送のための装置。
【請求項６７】
前記所定の規則１は、以下方式のうちの１つまたは組み合わせを含み、
選択されていない残りのアップリンクチャネル上のＵＣＩを選択されたアップリンクチャネルに転送して送信し、
選択されていない残りのアップリンクチャネル上のＵＣＩがＡＣＫ／ＮＡＣＫ及び/またはＳＲである場合、前記ＵＣＩを選択されたアップリンクチャネルに転送して送信し、選択されていない残りのアップリンクチャネル上のＵＣＩがＰ−ＣＳＩを含む場合、前記選択されていない残りのアップリンクチャネル上のＰ−ＣＳＩを放棄し、または、選択されたアップリンクチャネルがＰ−ＣＳＩを搬送している場合、前記選択されていない残りのアップリンクチャネル上のＰ−ＣＳＩを放棄し、選択されたアップリンクチャネルがＰ−ＣＳＩを搬送していない場合、選択されていないチャネルで搬送されるＰ−ＣＳＩを、選択されたアップリンクチャネルに転送して送信し、
選択されたアップリンクチャネルが第１のＴＴＩ長で送信するアップリンク共有チャネル及び/または第１のＴＴＩ長で送信する第１のＴＴＩ長で送信するアップリンク制御チャネルである場合は、第１のＴＴＩ長で送信するアップリンク共有チャネル及び第１のＴＴＩ長で送信するアップリンク制御チャネル両方があるとき、そのうちの１つを選択して前記ＵＣＩを搬送し、または、前記ＵＣＩの一部を第１のＴＴＩ長で送信するアップリンク共有チャネルで搬送されるようにし、前記ＵＣＩの残りの部分を第１のＴＴＩ長で送信するアップリンク制御チャネルで搬送されるようにし、第１のＴＴＩ長を利用するアップリンク共有チャネル複数がある場合、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
選択されたアップリンクチャネルが第２のＴＴＩ長で送信するアップリンク制御チャネルであれば、前記第１のＴＴＩ長の間に第２のＴＴＩ長で送信するアップリンク制御チャネル複数があるとき、最初１つのまたは最後１つの第２のＴＴＩ長で送信するアップリンク制御チャネルを選択して前記ＵＣＩを搬送し、または、Ｐ−ＣＳＩ搬送用の、第２のＴＴＩ長で送信するアップリンク制御チャネルを選択して、前記選択されていない残りのアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記選択されていない残りのアップリンクチャネル内のＰ−ＣＳＩを搬送するためのものとし、ＡＣＫ／ＮＡＣＫ及び/またはＳＲ搬送用の、第２のＴＴＩ長で送信するアップリンク制御チャネルを選択して前記選択されていない残りのアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して前記選択されていない残りのアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記選択されていない残りのアップリンクチャネル内の対応のＵＣＩを搬送するためのものとし、
選択されたアップリンクチャネルが第２のＴＴＩ長で送信するアップリンク共有チャネルであるとき、前記第１のＴＴＩ長の間に複数の第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを搬送し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して前記ＵＣＩを搬送し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しないことを特徴とする請求項５６、請求項５８、請求項６２及び請求項６４のいずれか１項に記載のデータ伝送のための装置。
【請求項６８】
ＵＥが以下の方式で動作することを決定し、
第１のＴＴＩ長で送信するアップリンクチャネルの送信電力と、第２のＴＴＩ長で送信するアップリンクチャネルの送信電力との合計が、ＵＥに許容される最大送信電力を超えるかどうかを判定し、最大送信電力を超えると、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信し、及び/または、
第１のＴＴＩ長で送信するアップリンクチャネルと第２のＴＴＩ長で送信するアップリンクチャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信し、及び/または、
第１のＴＴＩ長で送信するアップリンク制御チャネルと第２のＴＴＩ長で送信するアップリンク共有チャネルとの同時送信をサポートするかどうかを判定し、及び/または、第１のＴＴＩ長で送信するアップリンク共有チャネルと第２のＴＴＩ長で送信するアップリンク制御チャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信することを特徴とする請求項５２ないし請求項６７のいずれか１項に記載のデータ伝送のための装置。
【請求項６９】
プロセッサと、前記プロセッサの制御下でデータを送受信するように構成される送受信機と、メモリとを備え、
前記プロセッサは、前記メモリに格納されたプログラムを読み出し、第１の送信時間間隔ＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信することを特徴とする装置。
【請求項７０】
プロセッサと、前記プロセッサの制御下でデータを送受信するように構成される送受信機と、メモリとを備え、
前記プロセッサは、前記メモリに格納されたプログラムを読み出し、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、ＵＥが所定の規則の下でアップリンクチャネルを選択して送信することを決定し、残りのアップリンクチャネルでの送信を放棄するか、または、残りのアップリンクチャネルをパンクチャリングして送信することを特徴とする装置。
【請求項７１】
コンピュータに請求項１ないし請求項１７のいずれか一項に記載の方法を実行させるように構成されたコンピュータ実行可能命令を格納するコンピュータ記憶媒体。
【請求項７２】
ことを特徴とする装置。
コンピュータに請求項１８ないし請求項３４のいずれか一項に記載の方法を実行させるように構成されたコンピュータ実行可能命令を格納するコンピュータ記憶媒体。
【発明の詳細な説明】
【技術分野】
【０００１】
本発明は、無線通信技術分野に関し、特にデータ伝送のための方法及び装置に関する。
［関連出願の相互参照］
本出願は、２０１６年９月２９日に中国特許局に提出し、出願番号が２０１６１０８６５９７２.６であり、発明名称が「データ伝送のための方法及び装置」との中国特許出願を基礎とする優先権を主張し、その開示の総てをここに取り込む。
【背景技術】
【０００２】
図１は、ロングタームエボリューション（Ｌｏｎｇ Ｔｅｒｍ Ｅｖｏｌｕｔｉｏｎ，ＬＴＥ）周波数分割複信（Ｆｒｅｑｕｅｎｃｙ Ｄｉｖｉｓｉｏｎ Ｄｕｐｌｅｘ，ＦＤＤ）システム用のフレーム構造タイプ１の概略図である。既存のＬＴＥ ＦＤＤシステムではフレーム構造タイプ１（ＦＳ１）が使用され、ＦＳ１（ｆｒａｍｅ ｓｔｒｕｃｔｕｒｅ ｔｙｐｅ １）の構造図は図１に示す通りである。ＦＤＤシステムでは、アップリンク送信とダウンリンク送信は異なるキャリア周波数を利用する。アップリンク送信とダウンリンク送信の両方で同じフレーム構造を利用する。各キャリア上で、１０ｍｓの長さの無線フレームは１０個の１ｍｓサブフレームを含み、各サブフレームはそれぞれ長さ０．５ｍｓの２つのタイムスロットを含む。アップリンクおよびダウンリンクデータを送信するための送信時間間隔（Ｔｒａｎｓｍｉｓｓｉｏｎ Ｔｉｍｅ Ｉｎｔｅｒｖａｌ，ＴＴＩ）の時間長は１ｍｓである。
【０００３】
図２は、ＬＴＥ時分割複信（Ｔｉｍｅ Ｄｉｖｉｓｉｏｎ Ｄｕｐｌｅｘ，ＴＤＤ）システムのためのフレーム構造タイプ２の概略図を示す。既存のＬＴＥ ＴＤＤシステムではフレーム構造タイプ２（ｆｒａｍｅ ｓｔｒｕｃｔｕｒｅ ｔｙｐｅ ２，ＦＳ２）が使用され、ＦＳ２の構造図は図２に示す通りである。ＴＤＤシステムでは、アップリンク及びダウンリンク送信は、同じ周波数上の異なるサブフレームまたはタイムスロットを利用する。ＦＳ２では、各１０ｍｓ無線フレームは２つの５ｍｓ半フレームを含み、各半フレームはそれぞれ１ｍｓの長さを有する５つのサブフレームを含む。ＦＳ２内のサブフレームは、３種類のサブフレーム、すなわち、ダウンリンクサブフレーム、アップリンクサブフレーム、および特殊サブフレームに分類され、各特殊サブフレームは、ダウンリンクパイロットタイムスロット（Ｄｏｗｎｌｉｎｋ Ｐｉｌｏｔ Ｔｉｍｅ Ｓｌｏｔ，ＤｗＰＴＳ）、ガード期間（Ｇｕａｒｄ Ｐｅｒｉｏｄ，ＧＰ）、およびアップリンクパイロットタイムスロット（Ｕｐｌｉｎｋ Ｐｉｌｏｔ Ｔｉｍｅ Ｓｌｏｔ，ＵｐＰＴＳ）を含む。各ハーフフレームは、少なくとも１つのダウンリンクサブフレーム、少なくとも１つのアップリンクサブフレーム、および最大で１つの特殊サブフレームを含む。
【０００４】
ショートＴＴＩ送信の典型的な動作モードは、既存のＬＴＥメカニズムで定義されているサブフレーム構造内に１ｍｓよりショートい複数のショートＴＴＩ送信があることである。アップリンクでは短物理アップリンク共有チャネル（ｓｈｏｒｔｅｎｅｄ Ｐｈｙｓｉｃａｌ Ｕｐｌｉｎｋ Ｓｈａｒｅｄ ＣＨａｎｎｅｌ，ｓＰＵＳＣＨ）および短物理アップリンク制御チャネル（ｓｈｏｒｔｅｎｅｄ Ｐｈｙｓｉｃａｌ Ｕｐｌｉｎｋ Ｃｏｎｔｒｏｌ ＣＨａｎｎｅｌ，ｓＰＵＣＣＨ）がサポートされ、ここで、ｓＰＵＣＣＨは、ショートＴＴＩを利用するダウンリンク送信に対する肯定応答／否定応答（Ａｃｋｎｏｗｌｅｄｇｅｍｅｎｔ／ Ｎｅｇａｔｉｖｅ Ａｃｋｎｏｗｌｅｄｇｅｍｅｎｔ，ＡＣＫ／ＮＡＣＫ）フィードバック情報を搬送するように少なくとも構成される。ショートＴＴＩの長さは、２、３、４、または７個の直交周波数分割多重（Ｏｒｔｈｏｇｏｎａｌ Ｆｒｅｑｕｅｎｃｙ Ｄｉｖｉｓｉｏｎ Ｍｕｌｔｉｐｌｅｘ，ＯＦＤＭ）またはシングルキャリア周波数分割多元接続（Ｓｉｎｇｌｅ−Ｃａｒｒｉｅｒ Ｆｒｅｑｕｅｎｃｙ−Ｄｉｖｉｓｉｏｎ Ｍｕｌｔｉｐｌｅ Ａｃｃｅｓｓ，ＳＣ―ＦＤＭＡ）シンボルであり得る。もちろん、ショートＴＴＩの長さは、代替として、１４以下の別の数のシンボル、または１ｍｓ以下の時間長であり得る。
【０００５】
既存のＴＴＩ送信では、ｓＰＵＣＣＨおよびｓＰＵＳＣＨのＴＴＩ長が同じあると定義されている。レガシー（ｌｅｇａｃｙ）ＴＴＩ（１ｍｓ）を用いてサブフレームで送信するようにスケジューリングされたＵＥは、さらにショートＴＴＩを用いて送信するようにスケジューリングされてもよく、例えば、ｓＰＵＣＣＨおよびＰＵＳＣＨ／ＰＵＣＣＨの両方がある（１ｍｓＴＴＩでの送信）。同じサブフレーム内に、または同じサブフレーム内にｓＰＵＳＣＨおよびＰＵＳＣＨ／ＰＵＣＣＨがある場合、これまで明確な送信解決策は存在しなかった。
【発明の概要】
【発明が解決しようとする課題】
【０００６】
本発明は、データ伝送のための方法及び装置を提供し、異なるＴＴＩ長を有するオーバーラップチャネル上でデータを送信するようにする。
【課題を解決するための手段】
【０００７】
第１の態様によれば、本発明の実施例に係るデータ伝送のための方法は、第１のＴＴＩ長で送信するアップリンクチャネルの送信期間が第２のＴＴＩ長で送信するアップリンクチャネルの送信期間とオーバーラップするかどうかを判定するステップと、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信するステップとを備える。
【０００８】
実施では、前記第１のＴＴＩ長が前記第２のＴＴＩ長より大きい。
【０００９】
実施では、前記アップリンクチャネルは、アップリンク制御チャネル及びアップリンク共有チャネルのうちの少なくとも１つである。
【００１０】
実施では、前記所定の規則は、以下の規則のうちの１つまたは組み合わせであり、
アップリンク制御チャネルを選択し、アップリンク共有チャネルでの送信を放棄するか、またはアップリンク共有チャネルをパンクチャリングして送信し、
第２のＴＴＩ長で送信するアップリンクチャネルを選択し、第１のＴＴＩ長で送信するアップリンクチャネルでの送信を放棄するか、または、第１のＴＴＩ長で送信するアップリンクチャネルをパンクチャリングして送信し、
ＵＣＩを搬送するアップリンクチャネルを選択し、ＵＣＩを搬送するアップリンクチャネルが複数ある場合、優先度の高いＵＣＩを搬送するアップリンクチャネルを選択し、優先度の高いＵＣＩを搬送するアップリンクチャネルが複数ある場合、前記規則を再利用して選択し、残りのアップリンクチャネルでの送信を放棄するか、または、残りのアップリンクチャネルをパンクチャリングして送信する。
【００１１】
実施では、さらに、選択されていない残りのアップリンクチャネル上のＵＣＩを所定の規則１の下で選択されたアップリンクチャネルに転送して送信する。 
【００１２】
実施では、第１のＴＴＩ長で送信するアップリンク共有チャネル及び/または第１のＴＴＩ長で送信するアップリンク制御チャネルが、第２のＴＴＩ長で送信するアップリンク制御チャネルとオーバーラップする場合、以下の方式の少なくとも１つを適用し、
第１の方式では、前記第２のＴＴＩ長で送信するアップリンク制御チャネルを選択して送信し、前記第１のＴＴＩ長で送信するアップリンク共有チャネル及び/または第１のＴＴＩ長で送信するアップリンク制御チャネルを放棄し、または、前記第２のＴＴＩ長で送信するアップリンク制御チャネルとオーバーラップする前記第１のＴＴＩ長で送信するアップリンク共有チャネル及び/または第１のＴＴＩ長で送信するアップリンク制御チャネル内のシンボル上の情報をパンクチャリングし、
第２の方式では、前記第１のＴＴＩ長で送信するアップリンク共有チャネル及び/またはアップリンク制御チャネルを選択し、前記第２のＴＴＩ長で送信するアップリンク制御チャネルを放棄し、
第３の方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第１の方式または前記第２の方式で同じ優先度のＵＣＩを搬送する複数のチャネルから選択する。
【００１３】
実施では、前記第１の方式を適用する場合、前記第１のＴＴＩ長で送信するアップリンク共有チャネル及び/または第１のＴＴＩ長で送信するアップリンク制御チャネルで搬送されるＵＣＩを、所定の規則１または所定の規則２の下で前記第２のＴＴＩ長で送信するアップリンク制御チャネルに転送して送信し、前記第２の方式を適用する場合、前記第２のＴＴＩ長で送信するアップリンク制御チャネルで搬送されるＵＣＩを、所定の規則１または所定の規則３の下で前記第１のＴＴＩ長で送信するアップリンク共有チャネル及び/または第１のＴＴＩ長で送信するアップリンク制御チャネルに転送して送信し、前記第３方式を適用する場合、選択されていない残りのアップリンクチャネル上のＵＣＩを、前記所定の規則１の下で選択されたアップリンクチャネルに転送して送信する。
【００１４】
実施では、前記第１の方式を適用する場合、前記所定の規則２は以下方式のうちの１つまたは組み合わせを含み、
前記第１のＴＴＩ長で送信するアップリンク共有チャネル及び/または第１のＴＴＩ長で送信するアップリンク制御チャネルで搬送されるＵＣＩのすべてを、前記第２のＴＴＩ長で送信するアップリンク制御チャネルに転送して送信し、
前記第１のＴＴＩ長で送信するアップリンク共有チャネル及び/または第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク制御チャネルに転送して送信し、前記第１のＴＴＩ長で送信するアップリンク共有チャネル及び/または第１のＴＴＩ長で送信するアップリンク制御チャネルで搬送されるＵＣＩがＰ−ＣＳＩを含む場合、前記第１のＴＴＩ長で送信するアップリンク共有チャネル及び/または第１のＴＴＩ長で送信するアップリンク制御チャネルで搬送されるＰ−ＣＳＩを放棄し、または、前記第２のＴＴＩ長で送信するアップリンク制御チャネルにＰ−ＣＳＩが含まれる場合、前記第１のＴＴＩ長で送信するアップリンク共有チャネル及び/または第１のＴＴＩ長で送信するアップリンク制御チャネルで搬送されるＰ−ＣＳＩを放棄し、前記第２のＴＴＩ長で送信するアップリンク制御チャネルにＰ−ＣＳＩが含まれない場合、前記第１のＴＴＩ長で送信するアップリンク共有チャネル及び/または第１のＴＴＩ長で送信するアップリンク制御チャネルで搬送されるＰ−ＣＳＩを、第２のＴＴＩ長で送信するアップリンク制御チャネルに転送して送信し、
第１のＴＴＩ長で送信するアップリンク共有チャネル及び/または第１のＴＴＩ長で送信するアップリンク制御チャネルの送信期間の間に、第２のＴＴＩ長で送信するアップリンク制御チャネル複数があれば、
最初１つのまたは最後１つの第２のＴＴＩ長で送信するアップリンク制御チャネルを選択して前記ＵＣＩを搬送し、または、
Ｐ−ＣＳＩ搬送用の、第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＰ−ＣＳＩを搬送し、ＡＣＫ／ＮＡＣＫ及び/またはＳＲ搬送用の、第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記第１のＴＴＩ長で送信するアップリンク共有チャネル及び/または第１のＴＴＩ長で送信するアップリンク制御チャネル内の対応のＵＣＩを搬送するためのものとし、
前記第２の方式を適用する場合、前記所定の規則３は、以下方式のうちの１つまたは組み合わせを含み、
前記第２のＴＴＩ長で送信するアップリンク制御チャネルで搬送されるＵＣＩすべてを、前記第２のＴＴＩ長で送信するアップリンク制御チャネルで搬送されるＵＣＩすべてを、前記第１のＴＴＩ長で送信するアップリンク共有チャネル及び/または第１のＴＴＩ長で送信するアップリンク制御チャネルに転送して送信し、
前記第２のＴＴＩ長で送信するアップリンク制御チャネルで搬送されるＵＣＩがＡＣＫ／ＮＡＣＫ及び/またはＳＲである場合、前記ＵＣＩを前記第１のＴＴＩ長で送信するアップリンク共有チャネル及び/または第１のＴＴＩ長で送信するアップリンク制御チャネルに転送して送信し、前記第２のＴＴＩ長で送信するアップリンク制御チャネルで搬送されるＵＣＩがＰ−ＣＳＩを含む場合、前記第２のＴＴＩ長で送信するアップリンク制御チャネルで搬送されるＰ−ＣＳＩを放棄し、または、前記第１のＴＴＩ長で送信するアップリンク共有チャネル及び/または第１のＴＴＩ長で送信するアップリンク制御チャネルがＰ−ＣＳＩを搬送する場合、前記第２のＴＴＩ長で送信するアップリンク制御チャネルで搬送されるＰ−ＣＳＩを放棄し、前記第１のＴＴＩ長で送信するアップリンク共有チャネル及び/または第１のＴＴＩ長で送信するアップリンク制御チャネルがＰ−ＣＳＩを搬送しない場合、前記第２のＴＴＩ長で送信するアップリンク制御チャネルで搬送されるＰ−ＣＳＩを、前記第２のＴＴＩ長で送信するアップリンク共有チャネル及び/または第１のＴＴＩ長で送信するアップリンク制御チャネルに転送して送信し、
前記第１のＴＴＩ長で送信するアップリンク共有チャネル及び第１のＴＴＩ長で送信するアップリンク制御チャネル両方があれば、そのうちの１つを選択して前記ＵＣＩを搬送し、または、前記ＵＣＩの一部を前記第１のＴＴＩ長で送信するアップリンク共有チャネルで搬送し、前記ＵＣＩの残りの部分を前記第１のＴＴＩ長で送信するアップリンク制御チャネルで搬送し、及び/または、第１のＴＴＩ長で送信するアップリンク共有チャネル複数があれば、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
前記第３方式を適用する場合、選択されたアップリンクチャネルが第２のＴＴＩ長で送信するアップリンク制御チャネルであれば、第１のＴＴＩ長で送信するアップリンク共有チャネル及び/または第１のＴＴＩ長で送信するアップリンク制御チャネルの送信期間の間に、第２のＴＴＩ長で送信するアップリンク制御チャネル複数があれば、前記所定の規則２の方式で前記ＵＣＩを搬送するチャネルを選択し、選択されたアップリンクチャネルが第１のＴＴＩ長で送信するアップリンク共有チャネル及び/または第１のＴＴＩ長で送信するアップリンク制御チャネルである場合、第１のＴＴＩ長で送信するアップリンク共有チャネル及びアップリンク制御チャネル両方があるか、または、複数の第１のＴＴＩ長で送信するアップリンク共有チャネルがあれば、前記所定の規則３の方式で、前記ＵＣＩを搬送するチャネルを選択する。
【００１５】
実施では、第１のＴＴＩ長で送信するアップリンク共有チャネルが第２のＴＴＩ長で送信するアップリンク共有チャネルとオーバーラップする場合、以下の方式の少なくとも１つを適用し、
第４方式では、前記第２のＴＴＩ長で送信するアップリンク共有チャネルを選択して送信し、前記第１のＴＴＩ長で送信するアップリンク共有チャネルを放棄し、または、前記第２のＴＴＩ長で送信するアップリンク共有チャネルとオーバーラップする、前記第１のＴＴＩ長で送信するアップリンク共有チャネル内のシンボル上の情報をパンクチャリングし、
第５方式では、前記第１のＴＴＩ長で送信するアップリンク共有チャネルを選択して送信し、前記第２のＴＴＩ長で送信するアップリンク共有チャネルを放棄し、
第６方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第３方式または前記第４方式で同じ優先度のＵＣＩを搬送する複数のチャネルから選択する。
【００１６】
実施では、前記第４方式が適用される場合、前記第１のＴＴＩ長で送信するアップリンク共有チャネルで搬送されるＵＣＩを、所定の規則１または所定の規則４の下で前記第２のＴＴＩ長で送信するアップリンク共有チャネルに転送して送信し、前記第５方式が適用される場合、前記第２のＴＴＩ長で送信するアップリンク共有チャネルで搬送されるＵＣＩを、所定の規則１または所定の規則５の下で前記第１のＴＴＩ長で送信するアップリンク共有チャネルに転送して送信し、前記第６方式が適用される場合、選択されていない残りのアップリンクチャネル上のＵＣＩを所定の規則１の下で選択されたアップリンクチャネルに転送して送信する。
【００１７】
実施では、前記第４方式が適用される場合、前記所定の規則４は、以下方式のうちの１つまたは組み合わせを含み、
前記第１のＴＴＩ長で送信するアップリンク共有チャネルで搬送されるＵＣＩすべてを、前記第２のＴＴＩ長で送信するアップリンク共有チャネルに転送して送信し、
前記第１のＴＴＩ長で送信するアップリンク共有チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク共有チャネルで搬送されるＵＣＩがＰ−ＣＳＩを含む場合、前記第１のＴＴＩ長で送信するアップリンク共有チャネルで搬送されるＰ−ＣＳＩを放棄し、または、前記第２のＴＴＩ長で送信するアップリンク共有チャネルがＰ−ＣＳＩを搬送している場合、前記第１のＴＴＩ長で送信するアップリンク共有チャネルで搬送されるＰ−ＣＳＩを放棄し、前記第２のＴＴＩ長で送信するアップリンク共有チャネルがＰ−ＣＳＩを搬送していない場合、前記第１のＴＴＩ長で送信するアップリンク共有チャネルで搬送されるＰ−ＣＳＩを、前記第２のＴＴＩ長で送信するアップリンク共有チャネルに転送して送信し、
第１のＴＴＩ長で送信するアップリンク共有チャネルの送信期間に第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第５方式が適用される場合、前記所定の規則５は以下方式のうちの１つまたは組み合わせを含み、
前記第２のＴＴＩ長で送信するアップリンク共有チャネルで搬送されるＵＣＩすべてを、前記第１のＴＴＩ長で送信するアップリンク共有チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク共有チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク共有チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク共有チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク共有チャネルに転送して送信し、
第１のＴＴＩ長で送信するアップリンク共有チャネル複数があれば、ＰＣＣに前記第１のＴＴＩ長で送信するアップリンク共有チャネルがある場合、ＰＣＣ上の前記第１のＴＴＩ長送信するアップリンク共有チャネルを選択して、前記ｓＰＵＳＣＨ上のＵＣＩを送信し、ＰＣＣに第１のＴＴＩ長で送信するアップリンク共有チャネルがなければ、前記第１のＴＴＩ長で送信するアップリンク共有チャネルを有するＳＣＣのうちの最小キャリアインデックスのＳＣＣ上の前記第１のＴＴＩ長で送信するアップリンク共有チャネルを選択して、前記ｓＰＵＳＣＨ上のＵＣＩを送信し、前記選択された第１のＴＴＩ長で送信するアップリンク共有チャネルがＲＡＲ ｇｒａｎｔに対応するアップリンク共有チャネルである場合、前記ＵＣＩを送信しない、
前記第６方式が適用される場合、選択されたアップリンクチャネルが第２のＴＴＩ長で送信するアップリンク共有チャネルであるとき、第１のＴＴＩ長で送信するアップリンク共有チャネルの送信期間に第２のＴＴＩ長で送信するアップリンク共有チャネル複数があれば、前記所定の規則４の方式で、ＵＣＩを搬送するチャネルを選択し、選択されたアップリンクチャネルが第１のＴＴＩ長で送信するアップリンク共有チャネルであるとき、第１のＴＴＩ長で送信するアップリンク共有チャネル複数があれば、前記所定の規則５の方式で、ＵＣＩを搬送するチャネルを選択する。
【００１８】
実施では、第１のＴＴＩ長で送信するアップリンク制御チャネルが、第２のＴＴＩ長で送信するアップリンク共有チャネルとオーバーラップする場合、以下の方式の少なくとも１つを適用し、
第７方式では、前記第２のＴＴＩ長で送信するアップリンク共有チャネルを選択して送信し、前記第１のＴＴＩ長で送信するアップリンク制御チャネルを放棄し、または、前記第２のＴＴＩ長で送信するアップリンク共有チャネルとオーバーラップする前記第１のＴＴＩ長で送信するアップリンク制御チャネル内のシンボル上の情報をパンクチャリングし、
第８方式では、前記第１のＴＴＩ長で送信するアップリンク制御チャネルを選択して送信し、前記第２のＴＴＩ長で送信するアップリンク共有チャネルを放棄し、
第９方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第７方式または前記第８方式で同じ優先度のＵＣＩを搬送する複数のチャネルから選択する。
【００１９】
実施では、前記第７方式が適用される場合、前記第１のＴＴＩ長で送信するアップリンク制御チャネルで搬送されるＵＣＩを、所定の規則１または所定の規則６の下で前記第２のＴＴＩ長で送信するアップリンク共有チャネルに転送して送信し、前記第８方式が適用される場合、前記第２のＴＴＩ長で送信するアップリンク共有チャネルがＵＣＩを搬送している場合、前記ＵＣＩを所定の規則１または所定の規則７の下で前記第１のＴＴＩ長で送信するアップリンク制御チャネルに転送して送信し、前記第９方式が適用される場合、選択されていない残りのアップリンクチャネル上のＵＣＩを所定の規則１の下で選択されたアップリンクチャネルに転送して送信する。
【００２０】
実施では、前記第７方式が適用される場合、前記所定の規則６は、以下方式のうちの１つまたは組み合わせを含み、
前記第１のＴＴＩ長で送信するアップリンク制御チャネルで搬送されるＵＣＩすべてを、前記第２のＴＴＩ長で送信するアップリンク共有チャネルに転送して送信し、
前記第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク制御チャネルで搬送されるＵＣＩがＰ−ＣＳＩを含む場合、前記第１のＴＴＩ長で送信するアップリンク制御チャネルで搬送されるＰ−ＣＳＩを放棄し、または、前記第２のＴＴＩ長で送信するアップリンク共有チャネルがＰ−ＣＳＩを搬送する場合、前記第１のＴＴＩ長で送信するアップリンク制御チャネルで搬送されるＰ−ＣＳＩを放棄し、前記第２のＴＴＩ長で送信するアップリンク共有チャネルがＰ−ＣＳＩを搬送しない場合、前記第１のＴＴＩ長で送信するアップリンク制御チャネルで搬送されるＰ−ＣＳＩを、前記第２のＴＴＩ長で送信するアップリンク共有チャネルに転送して送信し、
第１のＴＴＩ長で送信するアップリンク制御チャネルの送信期間に複数の第２のＴＴＩ長で送信するアップリンク共有チャネル複数がある場合、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第８方式が適用される場合、前記所定の規則７は、以下方式のうちの１つまたは組み合わせを含み、
前記第２のＴＴＩ長で送信するアップリンク共有チャネルで搬送されるＵＣＩの全てを、前記第１のＴＴＩ長で送信するアップリンク制御チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク制御チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク制御チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク制御チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク制御チャネルに転送して送信し、
前記第９方式が適用される場合、選択されたアップリンクチャネルが第２のＴＴＩ長で送信するアップリンク共有チャネルであるとき、第１のＴＴＩ長で送信するアップリンク制御チャネルの送信期間に複数の第２のＴＴＩ長で送信するアップリンク共有チャネル複数がある場合、前記所定の規則７の方式でＵＣＩを搬送するチャネルを選択する。
【００２１】
実施では、前記ＵＣＩ優先度は、ＳＲの優先度がＡＣＫ／ＮＡＣＫの優先度以上であり、ＡＣＫ／ＮＡＣＫの優先度がＰ−ＣＳＩの優先度よりも高い。
【００２２】
実施では、前記所定の規則１は、以下方式のうちの１つまたは組み合わせを含み、
選択されていない残りのアップリンクチャネル上のＵＣＩを選択されたアップリンクチャネルに転送して送信し、
選択されていない残りのアップリンクチャネル上のＵＣＩがＡＣＫ／ＮＡＣＫ及び/またはＳＲである場合、前記ＵＣＩを選択されたアップリンクチャネルに転送して送信し、選択されていない残りのアップリンクチャネル上のＵＣＩがＰ−ＣＳＩを含む場合、前記選択されていない残りのアップリンクチャネル上のＰ−ＣＳＩを放棄し、または、選択されたアップリンクチャネルがＰ−ＣＳＩを搬送している場合、前記選択されていない残りのアップリンクチャネル上のＰ−ＣＳＩを放棄し、選択されたアップリンクチャネルがＰ−ＣＳＩを搬送していない場合、選択されていないチャネルで搬送されるＰ−ＣＳＩを、選択されたアップリンクチャネルに転送して送信し、
選択されたアップリンクチャネルが第１のＴＴＩ長で送信するアップリンク共有チャネル及び/または第１のＴＴＩ長で送信する第１のＴＴＩ長で送信するアップリンク制御チャネルである場合は、第１のＴＴＩ長で送信するアップリンク共有チャネル及び第１のＴＴＩ長で送信するアップリンク制御チャネル両方があるとき、そのうちの１つを選択して前記ＵＣＩを搬送し、または、前記ＵＣＩの一部を第１のＴＴＩ長で送信するアップリンク共有チャネルで搬送されるようにし、前記ＵＣＩの残りの部分を第１のＴＴＩ長で送信するアップリンク制御チャネルで搬送されるようにし、第１のＴＴＩ長を利用するアップリンク共有チャネル複数がある場合、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
選択されたアップリンクチャネルが第２のＴＴＩ長で送信するアップリンク制御チャネルであれば、前記第１のＴＴＩ長の間に第２のＴＴＩ長で送信するアップリンク制御チャネル複数があるとき、最初１つのまたは最後１つの第２のＴＴＩ長で送信するアップリンク制御チャネルを選択して前記ＵＣＩを搬送し、または、Ｐ−ＣＳＩ搬送用の、第２のＴＴＩ長で送信するアップリンク制御チャネルを選択して、前記選択されていない残りのアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記選択されていない残りのアップリンクチャネル内のＰ−ＣＳＩを搬送するためのものとし、ＡＣＫ／ＮＡＣＫ及び/またはＳＲ搬送用の、第２のＴＴＩ長で送信するアップリンク制御チャネルを選択して前記選択されていない残りのアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して前記選択されていない残りのアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記選択されていない残りのアップリンクチャネル内の対応のＵＣＩを搬送するためのものとし、
選択されたアップリンクチャネルが第２のＴＴＩ長で送信するアップリンク共有チャネルであるとき、前記第１のＴＴＩ長の間に複数の第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを搬送し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して前記ＵＣＩを搬送し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【００２３】
実施では、さらに、
第１のＴＴＩ長で送信するアップリンクチャネルの送信電力と、第２のＴＴＩ長で送信するアップリンクチャネルの送信電力との合計が、ＵＥに許容される最大送信電力を超えるかどうかを判定し、最大送信電力を超えると、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信し、及び/または、
第１のＴＴＩ長で送信するアップリンクチャネルと第２のＴＴＩ長で送信するアップリンクチャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信し、及び/または、
第１のＴＴＩ長で送信するアップリンク制御チャネルと第２のＴＴＩ長で送信するアップリンク共有チャネルとの同時送信をサポートするかどうかを判定し、及び/または、第１のＴＴＩ長で送信するアップリンク共有チャネルと第２のＴＴＩ長で送信するアップリンク制御チャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信する。
【００２４】
第２の態様によれば、本発明の実施例に係るデータ伝送のための方法は、第１のＴＴＩ長で送信するアップリンクチャネルの送信期間が第２のＴＴＩ長で送信するアップリンクチャネルの送信期間とオーバーラップするかどうかを判定するステップと、オーバーラップすると判定した場合、ＵＥが所定の規則の下でアップリンクチャネルを選択して送信することを決定し、残りのアップリンクチャネルでの送信を放棄するか、または、残りのアップリンクチャネルをパンクチャリングして送信するステップとを備える。
【００２５】
実施では、前記第１のＴＴＩ長が前記第２のＴＴＩ長より大きい。
【００２６】
実施では、前記アップリンクチャネルは、アップリンク制御チャネル及びアップリンク共有チャネルのうちの少なくとも１つである。
【００２７】
実施では、前記所定の規則は、以下の規則のうちの１つまたは組み合わせであり、
アップリンク制御チャネルを選択し、アップリンク共有チャネルでの送信を放棄するか、またはアップリンク共有チャネルをパンクチャリングして送信し、
第２のＴＴＩ長で送信するアップリンクチャネルを選択し、第１のＴＴＩ長で送信するアップリンクチャネルでの送信を放棄するか、または、第１のＴＴＩ長で送信するアップリンクチャネルをパンクチャリングして送信し、
ＵＣＩを搬送するアップリンクチャネルを選択し、ＵＣＩを搬送するアップリンクチャネルが複数ある場合、優先度の高いＵＣＩを搬送するアップリンクチャネルを選択し、優先度の高いＵＣＩを搬送するアップリンクチャネルが複数ある場合、前記規則を再利用して選択し、残りのアップリンクチャネルでの送信を放棄するか、または、残りのアップリンクチャネルをパンクチャリングして送信する。
【００２８】
実施では、さらに、ＵＥが選択されていない残りのアップリンクチャネル上のＵＣＩを所定の規則１の下で選択されたアップリンクチャネルに転送して送信することを決定する。 
【００２９】
実施では、第１のＴＴＩ長で送信するアップリンク共有チャネル及び/または第１のＴＴＩ長で送信するアップリンク制御チャネルが、第２のＴＴＩ長で送信するアップリンク制御チャネルとオーバーラップする場合、以下の方式の少なくとも１つを適用し、
第１の方式では、以下のことを決定し、ＵＥが前記第２のＴＴＩ長で送信するアップリンク制御チャネルを選択して送信し、前記第１のＴＴＩ長で送信するアップリンク共有チャネル及び/または第１のＴＴＩ長で送信するアップリンク制御チャネルを放棄し、または、前記第２のＴＴＩ長で送信するアップリンク制御チャネルとオーバーラップする前記第１のＴＴＩ長で送信するアップリンク共有チャネル及び/または第１のＴＴＩ長で送信するアップリンク制御チャネル内のシンボル上の情報をパンクチャリングし、
第２の方式では、ＵＥが前記第１のＴＴＩ長で送信するアップリンク共有チャネル及び/またはアップリンク制御チャネルを選択し、前記第２のＴＴＩ長で送信するアップリンク制御チャネルを放棄することを決定し、
第３の方式では、以下のことを決定し、ＵＥがＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第１の方式または前記第２の方式で同じ優先度のＵＣＩを搬送する複数のチャネルから選択する。
【００３０】
実施では、前記第１の方式をを適用する場合、以下のことを決定し、ＵＥが前記第１のＴＴＩ長で送信するアップリンク共有チャネル及び/または第１のＴＴＩ長で送信するアップリンク制御チャネルで搬送されるＵＣＩを、所定の規則１または所定の規則２の下で前記第２のＴＴＩ長で送信するアップリンク制御チャネルに転送して送信し、前記第２の方式をを適用する場合、以下のことを決定し、ＵＥが前記第２のＴＴＩ長で送信するアップリンク制御チャネルで搬送されるＵＣＩを、所定の規則１または所定の規則３の下で前記第１のＴＴＩ長で送信するアップリンク共有チャネル及び/または第１のＴＴＩ長で送信するアップリンク制御チャネルに転送して送信し、前記第３方式を適用する場合、以下のことを決定し、ＵＥが選択されていない残りのアップリンクチャネル上のＵＣＩを、前記所定の規則１の下で選択されたアップリンクチャネルに転送して送信する。
【００３１】
実施では、前記第１の方式を適用する場合、前記所定の規則２は以下方式のうちの１つまたは組み合わせを含み、
前記第１のＴＴＩ長で送信するアップリンク共有チャネル及び/または第１のＴＴＩ長で送信するアップリンク制御チャネルで搬送されるＵＣＩのすべてを、前記第２のＴＴＩ長で送信するアップリンク制御チャネルに転送して送信し、
前記第１のＴＴＩ長で送信するアップリンク共有チャネル及び/または第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク制御チャネルに転送して送信し、前記第１のＴＴＩ長で送信するアップリンク共有チャネル及び/または第１のＴＴＩ長で送信するアップリンク制御チャネルで搬送されるＵＣＩがＰ−ＣＳＩを含む場合、前記第１のＴＴＩ長で送信するアップリンク共有チャネル及び/または第１のＴＴＩ長で送信するアップリンク制御チャネルで搬送されるＰ−ＣＳＩを放棄し、または、前記第２のＴＴＩ長で送信するアップリンク制御チャネルにＰ−ＣＳＩが含まれる場合、前記第１のＴＴＩ長で送信するアップリンク共有チャネル及び/または第１のＴＴＩ長で送信するアップリンク制御チャネルで搬送されるＰ−ＣＳＩを放棄し、前記第２のＴＴＩ長で送信するアップリンク制御チャネルにＰ−ＣＳＩが含まれない場合、前記第１のＴＴＩ長で送信するアップリンク共有チャネル及び/または第１のＴＴＩ長で送信するアップリンク制御チャネルで搬送されるＰ−ＣＳＩを、第２のＴＴＩ長で送信するアップリンク制御チャネルに転送して送信し、
第１のＴＴＩ長で送信するアップリンク共有チャネル及び/または第１のＴＴＩ長で送信するアップリンク制御チャネルの送信期間の間に、第２のＴＴＩ長で送信するアップリンク制御チャネル複数があれば、
最初１つのまたは最後１つの第２のＴＴＩ長で送信するアップリンク制御チャネルを選択して前記ＵＣＩを搬送し、または、
Ｐ−ＣＳＩ搬送用の、第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＰ−ＣＳＩを搬送し、ＡＣＫ／ＮＡＣＫ及び/またはＳＲ搬送用の、第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記第１のＴＴＩ長で送信するアップリンク共有チャネル及び/または第１のＴＴＩ長で送信するアップリンク制御チャネル内の対応のＵＣＩを搬送するためのものとし、
前記第２の方式を適用する場合、前記所定の規則３は、以下方式のうちの１つまたは組み合わせを含み、
前記第２のＴＴＩ長で送信するアップリンク制御チャネルで搬送されるＵＣＩすべてを、前記第２のＴＴＩ長で送信するアップリンク制御チャネルで搬送されるＵＣＩすべてを、前記第１のＴＴＩ長で送信するアップリンク共有チャネル及び/または第１のＴＴＩ長で送信するアップリンク制御チャネルに転送して送信し、
前記第２のＴＴＩ長で送信するアップリンク制御チャネルで搬送されるＵＣＩがＡＣＫ／ＮＡＣＫ及び/またはＳＲである場合、前記ＵＣＩを前記第１のＴＴＩ長で送信するアップリンク共有チャネル及び/または第１のＴＴＩ長で送信するアップリンク制御チャネルに転送して送信し、前記第２のＴＴＩ長で送信するアップリンク制御チャネルで搬送されるＵＣＩがＰ−ＣＳＩを含む場合、前記第２のＴＴＩ長で送信するアップリンク制御チャネルで搬送されるＰ−ＣＳＩを放棄し、または、前記第１のＴＴＩ長で送信するアップリンク共有チャネル及び/または第１のＴＴＩ長で送信するアップリンク制御チャネルがＰ−ＣＳＩを搬送する場合、前記第２のＴＴＩ長で送信するアップリンク制御チャネルで搬送されるＰ−ＣＳＩを放棄し、前記第１のＴＴＩ長で送信するアップリンク共有チャネル及び/または第１のＴＴＩ長で送信するアップリンク制御チャネルがＰ−ＣＳＩを搬送しない場合、前記第２のＴＴＩ長で送信するアップリンク制御チャネルで搬送されるＰ−ＣＳＩを、前記第２のＴＴＩ長で送信するアップリンク共有チャネル及び/または第１のＴＴＩ長で送信するアップリンク制御チャネルに転送して送信し、
前記第１のＴＴＩ長で送信するアップリンク共有チャネル及び第１のＴＴＩ長で送信するアップリンク制御チャネル両方があれば、そのうちの１つを選択して前記ＵＣＩを搬送し、または、前記ＵＣＩの一部を前記第１のＴＴＩ長で送信するアップリンク共有チャネルで搬送し、前記ＵＣＩの残りの部分を前記第１のＴＴＩ長で送信するアップリンク制御チャネルで搬送し、及び/または、第１のＴＴＩ長で送信するアップリンク共有チャネル複数があれば、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
前記第３方式を適用する場合、選択されたアップリンクチャネルが第２のＴＴＩ長で送信するアップリンク制御チャネルであれば、第１のＴＴＩ長で送信するアップリンク共有チャネル及び/または第１のＴＴＩ長で送信するアップリンク制御チャネルの送信期間の間に、第２のＴＴＩ長で送信するアップリンク制御チャネル複数があれば、前記所定の規則２の方式で前記ＵＣＩを搬送するチャネルを選択し、選択されたアップリンクチャネルが第１のＴＴＩ長で送信するアップリンク共有チャネル及び/または第１のＴＴＩ長で送信するアップリンク制御チャネルである場合、第１のＴＴＩ長で送信するアップリンク共有チャネル及びアップリンク制御チャネル両方があるか、または、複数の第１のＴＴＩ長で送信するアップリンク共有チャネルがあれば、前記所定の規則３の方式で、前記ＵＣＩを搬送するチャネルを選択する。
【００３２】
実施では、第１のＴＴＩ長で送信するアップリンク共有チャネルが第２のＴＴＩ長で送信するアップリンク共有チャネルとオーバーラップする場合、以下の方式の少なくとも１つを適用し、
第４方式では、以下のことを決定し、ＵＥが前記第２のＴＴＩ長で送信するアップリンク共有チャネルを選択して送信し、前記第１のＴＴＩ長で送信するアップリンク共有チャネルを放棄し、または、前記第２のＴＴＩ長で送信するアップリンク共有チャネルとオーバーラップする、前記第１のＴＴＩ長で送信するアップリンク共有チャネル内のシンボル上の情報をパンクチャリングし、
第５方式では、以下のことを決定し、ＵＥが前記第１のＴＴＩ長で送信するアップリンク共有チャネルを選択して送信し、前記第２のＴＴＩ長で送信するアップリンク共有チャネルを放棄し、
第６方式では、以下のことを決定し、ＵＥがＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第３方式または前記第４方式で同じ優先度のＵＣＩを搬送する複数のチャネルから選択する。
【００３３】
実施では、前記第４方式が適用される場合、以下のことを決定し、ＵＥが前記第１のＴＴＩ長で送信するアップリンク共有チャネルで搬送されるＵＣＩを、所定の規則１または所定の規則４の下で前記第２のＴＴＩ長で送信するアップリンク共有チャネルに転送して送信し、 前記第５方式が適用される場合、以下のことを決定し、ＵＥが前記第２のＴＴＩ長で送信するアップリンク共有チャネルで搬送されるＵＣＩを、所定の規則１または所定の規則５の下で前記第１のＴＴＩ長で送信するアップリンク共有チャネルに転送して送信し、前記第６方式が適用される場合、ＵＥが選択されていない残りのアップリンクチャネル上のＵＣＩを所定の規則１の下で選択されたアップリンクチャネルに転送して送信することを決定する。
【００３４】
実施では、前記第４方式が適用される場合、前記所定の規則４は、以下方式のうちの１つまたは組み合わせを含み、
前記第１のＴＴＩ長で送信するアップリンク共有チャネルで搬送されるＵＣＩすべてを、前記第２のＴＴＩ長で送信するアップリンク共有チャネルに転送して送信し、
前記第１のＴＴＩ長で送信するアップリンク共有チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク共有チャネルで搬送されるＵＣＩがＰ−ＣＳＩを含む場合、前記第１のＴＴＩ長で送信するアップリンク共有チャネルで搬送されるＰ−ＣＳＩを放棄し、または、前記第２のＴＴＩ長で送信するアップリンク共有チャネルがＰ−ＣＳＩを搬送している場合、前記第１のＴＴＩ長で送信するアップリンク共有チャネルで搬送されるＰ−ＣＳＩを放棄し、前記第２のＴＴＩ長で送信するアップリンク共有チャネルがＰ−ＣＳＩを搬送していない場合、前記第１のＴＴＩ長で送信するアップリンク共有チャネルで搬送されるＰ−ＣＳＩを、前記第２のＴＴＩ長で送信するアップリンク共有チャネルに転送して送信し、
第１のＴＴＩ長で送信するアップリンク共有チャネルの送信期間に第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第５方式が適用される場合、前記所定の規則５は以下方式のうちの１つまたは組み合わせを含み、
前記第２のＴＴＩ長で送信するアップリンク共有チャネルで搬送されるＵＣＩすべてを、前記第１のＴＴＩ長で送信するアップリンク共有チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク共有チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク共有チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク共有チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク共有チャネルに転送して送信し、
第１のＴＴＩ長で送信するアップリンク共有チャネル複数があれば、ＰＣＣに前記第１のＴＴＩ長で送信するアップリンク共有チャネルがある場合、ＰＣＣ上の前記第１のＴＴＩ長送信するアップリンク共有チャネルを選択して、前記ｓＰＵＳＣＨ上のＵＣＩを送信し、ＰＣＣに第１のＴＴＩ長で送信するアップリンク共有チャネルがなければ、前記第１のＴＴＩ長で送信するアップリンク共有チャネルを有するＳＣＣのうちの最小キャリアインデックスのＳＣＣ上の前記第１のＴＴＩ長で送信するアップリンク共有チャネルを選択して、前記ｓＰＵＳＣＨ上のＵＣＩを送信し、前記選択された第１のＴＴＩ長で送信するアップリンク共有チャネルがＲＡＲ ｇｒａｎｔに対応するアップリンク共有チャネルである場合、前記ＵＣＩを送信しない、
前記第６方式が適用される場合、選択されたアップリンクチャネルが第２のＴＴＩ長で送信するアップリンク共有チャネルであるとき、第１のＴＴＩ長で送信するアップリンク共有チャネルの送信期間に第２のＴＴＩ長で送信するアップリンク共有チャネル複数があれば、前記所定の規則４の方式で、ＵＣＩを搬送するチャネルを選択し、選択されたアップリンクチャネルが第１のＴＴＩ長で送信するアップリンク共有チャネルであるとき、第１のＴＴＩ長で送信するアップリンク共有チャネル複数があれば、前記所定の規則５の方式で、ＵＣＩを搬送するチャネルを選択する。
【００３５】
実施では、第１のＴＴＩ長で送信するアップリンク制御チャネルが、第２のＴＴＩ長で送信するアップリンク共有チャネルとオーバーラップする場合、以下の方式の少なくとも１つを適用し、
第７方式では、以下のことを決定し、ＵＥが前記第２のＴＴＩ長で送信するアップリンク共有チャネルを選択して送信し、前記第１のＴＴＩ長で送信するアップリンク制御チャネルを放棄し、または、前記第２のＴＴＩ長で送信するアップリンク共有チャネルとオーバーラップする前記第１のＴＴＩ長で送信するアップリンク制御チャネル内のシンボル上の情報をパンクチャリングし、
第８方式では、以下のことを決定し、ＵＥが前記第１のＴＴＩ長で送信するアップリンク制御チャネルを選択して送信し、前記第２のＴＴＩ長で送信するアップリンク共有チャネルを放棄し、
第９方式では、以下のことを決定し、ＵＥがＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第７方式または前記第８方式で同じ優先度のＵＣＩを搬送する複数のチャネルから選択する。
【００３６】
実施では、前記第７方式が適用される場合、以下のことを決定し、ＵＥが前記第１のＴＴＩ長で送信するアップリンク制御チャネルで搬送されるＵＣＩを、所定の規則１または所定の規則６の下で前記第２のＴＴＩ長で送信するアップリンク共有チャネルに転送して送信し、前記第８方式が適用される場合、前記第２のＴＴＩ長で送信するアップリンク共有チャネルがＵＣＩを搬送している場合、ＵＥが前記ＵＣＩを所定の規則１または所定の規則７の下で前記第１のＴＴＩ長で送信するアップリンク制御チャネルに転送して送信することを決定し、前記第９方式が適用される場合、ＵＥが選択されていない残りのアップリンクチャネル上のＵＣＩを所定の規則１の下で選択されたアップリンクチャネルに転送して送信することを決定する。
【００３７】
実施では、前記第７方式が適用される場合、前記所定の規則６は、以下方式のうちの１つまたは組み合わせを含み、
前記第１のＴＴＩ長で送信するアップリンク制御チャネルで搬送されるＵＣＩすべてを、前記第２のＴＴＩ長で送信するアップリンク共有チャネルに転送して送信し、
前記第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク制御チャネルで搬送されるＵＣＩがＰ−ＣＳＩを含む場合、前記第１のＴＴＩ長で送信するアップリンク制御チャネルで搬送されるＰ−ＣＳＩを放棄し、または、前記第２のＴＴＩ長で送信するアップリンク共有チャネルがＰ−ＣＳＩを搬送する場合、前記第１のＴＴＩ長で送信するアップリンク制御チャネルで搬送されるＰ−ＣＳＩを放棄し、前記第２のＴＴＩ長で送信するアップリンク共有チャネルがＰ−ＣＳＩを搬送しない場合、前記第１のＴＴＩ長で送信するアップリンク制御チャネルで搬送されるＰ−ＣＳＩを、前記第２のＴＴＩ長で送信するアップリンク共有チャネルに転送して送信し、
第１のＴＴＩ長で送信するアップリンク制御チャネルの送信期間に複数の第２のＴＴＩ長で送信するアップリンク共有チャネル複数がある場合、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第８方式が適用される場合、前記所定の規則７は、以下方式のうちの１つまたは組み合わせを含み、
前記第２のＴＴＩ長で送信するアップリンク共有チャネルで搬送されるＵＣＩの全てを、前記第１のＴＴＩ長で送信するアップリンク制御チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク制御チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク制御チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク制御チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク制御チャネルに転送して送信し、
前記第９方式が適用される場合、選択されたアップリンクチャネルが第２のＴＴＩ長で送信するアップリンク共有チャネルであるとき、第１のＴＴＩ長で送信するアップリンク制御チャネルの送信期間に複数の第２のＴＴＩ長で送信するアップリンク共有チャネル複数がある場合、前記所定の規則７の方式でＵＣＩを搬送するチャネルを選択する。
【００３８】
実施では、前記ＵＣＩ優先度は、ＳＲの優先度がＡＣＫ／ＮＡＣＫの優先度以上であり、ＡＣＫ／ＮＡＣＫの優先度がＰ−ＣＳＩの優先度よりも高い。
【００３９】
実施では、前記所定の規則１は、以下方式のうちの１つまたは組み合わせを含み、
選択されていない残りのアップリンクチャネル上のＵＣＩを選択されたアップリンクチャネルに転送して送信し、
選択されていない残りのアップリンクチャネル上のＵＣＩがＡＣＫ／ＮＡＣＫ及び/またはＳＲである場合、前記ＵＣＩを選択されたアップリンクチャネルに転送して送信し、選択されていない残りのアップリンクチャネル上のＵＣＩがＰ−ＣＳＩを含む場合、前記選択されていない残りのアップリンクチャネル上のＰ−ＣＳＩを放棄し、または、選択されたアップリンクチャネルがＰ−ＣＳＩを搬送している場合、前記選択されていない残りのアップリンクチャネル上のＰ−ＣＳＩを放棄し、選択されたアップリンクチャネルがＰ−ＣＳＩを搬送していない場合、選択されていないチャネルで搬送されるＰ−ＣＳＩを、選択されたアップリンクチャネルに転送して送信し、
選択されたアップリンクチャネルが第１のＴＴＩ長で送信するアップリンク共有チャネル及び/または第１のＴＴＩ長で送信する第１のＴＴＩ長で送信するアップリンク制御チャネルである場合は、第１のＴＴＩ長で送信するアップリンク共有チャネル及び第１のＴＴＩ長で送信するアップリンク制御チャネル両方があるとき、そのうちの１つを選択して前記ＵＣＩを搬送し、または、前記ＵＣＩの一部を第１のＴＴＩ長で送信するアップリンク共有チャネルで搬送されるようにし、前記ＵＣＩの残りの部分を第１のＴＴＩ長で送信するアップリンク制御チャネルで搬送されるようにし、第１のＴＴＩ長を利用するアップリンク共有チャネル複数がある場合、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
選択されたアップリンクチャネルが第２のＴＴＩ長で送信するアップリンク制御チャネルであれば、前記第１のＴＴＩ長の間に第２のＴＴＩ長で送信するアップリンク制御チャネル複数があるとき、最初１つのまたは最後１つの第２のＴＴＩ長で送信するアップリンク制御チャネルを選択して前記ＵＣＩを搬送し、または、Ｐ−ＣＳＩ搬送用の、第２のＴＴＩ長で送信するアップリンク制御チャネルを選択して、前記選択されていない残りのアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記選択されていない残りのアップリンクチャネル内のＰ−ＣＳＩを搬送するためのものとし、ＡＣＫ／ＮＡＣＫ及び/またはＳＲ搬送用の、第２のＴＴＩ長で送信するアップリンク制御チャネルを選択して前記選択されていない残りのアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して前記選択されていない残りのアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記選択されていない残りのアップリンクチャネル内の対応のＵＣＩを搬送するためのものとし、
選択されたアップリンクチャネルが第２のＴＴＩ長で送信するアップリンク共有チャネルであるとき、前記第１のＴＴＩ長の間に複数の第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを搬送し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して前記ＵＣＩを搬送し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【００４０】
実施では、さらに、ＵＥが下記のステップで動作することを決定し、
第１のＴＴＩ長で送信するアップリンクチャネルの送信電力と、第２のＴＴＩ長で送信するアップリンクチャネルの送信電力との合計が、ＵＥに許容される最大送信電力を超えるかどうかを判定し、最大送信電力を超えると、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信し、及び/または、
第１のＴＴＩ長で送信するアップリンクチャネルと第２のＴＴＩ長で送信するアップリンクチャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信し、及び/または、
第１のＴＴＩ長で送信するアップリンク制御チャネルと第２のＴＴＩ長で送信するアップリンク共有チャネルとの同時送信をサポートするかどうかを判定し、及び/または、第１のＴＴＩ長で送信するアップリンク共有チャネルと第２のＴＴＩ長で送信するアップリンク制御チャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信する。
【００４１】
第３の態様によれば、本発明の実施例に係るデータ伝送のための装置は、第１のＴＴＩ長で送信するアップリンクチャネルの送信期間が第２のＴＴＩ長で送信するアップリンクチャネルの送信期間とオーバーラップするかどうかを判定するように構成される、第１の決定モジュールと、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信する用に構成される、送信モジュールとを備える。
【００４２】
実施では、前記第１のＴＴＩ長が前記第２のＴＴＩ長より大きい。
【００４３】
実施では、前記アップリンクチャネルは、アップリンク制御チャネル及びアップリンク共有チャネルのうちの少なくとも１つである。
【００４４】
実施では、前記所定の規則は、以下の規則のうちの１つまたは組み合わせであり、
アップリンク制御チャネルを選択し、アップリンク共有チャネルでの送信を放棄するか、またはアップリンク共有チャネルをパンクチャリングして送信し、
第２のＴＴＩ長で送信するアップリンクチャネルを選択し、第１のＴＴＩ長で送信するアップリンクチャネルでの送信を放棄するか、または、第１のＴＴＩ長で送信するアップリンクチャネルをパンクチャリングして送信し、
ＵＣＩを搬送するアップリンクチャネルを選択し、ＵＣＩを搬送するアップリンクチャネルが複数ある場合、優先度の高いＵＣＩを搬送するアップリンクチャネルを選択し、優先度の高いＵＣＩを搬送するアップリンクチャネルが複数ある場合、前記規則を再利用して選択し、残りのアップリンクチャネルでの送信を放棄するか、または、残りのアップリンクチャネルをパンクチャリングして送信する。
【００４５】
実施では、さらに、選択されていない残りのアップリンクチャネル上のＵＣＩを所定の規則１の下で選択されたアップリンクチャネルに転送して送信する。
【００４６】
実施では、第１のＴＴＩ長で送信するアップリンク共有チャネル及び/または第１のＴＴＩ長で送信するアップリンク制御チャネルが、第２のＴＴＩ長で送信するアップリンク制御チャネルとオーバーラップする場合、以下の方式の少なくとも１つを適用し、
第１の方式では、前記第２のＴＴＩ長で送信するアップリンク制御チャネルを選択して送信し、前記第１のＴＴＩ長で送信するアップリンク共有チャネル及び/または第１のＴＴＩ長で送信するアップリンク制御チャネルを放棄し、または、前記第２のＴＴＩ長で送信するアップリンク制御チャネルとオーバーラップする前記第１のＴＴＩ長で送信するアップリンク共有チャネル及び/または第１のＴＴＩ長で送信するアップリンク制御チャネル内のシンボル上の情報をパンクチャリングし、
第２の方式では、前記第１のＴＴＩ長で送信するアップリンク共有チャネル及び/またはアップリンク制御チャネルを選択し、前記第２のＴＴＩ長で送信するアップリンク制御チャネルを放棄し、
第３の方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第１の方式または前記第２の方式で同じ優先度のＵＣＩを搬送する複数のチャネルから選択する。
【００４７】
実施では、前記第１の方式を適用する場合、前記第１のＴＴＩ長で送信するアップリンク共有チャネル及び/または第１のＴＴＩ長で送信するアップリンク制御チャネルで搬送されるＵＣＩを、所定の規則１または所定の規則２の下で前記第２のＴＴＩ長で送信するアップリンク制御チャネルに転送して送信し、前記第２の方式を適用する場合、前記第２のＴＴＩ長で送信するアップリンク制御チャネルで搬送されるＵＣＩを、所定の規則１または所定の規則３の下で前記第１のＴＴＩ長で送信するアップリンク共有チャネル及び/または第１のＴＴＩ長で送信するアップリンク制御チャネルに転送して送信し、前記第３方式を適用する場合、選択されていない残りのアップリンクチャネル上のＵＣＩを、前記所定の規則１の下で選択されたアップリンクチャネルに転送して送信する。
【００４８】
実施では、前記第１の方式を適用する場合、前記所定の規則２は以下方式のうちの１つまたは組み合わせを含み、
前記第１のＴＴＩ長で送信するアップリンク共有チャネル及び/または第１のＴＴＩ長で送信するアップリンク制御チャネルで搬送されるＵＣＩのすべてを、前記第２のＴＴＩ長で送信するアップリンク制御チャネルに転送して送信し、
前記第１のＴＴＩ長で送信するアップリンク共有チャネル及び/または第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク制御チャネルに転送して送信し、前記第１のＴＴＩ長で送信するアップリンク共有チャネル及び/または第１のＴＴＩ長で送信するアップリンク制御チャネルで搬送されるＵＣＩがＰ−ＣＳＩを含む場合、前記第１のＴＴＩ長で送信するアップリンク共有チャネル及び/または第１のＴＴＩ長で送信するアップリンク制御チャネルで搬送されるＰ−ＣＳＩを放棄し、または、前記第２のＴＴＩ長で送信するアップリンク制御チャネルにＰ−ＣＳＩが含まれる場合、前記第１のＴＴＩ長で送信するアップリンク共有チャネル及び/または第１のＴＴＩ長で送信するアップリンク制御チャネルで搬送されるＰ−ＣＳＩを放棄し、前記第２のＴＴＩ長で送信するアップリンク制御チャネルにＰ−ＣＳＩが含まれない場合、前記第１のＴＴＩ長で送信するアップリンク共有チャネル及び/または第１のＴＴＩ長で送信するアップリンク制御チャネルで搬送されるＰ−ＣＳＩを、第２のＴＴＩ長で送信するアップリンク制御チャネルに転送して送信し、
第１のＴＴＩ長で送信するアップリンク共有チャネル及び/または第１のＴＴＩ長で送信するアップリンク制御チャネルの送信期間の間に、第２のＴＴＩ長で送信するアップリンク制御チャネル複数があれば、
最初１つのまたは最後１つの第２のＴＴＩ長で送信するアップリンク制御チャネルを選択して前記ＵＣＩを搬送し、または、
Ｐ−ＣＳＩ搬送用の、第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＰ−ＣＳＩを搬送し、ＡＣＫ／ＮＡＣＫ及び/またはＳＲ搬送用の、第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記第１のＴＴＩ長で送信するアップリンク共有チャネル及び/または第１のＴＴＩ長で送信するアップリンク制御チャネル内の対応のＵＣＩを搬送するためのものとし、
前記第２の方式を適用する場合、前記所定の規則３は、以下方式のうちの１つまたは組み合わせを含み、
前記第２のＴＴＩ長で送信するアップリンク制御チャネルで搬送されるＵＣＩすべてを、前記第２のＴＴＩ長で送信するアップリンク制御チャネルで搬送されるＵＣＩすべてを、前記第１のＴＴＩ長で送信するアップリンク共有チャネル及び/または第１のＴＴＩ長で送信するアップリンク制御チャネルに転送して送信し、
前記第２のＴＴＩ長で送信するアップリンク制御チャネルで搬送されるＵＣＩがＡＣＫ／ＮＡＣＫ及び/またはＳＲである場合、前記ＵＣＩを前記第１のＴＴＩ長で送信するアップリンク共有チャネル及び/または第１のＴＴＩ長で送信するアップリンク制御チャネルに転送して送信し、前記第２のＴＴＩ長で送信するアップリンク制御チャネルで搬送されるＵＣＩがＰ−ＣＳＩを含む場合、前記第２のＴＴＩ長で送信するアップリンク制御チャネルで搬送されるＰ−ＣＳＩを放棄し、または、前記第１のＴＴＩ長で送信するアップリンク共有チャネル及び/または第１のＴＴＩ長で送信するアップリンク制御チャネルがＰ−ＣＳＩを搬送する場合、前記第２のＴＴＩ長で送信するアップリンク制御チャネルで搬送されるＰ−ＣＳＩを放棄し、前記第１のＴＴＩ長で送信するアップリンク共有チャネル及び/または第１のＴＴＩ長で送信するアップリンク制御チャネルがＰ−ＣＳＩを搬送しない場合、前記第２のＴＴＩ長で送信するアップリンク制御チャネルで搬送されるＰ−ＣＳＩを、前記第２のＴＴＩ長で送信するアップリンク共有チャネル及び/または第１のＴＴＩ長で送信するアップリンク制御チャネルに転送して送信し、
前記第１のＴＴＩ長で送信するアップリンク共有チャネル及び第１のＴＴＩ長で送信するアップリンク制御チャネル両方があれば、そのうちの１つを選択して前記ＵＣＩを搬送し、または、前記ＵＣＩの一部を前記第１のＴＴＩ長で送信するアップリンク共有チャネルで搬送し、前記ＵＣＩの残りの部分を前記第１のＴＴＩ長で送信するアップリンク制御チャネルで搬送し、及び/または、第１のＴＴＩ長で送信するアップリンク共有チャネル複数があれば、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
前記第３方式を適用する場合、選択されたアップリンクチャネルが第２のＴＴＩ長で送信するアップリンク制御チャネルであれば、第１のＴＴＩ長で送信するアップリンク共有チャネル及び/または第１のＴＴＩ長で送信するアップリンク制御チャネルの送信期間の間に、第２のＴＴＩ長で送信するアップリンク制御チャネル複数があれば、前記所定の規則２の方式で前記ＵＣＩを搬送するチャネルを選択し、選択されたアップリンクチャネルが第１のＴＴＩ長で送信するアップリンク共有チャネル及び/または第１のＴＴＩ長で送信するアップリンク制御チャネルである場合、第１のＴＴＩ長で送信するアップリンク共有チャネル及びアップリンク制御チャネル両方があるか、または、複数の第１のＴＴＩ長で送信するアップリンク共有チャネルがあれば、前記所定の規則３の方式で、前記ＵＣＩを搬送するチャネルを選択する。
【００４９】
実施では、第１のＴＴＩ長で送信するアップリンク共有チャネルが第２のＴＴＩ長で送信するアップリンク共有チャネルとオーバーラップする場合、以下の方式の少なくとも１つを適用し、
第４方式では、前記第２のＴＴＩ長で送信するアップリンク共有チャネルを選択して送信し、前記第１のＴＴＩ長で送信するアップリンク共有チャネルを放棄し、または、前記第２のＴＴＩ長で送信するアップリンク共有チャネルとオーバーラップする、前記第１のＴＴＩ長で送信するアップリンク共有チャネル内のシンボル上の情報をパンクチャリングし、
第５方式では、前記第１のＴＴＩ長で送信するアップリンク共有チャネルを選択して送信し、前記第２のＴＴＩ長で送信するアップリンク共有チャネルを放棄し、
第６方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第３方式または前記第４方式で同じ優先度のＵＣＩを搬送する複数のチャネルから選択する。
【００５０】
実施では、前記第４方式が適用される場合、前記第１のＴＴＩ長で送信するアップリンク共有チャネルで搬送されるＵＣＩを、所定の規則１または所定の規則４の下で前記第２のＴＴＩ長で送信するアップリンク共有チャネルに転送して送信し、 前記第５方式が適用される場合、前記第２のＴＴＩ長で送信するアップリンク共有チャネルで搬送されるＵＣＩを、所定の規則１または所定の規則５の下で前記第１のＴＴＩ長で送信するアップリンク共有チャネルに転送して送信し、前記第６方式が適用される場合、選択されていない残りのアップリンクチャネル上のＵＣＩを所定の規則１の下で選択されたアップリンクチャネルに転送して送信する。
【００５１】
実施では、前記第４方式が適用される場合、前記所定の規則４は、以下方式のうちの１つまたは組み合わせを含み、
前記第１のＴＴＩ長で送信するアップリンク共有チャネルで搬送されるＵＣＩすべてを、前記第２のＴＴＩ長で送信するアップリンク共有チャネルに転送して送信し、
前記第１のＴＴＩ長で送信するアップリンク共有チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク共有チャネルで搬送されるＵＣＩがＰ−ＣＳＩを含む場合、前記第１のＴＴＩ長で送信するアップリンク共有チャネルで搬送されるＰ−ＣＳＩを放棄し、または、前記第２のＴＴＩ長で送信するアップリンク共有チャネルがＰ−ＣＳＩを搬送している場合、前記第１のＴＴＩ長で送信するアップリンク共有チャネルで搬送されるＰ−ＣＳＩを放棄し、前記第２のＴＴＩ長で送信するアップリンク共有チャネルがＰ−ＣＳＩを搬送していない場合、前記第１のＴＴＩ長で送信するアップリンク共有チャネルで搬送されるＰ−ＣＳＩを、前記第２のＴＴＩ長で送信するアップリンク共有チャネルに転送して送信し、
第１のＴＴＩ長で送信するアップリンク共有チャネルの送信期間に第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第５方式が適用される場合、前記所定の規則５は以下方式のうちの１つまたは組み合わせを含み、
前記第２のＴＴＩ長で送信するアップリンク共有チャネルで搬送されるＵＣＩすべてを、前記第１のＴＴＩ長で送信するアップリンク共有チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク共有チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク共有チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク共有チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク共有チャネルに転送して送信し、
第１のＴＴＩ長で送信するアップリンク共有チャネル複数があれば、ＰＣＣに前記第１のＴＴＩ長で送信するアップリンク共有チャネルがある場合、ＰＣＣ上の前記第１のＴＴＩ長送信するアップリンク共有チャネルを選択して、前記ｓＰＵＳＣＨ上のＵＣＩを送信し、ＰＣＣに第１のＴＴＩ長で送信するアップリンク共有チャネルがなければ、前記第１のＴＴＩ長で送信するアップリンク共有チャネルを有するＳＣＣのうちの最小キャリアインデックスのＳＣＣ上の前記第１のＴＴＩ長で送信するアップリンク共有チャネルを選択して、前記ｓＰＵＳＣＨ上のＵＣＩを送信し、前記選択された第１のＴＴＩ長で送信するアップリンク共有チャネルがＲＡＲ ｇｒａｎｔに対応するアップリンク共有チャネルである場合、前記ＵＣＩを送信しない、
前記第６方式が適用される場合、選択されたアップリンクチャネルが第２のＴＴＩ長で送信するアップリンク共有チャネルであるとき、第１のＴＴＩ長で送信するアップリンク共有チャネルの送信期間に第２のＴＴＩ長で送信するアップリンク共有チャネル複数があれば、前記所定の規則４の方式で、ＵＣＩを搬送するチャネルを選択し、選択されたアップリンクチャネルが第１のＴＴＩ長で送信するアップリンク共有チャネルであるとき、第１のＴＴＩ長で送信するアップリンク共有チャネル複数があれば、前記所定の規則５の方式で、ＵＣＩを搬送するチャネルを選択する。
【００５２】
実施では、第１のＴＴＩ長で送信するアップリンク制御チャネルが、第２のＴＴＩ長で送信するアップリンク共有チャネルとオーバーラップする場合、以下の方式の少なくとも１つを適用し、
第７方式では、前記第２のＴＴＩ長で送信するアップリンク共有チャネルを選択して送信し、前記第１のＴＴＩ長で送信するアップリンク制御チャネルを放棄し、または、前記第２のＴＴＩ長で送信するアップリンク共有チャネルとオーバーラップする前記第１のＴＴＩ長で送信するアップリンク制御チャネル内のシンボル上の情報をパンクチャリングし、
第８方式では、前記第１のＴＴＩ長で送信するアップリンク制御チャネルを選択して送信し、前記第２のＴＴＩ長で送信するアップリンク共有チャネルを放棄し、
第９方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第７方式または前記第８方式で同じ優先度のＵＣＩを搬送する複数のチャネルから選択する。
【００５３】
実施では、前記第７方式が適用される場合、前記第１のＴＴＩ長で送信するアップリンク制御チャネルで搬送されるＵＣＩを、所定の規則１または所定の規則６の下で前記第２のＴＴＩ長で送信するアップリンク共有チャネルに転送して送信し、前記第８方式が適用される場合、前記第２のＴＴＩ長で送信するアップリンク共有チャネルがＵＣＩを搬送している場合、前記ＵＣＩを所定の規則１または所定の規則７の下で前記第１のＴＴＩ長で送信するアップリンク制御チャネルに転送して送信し、前記第９方式が適用される場合、選択されていない残りのアップリンクチャネル上のＵＣＩを所定の規則１の下で選択されたアップリンクチャネルに転送して送信する。
【００５４】
実施では、前記第７方式が適用される場合、前記所定の規則６は、以下方式のうちの１つまたは組み合わせを含み、
前記第１のＴＴＩ長で送信するアップリンク制御チャネルで搬送されるＵＣＩすべてを、前記第２のＴＴＩ長で送信するアップリンク共有チャネルに転送して送信し、
前記第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク制御チャネルで搬送されるＵＣＩがＰ−ＣＳＩを含む場合、前記第１のＴＴＩ長で送信するアップリンク制御チャネルで搬送されるＰ−ＣＳＩを放棄し、または、前記第２のＴＴＩ長で送信するアップリンク共有チャネルがＰ−ＣＳＩを搬送する場合、前記第１のＴＴＩ長で送信するアップリンク制御チャネルで搬送されるＰ−ＣＳＩを放棄し、前記第２のＴＴＩ長で送信するアップリンク共有チャネルがＰ−ＣＳＩを搬送しない場合、前記第１のＴＴＩ長で送信するアップリンク制御チャネルで搬送されるＰ−ＣＳＩを、前記第２のＴＴＩ長で送信するアップリンク共有チャネルに転送して送信し、
第１のＴＴＩ長で送信するアップリンク制御チャネルの送信期間に複数の第２のＴＴＩ長で送信するアップリンク共有チャネル複数がある場合、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第８方式が適用される場合、前記所定の規則７は、以下方式のうちの１つまたは組み合わせを含み、
前記第２のＴＴＩ長で送信するアップリンク共有チャネルで搬送されるＵＣＩの全てを、前記第１のＴＴＩ長で送信するアップリンク制御チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク制御チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク制御チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク制御チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク制御チャネルに転送して送信し、
前記第９方式が適用される場合、選択されたアップリンクチャネルが第２のＴＴＩ長で送信するアップリンク共有チャネルであるとき、第１のＴＴＩ長で送信するアップリンク制御チャネルの送信期間に複数の第２のＴＴＩ長で送信するアップリンク共有チャネル複数がある場合、前記所定の規則７の方式でＵＣＩを搬送するチャネルを選択する。
【００５５】
実施では、前記ＵＣＩ優先度は、ＳＲの優先度がＡＣＫ／ＮＡＣＫの優先度以上であり、ＡＣＫ／ＮＡＣＫの優先度がＰ−ＣＳＩの優先度よりも高い。
【００５６】
実施では、前記所定の規則１は、以下方式のうちの１つまたは組み合わせを含み、
選択されていない残りのアップリンクチャネル上のＵＣＩを選択されたアップリンクチャネルに転送して送信し、
選択されていない残りのアップリンクチャネル上のＵＣＩがＡＣＫ／ＮＡＣＫ及び/またはＳＲである場合、前記ＵＣＩを選択されたアップリンクチャネルに転送して送信し、選択されていない残りのアップリンクチャネル上のＵＣＩがＰ−ＣＳＩを含む場合、前記選択されていない残りのアップリンクチャネル上のＰ−ＣＳＩを放棄し、または、選択されたアップリンクチャネルがＰ−ＣＳＩを搬送している場合、前記選択されていない残りのアップリンクチャネル上のＰ−ＣＳＩを放棄し、選択されたアップリンクチャネルがＰ−ＣＳＩを搬送していない場合、選択されていないチャネルで搬送されるＰ−ＣＳＩを、選択されたアップリンクチャネルに転送して送信し、
選択されたアップリンクチャネルが第１のＴＴＩ長で送信するアップリンク共有チャネル及び/または第１のＴＴＩ長で送信する第１のＴＴＩ長で送信するアップリンク制御チャネルである場合は、第１のＴＴＩ長で送信するアップリンク共有チャネル及び第１のＴＴＩ長で送信するアップリンク制御チャネル両方があるとき、そのうちの１つを選択して前記ＵＣＩを搬送し、または、前記ＵＣＩの一部を第１のＴＴＩ長で送信するアップリンク共有チャネルで搬送されるようにし、前記ＵＣＩの残りの部分を第１のＴＴＩ長で送信するアップリンク制御チャネルで搬送されるようにし、第１のＴＴＩ長を利用するアップリンク共有チャネル複数がある場合、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
選択されたアップリンクチャネルが第２のＴＴＩ長で送信するアップリンク制御チャネルであれば、前記第１のＴＴＩ長の間に第２のＴＴＩ長で送信するアップリンク制御チャネル複数があるとき、最初１つのまたは最後１つの第２のＴＴＩ長で送信するアップリンク制御チャネルを選択して前記ＵＣＩを搬送し、または、Ｐ−ＣＳＩ搬送用の、第２のＴＴＩ長で送信するアップリンク制御チャネルを選択して、前記選択されていない残りのアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記選択されていない残りのアップリンクチャネル内のＰ−ＣＳＩを搬送するためのものとし、ＡＣＫ／ＮＡＣＫ及び/またはＳＲ搬送用の、第２のＴＴＩ長で送信するアップリンク制御チャネルを選択して前記選択されていない残りのアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して前記選択されていない残りのアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記選択されていない残りのアップリンクチャネル内の対応のＵＣＩを搬送するためのものとし、
選択されたアップリンクチャネルが第２のＴＴＩ長で送信するアップリンク共有チャネルであるとき、前記第１のＴＴＩ長の間に複数の第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを搬送し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して前記ＵＣＩを搬送し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【００５７】
実施では、さらに、
第１のＴＴＩ長で送信するアップリンクチャネルの送信電力と、第２のＴＴＩ長で送信するアップリンクチャネルの送信電力との合計が、ＵＥに許容される最大送信電力を超えるかどうかを判定し、最大送信電力を超えると、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信し、及び/または、
第１のＴＴＩ長で送信するアップリンクチャネルと第２のＴＴＩ長で送信するアップリンクチャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信し、及び/または、
第１のＴＴＩ長で送信するアップリンク制御チャネルと第２のＴＴＩ長で送信するアップリンク共有チャネルとの同時送信をサポートするかどうかを判定し、及び/または、第１のＴＴＩ長で送信するアップリンク共有チャネルと第２のＴＴＩ長で送信するアップリンク制御チャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信する。
【００５８】
第４の態様によれば、本発明の実施例に係るデータ伝送のための装置は、第１のＴＴＩ長で送信するアップリンクチャネルの送信期間が第２のＴＴＩ長で送信するアップリンクチャネルの送信期間とオーバーラップするかどうかを判定するように構成される、第２の決定モジュールと、オーバーラップすると判定した場合、ＵＥが所定の規則の下でアップリンクチャネルを選択して送信することを決定し、残りのアップリンクチャネルでの送信を放棄するか、または、残りのアップリンクチャネルをパンクチャリングして送信するように構成される、送信決定モジュールとを備える。
【００５９】
実施では、前記第１のＴＴＩ長が前記第２のＴＴＩ長より大きい。
【００６０】
実施では、前記アップリンクチャネルは、アップリンク制御チャネル及びアップリンク共有チャネルのうちの少なくとも１つである。
【００６１】
実施では、前記所定の規則は、以下の規則のうちの１つまたは組み合わせであり、
アップリンク制御チャネルを選択し、アップリンク共有チャネルでの送信を放棄するか、またはアップリンク共有チャネルをパンクチャリングして送信し、
第２のＴＴＩ長で送信するアップリンクチャネルを選択し、第１のＴＴＩ長で送信するアップリンクチャネルでの送信を放棄するか、または、第１のＴＴＩ長で送信するアップリンクチャネルをパンクチャリングして送信し、
ＵＣＩを搬送するアップリンクチャネルを選択し、ＵＣＩを搬送するアップリンクチャネルが複数ある場合、優先度の高いＵＣＩを搬送するアップリンクチャネルを選択し、優先度の高いＵＣＩを搬送するアップリンクチャネルが複数ある場合、前記規則を再利用して選択し、残りのアップリンクチャネルでの送信を放棄するか、または、残りのアップリンクチャネルをパンクチャリングして送信する。
【００６２】
実施では、さらに、ＵＥが選択されていない残りのアップリンクチャネル上のＵＣＩを所定の規則１の下で選択されたアップリンクチャネルに転送して送信することを決定する。
【００６３】
実施では、第１のＴＴＩ長で送信するアップリンク共有チャネル及び/または第１のＴＴＩ長で送信するアップリンク制御チャネルが、第２のＴＴＩ長で送信するアップリンク制御チャネルとオーバーラップする場合、以下の方式の少なくとも１つを適用し、
第１の方式では、以下のことを決定し、ＵＥが前記第２のＴＴＩ長で送信するアップリンク制御チャネルを選択して送信し、前記第１のＴＴＩ長で送信するアップリンク共有チャネル及び/または第１のＴＴＩ長で送信するアップリンク制御チャネルを放棄し、または、前記第２のＴＴＩ長で送信するアップリンク制御チャネルとオーバーラップする前記第１のＴＴＩ長で送信するアップリンク共有チャネル及び/または第１のＴＴＩ長で送信するアップリンク制御チャネル内のシンボル上の情報をパンクチャリングし、
第２の方式では、ＵＥが前記第１のＴＴＩ長で送信するアップリンク共有チャネル及び/またはアップリンク制御チャネルを選択し、前記第２のＴＴＩ長で送信するアップリンク制御チャネルを放棄することを決定し、
第３の方式では、以下のことを決定し、ＵＥがＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第１の方式または前記第２の方式で同じ優先度のＵＣＩを搬送する複数のチャネルから選択する。
【００６４】
実施では、前記第１の方式をを適用する場合、以下のことを決定し、ＵＥが前記第１のＴＴＩ長で送信するアップリンク共有チャネル及び/または第１のＴＴＩ長で送信するアップリンク制御チャネルで搬送されるＵＣＩを、所定の規則１または所定の規則２の下で前記第２のＴＴＩ長で送信するアップリンク制御チャネルに転送して送信し、前記第２の方式をを適用する場合、以下のことを決定し、ＵＥが前記第２のＴＴＩ長で送信するアップリンク制御チャネルで搬送されるＵＣＩを、所定の規則１または所定の規則３の下で前記第１のＴＴＩ長で送信するアップリンク共有チャネル及び/または第１のＴＴＩ長で送信するアップリンク制御チャネルに転送して送信し、前記第３方式を適用する場合、以下のことを決定し、ＵＥが選択されていない残りのアップリンクチャネル上のＵＣＩを、前記所定の規則１の下で選択されたアップリンクチャネルに転送して送信する。
【００６５】
実施では、前記第１の方式を適用する場合、前記所定の規則２は以下方式のうちの１つまたは組み合わせを含み、
前記第１のＴＴＩ長で送信するアップリンク共有チャネル及び/または第１のＴＴＩ長で送信するアップリンク制御チャネルで搬送されるＵＣＩのすべてを、前記第２のＴＴＩ長で送信するアップリンク制御チャネルに転送して送信し、
前記第１のＴＴＩ長で送信するアップリンク共有チャネル及び/または第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク制御チャネルに転送して送信し、前記第１のＴＴＩ長で送信するアップリンク共有チャネル及び/または第１のＴＴＩ長で送信するアップリンク制御チャネルで搬送されるＵＣＩがＰ−ＣＳＩを含む場合、前記第１のＴＴＩ長で送信するアップリンク共有チャネル及び/または第１のＴＴＩ長で送信するアップリンク制御チャネルで搬送されるＰ−ＣＳＩを放棄し、または、前記第２のＴＴＩ長で送信するアップリンク制御チャネルにＰ−ＣＳＩが含まれる場合、前記第１のＴＴＩ長で送信するアップリンク共有チャネル及び/または第１のＴＴＩ長で送信するアップリンク制御チャネルで搬送されるＰ−ＣＳＩを放棄し、前記第２のＴＴＩ長で送信するアップリンク制御チャネルにＰ−ＣＳＩが含まれない場合、前記第１のＴＴＩ長で送信するアップリンク共有チャネル及び/または第１のＴＴＩ長で送信するアップリンク制御チャネルで搬送されるＰ−ＣＳＩを、第２のＴＴＩ長で送信するアップリンク制御チャネルに転送して送信し、
第１のＴＴＩ長で送信するアップリンク共有チャネル及び/または第１のＴＴＩ長で送信するアップリンク制御チャネルの送信期間の間に、第２のＴＴＩ長で送信するアップリンク制御チャネル複数があれば、
最初１つのまたは最後１つの第２のＴＴＩ長で送信するアップリンク制御チャネルを選択して前記ＵＣＩを搬送し、または、
Ｐ−ＣＳＩ搬送用の、第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＰ−ＣＳＩを搬送し、ＡＣＫ／ＮＡＣＫ及び/またはＳＲ搬送用の、第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記第１のＴＴＩ長で送信するアップリンク共有チャネル及び/または第１のＴＴＩ長で送信するアップリンク制御チャネル内の対応のＵＣＩを搬送するためのものとし、
前記第２の方式を適用する場合、前記所定の規則３は、以下方式のうちの１つまたは組み合わせを含み、
前記第２のＴＴＩ長で送信するアップリンク制御チャネルで搬送されるＵＣＩすべてを、前記第２のＴＴＩ長で送信するアップリンク制御チャネルで搬送されるＵＣＩすべてを、前記第１のＴＴＩ長で送信するアップリンク共有チャネル及び/または第１のＴＴＩ長で送信するアップリンク制御チャネルに転送して送信し、
前記第２のＴＴＩ長で送信するアップリンク制御チャネルで搬送されるＵＣＩがＡＣＫ／ＮＡＣＫ及び/またはＳＲである場合、前記ＵＣＩを前記第１のＴＴＩ長で送信するアップリンク共有チャネル及び/または第１のＴＴＩ長で送信するアップリンク制御チャネルに転送して送信し、前記第２のＴＴＩ長で送信するアップリンク制御チャネルで搬送されるＵＣＩがＰ−ＣＳＩを含む場合、前記第２のＴＴＩ長で送信するアップリンク制御チャネルで搬送されるＰ−ＣＳＩを放棄し、または、前記第１のＴＴＩ長で送信するアップリンク共有チャネル及び/または第１のＴＴＩ長で送信するアップリンク制御チャネルがＰ−ＣＳＩを搬送する場合、前記第２のＴＴＩ長で送信するアップリンク制御チャネルで搬送されるＰ−ＣＳＩを放棄し、前記第１のＴＴＩ長で送信するアップリンク共有チャネル及び/または第１のＴＴＩ長で送信するアップリンク制御チャネルがＰ−ＣＳＩを搬送しない場合、前記第２のＴＴＩ長で送信するアップリンク制御チャネルで搬送されるＰ−ＣＳＩを、前記第２のＴＴＩ長で送信するアップリンク共有チャネル及び/または第１のＴＴＩ長で送信するアップリンク制御チャネルに転送して送信し、
前記第１のＴＴＩ長で送信するアップリンク共有チャネル及び第１のＴＴＩ長で送信するアップリンク制御チャネル両方があれば、そのうちの１つを選択して前記ＵＣＩを搬送し、または、前記ＵＣＩの一部を前記第１のＴＴＩ長で送信するアップリンク共有チャネルで搬送し、前記ＵＣＩの残りの部分を前記第１のＴＴＩ長で送信するアップリンク制御チャネルで搬送し、及び/または、第１のＴＴＩ長で送信するアップリンク共有チャネル複数があれば、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
前記第３方式を適用する場合、選択されたアップリンクチャネルが第２のＴＴＩ長で送信するアップリンク制御チャネルであれば、第１のＴＴＩ長で送信するアップリンク共有チャネル及び/または第１のＴＴＩ長で送信するアップリンク制御チャネルの送信期間の間に、第２のＴＴＩ長で送信するアップリンク制御チャネル複数があれば、前記所定の規則２の方式で前記ＵＣＩを搬送するチャネルを選択し、選択されたアップリンクチャネルが第１のＴＴＩ長で送信するアップリンク共有チャネル及び/または第１のＴＴＩ長で送信するアップリンク制御チャネルである場合、第１のＴＴＩ長で送信するアップリンク共有チャネル及びアップリンク制御チャネル両方があるか、または、複数の第１のＴＴＩ長で送信するアップリンク共有チャネルがあれば、前記所定の規則３の方式で、前記ＵＣＩを搬送するチャネルを選択する。
【００６６】
実施では、第１のＴＴＩ長で送信するアップリンク共有チャネルが第２のＴＴＩ長で送信するアップリンク共有チャネルとオーバーラップする場合、以下の方式の少なくとも１つを適用し、
第４方式では、以下のことを決定し、ＵＥが前記第２のＴＴＩ長で送信するアップリンク共有チャネルを選択して送信し、前記第１のＴＴＩ長で送信するアップリンク共有チャネルを放棄し、または、前記第２のＴＴＩ長で送信するアップリンク共有チャネルとオーバーラップする、前記第１のＴＴＩ長で送信するアップリンク共有チャネル内のシンボル上の情報をパンクチャリングし、
第５方式では、以下のことを決定し、ＵＥが前記第１のＴＴＩ長で送信するアップリンク共有チャネルを選択して送信し、前記第２のＴＴＩ長で送信するアップリンク共有チャネルを放棄し、
第６方式では、以下のことを決定し、ＵＥがＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第３方式または前記第４方式で同じ優先度のＵＣＩを搬送する複数のチャネルから選択する。
【００６７】
実施では、前記第４方式が適用される場合、以下のことを決定し、ＵＥが前記第１のＴＴＩ長で送信するアップリンク共有チャネルで搬送されるＵＣＩを、所定の規則１または所定の規則４の下で前記第２のＴＴＩ長で送信するアップリンク共有チャネルに転送して送信し、前記第５方式が適用される場合、以下のことを決定し、ＵＥが前記第２のＴＴＩ長で送信するアップリンク共有チャネルで搬送されるＵＣＩを、所定の規則１または所定の規則５の下で前記第１のＴＴＩ長で送信するアップリンク共有チャネルに転送して送信し、前記第６方式が適用される場合、ＵＥが選択されていない残りのアップリンクチャネル上のＵＣＩを所定の規則１の下で選択されたアップリンクチャネルに転送して送信することを決定する。
【００６８】
実施では、前記第４方式が適用される場合、前記所定の規則４は、以下方式のうちの１つまたは組み合わせを含み、
前記第１のＴＴＩ長で送信するアップリンク共有チャネルで搬送されるＵＣＩすべてを、前記第２のＴＴＩ長で送信するアップリンク共有チャネルに転送して送信し、
前記第１のＴＴＩ長で送信するアップリンク共有チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク共有チャネルで搬送されるＵＣＩがＰ−ＣＳＩを含む場合、前記第１のＴＴＩ長で送信するアップリンク共有チャネルで搬送されるＰ−ＣＳＩを放棄し、または、前記第２のＴＴＩ長で送信するアップリンク共有チャネルがＰ−ＣＳＩを搬送している場合、前記第１のＴＴＩ長で送信するアップリンク共有チャネルで搬送されるＰ−ＣＳＩを放棄し、前記第２のＴＴＩ長で送信するアップリンク共有チャネルがＰ−ＣＳＩを搬送していない場合、前記第１のＴＴＩ長で送信するアップリンク共有チャネルで搬送されるＰ−ＣＳＩを、前記第２のＴＴＩ長で送信するアップリンク共有チャネルに転送して送信し、
第１のＴＴＩ長で送信するアップリンク共有チャネルの送信期間に第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第５方式が適用される場合、前記所定の規則５は以下方式のうちの１つまたは組み合わせを含み、
前記第２のＴＴＩ長で送信するアップリンク共有チャネルで搬送されるＵＣＩすべてを、前記第１のＴＴＩ長で送信するアップリンク共有チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク共有チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク共有チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク共有チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク共有チャネルに転送して送信し、
第１のＴＴＩ長で送信するアップリンク共有チャネル複数があれば、ＰＣＣに前記第１のＴＴＩ長で送信するアップリンク共有チャネルがある場合、ＰＣＣ上の前記第１のＴＴＩ長送信するアップリンク共有チャネルを選択して、前記ｓＰＵＳＣＨ上のＵＣＩを送信し、ＰＣＣに第１のＴＴＩ長で送信するアップリンク共有チャネルがなければ、前記第１のＴＴＩ長で送信するアップリンク共有チャネルを有するＳＣＣのうちの最小キャリアインデックスのＳＣＣ上の前記第１のＴＴＩ長で送信するアップリンク共有チャネルを選択して、前記ｓＰＵＳＣＨ上のＵＣＩを送信し、前記選択された第１のＴＴＩ長で送信するアップリンク共有チャネルがＲＡＲ ｇｒａｎｔに対応するアップリンク共有チャネルである場合、前記ＵＣＩを送信しない、
前記第６方式が適用される場合、選択されたアップリンクチャネルが第２のＴＴＩ長で送信するアップリンク共有チャネルであるとき、第１のＴＴＩ長で送信するアップリンク共有チャネルの送信期間に第２のＴＴＩ長で送信するアップリンク共有チャネル複数があれば、前記所定の規則４の方式で、ＵＣＩを搬送するチャネルを選択し、選択されたアップリンクチャネルが第１のＴＴＩ長で送信するアップリンク共有チャネルであるとき、第１のＴＴＩ長で送信するアップリンク共有チャネル複数があれば、前記所定の規則５の方式で、ＵＣＩを搬送するチャネルを選択する。
【００６９】
実施では、第１のＴＴＩ長で送信するアップリンク制御チャネルが、第２のＴＴＩ長で送信するアップリンク共有チャネルとオーバーラップする場合、以下の方式の少なくとも１つを適用し、
第７方式では、以下のことを決定し、ＵＥが前記第２のＴＴＩ長で送信するアップリンク共有チャネルを選択して送信し、前記第１のＴＴＩ長で送信するアップリンク制御チャネルを放棄し、または、前記第２のＴＴＩ長で送信するアップリンク共有チャネルとオーバーラップする前記第１のＴＴＩ長で送信するアップリンク制御チャネル内のシンボル上の情報をパンクチャリングし、
第８方式では、以下のことを決定し、ＵＥが前記第１のＴＴＩ長で送信するアップリンク制御チャネルを選択して送信し、前記第２のＴＴＩ長で送信するアップリンク共有チャネルを放棄し、
第９方式では、以下のことを決定し、ＵＥがＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第７方式または前記第８方式で同じ優先度のＵＣＩを搬送する複数のチャネルから選択する。
【００７０】
実施では、前記第７方式が適用される場合、以下のことを決定し、ＵＥが前記第１のＴＴＩ長で送信するアップリンク制御チャネルで搬送されるＵＣＩを、所定の規則１または所定の規則６の下で前記第２のＴＴＩ長で送信するアップリンク共有チャネルに転送して送信し、前記第８方式が適用される場合、前記第２のＴＴＩ長で送信するアップリンク共有チャネルがＵＣＩを搬送している場合、ＵＥが前記ＵＣＩを所定の規則１または所定の規則７の下で前記第１のＴＴＩ長で送信するアップリンク制御チャネルに転送して送信することを決定し、前記第９方式が適用される場合、ＵＥが選択されていない残りのアップリンクチャネル上のＵＣＩを所定の規則１の下で選択されたアップリンクチャネルに転送して送信することを決定する。
【００７１】
実施では、前記第７方式が適用される場合、前記所定の規則６は、以下方式のうちの１つまたは組み合わせを含み、
前記第１のＴＴＩ長で送信するアップリンク制御チャネルで搬送されるＵＣＩすべてを、前記第２のＴＴＩ長で送信するアップリンク共有チャネルに転送して送信し、
前記第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク制御チャネルで搬送されるＵＣＩがＰ−ＣＳＩを含む場合、前記第１のＴＴＩ長で送信するアップリンク制御チャネルで搬送されるＰ−ＣＳＩを放棄し、または、前記第２のＴＴＩ長で送信するアップリンク共有チャネルがＰ−ＣＳＩを搬送する場合、前記第１のＴＴＩ長で送信するアップリンク制御チャネルで搬送されるＰ−ＣＳＩを放棄し、前記第２のＴＴＩ長で送信するアップリンク共有チャネルがＰ−ＣＳＩを搬送しない場合、前記第１のＴＴＩ長で送信するアップリンク制御チャネルで搬送されるＰ−ＣＳＩを、前記第２のＴＴＩ長で送信するアップリンク共有チャネルに転送して送信し、
第１のＴＴＩ長で送信するアップリンク制御チャネルの送信期間に複数の第２のＴＴＩ長で送信するアップリンク共有チャネル複数がある場合、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第８方式が適用される場合、前記所定の規則７は、以下方式のうちの１つまたは組み合わせを含み、
前記第２のＴＴＩ長で送信するアップリンク共有チャネルで搬送されるＵＣＩの全てを、前記第１のＴＴＩ長で送信するアップリンク制御チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク制御チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク制御チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク制御チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク制御チャネルに転送して送信し、
前記第９方式が適用される場合、選択されたアップリンクチャネルが第２のＴＴＩ長で送信するアップリンク共有チャネルであるとき、第１のＴＴＩ長で送信するアップリンク制御チャネルの送信期間に複数の第２のＴＴＩ長で送信するアップリンク共有チャネル複数がある場合、前記所定の規則７の方式でＵＣＩを搬送するチャネルを選択する。
【００７２】
実施では、前記ＵＣＩ優先度は、ＳＲの優先度がＡＣＫ／ＮＡＣＫの優先度以上であり、ＡＣＫ／ＮＡＣＫの優先度がＰ−ＣＳＩの優先度よりも高い。
【００７３】
実施では、前記所定の規則１は、以下方式のうちの１つまたは組み合わせを含み、
選択されていない残りのアップリンクチャネル上のＵＣＩを選択されたアップリンクチャネルに転送して送信し、
選択されていない残りのアップリンクチャネル上のＵＣＩがＡＣＫ／ＮＡＣＫ及び/またはＳＲである場合、前記ＵＣＩを選択されたアップリンクチャネルに転送して送信し、選択されていない残りのアップリンクチャネル上のＵＣＩがＰ−ＣＳＩを含む場合、前記選択されていない残りのアップリンクチャネル上のＰ−ＣＳＩを放棄し、または、選択されたアップリンクチャネルがＰ−ＣＳＩを搬送している場合、前記選択されていない残りのアップリンクチャネル上のＰ−ＣＳＩを放棄し、選択されたアップリンクチャネルがＰ−ＣＳＩを搬送していない場合、選択されていないチャネルで搬送されるＰ−ＣＳＩを、選択されたアップリンクチャネルに転送して送信し、
選択されたアップリンクチャネルが第１のＴＴＩ長で送信するアップリンク共有チャネル及び/または第１のＴＴＩ長で送信する第１のＴＴＩ長で送信するアップリンク制御チャネルである場合は、第１のＴＴＩ長で送信するアップリンク共有チャネル及び第１のＴＴＩ長で送信するアップリンク制御チャネル両方があるとき、そのうちの１つを選択して前記ＵＣＩを搬送し、または、前記ＵＣＩの一部を第１のＴＴＩ長で送信するアップリンク共有チャネルで搬送されるようにし、前記ＵＣＩの残りの部分を第１のＴＴＩ長で送信するアップリンク制御チャネルで搬送されるようにし、第１のＴＴＩ長を利用するアップリンク共有チャネル複数がある場合、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
選択されたアップリンクチャネルが第２のＴＴＩ長で送信するアップリンク制御チャネルであれば、前記第１のＴＴＩ長の間に第２のＴＴＩ長で送信するアップリンク制御チャネル複数があるとき、最初１つのまたは最後１つの第２のＴＴＩ長で送信するアップリンク制御チャネルを選択して前記ＵＣＩを搬送し、または、Ｐ−ＣＳＩ搬送用の、第２のＴＴＩ長で送信するアップリンク制御チャネルを選択して、前記選択されていない残りのアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記選択されていない残りのアップリンクチャネル内のＰ−ＣＳＩを搬送するためのものとし、ＡＣＫ／ＮＡＣＫ及び/またはＳＲ搬送用の、第２のＴＴＩ長で送信するアップリンク制御チャネルを選択して前記選択されていない残りのアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して前記選択されていない残りのアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記選択されていない残りのアップリンクチャネル内の対応のＵＣＩを搬送するためのものとし、
選択されたアップリンクチャネルが第２のＴＴＩ長で送信するアップリンク共有チャネルであるとき、前記第１のＴＴＩ長の間に複数の第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを搬送し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して前記ＵＣＩを搬送し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【００７４】
実施では、さらに、ＵＥが以下の方式で動作することを決定し、
第１のＴＴＩ長で送信するアップリンクチャネルの送信電力と、第２のＴＴＩ長で送信するアップリンクチャネルの送信電力との合計が、ＵＥに許容される最大送信電力を超えるかどうかを判定し、最大送信電力を超えると、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信し、及び/または、
第１のＴＴＩ長で送信するアップリンクチャネルと第２のＴＴＩ長で送信するアップリンクチャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信し、及び/または、
第１のＴＴＩ長で送信するアップリンク制御チャネルと第２のＴＴＩ長で送信するアップリンク共有チャネルとの同時送信をサポートするかどうかを判定し、及び/または、第１のＴＴＩ長で送信するアップリンク共有チャネルと第２のＴＴＩ長で送信するアップリンク制御チャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信する。
【００７５】
第５の態様では、プロセッサと、送受信機と、メモリとを備える装置が提供され、プロセッサは、メモリ内のプログラムを読み取り、実行して、上記第１の態様に記載のいずれか１つの方法を実行するように構成される。上記の最初の側面。
【００７６】
第６の態様では、プロセッサと、送受信機と、メモリとを備える装置が提供され、プロセッサは、メモリ内のプログラムを読み取り、実行して、上記第２の態様に記載のいずれか１つの方法を実行するように構成される。
【００７７】
第７の態様では、上記第１の態様に記載のいずれか１つの方法をコンピュータに実行させるように構成されたコンピュータ実行可能命令を記憶するコンピュータ記憶媒体が提供される。
【００７８】
第８の態様では、上記第２の態様に記載のいずれか１つの方法をコンピュータに実行させるように構成されたコンピュータ実行可能命令を格納するコンピュータ記憶媒体が提供される。
【発明の効果】
【００７９】
本発明の実施例に係る技術案によれば、異なるＴＴＩ長を有するオーバーラップするチャネルでの送信に対する解決策が定義されており、一実装形態では、所定の規則で１種のチャネルを選択し、他のチャネルでの送信を放棄し、または、他のチャネルをパンクチャリングして送信し、送信のとき、所定の規則で１種のチャネルを選択し、他のチャネルでの送信を放棄し、または、他のチャネルをパンクチャリングして送信するため、異なるＴＴＩ長を有するチャネルがオーバーラップする場合もＵＥはデータを正しく送信できる。
【００８０】
本発明に係る実施例や従来の技術方案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【図面の簡単な説明】
【００８１】
【図１】背景技術におけるＬＴＥ ＦＤＤシステムに用いられるフレーム構造１の概略図である。
【図２】背景技術におけるＬＴＥ ＴＤＤシステムに用いられるフレーム構造２の概略図である。
【図３】本発明の実施例に係るＵＥ側のデータ伝送のための方法のフローチャートである
【図４】本発明の実施例に係る基地局側のデータ伝送のための方法のフローチャートである
【図５】本発明の実施例に係るＵＥ側のデータ伝送のための装置の構成図である。
【図６】本発明の実施例に係るネットワーク側のデータ伝送のための装置の構成図である。
【図７】本発明の実施例に係るＵＥの構成図である。
【図８】本発明の実施例に係る基地局の構成図である。
【発明を実施するための形態】
【００８２】
移動通信サービスに対する需要が増大しているので、国際電気通信連合（Ｉｎｔｅｒｎａｔｉｏｎａｌ Ｔｅｌｅｃｏｍｍｕｎｉｃａｔｉｏｎ Ｕｎｉｏｎ，ＩＴＵ）、および他の組織は、将来の移動通信システムにおいて必要とされるより高いユーザプレーン遅延性能を定義している。 一般に、ユーザプレーン遅延は、ＴＴＩ長を短くすることによって短縮され、それによって短ＴＴＩ送信をサポートする。しかしながら、これまでのところショートＴＴＩにおける送信に対する明確な解決策は存在しなかった。本発明では、異なるＴＴＩ長を有する重複チャネル上での送信に対する解決策が提案され、ここでチャネルのうちの１つは所定規則の下で選択され、他のチャネル上の送信は放棄される。または、他のチャネルをパンクチャリングして送信する。本発明の特定の実施形態は、図面を参照して以下に説明される。
【００８３】
以下の説明では、ｅＮＢ側およびＵＥ側での実装形態をそれぞれ説明し、その後、実施形態による解決策の実装形態をよりよく理解するために、両者が協働する実装形態の例をさらに説明する。そのような説明は、両者が一実装形態で協働すること、または一実装形態で別々に動作することを示唆するものではなく、実際、ｅＮＢ側およびＵＥ側のそれぞれの問題は、実装形態で別々に動作するときに対処することもできる。 ただし、両方の実装で協力すると、より良い技術的効果が得られます。
【００８４】
一般に、ｅＮＢ側が動作的にＵＥ側に対応し、一方の側が詳細に説明され、他方の側が簡潔さのために簡単に説明されるので、さらに留意されるべきである。他の側には対応する実装がないことではなく、当業者は、何ら発明的な努力なしに、他の側に対応する実装を容易に知ることができる。
【００８５】
図３は、ＵＥ側のデータ伝送のための方法のフローチャートであり、図に示すように、以下のステップを備える。
【００８６】
ステップ３０１において、第１のＴＴＩ長で送信するアップリンクチャネルの送信期間が第２のＴＴＩ長で送信するアップリンクチャネルの送信期間とオーバーラップするかどうかを判定する。
【００８７】
ステップ３０２において、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信する。
【００８８】
図４は基地局側のデータ伝送のための方法のフローチャートであり、図に示すように、以下のステップを備える。
【００８９】
ステップ４０１において、第１のＴＴＩ長で送信するアップリンクチャネルの送信期間が第２のＴＴＩ長で送信するアップリンクチャネルの送信期間とオーバーラップするかどうかを判定する。
【００９０】
ステップ４０２において、オーバーラップすると判定した場合、ＵＥが所定の規則の下でアップリンクチャネルを選択して送信することを決定し、残りのアップリンクチャネルでの送信を放棄するか、または、残りのアップリンクチャネルをパンクチャリングして送信する。
【００９１】
特定の実装形態では、ＵＥにおいて、第１のＴＴＩ長で送信するアップリンクチャネルの送信期間が第２のＴＴＩ長で送信するアップリンクチャネルの送信期間とオーバーラップするとき（なわち、同じ時間領域位置で衝突する）、所定の規則の下で一部のアップリンクチャネルを選択して送信し、残りのアップリンクチャネルでの送信を放棄し、または、残りのアップリンクチャネルをパンクチャリングして送信する。
【００９２】
基地局側において、第１のＴＴＩ長で送信するアップリンクチャネルの送信期間が第２のＴＴＩ長で送信するアップリンクチャネルの送信期間とオーバーラップするとき、ＵＥが所定の規則の下でアップリンクチャネルを選択して送信することを決定し、他のチャネルでの送信を放棄し、または、他のチャネルをパンクチャリングして送信する。
【００９３】
ｅＮＢ側の他の動作はＵＥ側の動作と同じであるので、以下、ＵＥ側について以下に説明する。
【００９４】
特定の実装形態では、以下の内容があり得る。
【００９５】
前記第１のＴＴＩ長が前記第２のＴＴＩ長より大きい、
前記第１のＴＴＩ長が１ｍｓであり、前記第２のＴＴＩ長は１ｍｓを超えないショートＴＴＩであり、例えば２、３、４、７つのシンボルなど、
前記アップリンクチャネルは、アップリンク制御チャネル及びアップリンク共有チャネルのうちの少なくとも１つである。
【００９６】
前記所定の規則は、アップリンク制御チャネルを選択し、送信アップリンク共有チャネルを放棄（ｄｒｏｐ）し、または、アップリンク共有チャネルをパンクチャリング（ｐｕｎｃｔｕｒｉｎｇ）して送信し、及び/または、第２のＴＴＩ長で送信するアップリンクチャネルを選択し、第１のＴＴＩ長で送信するアップリンクチャネルでの送信を放棄するか、または、第１のＴＴＩ長で送信するアップリンクチャネルをパンクチャリングして送信し、及び/または、アップリンク制御情報（Ｕｐｌｉｎｋ Ｃｏｎｔｒｏｌ Ｉｎｆｏｒｍａｔｉｏｎ，ＵＣＩ）を搬送するアップリンクチャネルを選択し、ＵＣＩを搬送するアップリンクチャネルが複数ある場合、優先度の高いＵＣＩを搬送するアップリンクチャネルを選択し、優先度の高いＵＣＩを搬送するアップリンクチャネルが複数ある場合、前記規則を再利用して選択し、残りのアップリンクチャネルでの送信を放棄するか、または、アップリンクチネルをパンクチャリングして送信し、
ＵＣＩ優先度はスケジューリング要求（Ｓｃｈｅｄｕｌｉｎｇ Ｒｅｑｕｅｓｔ，ＳＲ）の以上であり、ＡＣＫ／ＮＡＣＫの優先度がＰ−ＣＳＩ（ｐｅｒｉｏｄｉｃ ＣＳＩ：Ｃｈａｎｎｅｌ Ｓｔａｔｅ Ｉｎｆｏｒｍａｔｉｏｎ，周期チャネル状態情報）の優先度よりも高い。
【００９７】
実施では、選択されていない残りのアップリンクチャネル上のＵＣＩを所定の規則１の下で選択されたアップリンクチャネルに転送して送信し、前記所定の規則１は、
選択されていない残りのアップリンクチャネル上のＵＣＩのすべてを選択されたアップリンクチャネルに転送して送信し、
または、選択されていない残りのアップリンクチャネル上のＵＣＩがＡＣＫ／ＮＡＣＫ及び/またはＳＲである場合、選択されたアップリンクチャネルに直接に転送して送信し、選択されていない残りのアップリンクチャネル上のＵＣＩがＰ−ＣＳＩを含む場合、前記Ｐ−ＣＳＩを直接にｄｒｏｐする。または、選択されたアップリンクチャネルがＰ−ＣＳＩを搬送している場合、選択されていない残りのアップリンクチャネル上のＰ−ＣＳＩをｄｒｏｐする。選択されたアップリンクチャネルがＰ−ＣＳＩを搬送していない場合、選択されていないチャネルで搬送されるＰ−ＣＳＩを、選択されたアップリンクチャネルに転送して送信する。
【００９８】
選択されたアップリンクチャネルが第１のＴＴＩ長で送信するアップリンク共有チャネル及び/または第１のＴＴＩ長で送信するアップリンク制御チャネルである場合、第１のＴＴＩ長で送信するアップリンク共有チャネル及び第１のＴＴＩ長で送信するアップリンク制御チャネル両方があるとき、そのうちの１つを選択して前記ＵＣＩ（例えば、アップリンク制御チャネルを選択する）を搬送する。または、前記ＵＣＩの一部を、第１のＴＴＩ長で送信するアップリンク共有チャネルで（例えば、Ｐ−ＣＳＩ）搬送し、前記ＵＣＩの他の一部を、第１のＴＴＩ長で送信するアップリンク制御チャネル（例えば、ＡＣＫ／ＮＡＣＫ及び/または、ＳＲ）で搬送する。第１のＴＴＩ長を用いるアップリンク共有チャネル複数があれば、プライマリコンポーネントキャリア（Ｐｒｉｍａｒｙ Ｃｏｍｐｏｎｅｎｔ Ｃａｒｒｉｅｒ，ＰＣＣ）に第１のＴＴＩ長で送信するアップリンク共有チャネルがある場合、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するセカンダリコンポーネントキャリア（Ｓｅｃｏｎｄａｒｙ Ｃｏｍｐｏｎｅｎｔ Ｃａｒｒｉｅｒ，ＳＣＣ）上の第１のＴＴＩ長で送信するアップリンク共有チャネルを選択してＵＣＩを送信する。前記選択されたアップリンク共有チャネルは、ＲＡＲスケジューリング情報（ＲＡＲ ｇｒａｎｔ；ＲＡＲ：Ｒａｎｄｏｍ Ａｃｃｅｓｓ Ｒｅｓｐｏｎｓｅ，ランダムアクセス応答）に対応するアップリンク共有チャネル，前記ＵＣＩを送信しない。
【００９９】
選択されたアップリンクチャネルが第２のＴＴＩ長で送信するアップリンク制御チャネルであれば、前記第１のＴＴＩ長の間に第２のＴＴＩ長で送信するアップリンク制御チャネル複数があるとき、最初１つのまたは最後１つの第２のＴＴＩ長で送信するアップリンク制御チャネルを選択して前記ＵＣＩを送信する。または、Ｐ−ＣＳＩ搬送用の、第２のＴＴＩ長で送信するアップリンク制御チャネルを選択して、前記選択されていない残りのアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記選択されていない残りのアップリンクチャネル内のＰ−ＣＳＩを搬送するためのものとし、ＡＣＫ／ＮＡＣＫ及び/またはＳＲ搬送用の、第２のＴＴＩ長で送信するアップリンク制御チャネルを選択して、前記選択されていない残りのアップリンクチャネル内のＡＣＫ／ＮＡＣＫ及び/または、ＳＲ（Ｐ−ＣＳＩに対して選択されたアップリンクチャネルと同じでも同じでなくてもよく、それらが異なる場合、複数のチャネルがそれぞれ異なるＵＣＩを搬送するために選択される）を搬送するためのものとする。ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して前記選択されていない残りのアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記選択されていない残りのアップリンクチャネル内の対応のＵＣＩを搬送するためのものとする。
【０１００】
選択されたアップリンクチャネルが第２のＴＴＩ長で送信するアップリンク共有チャネルであるとき、前記第１のＴＴＩ長の間に複数の第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを搬送し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して前記ＵＣＩを搬送し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【０１０１】
第１のＴＴＩ長で送信するアップリンクチャネル及び第２のＴＴＩ長で送信するアップリンクチャネルそれぞれがアップリンク共有チャネルであるか、または、アップリンク制御チャネルである場合の送信の実装について以下に説明する。
【０１０２】
シナリオ１：
第１のＴＴＩ長で送信するアップリンク共有チャネル及び/または第１のＴＴＩ長で送信するアップリンク制御チャネルが第２のＴＴＩ長で送信するアップリンク制御チャネルとオーバーラップする場合の実装は、以下とおりである。
【０１０３】
第１の方式では、前記第２のＴＴＩ長で送信するアップリンク制御チャネルを選択して送信し、前記第１のＴＴＩ長で送信するアップリンク共有チャネル及び/または第１のＴＴＩ長で送信するアップリンク制御チャネルを放棄し、または、前記第２のＴＴＩ長で送信するアップリンク制御チャネルとオーバーラップする前記第１のＴＴＩ長で送信するアップリンク共有チャネル及び/または第１のＴＴＩ長で送信するアップリンク制御チャネル内のシンボル上の情報をパンクチャリングする（この部分の情報は送信せず、以下同じ）。
【０１０４】
前記第１のＴＴＩ長で送信するアップリンク共有チャネル及び/または第１のＴＴＩ長で送信するアップリンク制御チャネルで搬送されるＵＣＩを、所定の規則１または２で前記第２のＴＴＩ長で送信するアップリンク制御チャネルに転送して送信する。前記所定の規則２は、
前記第１のＴＴＩ長で送信するアップリンク共有チャネル及び/または第１のＴＴＩ長で送信するアップリンク制御チャネルで搬送されるＵＣＩのすべてを、前記第２のＴＴＩ長で送信するアップリンク制御チャネルに転送して送信し、または、
前記第１のＴＴＩ長で送信するアップリンク共有チャネル及び/または第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク制御チャネルに直接に転送して送信し、前記第１のＴＴＩ長で送信するアップリンク共有チャネル及び/または第１のＴＴＩ長で送信するアップリンク制御チャネルで搬送されるＵＣＩがＰ−ＣＳＩを含む場合、１の実施方式としては、前記第１のＴＴＩ長で送信するアップリンク共有チャネル及び/または第１のＴＴＩ長で送信するアップリンク制御チャネルで搬送されるＰ−ＣＳＩを直接にｄｒｏｐする。または、他の１の実施方式としては、前記第２のＴＴＩ長で送信するアップリンク制御チャネルにＰ−ＣＳＩが含まれる場合、前記第１のＴＴＩ長で送信するアップリンク共有チャネル及び/または第１のＴＴＩ長で送信するアップリンク制御チャネルで搬送されるＰ−ＣＳＩをｄｒｏｐし、前記第２のＴＴＩ長で送信するアップリンク制御チャネルにＰ−ＣＳＩが含まれない場合、前記第１のＴＴＩ長で送信するアップリンク共有チャネル及び/または第１のＴＴＩ長で送信するアップリンク制御チャネルで搬送されるＰ−ＣＳＩを、第２のＴＴＩ長で送信するアップリンク制御チャネルに転送して送信し、
第１のＴＴＩ長で送信するアップリンク共有チャネル及び/または第１のＴＴＩ長で送信するアップリンク制御チャネルの送信期間の間に、第２のＴＴＩ長で送信するアップリンク制御チャネル複数があれば、
最初１つのまたは最後１つの第２のＴＴＩ長で送信するアップリンク制御チャネルを選択して前記ＵＣＩを送信し、または、
Ｐ−ＣＳＩ搬送用の、第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＰ−ＣＳＩを搬送し、ＡＣＫ／ＮＡＣＫ及び/またはＳＲ搬送用の、第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＡＣＫ／ＮＡＣＫ及び/またはＳＲを搬送するものとする（これは、Ｐ−ＣＳＩに対して選択されたアップリンクチャネルと同じでも異なっていてもよく、同じであれば、異なるＵＣＩをそれぞれ搬送するために複数のチャネルが選択されている）。ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記第１のＴＴＩ長で送信するアップリンク共有チャネル及び/または第１のＴＴＩ長で送信するアップリンク制御チャネル内の対応のＵＣＩを搬送するためのものとする。
【０１０５】
例えば、物理アップリンク共有チャネル（Ｐｈｙｓｉｃａｌ Ｕｐｌｉｎｋ Ｓｈａｒｅｄ Ｃｈａｎｎｅｌ，ＰＵＳＣＨ）/物理アップリンク制御チャネル（Ｐｈｙｓｉｃａｌ Ｕｐｌｉｎｋ Ｃｏｎｔｒｏｌ Ｃｈａｎｎｅｌ，ＰＵＣＣＨ）がｓＰＵＣＣＨ（ショートＰＵＣＣＨ）とオーバーラップするとき、ｓＰＵＣＣＨを選択し、ＰＵＳＣＨ/ＰＵＣＣＨをｄｒｏｐする。または、ｓＰＵＣＣＨとオーバーラップするＰＵＳＣＨ/ＰＵＣＣＨ内のシンボル上の情報をパンクチャリングする。
【０１０６】
ＰＵＳＣＨ/ＰＵＣＣＨがＵＣＩを搬送する場合、ＵＣＩは、上記所定の規則でｓＰＵＣＣＨにおいて送信される。ＰＵＳＣＨ/ＰＵＣＣＨの送信サブフレームに複数のｓＰＵＣＣＨがあれば、上記選択規則でそのうちの少なくとも１つのｓＰＵＣＣＨを選択して、ＰＵＳＣＨ/ＰＵＣＣＨに含むＵＣＩを送信する。
【０１０７】
第２の方式では、第１のＴＴＩ長で送信するアップリンク共有チャネル及び/または第１のＴＴＩ長で送信するアップリンク制御チャネルを選択し、第２のＴＴＩ長で送信するアップリンク制御チャネルで搬送されるＵＣＩを、所定の規則１または３の下で第１のＴＴＩ長で送信するアップリンク共有チャネル及び/または第１のＴＴＩ長で送信するアップリンク制御チャネルに転送して、送信する。前記所定の規則３は、以下とおりである。
【０１０８】
前記第２のＴＴＩ長で送信するアップリンク制御チャネルで搬送される所有ＵＣＩ都前記第１のＴＴＩ長で送信するアップリンク共有チャネル及び/または第１のＴＴＩ長で送信するアップリンク制御チャネルに転送して送信する。
【０１０９】
または、前記第２のＴＴＩ長で送信するアップリンク制御チャネルで搬送されるＵＣＩがＡＣＫ／ＮＡＣＫ及び/またはＳＲである場合、前記第１のＴＴＩ長で送信するアップリンク共有チャネル及び/または第１のＴＴＩ長で送信するアップリンク制御チャネルに直接に転送して送信し、前記第２のＴＴＩ長で送信するアップリンク制御チャネルで搬送されるＵＣＩがＰ−ＣＳＩを含む場合、一の具現方式としては、前記Ｐ−ＣＳＩを直接にｄｒｏｐし、または、他の具現方式としては、前記第１のＴＴＩ長で送信するアップリンク共有チャネル及び/または第１のＴＴＩ長で送信するアップリンク制御チャネルがＰ−ＣＳＩを搬送する場合、前記第２のＴＴＩ長で送信するアップリンク制御チャネルで搬送されるＰ−ＣＳＩをｄｒｏｐする。前記第１のＴＴＩ長で送信するアップリンク共有チャネル及び/または第１のＴＴＩ長で送信するアップリンク制御チャネルがＰ−ＣＳＩを搬送しない場合、前記第２のＴＴＩ長で送信するアップリンク制御チャネルで搬送されるＰ−ＣＳＩを、前記第２のＴＴＩ長で送信するアップリンク共有チャネル及び/または、アップリンク制御チャネルに転送して送信する。
【０１１０】
第１のＴＴＩ長で送信するアップリンク共有チャネル及びアップリンク制御チャネル両方があれば、そのうちの１つを選択して、前記ＵＣＩ（例えば、アップリンク制御チャネルを選択する）搬送する。または、前記ＵＣＩの一部を、第１のＴＴＩ長で送信するアップリンク共有チャネルで（例えば、Ｐ−ＣＳＩ）搬送し、前記ＵＣＩの残り部分を、第１のＴＴＩ長で送信するアップリンク制御チャネルで（例えば、ＡＣＫ／ＮＡＣＫ及び/または、ＳＲ）を搬送する。
【０１１１】
第１のＴＴＩ長で送信するアップリンク共有チャネル複数があれば、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない。
【０１１２】
例えば、ＰＵＳＣＨ/ＰＵＣＣＨがｓＰＵＣＣＨとオーバーラップする場合、ＰＵＳＣＨ/ＰＵＣＣＨを選択し、 ｓＰＵＣＣＨをｄｒｏｐする。ｓＰＵＣＣＨ上で搬送されるＵＣＩを、上記所定の規則でＰＵＳＣＨ/ＰＵＣＣＨにおいて送信する。上述の方法で選択してＰＵＣＣＨにおいて送信される。または、ＡＣＫ／ＮＡＣＫをＰＵＣＣＨにおいて送信され、Ｐ−ＣＳＩをＰＵＳＣＨにおいて送信される。ＰＵＳＣＨ複数があれば、上述の選択規則でそのうちの１つのＰＵＳＣＨを選択してｓＰＵＣＣＨ上のＵＣＩを搬送する。
【０１１３】
第３の方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする他のアップリンクチャネル内のシンボル上の情報をパンクチャリング（この部分の情報は送信せず、以下同じ）する。前記選択されたアップリンクチャネルとオーバーラップする残りのアップリンクチャネル内のシンボル上の情報をパンクチャリングする場合、さらに、第１の方式または第２の方式を参考することができる。
【０１１４】
ＵＣＩの優先度は以下の通りである：ＳＲの優先度はＡＣＫ／ＮＡＣＫの優先度以上であり、ＡＣＫ／ＮＡＣＫの優先度はＰ−ＣＳＩの優先度より高い。
【０１１５】
選択されていない残りのアップリンクチャネル上のＵＣＩを所定の規則１の下で選択されたアップリンクチャネルに転送して送信し、前記所定の規則１は、上述の記載を参照する。
【０１１６】
選択されたアップリンクチャネルが第２のＴＴＩ長で送信するアップリンク制御チャネルであれば、第１のＴＴＩ長で送信するアップリンク共有チャネル及び/または第１のＴＴＩ長で送信するアップリンク制御チャネルの送信期間の間に、第２のＴＴＩ長で送信するアップリンク制御チャネル複数があれば、前記ＵＣＩを搬送するチャネルを選択する規則は、方式１と同じである。選択されたアップリンクチャネルが第１のＴＴＩ長で送信するアップリンク共有チャネル及び/または第１のＴＴＩ長で送信するアップリンク制御チャネルである場合、第１のＴＴＩ長で送信するアップリンク共有チャネル及びアップリンク制御チャネル両方があるか、または、複数の第１のＴＴＩ長で送信するアップリンク共有チャネルがあれば、前記ＵＣＩを搬送するチャネルを選択する規則は方式２と同じである。
【０１１７】
例えば、ＰＵＳＣＨ/ＰＵＣＣＨがｓＰＵＣＣＨとオーバーラップする場合、ｓＰＵＣＣＨがＡＣＫ／ＮＡＣＫを搬送し、ＰＵＳＣＨ/ＰＵＣＣＨがＰ−ＣＳＩを搬送すれば、ｓＰＵＣＣＨを選択し、ＰＵＳＣＨ/ＰＵＣＣＨ上のＰ−ＣＳＩを、上述の所定の規則でｓＰＵＣＣＨに転送して送信し、ＰＵＳＣＨ/ＰＵＣＣＨをｄｒｏｐする。または、ｓＰＵＣＣＨとオーバーラップするＰＵＳＣＨ/ＰＵＣＣＨ内のシンボル上の情報をパンクチャリングする。
【０１１８】
ＰＵＳＣＨ/ＰＵＣＣＨがＡＣＫ／ＮＡＣＫを搬送し、ｓＰＵＣＣＨがＰ−ＣＳＩを搬送すれば、ＰＵＳＣＨ/ＰＵＣＣＨを選択し、ｓＰＵＣＣＨをｄｒｏｐし、ｓＰＵＣＣＨ上のＰ−ＣＳＩを、上述の所定の規則でＰＵＳＣＨ/ＰＵＣＣＨに転送して送信する。
【０１１９】
ｓＰＵＣＣＨがＡＣＫ／ＮＡＣＫを搬送し、ＰＵＳＣＨ/ＰＵＣＣＨもＡＣＫ／ＮＡＣＫを搬送すれば、第１の方式を参考する場合、ｓＰＵＣＣＨを選択し、ＰＵＳＣＨ/ＰＵＣＣＨ上のＡＣＫ／ＮＡＣＫをｓＰＵＣＣＨに転送して送信し、ＰＵＳＣＨ/ＰＵＣＣＨをｄｒｏｐする。または、ｓＰＵＣＣＨとオーバーラップするＰＵＳＣＨ/ＰＵＣＣＨ内のシンボル上の情報をパンクチャリングし、第２の方式を参考する場合、ＰＵＳＣＨ/ＰＵＣＣＨを選択し、 ｓＰＵＣＣＨをｄｒｏｐする。ｓＰＵＣＣＨ上のＡＣＫ／ＮＡＣＫをＰＵＳＣＨ/ＰＵＣＣＨに転送して送信する。
【０１２０】
上述の選択において、ｓＰＵＣＣＨが選択される場合、ＰＵＳＣＨ/ＰＵＣＣＨの送信サブフレームにｓＰＵＣＣＨ複数があれば、上述の第１の方式の選択規則でアップリンク制御チャネルを選択して、ＰＵＳＣＨ/ＰＵＣＣＨ上のＵＣＩを搬送する。ＰＵＳＣＨ/ＰＵＣＣＨを選択して、ＰＵＳＣＨ複数があり、または、ＰＵＳＣＨ及びＰＵＣＣＨ両方があれば、上述の第２の方式の選択規則でｓＰＵＣＣＨ上のＵＣＩを搬送するためのアップリンクチャネルを選択する。
【０１２１】
シナリオ２：
第１のＴＴＩ長で送信するアップリンク共有チャネルが第２のＴＴＩ長で送信するアップリンク共有チャネルとオーバーラップする場合の実装は以下とおりである。
【０１２２】
第４方式では、前記第２のＴＴＩ長で送信するアップリンク共有チャネルを選択して送信し、前記第１のＴＴＩ長で送信するアップリンク共有チャネルを放棄し、または、前記第２のＴＴＩ長で送信するアップリンク共有チャネルとオーバーラップする、前記第１のＴＴＩ長で送信するアップリンク共有チャネル内のシンボル上の情報をパンクチャリングする。
【０１２３】
前記第１のＴＴＩ長で送信するアップリンク共有チャネルで搬送されるＵＣＩを、所定の規則１または所定の規則４の下で前記第２のＴＴＩ長で送信するアップリンク共有チャネルに転送して送信する。
【０１２４】
前記所定の規則４は、以下とおりである。
【０１２５】
前記第１のＴＴＩ長で送信するアップリンク共有チャネルで搬送されるＵＣＩのすべてを、前記第２のＴＴＩ長で送信するアップリンク共有チャネルに転送して送信する。
【０１２６】
または、前記ＵＣＩがＡＣＫ／ＮＡＣＫ及び/またはＳＲである場合、前記第２のＴＴＩ長で送信するアップリンク共有チャネルに直接に転送して送信し、前記ＵＣＩがＰ−ＣＳＩを含む場合、前記Ｐ−ＣＳＩを直接にｄｒｏｐし、または、前記第２のＴＴＩ長で送信するアップリンク共有チャネルがＰ−ＣＳＩを搬送する場合、前記第１のＴＴＩ長で送信するアップリンク共有チャネルで搬送されるＰ−ＣＳＩをｄｒｏｐする。前記第２のＴＴＩ長で送信するアップリンク共有チャネルがＰ−ＣＳＩを搬送していない場合、前記第１のＴＴＩ長で送信するアップリンク共有チャネルで搬送されるＰ−ＣＳＩを、前記第２のＴＴＩ長で送信するアップリンク共有チャネルに転送して送信する。
【０１２７】
第１のＴＴＩ長で送信するアップリンク共有チャネルの送信期間に第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【０１２８】
例えば、ＰＵＳＣＨがｓＰＵＳＣＨとオーバーラップする場合、ｓＰＵＳＣＨを選択する。ＰＵＳＣＨをｄｒｏｐし、または、ｓＰＵＳＣＨとオーバーラップするＰＵＳＣＨ内のシンボル上の情報をｐｕｎｃｔｕｒｉｎｇする。ＰＵＳＣＨにＵＣＩが搬送されている場合、ＵＣＩを、所定の規則でｓＰＵＳＣＨにおいて送信する。
【０１２９】
ＰＵＳＣＨの送信サブフレームにｓＰＵＳＣＨ複数があれば、最初１つのまたは最後１つのｓＰＵＳＣＨを選択してＵＣＩを送信する。または、ＵＥが複数のキャリアを集約した場合、ＰＣＣに上述のｓＰＵＳＣＨがあれば、ＰＣＣ上の最初１つのまたは最後１つのｓＰＵＳＣＨを優先的に選択して、ＰＵＳＣＨ上のＵＣＩを搬送する。ＰＣＣに上述のｓＰＵＳＣＨがなければ、上述のｓＰＵＳＣＨが存在する最小のキャリアインデックスを有するＳＣＣ上の最初１つのまたは最後１つのｓＰＵＳＣＨを選択して、ＰＵＳＣＨ上のＵＣＩを送信する。
【０１３０】
第５方式では、前記第１のＴＴＩ長で送信するアップリンク共有チャネルを選択して送信し、前記第２のＴＴＩ長で送信するアップリンク共有チャネルを放棄し、
前記第２のＴＴＩ長で送信するアップリンク共有チャネルで搬送されるＵＣＩを、所定の規則１または所定の規則５の下で前記第１のＴＴＩ長で送信するアップリンク共有チャネルに転送して送信する。
【０１３１】
前記所定の規則５は、以下とおりである。
【０１３２】
前記第２のＴＴＩ長で送信するアップリンク共有チャネルで搬送されるＵＣＩすべてを、前記第１のＴＴＩ長で送信するアップリンク共有チャネルに転送して送信する。
【０１３３】
または、前記第２のＴＴＩ長で送信するアップリンク共有チャネルで搬送されるＵＣＩがＡＣＫ／ＮＡＣＫ及び/またはＳＲである場合、前記第１のＴＴＩ長で送信するアップリンク共有チャネルに直接に転送して送信する。前記第２のＴＴＩ長で送信するアップリンク共有チャネルで搬送されるＵＣＩがＰ−ＣＳＩを含む場合、前記Ｐ−ＣＳＩを直接にｄｒｏｐし、または、前記第１のＴＴＩ長で送信するアップリンク共有チャネルがＰ−ＣＳＩを搬送する場合、前記第２のＴＴＩ長で送信するアップリンク共有チャネルで搬送されるＰ−ＣＳＩをｄｒｏｐする。前記第１のＴＴＩ長で送信するアップリンク共有チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク共有チャネルに転送して送信する。
【０１３４】
第１のＴＴＩ長で送信するアップリンク共有チャネル複数があれば、ＰＣＣに前記第１のＴＴＩ長で送信するアップリンク共有チャネルがある場合、ＰＣＣ上の前記第１のＴＴＩ長送信するアップリンク共有チャネルを選択して、前記ｓＰＵＳＣＨ上のＵＣＩを送信し、ＰＣＣに第１のＴＴＩ長で送信するアップリンク共有チャネルがなければ、前記第１のＴＴＩ長で送信するアップリンク共有チャネルを有するＳＣＣのうちの最小キャリアインデックスのＳＣＣ上の前記第１のＴＴＩ長で送信するアップリンク共有チャネルを選択して、前記ｓＰＵＳＣＨ上のＵＣＩを送信し、前記選択された第１のＴＴＩ長で送信するアップリンク共有チャネルがＲＡＲ ｇｒａｎｔに対応するアップリンク共有チャネルである場合、前記ＵＣＩを送信しない。
【０１３５】
例えば、ＰＵＳＣＨがｓＰＵＳＣＨとオーバーラップする場合、ＰＵＳＣＨを選択し、ｓＰＵＳＣＨをｄｒｏｐする。ｓＰＵＳＣＨにＵＣＩがあれば、ＵＣＩを、所定の規則でＰＵＳＣＨにおいて送信する。ＰＵＳＣＨ複数があれば、ＰＣＣに上述のＰＵＳＣＨがある場合、ＰＣＣ上のＰＵＳＣＨを優先的に選択して、ｓＰＵＳＣＨ上のＵＣＩを搬送する。ＰＣＣに上述のＰＵＳＣＨがなければ、上述のＰＵＳＣＨが存在する最小のキャリアインデックスを有するＳＣＣ上のＰＵＳＣＨを選択して、前記ｓＰＵＳＣＨ上のＵＣＩを搬送する。
【０１３６】
第６方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする他のアップリンクチャネル内のシンボル上の情報をパンクチャリング（この部分の情報は送信せず、以下同じ）する。前記選択されたアップリンクチャネルとオーバーラップする残りのアップリンクチャネル内のシンボル上の情報をパンクチャリングし、さらに、第４方式または、第５方式を参考する。
【０１３７】
ＵＣＩの優先度は以下の通りである：ＳＲの優先度はＡＣＫ／ＮＡＣＫの優先度以上であり、ＡＣＫ／ＮＡＣＫの優先度はＰ−ＣＳＩの優先度より高い。
【０１３８】
選択されていない残りのアップリンクチャネル上のＵＣＩを所定の規則１の下で選択されたアップリンクチャネルに転送して送信する。
【０１３９】
選択されたアップリンクチャネルが第２のＴＴＩ長で送信するアップリンク共有チャネルであるとき、第１のＴＴＩ長で送信するアップリンク共有チャネルの送信期間に第２のＴＴＩ長で送信するアップリンク共有チャネル複数があれば、ＵＣＩを搬送するチャネルを選択する規則は、第４方式と同じである。選択されたアップリンクチャネルが第１のＴＴＩ長で送信するアップリンク共有チャネルであるとき、第１のＴＴＩ長で送信するアップリンク共有チャネル複数があれば、ＵＣＩを搬送するチャネルを選択する規則は第５方式と同じである。
【０１４０】
例えば、ＰＵＳＣＨがｓＰＵＳＣＨとオーバーラップする場合、ｓＰＵＳＣＨがＡＣＫ／ＮＡＣＫを搬送し、ＰＵＳＣＨがＰ−ＣＳＩを搬送すれば、ｓＰＵＳＣＨを選択する。ＰＵＳＣＨ上のＰ−ＣＳＩを、上述の所定の規則でｓＰＵＳＣＨに転送して送信する。ＰＵＳＣＨをｄｒｏｐし、または、ｓＰＵＳＣＨとオーバーラップするＰＵＳＣＨ内のシンボル上の情報をパンクチャリングする。
【０１４１】
ＰＵＳＣＨがＡＣＫ／ＮＡＣＫを搬送し、ｓＰＵＳＣＨがＰ−ＣＳＩを搬送する場合、ＰＵＳＣＨを選択し、ｓＰＵＳＣＨをｄｒｏｐする。ｓＰＵＳＣＨ上のＰ−ＣＳＩを、上述の所定の規則でＰＵＳＣＨに転送して送信する。ｓＰＵＳＣＨがＡＣＫ／ＮＡＣＫを搬送し、ＰＵＳＣＨもＡＣＫ／ＮＡＣＫを搬送すれば、第４方式を参考するとき、ｓＰＵＳＣＨを選択する。ＰＵＳＣＨ上のＡＣＫ／ＮＡＣＫをｓＰＵＳＣＨに転送して送信し、ＰＵＳＣＨをｄｒｏｐする。または、ｓＰＵＳＣＨとオーバーラップっするＰＵＳＣＨ内のシンボル上の情報をパンクチャリングし、第５方式を参考するとき、ＰＵＳＣＨを選択し、ｓＰＵＳＣＨをｄｒｏｐする。ｓＰＵＳＣＨ上のＡＣＫ／ＮＡＣＫをＰＵＳＣＨに転送して送信する。
【０１４２】
上述の選択において、ｓＰＵＳＣＨを選択するとき、ＰＵＳＣＨの送信サブフレームにｓＰＵＳＣＨ複数があれば、上述の第４方式の選択規則でアップリンク共有チャネルを選択してＰＵＳＣＨ上のＵＣＩを搬送する。ＰＵＳＣＨを選択する場合、ＰＵＳＣＨ複数があれば、上述の第５方式の選択規則でｓＰＵＳＣＨ上のＵＣＩを搬送するためのアップリンク共有チャネルを選択する。
【０１４３】
シナリオ３：
第１のＴＴＩ長で送信するアップリンク制御チャネルが第２のＴＴＩ長で送信するアップリンク共有チャネルとオーバーラップする場合、以下の通りで実施する。
【０１４４】
第７方式では、前記第２のＴＴＩ長で送信するアップリンク共有チャネルを選択して送信し、前記第１のＴＴＩ長で送信するアップリンク制御チャネルで搬送されるＵＣＩを、所定の規則１または所定の規則６の下で前記第２のＴＴＩ長で送信するアップリンク共有チャネルに転送して送信し、前記第１のＴＴＩ長で送信するアップリンク制御チャネルを放棄する。または、前記第２のＴＴＩ長で送信するアップリンク共有チャネルとオーバーラップする前記第１のＴＴＩ長で送信するアップリンク制御チャネル内のシンボル上の情報をパンクチャリングする。
【０１４５】
前記所定の規則６は以下とおりである。
【０１４６】
前記第１のＴＴＩ長で送信するアップリンク制御チャネルで搬送されるＵＣＩの全てを、前記第２のＴＴＩ長で送信するアップリンク共有チャネルに転送して送信する。
【０１４７】
または、前記第１のＴＴＩ長で送信するアップリンク制御チャネルで搬送されるＵＣＩがＡＣＫ／ＮＡＣＫ及び/またはＳＲである場合、前記第２のＴＴＩ長で送信するアップリンク共有チャネルに直接に転送して送信する。前記第１のＴＴＩ長で送信するアップリンク制御チャネルで搬送されるＵＣＩがＰ−ＣＳＩを含む場合、前記Ｐ−ＣＳＩを直接にｄｒｏｐし、または、前記第２のＴＴＩ長で送信するアップリンク共有チャネルがＰ−ＣＳＩを搬送する場合、前記第１のＴＴＩ長で送信するアップリンク制御チャネルで搬送されるＰ−ＣＳＩをｄｒｏｐする。前記第２のＴＴＩ長で送信するアップリンク共有チャネルがＰ−ＣＳＩを搬送しない場合、前記第１のＴＴＩ長で送信するアップリンク制御チャネルで搬送されるＰ−ＣＳＩを、前記第２のＴＴＩ長で送信するアップリンク共有チャネルに転送して送信する。
【０１４８】
第１のＴＴＩ長で送信するアップリンク制御チャネルの送信期間に複数の第２のＴＴＩ長で送信するアップリンク共有チャネル複数がある場合、第２のＴＴＩ長で送信するアップリンク共有チャネルを選択する方法は、シナリオ２の第４方式と同じである。
【０１４９】
例えば、ＰＵＣＣＨがｓＰＵＳＣＨとオーバーラップする場合、ｓＰＵＳＣＨを選択する。ＰＵＣＣＨをｄｒｏｐする。または、ｓＰＵＳＣＨとオーバーラップするＰＵＣＣＨ内のシンボル上の情報をｐｕｎｃｔｕｒｉｎｇする。さらに、ＰＵＣＣＨ上のＵＣＩをｓＰＵＳＣＨにおいて送信する。当該ＰＵＣＣＨの送信サブフレームにｓＰＵＳＣＨ複数があれば、ｓＰＵＳＣＨを選択する方式は、シナリオ２の第４方式と同じである。
【０１５０】
方式８：前記第１のＴＴＩ長で送信するアップリンク制御チャネルを選択して送信し、前記第２のＴＴＩ長で送信するアップリンク共有チャネルを放棄する。
【０１５１】
前記第２のＴＴＩ長で送信するアップリンク共有チャネルがＵＣＩを搬送している場合、前記ＵＣＩを所定の規則１または所定の規則７の下で前記第１のＴＴＩ長で送信するアップリンク制御チャネルに転送して送信する。
【０１５２】
前記所定の規則７は以下とおりである。
【０１５３】
前記第２のＴＴＩ長で送信するアップリンク共有チャネルで搬送されるＵＣＩの全てを、前記第１のＴＴＩ長で送信するアップリンク制御チャネルに転送して送信する。  
または、前記第２のＴＴＩ長で送信するアップリンク共有チャネルで搬送されるＵＣＩがＡＣＫ／ＮＡＣＫ及び/またはＳＲである場合、前記第１のＴＴＩ長で送信するアップリンク制御チャネルに直接に転送して送信する。前記第２のＴＴＩ長で送信するアップリンク共有チャネルで搬送されるＵＣＩがＰ−ＣＳＩを含む場合、前記Ｐ−ＣＳＩを直接にｄｒｏｐし、または、前記第１のＴＴＩ長で送信するアップリンク制御チャネルがＰ−ＣＳＩを搬送している場合、前記第２のＴＴＩ長で送信するアップリンク共有チャネルで搬送されるＰ−ＣＳＩをｄｒｏｐする。前記第１のＴＴＩ長で送信するアップリンク制御チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク制御チャネルに転送して送信する。
【０１５４】
例えば、ＰＵＣＣＨがｓＰＵＳＣＨとオーバーラップする場合、ＰＵＣＣＨを選択し、ｓＰＵＳＣＨをｄｒｏｐする。さらに、ｓＰＵＳＣＨにＵＣＩがあれば、ＵＣＩを所定の規則でＰＵＣＣＨにおいて送信する。
【０１５５】
方式９：ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄する。または、前記選択されたアップリンクチャネルとオーバーラップする他のアップリンクチャネル内のシンボル上の情報をパンクチャリングする（この部分の情報は送信せず、以下同じ）。前記選択されたアップリンクチャネルとオーバーラップする残りのアップリンクチャネル内のシンボル上の情報をパンクチャリングし、上述の第７方式または第８方式を参考されたい。
【０１５６】
ＵＣＩの優先度は以下の通りである：ＳＲの優先度はＡＣＫ／ＮＡＣＫの優先度以上であり、ＡＣＫ／ＮＡＣＫの優先度はＰ−ＣＳＩの優先度より高い。
【０１５７】
選択されていない残りのアップリンクチャネル上のＵＣＩを所定の規則１の下で選択されたアップリンクチャネルに転送して送信する。
【０１５８】
選択されたアップリンクチャネルが第２のＴＴＩ長で送信するアップリンク共有チャネルであるとき、第１のＴＴＩ長で送信するアップリンク制御チャネルの送信期間に複数の第２のＴＴＩ長で送信するアップリンク共有チャネル複数がある場合、ＵＣＩを搬送するチャネルを選択する規則は第８方式と同じである。
【０１５９】
例えば、ＰＵＣＣＨがｓＰＵＳＣＨとオーバーラップする場合、ｓＰＵＳＣＨがＡＣＫ／ＮＡＣＫを搬送し、ＰＵＣＣＨがＰ−ＣＳＩを搬送すれば、ｓＰＵＳＣＨを選択する。ＰＵＣＣＨ上のＰ−ＣＳＩを上述の所定の規則でｓＰＵＳＣＨに転送して送信し、ＰＵＣＣＨをｄｒｏｐする。または、ｓＰＵＳＣＨとオーバーラップするＰＵＣＣＨ内のシンボル上の情報をパンクチャリングする。
【０１６０】
ＰＵＣＣＨがＡＣＫ／ＮＡＣＫを搬送し、ｓＰＵＳＣＨがＰ−ＣＳＩを搬送すれば、ＰＵＣＣＨを選択し、ｓＰＵＳＣＨをｄｒｏｐする。ｓＰＵＳＣＨ上のＰ−ＣＳＩを、上述の所定の規則でＰＵＣＣＨに転送して送信する。
【０１６１】
ｓＰＵＳＣＨがＡＣＫ／ＮＡＣＫを搬送し、ＰＵＣＣＨもＡＣＫ／ＮＡＣＫを搬送する場合、第７方式を参考するとき、ｓＰＵＳＣＨを選択する。ＰＵＣＣＨ上のＡＣＫ／ＮＡＣＫをｓＰＵＳＣＨに転送して送信し、ＰＵＣＣＨをｄｒｏｐする。または、ｓＰＵＳＣＨとオーバーラップするＰＵＣＣＨ内のシンボル上の情報をパンクチャリングし、第８方式を参考するとき、ＰＵＣＣＨを選択し、ｓＰＵＳＣＨをｄｒｏｐする。ｓＰＵＳＣＨ上のＡＣＫ／ＮＡＣＫをＰＵＣＣＨに転送して送信する。
【０１６２】
上述の選択において、ｓＰＵＳＣＨを選択するとき、ＰＵＣＣＨの送信サブフレームにｓＰＵＳＣＨ複数があれば、上述の第７方式の選択規則でアップリンク共有チャネルを選択してＰＵＣＣＨ上のＵＣＩを搬送する。
【０１６３】
特定の実装形態では、上述の動作を実行する前、第１のＴＴＩ長で送信するアップリンクチャネルの送信電力と、第２のＴＴＩ長で送信するアップリンクチャネルの送信電力との合計が、ＵＥに許容される最大送信電力を超えるかどうかを判定し、最大送信電力を超えると、上述の動作を実行する。 
上述の動作を実行する前、第１のＴＴＩ長で送信するアップリンクチャネルと第２のＴＴＩ長で送信するアップリンクチャネルとの同時送信をサポートするかどうかを判定し、サポートしないと判定すれば、上述の動作を実行する。
【０１６４】
上述の動作を実行する前、第１のＴＴＩ長で送信するアップリンク制御チャネルと第２のＴＴＩ長で送信するアップリンク共有チャネルとの同時送信をサポートするかどうかを判定し、及び/または、第１のＴＴＩ長で送信するアップリンク共有チャネルと第２のＴＴＩ長で送信するアップリンク制御チャネルとの同時送信をサポートするかどうかを判定し、サポートしないと判定すれば、上述の動作を実行する。
【０１６５】
上述の過程において、選択されていない残りのアップリンクチャネル上のＰ−ＣＳＩが選択されたアップリンクチャネルにおいて送信去れる場合、選択されたアップリンクチャネル上のＵＣＩの組み合わせに関する送信規則が満たされる。例えば、ＡＣＫ／ＮＡＣＫ/ＳＲとＰ−ＣＳＩの同時送信をサポートする場合、送信容量などに応じて送信するＰ−ＣＳＩの個数を選択することができる。具体的に、選択されたアップリンクチャネルにもともとＡＣＫ／ＮＡＣＫ及び/またはＳＲがあれば、選択されたアップリンクチャネルがＰ−ＣＳＩとＡＣＫ／ＮＡＣＫ及び/またはＳＲの同時送信をサポートするかどうかに従って、選択されていない残りのアップリンクチャネルで搬送されるＰ−ＣＳＩを、選択されたアップリンクチャネルに転送して送信することができるかどうかを決定する。同時送信がサポートされている場合、Ｐ−ＣＳＩを転送することができる。そうでなければ、選択されていない残りのアップリンクチャネルで搬送されるＰ−ＣＳＩをｄｒｏｐする。選択されたアップリンクチャネルにもともとＰ−ＣＳＩがある場合、選択されていない残りのアップリンクチャネルで搬送されるＰ−ＣＳＩを、選択されたアップリンクチャネルに転送して送信し、上述の選択されたアップリンクチャネルにおいて、選択されていない残りのアップリンクチャネルで搬送されるＰ−ＣＳＩを送信する場合、Ｐ−ＣＳＩすべてを、選択されたアップリンクチャネルにおいて送信することができる。または、選択されたアップリンクチャネルの容量に従って、選択されていない残りのアップリンクチャネルで搬送されるＰ−ＣＳＩの全部または一部を選択する。従来技術と同じ規則、すなわち、ＣＳＩタイプ優先度、キャリア優先度、およびＣＳＩプロセス優先度に従って選択することができる。
【０１６６】
同じ発明思想に基づいて、本発明の実施形態はデータ伝送のための装置をさらに提供し、装置はデータを送信するための方法と同様の原理の下で問題に対処するので、方法の実施を参考することができるため、繰り返しの説明はここでは省略する。
【０１６７】
図５はＵＥ側データ伝送のための装置の構造図である、図に示すように、 
第１のＴＴＩ長で送信するアップリンクチャネルの送信期間が第２のＴＴＩ長で送信するアップリンクチャネルの送信期間とオーバーラップするかどうかを判定するように構成される、第１の決定モジュール５０１と、
オーバーラップすると判定した場合、所定の規則の下で一部のアップリンクチャネルを選択して送信し、残りのアップリンクチャネルでの送信を放棄し、または、残りのアップリンクチャネルをパンクチャリングして送信する用に構成される、送信モジュール５０２とを備える。
【０１６８】
実施では、前記第１のＴＴＩ長が前記第２のＴＴＩ長より大きい。
【０１６９】
実施では、前記アップリンクチャネルは、アップリンク制御チャネル及びアップリンク共有チャネルのうちの少なくとも１つである。
【０１７０】
実施では、前記所定の規則は、以下の規則のうちの１つまたは組み合わせであり、
アップリンク制御チャネルを選択し、アップリンク共有チャネルでの送信を放棄するか、またはアップリンク共有チャネルをパンクチャリングして送信し、
第２のＴＴＩ長で送信するアップリンクチャネルを選択し、第１のＴＴＩ長で送信するアップリンクチャネルでの送信を放棄するか、または、第１のＴＴＩ長で送信するアップリンクチャネルをパンクチャリングして送信し、
ＵＣＩを搬送するアップリンクチャネルを選択し、ＵＣＩを搬送するアップリンクチャネルが複数ある場合、優先度の高いＵＣＩを搬送するアップリンクチャネルを選択し、優先度の高いＵＣＩを搬送するアップリンクチャネルが複数ある場合、前記規則を再利用して選択し、残りのアップリンクチャネルでの送信を放棄するか、または、残りのアップリンクチャネルをパンクチャリングして送信する。
【０１７１】
実施では、さらに、選択されていない残りのアップリンクチャネル上のＵＣＩを所定の規則１の下で選択されたアップリンクチャネルに転送して送信する。 
実施では、第１のＴＴＩ長で送信するアップリンク共有チャネル及び/または第１のＴＴＩ長で送信するアップリンク制御チャネルが、第２のＴＴＩ長で送信するアップリンク制御チャネルとオーバーラップする場合、以下の方式の少なくとも１つを適用し、
第１の方式では：
前記第２のＴＴＩ長で送信するアップリンク制御チャネルを選択して送信し、前記第１のＴＴＩ長で送信するアップリンク共有チャネル及び/または第１のＴＴＩ長で送信するアップリンク制御チャネルを放棄し、または、前記第２のＴＴＩ長で送信するアップリンク制御チャネルとオーバーラップする前記第１のＴＴＩ長で送信するアップリンク共有チャネル及び/または第１のＴＴＩ長で送信するアップリンク制御チャネル内のシンボル上の情報をパンクチャリングする。
【０１７２】
第２の方式では：
前記第１のＴＴＩ長で送信するアップリンク共有チャネル及び/またはアップリンク制御チャネルを選択し、前記第２のＴＴＩ長で送信するアップリンク制御チャネルを放棄する。
【０１７３】
第３の方式では：
ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第１の方式または前記第２の方式で同じ優先度のＵＣＩを搬送する複数のチャネルから選択する。
【０１７４】
実施では、前記第１の方式を適用する場合、前記第１のＴＴＩ長で送信するアップリンク共有チャネル及び/または第１のＴＴＩ長で送信するアップリンク制御チャネルで搬送されるＵＣＩを、所定の規則１または所定の規則２の下で前記第２のＴＴＩ長で送信するアップリンク制御チャネルに転送して送信する。
【０１７５】
前記第２の方式を適用する場合、前記第２のＴＴＩ長で送信するアップリンク制御チャネルで搬送されるＵＣＩを、所定の規則１または所定の規則３の下で前記第１のＴＴＩ長で送信するアップリンク共有チャネル及び/または第１のＴＴＩ長で送信するアップリンク制御チャネルに転送して送信する。
【０１７６】
前記第３方式を適用する場合、選択されていない残りのアップリンクチャネル上のＵＣＩを、前記所定の規則１の下で選択されたアップリンクチャネルに転送して送信する。
【０１７７】
実施では、前記第１の方式を適用する場合、前記所定の規則２は以下方式のうちの１つまたは組み合わせを含み、
前記第１のＴＴＩ長で送信するアップリンク共有チャネル及び/または第１のＴＴＩ長で送信するアップリンク制御チャネルで搬送されるＵＣＩのすべてを、前記第２のＴＴＩ長で送信するアップリンク制御チャネルに転送して送信し、
前記第１のＴＴＩ長で送信するアップリンク共有チャネル及び/または第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク制御チャネルに転送して送信し、前記第１のＴＴＩ長で送信するアップリンク共有チャネル及び/または第１のＴＴＩ長で送信するアップリンク制御チャネルで搬送されるＵＣＩがＰ−ＣＳＩを含む場合、前記第１のＴＴＩ長で送信するアップリンク共有チャネル及び/または第１のＴＴＩ長で送信するアップリンク制御チャネルで搬送されるＰ−ＣＳＩを放棄し、または、前記第２のＴＴＩ長で送信するアップリンク制御チャネルにＰ−ＣＳＩが含まれる場合、前記第１のＴＴＩ長で送信するアップリンク共有チャネル及び/または第１のＴＴＩ長で送信するアップリンク制御チャネルで搬送されるＰ−ＣＳＩを放棄し、前記第２のＴＴＩ長で送信するアップリンク制御チャネルにＰ−ＣＳＩが含まれない場合、前記第１のＴＴＩ長で送信するアップリンク共有チャネル及び/または第１のＴＴＩ長で送信するアップリンク制御チャネルで搬送されるＰ−ＣＳＩを、第２のＴＴＩ長で送信するアップリンク制御チャネルに転送して送信し、
第１のＴＴＩ長で送信するアップリンク共有チャネル及び/または第１のＴＴＩ長で送信するアップリンク制御チャネルの送信期間の間に、第２のＴＴＩ長で送信するアップリンク制御チャネル複数があれば、
最初１つのまたは最後１つの第２のＴＴＩ長で送信するアップリンク制御チャネルを選択して前記ＵＣＩを搬送し、または、
Ｐ−ＣＳＩ搬送用の、第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＰ−ＣＳＩを搬送し、ＡＣＫ／ＮＡＣＫ及び/またはＳＲ搬送用の、第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記第１のＴＴＩ長で送信するアップリンク共有チャネル及び/または第１のＴＴＩ長で送信するアップリンク制御チャネル内の対応のＵＣＩを搬送するためのものとする。
【０１７８】
前記第２の方式を適用する場合、前記所定の規則３は、以下方式のうちの１つまたは組み合わせを含み、
前記第２のＴＴＩ長で送信するアップリンク制御チャネルで搬送されるＵＣＩすべてを、前記第２のＴＴＩ長で送信するアップリンク制御チャネルで搬送されるＵＣＩすべてを、前記第１のＴＴＩ長で送信するアップリンク共有チャネル及び/または第１のＴＴＩ長で送信するアップリンク制御チャネルに転送して送信し、
前記第２のＴＴＩ長で送信するアップリンク制御チャネルで搬送されるＵＣＩがＡＣＫ／ＮＡＣＫ及び/またはＳＲである場合、前記ＵＣＩを前記第１のＴＴＩ長で送信するアップリンク共有チャネル及び/または第１のＴＴＩ長で送信するアップリンク制御チャネルに転送して送信し、前記第２のＴＴＩ長で送信するアップリンク制御チャネルで搬送されるＵＣＩがＰ−ＣＳＩを含む場合、前記第２のＴＴＩ長で送信するアップリンク制御チャネルで搬送されるＰ−ＣＳＩを放棄し、または、前記第１のＴＴＩ長で送信するアップリンク共有チャネル及び/または第１のＴＴＩ長で送信するアップリンク制御チャネルがＰ−ＣＳＩを搬送する場合、前記第２のＴＴＩ長で送信するアップリンク制御チャネルで搬送されるＰ−ＣＳＩを放棄し、前記第１のＴＴＩ長で送信するアップリンク共有チャネル及び/または第１のＴＴＩ長で送信するアップリンク制御チャネルがＰ−ＣＳＩを搬送しない場合、前記第２のＴＴＩ長で送信するアップリンク制御チャネルで搬送されるＰ−ＣＳＩを、前記第２のＴＴＩ長で送信するアップリンク共有チャネル及び/または第１のＴＴＩ長で送信するアップリンク制御チャネルに転送して送信し、
前記第１のＴＴＩ長で送信するアップリンク共有チャネル及び第１のＴＴＩ長で送信するアップリンク制御チャネル両方があれば、そのうちの１つを選択して前記ＵＣＩを搬送し、または、前記ＵＣＩの一部を前記第１のＴＴＩ長で送信するアップリンク共有チャネルで搬送し、前記ＵＣＩの残りの部分を前記第１のＴＴＩ長で送信するアップリンク制御チャネルで搬送し、及び/または、第１のＴＴＩ長で送信するアップリンク共有チャネル複数があれば、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
前記第３方式を適用する場合、選択されたアップリンクチャネルが第２のＴＴＩ長で送信するアップリンク制御チャネルであれば、第１のＴＴＩ長で送信するアップリンク共有チャネル及び/または第１のＴＴＩ長で送信するアップリンク制御チャネルの送信期間の間に、第２のＴＴＩ長で送信するアップリンク制御チャネル複数があれば、前記所定の規則２の方式で前記ＵＣＩを搬送するチャネルを選択し、選択されたアップリンクチャネルが第１のＴＴＩ長で送信するアップリンク共有チャネル及び/または第１のＴＴＩ長で送信するアップリンク制御チャネルである場合、第１のＴＴＩ長で送信するアップリンク共有チャネル及びアップリンク制御チャネル両方があるか、または、複数の第１のＴＴＩ長で送信するアップリンク共有チャネルがあれば、前記所定の規則３の方式で、前記ＵＣＩを搬送するチャネルを選択する。
【０１７９】
実施では、第１のＴＴＩ長で送信するアップリンク共有チャネルが第２のＴＴＩ長で送信するアップリンク共有チャネルとオーバーラップする場合、以下の方式の少なくとも１つを適用する。
【０１８０】
第４方式では、
前記第２のＴＴＩ長で送信するアップリンク共有チャネルを選択して送信し、前記第１のＴＴＩ長で送信するアップリンク共有チャネルを放棄し、または、前記第２のＴＴＩ長で送信するアップリンク共有チャネルとオーバーラップする、前記第１のＴＴＩ長で送信するアップリンク共有チャネル内のシンボル上の情報をパンクチャリングする。
【０１８１】
第５方式では：
前記第１のＴＴＩ長で送信するアップリンク共有チャネルを選択して送信し、前記第２のＴＴＩ長で送信するアップリンク共有チャネルを放棄する。
【０１８２】
第６方式では：
ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第３方式または前記第４方式で同じ優先度のＵＣＩを搬送する複数のチャネルから選択する。
【０１８３】
実施では、前記第４方式が適用される場合、前記第１のＴＴＩ長で送信するアップリンク共有チャネルで搬送されるＵＣＩを、所定の規則１または所定の規則４の下で前記第２のＴＴＩ長で送信するアップリンク共有チャネルに転送して送信する。
【０１８４】
前記第５方式が適用される場合、前記第２のＴＴＩ長で送信するアップリンク共有チャネルで搬送されるＵＣＩを、所定の規則１または所定の規則５の下で前記第１のＴＴＩ長で送信するアップリンク共有チャネルに転送して送信する。
【０１８５】
前記第６方式が適用される場合、選択されていない残りのアップリンクチャネル上のＵＣＩを所定の規則１の下で選択されたアップリンクチャネルに転送して送信する。
【０１８６】
実施では、前記第４方式が適用される場合、前記所定の規則４は、以下方式のうちの１つまたは組み合わせを含み、
前記第１のＴＴＩ長で送信するアップリンク共有チャネルで搬送されるＵＣＩすべてを、前記第２のＴＴＩ長で送信するアップリンク共有チャネルに転送して送信し、
前記第１のＴＴＩ長で送信するアップリンク共有チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク共有チャネルで搬送されるＵＣＩがＰ−ＣＳＩを含む場合、前記第１のＴＴＩ長で送信するアップリンク共有チャネルで搬送されるＰ−ＣＳＩを放棄し、または、前記第２のＴＴＩ長で送信するアップリンク共有チャネルがＰ−ＣＳＩを搬送している場合、前記第１のＴＴＩ長で送信するアップリンク共有チャネルで搬送されるＰ−ＣＳＩを放棄し、前記第２のＴＴＩ長で送信するアップリンク共有チャネルがＰ−ＣＳＩを搬送していない場合、前記第１のＴＴＩ長で送信するアップリンク共有チャネルで搬送されるＰ−ＣＳＩを、前記第２のＴＴＩ長で送信するアップリンク共有チャネルに転送して送信し、
第１のＴＴＩ長で送信するアップリンク共有チャネルの送信期間に第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【０１８７】
前記第５方式が適用される場合、前記所定の規則５は以下方式のうちの１つまたは組み合わせを含み、
前記第２のＴＴＩ長で送信するアップリンク共有チャネルで搬送されるＵＣＩすべてを、前記第１のＴＴＩ長で送信するアップリンク共有チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク共有チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク共有チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク共有チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク共有チャネルに転送して送信し、
第１のＴＴＩ長で送信するアップリンク共有チャネル複数があれば、ＰＣＣに前記第１のＴＴＩ長で送信するアップリンク共有チャネルがある場合、ＰＣＣ上の前記第１のＴＴＩ長送信するアップリンク共有チャネルを選択して、前記ｓＰＵＳＣＨ上のＵＣＩを送信し、ＰＣＣに第１のＴＴＩ長で送信するアップリンク共有チャネルがなければ、前記第１のＴＴＩ長で送信するアップリンク共有チャネルを有するＳＣＣのうちの最小キャリアインデックスのＳＣＣ上の前記第１のＴＴＩ長で送信するアップリンク共有チャネルを選択して、前記ｓＰＵＳＣＨ上のＵＣＩを送信し、前記選択された第１のＴＴＩ長で送信するアップリンク共有チャネルがＲＡＲ ｇｒａｎｔに対応するアップリンク共有チャネルである場合、前記ＵＣＩを送信しない。
【０１８８】
前記第６方式が適用される場合、選択されたアップリンクチャネルが第２のＴＴＩ長で送信するアップリンク共有チャネルであるとき、第１のＴＴＩ長で送信するアップリンク共有チャネルの送信期間に第２のＴＴＩ長で送信するアップリンク共有チャネル複数があれば、前記所定の規則４の方式で、ＵＣＩを搬送するチャネルを選択し、選択されたアップリンクチャネルが第１のＴＴＩ長で送信するアップリンク共有チャネルであるとき、第１のＴＴＩ長で送信するアップリンク共有チャネル複数があれば、前記所定の規則５の方式で、ＵＣＩを搬送するチャネルを選択する。
【０１８９】
実施では、第１のＴＴＩ長で送信するアップリンク制御チャネルが、第２のＴＴＩ長で送信するアップリンク共有チャネルとオーバーラップする場合、以下の方式の少なくとも１つを適用する。
【０１９０】
第７方式では、
前記第２のＴＴＩ長で送信するアップリンク共有チャネルを選択して送信し、前記第１のＴＴＩ長で送信するアップリンク制御チャネルを放棄し、または、前記第２のＴＴＩ長で送信するアップリンク共有チャネルとオーバーラップする前記第１のＴＴＩ長で送信するアップリンク制御チャネル内のシンボル上の情報をパンクチャリングする。
【０１９１】
第８方式では、
前記第１のＴＴＩ長で送信するアップリンク制御チャネルを選択して送信し、前記第２のＴＴＩ長で送信するアップリンク共有チャネルを放棄する。
【０１９２】
第９方式では：
ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第７方式または前記第８方式で同じ優先度のＵＣＩを搬送する複数のチャネルから選択する。
【０１９３】
実施では、前記第７方式が適用される場合、前記第１のＴＴＩ長で送信するアップリンク制御チャネルで搬送されるＵＣＩを、所定の規則１または所定の規則６の下で前記第２のＴＴＩ長で送信するアップリンク共有チャネルに転送して送信する。
【０１９４】
前記第８方式が適用される場合、前記第２のＴＴＩ長で送信するアップリンク共有チャネルがＵＣＩを搬送している場合、前記ＵＣＩを所定の規則１または所定の規則７の下で前記第１のＴＴＩ長で送信するアップリンク制御チャネルに転送して送信する。
【０１９５】
前記第９方式が適用される場合、選択されていない残りのアップリンクチャネル上のＵＣＩを所定の規則１の下で選択されたアップリンクチャネルに転送して送信する。
【０１９６】
実施では、前記第７方式が適用される場合、前記所定の規則６は、以下方式のうちの１つまたは組み合わせを含み、
前記第１のＴＴＩ長で送信するアップリンク制御チャネルで搬送されるＵＣＩすべてを、前記第２のＴＴＩ長で送信するアップリンク共有チャネルに転送して送信し、
前記第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク制御チャネルで搬送されるＵＣＩがＰ−ＣＳＩを含む場合、前記第１のＴＴＩ長で送信するアップリンク制御チャネルで搬送されるＰ−ＣＳＩを放棄し、または、前記第２のＴＴＩ長で送信するアップリンク共有チャネルがＰ−ＣＳＩを搬送する場合、前記第１のＴＴＩ長で送信するアップリンク制御チャネルで搬送されるＰ−ＣＳＩを放棄し、前記第２のＴＴＩ長で送信するアップリンク共有チャネルがＰ−ＣＳＩを搬送しない場合、前記第１のＴＴＩ長で送信するアップリンク制御チャネルで搬送されるＰ−ＣＳＩを、前記第２のＴＴＩ長で送信するアップリンク共有チャネルに転送して送信し、
第１のＴＴＩ長で送信するアップリンク制御チャネルの送信期間に複数の第２のＴＴＩ長で送信するアップリンク共有チャネル複数がある場合、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第８方式が適用される場合、前記所定の規則７は、以下方式のうちの１つまたは組み合わせを含み、
前記第２のＴＴＩ長で送信するアップリンク共有チャネルで搬送されるＵＣＩの全てを、前記第１のＴＴＩ長で送信するアップリンク制御チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク制御チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク制御チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク制御チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク制御チャネルに転送して送信する。
【０１９７】
前記第９方式が適用される場合、選択されたアップリンクチャネルが第２のＴＴＩ長で送信するアップリンク共有チャネルであるとき、第１のＴＴＩ長で送信するアップリンク制御チャネルの送信期間に複数の第２のＴＴＩ長で送信するアップリンク共有チャネル複数がある場合、前記所定の規則７の方式でＵＣＩを搬送するチャネルを選択する。
【０１９８】
実施では、前記ＵＣＩ優先度は、ＳＲの優先度がＡＣＫ／ＮＡＣＫの優先度以上であり、ＡＣＫ／ＮＡＣＫの優先度がＰ−ＣＳＩの優先度よりも高い。
【０１９９】
実施では、前記所定の規則１は、以下方式のうちの１つまたは組み合わせを含み、
選択されていない残りのアップリンクチャネル上のＵＣＩを選択されたアップリンクチャネルに転送して送信する。
【０２００】
選択されていない残りのアップリンクチャネル上のＵＣＩがＡＣＫ／ＮＡＣＫ及び/またはＳＲである場合、前記ＵＣＩを選択されたアップリンクチャネルに転送して送信し、選択されていない残りのアップリンクチャネル上のＵＣＩがＰ−ＣＳＩを含む場合、前記選択されていない残りのアップリンクチャネル上のＰ−ＣＳＩを放棄し、または、選択されたアップリンクチャネルがＰ−ＣＳＩを搬送している場合、前記選択されていない残りのアップリンクチャネル上のＰ−ＣＳＩを放棄し、選択されたアップリンクチャネルがＰ−ＣＳＩを搬送していない場合、選択されていないチャネルで搬送されるＰ−ＣＳＩを、選択されたアップリンクチャネルに転送して送信する。
【０２０１】
選択されたアップリンクチャネルが第１のＴＴＩ長で送信するアップリンク共有チャネル及び/または第１のＴＴＩ長で送信する第１のＴＴＩ長で送信するアップリンク制御チャネルである場合は、第１のＴＴＩ長で送信するアップリンク共有チャネル及び第１のＴＴＩ長で送信するアップリンク制御チャネル両方があるとき、そのうちの１つを選択して前記ＵＣＩを搬送し、または、前記ＵＣＩの一部を第１のＴＴＩ長で送信するアップリンク共有チャネルで搬送されるようにし、前記ＵＣＩの残りの部分を第１のＴＴＩ長で送信するアップリンク制御チャネルで搬送されるようにし、第１のＴＴＩ長を利用するアップリンク共有チャネル複数がある場合、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない。
【０２０２】
選択されたアップリンクチャネルが第２のＴＴＩ長で送信するアップリンク制御チャネルであれば、前記第１のＴＴＩ長の間に第２のＴＴＩ長で送信するアップリンク制御チャネル複数があるとき、最初１つのまたは最後１つの第２のＴＴＩ長で送信するアップリンク制御チャネルを選択して前記ＵＣＩを搬送し、または、Ｐ−ＣＳＩ搬送用の、第２のＴＴＩ長で送信するアップリンク制御チャネルを選択して、前記選択されていない残りのアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記選択されていない残りのアップリンクチャネル内のＰ−ＣＳＩを搬送するためのものとし、ＡＣＫ／ＮＡＣＫ及び/またはＳＲ搬送用の、第２のＴＴＩ長で送信するアップリンク制御チャネルを選択して前記選択されていない残りのアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して前記選択されていない残りのアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記選択されていない残りのアップリンクチャネル内の対応のＵＣＩを搬送するためのものとする。
【０２０３】
選択されたアップリンクチャネルが第２のＴＴＩ長で送信するアップリンク共有チャネルであるとき、前記第１のＴＴＩ長の間に複数の第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを搬送し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して前記ＵＣＩを搬送し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【０２０４】
実施では、さらに、第１のＴＴＩ長で送信するアップリンクチャネルの送信電力と、第２のＴＴＩ長で送信するアップリンクチャネルの送信電力との合計が、ＵＥに許容される最大送信電力を超えるかどうかを判定し、最大送信電力を超えると、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信する。
【０２０５】
及び/または、第１のＴＴＩ長で送信するアップリンクチャネルと第２のＴＴＩ長で送信するアップリンクチャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信し、及び/または、
第１のＴＴＩ長で送信するアップリンク制御チャネルと第２のＴＴＩ長で送信するアップリンク共有チャネルとの同時送信をサポートするかどうかを判定し、及び/または、第１のＴＴＩ長で送信するアップリンク共有チャネルと第２のＴＴＩ長で送信するアップリンク制御チャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信する。
【０２０６】
図６はネットワーク側データ伝送のための装置の構造図であり、図に示すように、
第１のＴＴＩ長で送信するアップリンクチャネルの送信期間が第２のＴＴＩ長で送信するアップリンクチャネルの送信期間とオーバーラップするかどうかを判定するように構成される、第２の決定モジュール６０１と、
オーバーラップすると判定した場合、ＵＥが所定の規則の下でアップリンクチャネルを選択して送信することを決定し、残りのアップリンクチャネルでの送信を放棄するか、または、残りのアップリンクチャネルをパンクチャリングして送信するように構成される、送信決定モジュール６０２とを備える。
【０２０７】
実施では、前記第１のＴＴＩ長が前記第２のＴＴＩ長より大きい。
【０２０８】
実施では、前記アップリンクチャネルは、アップリンク制御チャネル及びアップリンク共有チャネルのうちの少なくとも１つである。
【０２０９】
実施では、前記所定の規則は、以下の規則のうちの１つまたは組み合わせであり、
アップリンク制御チャネルを選択し、アップリンク共有チャネルでの送信を放棄するか、またはアップリンク共有チャネルをパンクチャリングして送信する。
【０２１０】
第２のＴＴＩ長で送信するアップリンクチャネルを選択し、第１のＴＴＩ長で送信するアップリンクチャネルでの送信を放棄するか、または、第１のＴＴＩ長で送信するアップリンクチャネルをパンクチャリングして送信する。
【０２１１】
ＵＣＩを搬送するアップリンクチャネルを選択し、ＵＣＩを搬送するアップリンクチャネルが複数ある場合、優先度の高いＵＣＩを搬送するアップリンクチャネルを選択し、優先度の高いＵＣＩを搬送するアップリンクチャネルが複数ある場合、前記規則を再利用して選択し、残りのアップリンクチャネルでの送信を放棄するか、または、残りのアップリンクチャネルをパンクチャリングして送信する。
【０２１２】
実施では、さらに、ＵＥが選択されていない残りのアップリンクチャネル上のＵＣＩを所定の規則１の下で選択されたアップリンクチャネルに転送して送信することを決定する。 
実施では、第１のＴＴＩ長で送信するアップリンク共有チャネル及び/または第１のＴＴＩ長で送信するアップリンク制御チャネルが、第２のＴＴＩ長で送信するアップリンク制御チャネルとオーバーラップする場合、以下の方式の少なくとも１つを適用し、
第１の方式では、以下のことを決定し、
ＵＥが前記第２のＴＴＩ長で送信するアップリンク制御チャネルを選択して送信し、前記第１のＴＴＩ長で送信するアップリンク共有チャネル及び/または第１のＴＴＩ長で送信するアップリンク制御チャネルを放棄し、または、前記第２のＴＴＩ長で送信するアップリンク制御チャネルとオーバーラップする前記第１のＴＴＩ長で送信するアップリンク共有チャネル及び/または第１のＴＴＩ長で送信するアップリンク制御チャネル内のシンボル上の情報をパンクチャリングする。
【０２１３】
第２の方式では：
前記第１のＴＴＩ長で送信するアップリンク共有チャネル及び/またはアップリンク制御チャネルを選択し、前記第２のＴＴＩ長で送信するアップリンク制御チャネルを放棄する。
【０２１４】
第３の方式では：
ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第１の方式または前記第２の方式で同じ優先度のＵＣＩを搬送する複数のチャネルから選択する。
【０２１５】
実施では、前記第１の方式をを適用する場合、以下のことを決定し、ＵＥが前記第１のＴＴＩ長で送信するアップリンク共有チャネル及び/または第１のＴＴＩ長で送信するアップリンク制御チャネルで搬送されるＵＣＩを、所定の規則１または所定の規則２の下で前記第２のＴＴＩ長で送信するアップリンク制御チャネルに転送して送信し、
前記第２の方式をを適用する場合、以下のことを決定し、ＵＥが前記第２のＴＴＩ長で送信するアップリンク制御チャネルで搬送されるＵＣＩを、所定の規則１または所定の規則３の下で前記第１のＴＴＩ長で送信するアップリンク共有チャネル及び/または第１のＴＴＩ長で送信するアップリンク制御チャネルに転送して送信し、
前記第３方式を適用する場合、以下のことを決定し、ＵＥが選択されていない残りのアップリンクチャネル上のＵＣＩを、前記所定の規則１の下で選択されたアップリンクチャネルに転送して送信する。
【０２１６】
実施では、前記第１の方式を適用する場合、前記所定の規則２は以下方式のうちの１つまたは組み合わせを含み、
前記第１のＴＴＩ長で送信するアップリンク共有チャネル及び/または第１のＴＴＩ長で送信するアップリンク制御チャネルで搬送されるＵＣＩのすべてを、前記第２のＴＴＩ長で送信するアップリンク制御チャネルに転送して送信し、
前記第１のＴＴＩ長で送信するアップリンク共有チャネル及び/または第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク制御チャネルに転送して送信し、前記第１のＴＴＩ長で送信するアップリンク共有チャネル及び/または第１のＴＴＩ長で送信するアップリンク制御チャネルで搬送されるＵＣＩがＰ−ＣＳＩを含む場合、前記第１のＴＴＩ長で送信するアップリンク共有チャネル及び/または第１のＴＴＩ長で送信するアップリンク制御チャネルで搬送されるＰ−ＣＳＩを放棄し、または、前記第２のＴＴＩ長で送信するアップリンク制御チャネルにＰ−ＣＳＩが含まれる場合、前記第１のＴＴＩ長で送信するアップリンク共有チャネル及び/または第１のＴＴＩ長で送信するアップリンク制御チャネルで搬送されるＰ−ＣＳＩを放棄し、前記第２のＴＴＩ長で送信するアップリンク制御チャネルにＰ−ＣＳＩが含まれない場合、前記第１のＴＴＩ長で送信するアップリンク共有チャネル及び/または第１のＴＴＩ長で送信するアップリンク制御チャネルで搬送されるＰ−ＣＳＩを、第２のＴＴＩ長で送信するアップリンク制御チャネルに転送して送信し、
第１のＴＴＩ長で送信するアップリンク共有チャネル及び/または第１のＴＴＩ長で送信するアップリンク制御チャネルの送信期間の間に、第２のＴＴＩ長で送信するアップリンク制御チャネル複数があれば、
最初１つのまたは最後１つの第２のＴＴＩ長で送信するアップリンク制御チャネルを選択して前記ＵＣＩを搬送し、または、
Ｐ−ＣＳＩ搬送用の、第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＰ−ＣＳＩを搬送し、ＡＣＫ／ＮＡＣＫ及び/またはＳＲ搬送用の、第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記第１のＴＴＩ長で送信するアップリンク共有チャネル及び/または第１のＴＴＩ長で送信するアップリンク制御チャネル内の対応のＵＣＩを搬送するためのものとする。
【０２１７】
前記第２の方式を適用する場合、前記所定の規則３は、以下方式のうちの１つまたは組み合わせを含み、
前記第２のＴＴＩ長で送信するアップリンク制御チャネルで搬送されるＵＣＩすべてを、前記第２のＴＴＩ長で送信するアップリンク制御チャネルで搬送されるＵＣＩすべてを、前記第１のＴＴＩ長で送信するアップリンク共有チャネル及び/または第１のＴＴＩ長で送信するアップリンク制御チャネルに転送して送信し、
前記第２のＴＴＩ長で送信するアップリンク制御チャネルで搬送されるＵＣＩがＡＣＫ／ＮＡＣＫ及び/またはＳＲである場合、前記ＵＣＩを前記第１のＴＴＩ長で送信するアップリンク共有チャネル及び/または第１のＴＴＩ長で送信するアップリンク制御チャネルに転送して送信し、前記第２のＴＴＩ長で送信するアップリンク制御チャネルで搬送されるＵＣＩがＰ−ＣＳＩを含む場合、前記第２のＴＴＩ長で送信するアップリンク制御チャネルで搬送されるＰ−ＣＳＩを放棄し、または、前記第１のＴＴＩ長で送信するアップリンク共有チャネル及び/または第１のＴＴＩ長で送信するアップリンク制御チャネルがＰ−ＣＳＩを搬送する場合、前記第２のＴＴＩ長で送信するアップリンク制御チャネルで搬送されるＰ−ＣＳＩを放棄し、前記第１のＴＴＩ長で送信するアップリンク共有チャネル及び/または第１のＴＴＩ長で送信するアップリンク制御チャネルがＰ−ＣＳＩを搬送しない場合、前記第２のＴＴＩ長で送信するアップリンク制御チャネルで搬送されるＰ−ＣＳＩを、前記第２のＴＴＩ長で送信するアップリンク共有チャネル及び/または第１のＴＴＩ長で送信するアップリンク制御チャネルに転送して送信し、
前記第１のＴＴＩ長で送信するアップリンク共有チャネル及び第１のＴＴＩ長で送信するアップリンク制御チャネル両方があれば、そのうちの１つを選択して前記ＵＣＩを搬送し、または、前記ＵＣＩの一部を前記第１のＴＴＩ長で送信するアップリンク共有チャネルで搬送し、前記ＵＣＩの残りの部分を前記第１のＴＴＩ長で送信するアップリンク制御チャネルで搬送し、及び/または、第１のＴＴＩ長で送信するアップリンク共有チャネル複数があれば、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
前記第３方式を適用する場合、選択されたアップリンクチャネルが第２のＴＴＩ長で送信するアップリンク制御チャネルであれば、第１のＴＴＩ長で送信するアップリンク共有チャネル及び/または第１のＴＴＩ長で送信するアップリンク制御チャネルの送信期間の間に、第２のＴＴＩ長で送信するアップリンク制御チャネル複数があれば、前記所定の規則２の方式で前記ＵＣＩを搬送するチャネルを選択し、選択されたアップリンクチャネルが第１のＴＴＩ長で送信するアップリンク共有チャネル及び/または第１のＴＴＩ長で送信するアップリンク制御チャネルである場合、第１のＴＴＩ長で送信するアップリンク共有チャネル及びアップリンク制御チャネル両方があるか、または、複数の第１のＴＴＩ長で送信するアップリンク共有チャネルがあれば、前記所定の規則３の方式で、前記ＵＣＩを搬送するチャネルを選択する。
【０２１８】
実施では、第１のＴＴＩ長で送信するアップリンク共有チャネルが第２のＴＴＩ長で送信するアップリンク共有チャネルとオーバーラップする場合、以下の方式の少なくとも１つを適用する。
【０２１９】
第４方式では：
前記第２のＴＴＩ長で送信するアップリンク共有チャネルを選択して送信し、前記第１のＴＴＩ長で送信するアップリンク共有チャネルを放棄し、または、前記第２のＴＴＩ長で送信するアップリンク共有チャネルとオーバーラップする、前記第１のＴＴＩ長で送信するアップリンク共有チャネル内のシンボル上の情報をパンクチャリングする。
【０２２０】
第５方式では、
前記第１のＴＴＩ長で送信するアップリンク共有チャネルを選択して送信し、前記第２のＴＴＩ長で送信するアップリンク共有チャネルを放棄する。
【０２２１】
第６方式では：
ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第３方式または前記第４方式で同じ優先度のＵＣＩを搬送する複数のチャネルから選択する。
【０２２２】
実施では、前記第４方式が適用される場合、前記第１のＴＴＩ長で送信するアップリンク共有チャネルで搬送されるＵＣＩを、所定の規則１または所定の規則４の下で前記第２のＴＴＩ長で送信するアップリンク共有チャネルに転送して送信する。
【０２２３】
前記第５方式が適用される場合、前記第２のＴＴＩ長で送信するアップリンク共有チャネルで搬送されるＵＣＩを、所定の規則１または所定の規則５の下で前記第１のＴＴＩ長で送信するアップリンク共有チャネルに転送して送信する。
【０２２４】
前記第６方式が適用される場合、選択されていない残りのアップリンクチャネル上のＵＣＩを所定の規則１の下で選択されたアップリンクチャネルに転送して送信する。
【０２２５】
実施では、前記第４方式が適用される場合、前記所定の規則４は、以下方式のうちの１つまたは組み合わせを含み、
前記第１のＴＴＩ長で送信するアップリンク共有チャネルで搬送されるＵＣＩすべてを、前記第２のＴＴＩ長で送信するアップリンク共有チャネルに転送して送信し、
前記第１のＴＴＩ長で送信するアップリンク共有チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク共有チャネルで搬送されるＵＣＩがＰ−ＣＳＩを含む場合、前記第１のＴＴＩ長で送信するアップリンク共有チャネルで搬送されるＰ−ＣＳＩを放棄し、または、前記第２のＴＴＩ長で送信するアップリンク共有チャネルがＰ−ＣＳＩを搬送している場合、前記第１のＴＴＩ長で送信するアップリンク共有チャネルで搬送されるＰ−ＣＳＩを放棄し、前記第２のＴＴＩ長で送信するアップリンク共有チャネルがＰ−ＣＳＩを搬送していない場合、前記第１のＴＴＩ長で送信するアップリンク共有チャネルで搬送されるＰ−ＣＳＩを、前記第２のＴＴＩ長で送信するアップリンク共有チャネルに転送して送信し、
第１のＴＴＩ長で送信するアップリンク共有チャネルの送信期間に第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【０２２６】
前記第５方式が適用される場合、前記所定の規則５は以下方式のうちの１つまたは組み合わせを含み、
前記第２のＴＴＩ長で送信するアップリンク共有チャネルで搬送されるＵＣＩすべてを、前記第１のＴＴＩ長で送信するアップリンク共有チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク共有チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク共有チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク共有チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク共有チャネルに転送して送信し、
第１のＴＴＩ長で送信するアップリンク共有チャネル複数があれば、ＰＣＣに前記第１のＴＴＩ長で送信するアップリンク共有チャネルがある場合、ＰＣＣ上の前記第１のＴＴＩ長送信するアップリンク共有チャネルを選択して、前記ｓＰＵＳＣＨ上のＵＣＩを送信し、ＰＣＣに第１のＴＴＩ長で送信するアップリンク共有チャネルがなければ、前記第１のＴＴＩ長で送信するアップリンク共有チャネルを有するＳＣＣのうちの最小キャリアインデックスのＳＣＣ上の前記第１のＴＴＩ長で送信するアップリンク共有チャネルを選択して、前記ｓＰＵＳＣＨ上のＵＣＩを送信し、前記選択された第１のＴＴＩ長で送信するアップリンク共有チャネルがＲＡＲ ｇｒａｎｔに対応するアップリンク共有チャネルである場合、前記ＵＣＩを送信しない。
【０２２７】
前記第６方式が適用される場合、選択されたアップリンクチャネルが第２のＴＴＩ長で送信するアップリンク共有チャネルであるとき、第１のＴＴＩ長で送信するアップリンク共有チャネルの送信期間に第２のＴＴＩ長で送信するアップリンク共有チャネル複数があれば、前記所定の規則４の方式で、ＵＣＩを搬送するチャネルを選択し、選択されたアップリンクチャネルが第１のＴＴＩ長で送信するアップリンク共有チャネルであるとき、第１のＴＴＩ長で送信するアップリンク共有チャネル複数があれば、前記所定の規則５の方式で、ＵＣＩを搬送するチャネルを選択する。
【０２２８】
実施では、第１のＴＴＩ長で送信するアップリンク制御チャネルが、第２のＴＴＩ長で送信するアップリンク共有チャネルとオーバーラップする場合、以下の方式の少なくとも１つを適用する。
【０２２９】
第７方式では：
前記第２のＴＴＩ長で送信するアップリンク共有チャネルを選択して送信し、前記第１のＴＴＩ長で送信するアップリンク制御チャネルを放棄し、または、前記第２のＴＴＩ長で送信するアップリンク共有チャネルとオーバーラップする前記第１のＴＴＩ長で送信するアップリンク制御チャネル内のシンボル上の情報をパンクチャリングする。
【０２３０】
第８方式では：
前記第１のＴＴＩ長で送信するアップリンク制御チャネルを選択して送信し、前記第２のＴＴＩ長で送信するアップリンク共有チャネルを放棄する。
【０２３１】
第９方式では、
ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第７方式または前記第８方式で同じ優先度のＵＣＩを搬送する複数のチャネルから選択する。
【０２３２】
実施では、前記第７方式が適用される場合、前記第１のＴＴＩ長で送信するアップリンク制御チャネルで搬送されるＵＣＩを、所定の規則１または所定の規則６の下で前記第２のＴＴＩ長で送信するアップリンク共有チャネルに転送して送信する。
【０２３３】
前記第８方式が適用される場合、前記第２のＴＴＩ長で送信するアップリンク共有チャネルがＵＣＩを搬送している場合、前記ＵＣＩを所定の規則１または所定の規則７の下で前記第１のＴＴＩ長で送信するアップリンク制御チャネルに転送して送信する。
【０２３４】
前記第９方式が適用される場合、選択されていない残りのアップリンクチャネル上のＵＣＩを所定の規則１の下で選択されたアップリンクチャネルに転送して送信する。
【０２３５】
実施では、前記第７方式が適用される場合、前記所定の規則６は、以下方式のうちの１つまたは組み合わせを含み、
前記第１のＴＴＩ長で送信するアップリンク制御チャネルで搬送されるＵＣＩすべてを、前記第２のＴＴＩ長で送信するアップリンク共有チャネルに転送して送信し、
前記第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク制御チャネルで搬送されるＵＣＩがＰ−ＣＳＩを含む場合、前記第１のＴＴＩ長で送信するアップリンク制御チャネルで搬送されるＰ−ＣＳＩを放棄し、または、前記第２のＴＴＩ長で送信するアップリンク共有チャネルがＰ−ＣＳＩを搬送する場合、前記第１のＴＴＩ長で送信するアップリンク制御チャネルで搬送されるＰ−ＣＳＩを放棄し、前記第２のＴＴＩ長で送信するアップリンク共有チャネルがＰ−ＣＳＩを搬送しない場合、前記第１のＴＴＩ長で送信するアップリンク制御チャネルで搬送されるＰ−ＣＳＩを、前記第２のＴＴＩ長で送信するアップリンク共有チャネルに転送して送信し、
第１のＴＴＩ長で送信するアップリンク制御チャネルの送信期間に複数の第２のＴＴＩ長で送信するアップリンク共有チャネル複数がある場合、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【０２３６】
前記第８方式が適用される場合、前記所定の規則７は、以下方式のうちの１つまたは組み合わせを含み、
前記第２のＴＴＩ長で送信するアップリンク共有チャネルで搬送されるＵＣＩの全てを、前記第１のＴＴＩ長で送信するアップリンク制御チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク制御チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク制御チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク制御チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク制御チャネルに転送して送信し、
前記第９方式が適用される場合、選択されたアップリンクチャネルが第２のＴＴＩ長で送信するアップリンク共有チャネルであるとき、第１のＴＴＩ長で送信するアップリンク制御チャネルの送信期間に複数の第２のＴＴＩ長で送信するアップリンク共有チャネル複数がある場合、前記所定の規則７の方式でＵＣＩを搬送するチャネルを選択する。
【０２３７】
実施では、前記ＵＣＩ優先度は、ＳＲの優先度がＡＣＫ／ＮＡＣＫの優先度以上であり、ＡＣＫ／ＮＡＣＫの優先度がＰ−ＣＳＩの優先度よりも高い。
【０２３８】
実施では、前記所定の規則１は、以下方式のうちの１つまたは組み合わせを含み、
選択されていない残りのアップリンクチャネル上のＵＣＩを選択されたアップリンクチャネルに転送して送信し、
選択されていない残りのアップリンクチャネル上のＵＣＩがＡＣＫ／ＮＡＣＫ及び/またはＳＲである場合、前記ＵＣＩを選択されたアップリンクチャネルに転送して送信し、選択されていない残りのアップリンクチャネル上のＵＣＩがＰ−ＣＳＩを含む場合、前記選択されていない残りのアップリンクチャネル上のＰ−ＣＳＩを放棄し、または、選択されたアップリンクチャネルがＰ−ＣＳＩを搬送している場合、前記選択されていない残りのアップリンクチャネル上のＰ−ＣＳＩを放棄し、選択されたアップリンクチャネルがＰ−ＣＳＩを搬送していない場合、選択されていないチャネルで搬送されるＰ−ＣＳＩを、選択されたアップリンクチャネルに転送して送信し、
選択されたアップリンクチャネルが第１のＴＴＩ長で送信するアップリンク共有チャネル及び/または第１のＴＴＩ長で送信する第１のＴＴＩ長で送信するアップリンク制御チャネルである場合は、第１のＴＴＩ長で送信するアップリンク共有チャネル及び第１のＴＴＩ長で送信するアップリンク制御チャネル両方があるとき、そのうちの１つを選択して前記ＵＣＩを搬送し、または、前記ＵＣＩの一部を第１のＴＴＩ長で送信するアップリンク共有チャネルで搬送されるようにし、前記ＵＣＩの残りの部分を第１のＴＴＩ長で送信するアップリンク制御チャネルで搬送されるようにし、第１のＴＴＩ長を利用するアップリンク共有チャネル複数がある場合、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
選択されたアップリンクチャネルが第２のＴＴＩ長で送信するアップリンク制御チャネルであれば、前記第１のＴＴＩ長の間に第２のＴＴＩ長で送信するアップリンク制御チャネル複数があるとき、最初１つのまたは最後１つの第２のＴＴＩ長で送信するアップリンク制御チャネルを選択して前記ＵＣＩを搬送し、または、Ｐ−ＣＳＩ搬送用の、第２のＴＴＩ長で送信するアップリンク制御チャネルを選択して、前記選択されていない残りのアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記選択されていない残りのアップリンクチャネル内のＰ−ＣＳＩを搬送するためのものとし、ＡＣＫ／ＮＡＣＫ及び/またはＳＲ搬送用の、第２のＴＴＩ長で送信するアップリンク制御チャネルを選択して前記選択されていない残りのアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して前記選択されていない残りのアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記選択されていない残りのアップリンクチャネル内の対応のＵＣＩを搬送するためのものとし、
選択されたアップリンクチャネルが第２のＴＴＩ長で送信するアップリンク共有チャネルであるとき、前記第１のＴＴＩ長の間に複数の第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを搬送し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して前記ＵＣＩを搬送し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【０２３９】
実施では、さらに、第１のＴＴＩ長で送信するアップリンクチャネルの送信電力と、第２のＴＴＩ長で送信するアップリンクチャネルの送信電力との合計が、ＵＥに許容される最大送信電力を超えるかどうかを判定し、最大送信電力を超えると、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信する。
【０２４０】
及び/または、第１のＴＴＩ長で送信するアップリンクチャネルと第２のＴＴＩ長で送信するアップリンクチャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信する。
【０２４１】
及び/または、第１のＴＴＩ長で送信するアップリンク制御チャネルと第２のＴＴＩ長で送信するアップリンク共有チャネルとの同時送信をサポートするかどうかを判定し、及び/または、第１のＴＴＩ長で送信するアップリンク共有チャネルと第２のＴＴＩ長で送信するアップリンク制御チャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信する。
【０２４２】
説明の便宜上、上記の装置のそれぞれの構成要素はそれぞれそれぞれのモジュールまたはユニットとして機能的に説明されている。もちろん、本発明の実施において、それぞれのモジュールまたはユニットの機能は、ソフトウェアまたはハードウェアの同一の１つまたは複数の部分で実行することができる。
【０２４３】
本発明の実施形態による技術的解決策は、以下のように具現化することができる。
【０２４４】
図７はＵＥの構造図であり、図に示すように、ＵＥでは、
プロセッサ７００は、メモリ７２０に格納されたプログラムを読み出し、第１のＴＴＩ長で送信するアップリンクチャネルの送信期間が第２のＴＴＩ長で送信するアップリンクチャネルの送信期間とオーバーラップするかどうかを判定し、 
送受信機７１０は、プロセッサ７００の制御下でデータを送受信するように構成され、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信する。
【０２４５】
実施では、前記第１のＴＴＩ長が前記第２のＴＴＩ長より大きい。
【０２４６】
実施では、前記アップリンクチャネルは、アップリンク制御チャネル及びアップリンク共有チャネルのうちの少なくとも１つである。
【０２４７】
実施では、前記所定の規則は、以下の規則のうちの１つまたは組み合わせであり、
アップリンク制御チャネルを選択し、アップリンク共有チャネルでの送信を放棄するか、またはアップリンク共有チャネルをパンクチャリングして送信し、
第２のＴＴＩ長で送信するアップリンクチャネルを選択し、第１のＴＴＩ長で送信するアップリンクチャネルでの送信を放棄するか、または、第１のＴＴＩ長で送信するアップリンクチャネルをパンクチャリングして送信し、
ＵＣＩを搬送するアップリンクチャネルを選択し、ＵＣＩを搬送するアップリンクチャネルが複数ある場合、優先度の高いＵＣＩを搬送するアップリンクチャネルを選択し、優先度の高いＵＣＩを搬送するアップリンクチャネルが複数ある場合、前記規則を再利用して選択し、残りのアップリンクチャネルでの送信を放棄するか、または、残りのアップリンクチャネルをパンクチャリングして送信する。
【０２４８】
実施では、さらに、選択されていない残りのアップリンクチャネル上のＵＣＩを所定の規則１の下で選択されたアップリンクチャネルに転送して送信する。 
実施では、第１のＴＴＩ長で送信するアップリンク共有チャネル及び/または第１のＴＴＩ長で送信するアップリンク制御チャネルが、第２のＴＴＩ長で送信するアップリンク制御チャネルとオーバーラップする場合、以下の方式の少なくとも１つを適用する。
【０２４９】
第１の方式では、
前記第２のＴＴＩ長で送信するアップリンク制御チャネルを選択して送信し、前記第１のＴＴＩ長で送信するアップリンク共有チャネル及び/または第１のＴＴＩ長で送信するアップリンク制御チャネルを放棄する。または、前記第２のＴＴＩ長で送信するアップリンク制御チャネルとオーバーラップする前記第１のＴＴＩ長で送信するアップリンク共有チャネル及び/または第１のＴＴＩ長で送信するアップリンク制御チャネル内のシンボル上の情報をパンクチャリングする。
【０２５０】
第２の方式では、
前記第１のＴＴＩ長で送信するアップリンク共有チャネル及び/またはアップリンク制御チャネルを選択し、前記第２のＴＴＩ長で送信するアップリンク制御チャネルを放棄する。
【０２５１】
第３の方式では、
ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第１の方式または前記第２の方式で同じ優先度のＵＣＩを搬送する複数のチャネルから選択する。
【０２５２】
実施では、前記第１の方式を適用する場合、前記第１のＴＴＩ長で送信するアップリンク共有チャネル及び/または第１のＴＴＩ長で送信するアップリンク制御チャネルで搬送されるＵＣＩを、所定の規則１または所定の規則２の下で前記第２のＴＴＩ長で送信するアップリンク制御チャネルに転送して送信する。
【０２５３】
前記第２の方式を適用する場合、前記第２のＴＴＩ長で送信するアップリンク制御チャネルで搬送されるＵＣＩを、所定の規則１または所定の規則３の下で前記第１のＴＴＩ長で送信するアップリンク共有チャネル及び/または第１のＴＴＩ長で送信するアップリンク制御チャネルに転送して送信する。
【０２５４】
前記第３方式を適用する場合、選択されていない残りのアップリンクチャネル上のＵＣＩを、前記所定の規則１の下で選択されたアップリンクチャネルに転送して送信する。
【０２５５】
実施では、前記第１の方式を適用する場合、前記所定の規則２は以下方式のうちの１つまたは組み合わせを含み、
前記第１のＴＴＩ長で送信するアップリンク共有チャネル及び/または第１のＴＴＩ長で送信するアップリンク制御チャネルで搬送されるＵＣＩのすべてを、前記第２のＴＴＩ長で送信するアップリンク制御チャネルに転送して送信し、
前記第１のＴＴＩ長で送信するアップリンク共有チャネル及び/または第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク制御チャネルに転送して送信し、前記第１のＴＴＩ長で送信するアップリンク共有チャネル及び/または第１のＴＴＩ長で送信するアップリンク制御チャネルで搬送されるＵＣＩがＰ−ＣＳＩを含む場合、前記第１のＴＴＩ長で送信するアップリンク共有チャネル及び/または第１のＴＴＩ長で送信するアップリンク制御チャネルで搬送されるＰ−ＣＳＩを放棄し、または、前記第２のＴＴＩ長で送信するアップリンク制御チャネルにＰ−ＣＳＩが含まれる場合、前記第１のＴＴＩ長で送信するアップリンク共有チャネル及び/または第１のＴＴＩ長で送信するアップリンク制御チャネルで搬送されるＰ−ＣＳＩを放棄し、前記第２のＴＴＩ長で送信するアップリンク制御チャネルにＰ−ＣＳＩが含まれない場合、前記第１のＴＴＩ長で送信するアップリンク共有チャネル及び/または第１のＴＴＩ長で送信するアップリンク制御チャネルで搬送されるＰ−ＣＳＩを、第２のＴＴＩ長で送信するアップリンク制御チャネルに転送して送信し、
第１のＴＴＩ長で送信するアップリンク共有チャネル及び/または第１のＴＴＩ長で送信するアップリンク制御チャネルの送信期間の間に、第２のＴＴＩ長で送信するアップリンク制御チャネル複数があれば、
最初１つのまたは最後１つの第２のＴＴＩ長で送信するアップリンク制御チャネルを選択して前記ＵＣＩを搬送し、または、
Ｐ−ＣＳＩ搬送用の、第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＰ−ＣＳＩを搬送し、ＡＣＫ／ＮＡＣＫ及び/またはＳＲ搬送用の、第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記第１のＴＴＩ長で送信するアップリンク共有チャネル及び/または第１のＴＴＩ長で送信するアップリンク制御チャネル内の対応のＵＣＩを搬送するためのものとする。
【０２５６】
前記第２の方式を適用する場合、前記所定の規則３は、以下方式のうちの１つまたは組み合わせを含み、
前記第２のＴＴＩ長で送信するアップリンク制御チャネルで搬送されるＵＣＩすべてを、前記第２のＴＴＩ長で送信するアップリンク制御チャネルで搬送されるＵＣＩすべてを、前記第１のＴＴＩ長で送信するアップリンク共有チャネル及び/または第１のＴＴＩ長で送信するアップリンク制御チャネルに転送して送信し、
前記第２のＴＴＩ長で送信するアップリンク制御チャネルで搬送されるＵＣＩがＡＣＫ／ＮＡＣＫ及び/またはＳＲである場合、前記ＵＣＩを前記第１のＴＴＩ長で送信するアップリンク共有チャネル及び/または第１のＴＴＩ長で送信するアップリンク制御チャネルに転送して送信し、前記第２のＴＴＩ長で送信するアップリンク制御チャネルで搬送されるＵＣＩがＰ−ＣＳＩを含む場合、前記第２のＴＴＩ長で送信するアップリンク制御チャネルで搬送されるＰ−ＣＳＩを放棄し、または、前記第１のＴＴＩ長で送信するアップリンク共有チャネル及び/または第１のＴＴＩ長で送信するアップリンク制御チャネルがＰ−ＣＳＩを搬送する場合、前記第２のＴＴＩ長で送信するアップリンク制御チャネルで搬送されるＰ−ＣＳＩを放棄し、前記第１のＴＴＩ長で送信するアップリンク共有チャネル及び/または第１のＴＴＩ長で送信するアップリンク制御チャネルがＰ−ＣＳＩを搬送しない場合、前記第２のＴＴＩ長で送信するアップリンク制御チャネルで搬送されるＰ−ＣＳＩを、前記第２のＴＴＩ長で送信するアップリンク共有チャネル及び/または第１のＴＴＩ長で送信するアップリンク制御チャネルに転送して送信し、
前記第１のＴＴＩ長で送信するアップリンク共有チャネル及び第１のＴＴＩ長で送信するアップリンク制御チャネル両方があれば、そのうちの１つを選択して前記ＵＣＩを搬送し、または、前記ＵＣＩの一部を前記第１のＴＴＩ長で送信するアップリンク共有チャネルで搬送し、前記ＵＣＩの残りの部分を前記第１のＴＴＩ長で送信するアップリンク制御チャネルで搬送し、及び/または、第１のＴＴＩ長で送信するアップリンク共有チャネル複数があれば、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
前記第３方式を適用する場合、選択されたアップリンクチャネルが第２のＴＴＩ長で送信するアップリンク制御チャネルであれば、第１のＴＴＩ長で送信するアップリンク共有チャネル及び/または第１のＴＴＩ長で送信するアップリンク制御チャネルの送信期間の間に、第２のＴＴＩ長で送信するアップリンク制御チャネル複数があれば、前記所定の規則２の方式で前記ＵＣＩを搬送するチャネルを選択し、選択されたアップリンクチャネルが第１のＴＴＩ長で送信するアップリンク共有チャネル及び/または第１のＴＴＩ長で送信するアップリンク制御チャネルである場合、第１のＴＴＩ長で送信するアップリンク共有チャネル及びアップリンク制御チャネル両方があるか、または、複数の第１のＴＴＩ長で送信するアップリンク共有チャネルがあれば、前記所定の規則３の方式で、前記ＵＣＩを搬送するチャネルを選択する。
【０２５７】
実施では、第１のＴＴＩ長で送信するアップリンク共有チャネルが第２のＴＴＩ長で送信するアップリンク共有チャネルとオーバーラップする場合、以下の方式の少なくとも１つを適用する。
【０２５８】
第４方式では、
前記第２のＴＴＩ長で送信するアップリンク共有チャネルを選択して送信し、前記第１のＴＴＩ長で送信するアップリンク共有チャネルを放棄し、または、前記第２のＴＴＩ長で送信するアップリンク共有チャネルとオーバーラップする、前記第１のＴＴＩ長で送信するアップリンク共有チャネル内のシンボル上の情報をパンクチャリングする。
【０２５９】
第５方式では、
前記第１のＴＴＩ長で送信するアップリンク共有チャネルを選択して送信し、前記第２のＴＴＩ長で送信するアップリンク共有チャネルを放棄し、
第６方式では、
ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第３方式または前記第４方式で同じ優先度のＵＣＩを搬送する複数のチャネルから選択する。
【０２６０】
実施では、前記第４方式が適用される場合、前記第１のＴＴＩ長で送信するアップリンク共有チャネルで搬送されるＵＣＩを、所定の規則１または所定の規則４の下で前記第２のＴＴＩ長で送信するアップリンク共有チャネルに転送して送信する。 
前記第５方式が適用される場合、前記第２のＴＴＩ長で送信するアップリンク共有チャネルで搬送されるＵＣＩを、所定の規則１または所定の規則５の下で前記第１のＴＴＩ長で送信するアップリンク共有チャネルに転送して送信する。
【０２６１】
前記第６方式が適用される場合、選択されていない残りのアップリンクチャネル上のＵＣＩを所定の規則１の下で選択されたアップリンクチャネルに転送して送信する。
【０２６２】
実施では、前記第４方式が適用される場合、前記所定の規則４は、以下方式のうちの１つまたは組み合わせを含み、
前記第１のＴＴＩ長で送信するアップリンク共有チャネルで搬送されるＵＣＩすべてを、前記第２のＴＴＩ長で送信するアップリンク共有チャネルに転送して送信し、
前記第１のＴＴＩ長で送信するアップリンク共有チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク共有チャネルで搬送されるＵＣＩがＰ−ＣＳＩを含む場合、前記第１のＴＴＩ長で送信するアップリンク共有チャネルで搬送されるＰ−ＣＳＩを放棄し、または、前記第２のＴＴＩ長で送信するアップリンク共有チャネルがＰ−ＣＳＩを搬送している場合、前記第１のＴＴＩ長で送信するアップリンク共有チャネルで搬送されるＰ−ＣＳＩを放棄し、前記第２のＴＴＩ長で送信するアップリンク共有チャネルがＰ−ＣＳＩを搬送していない場合、前記第１のＴＴＩ長で送信するアップリンク共有チャネルで搬送されるＰ−ＣＳＩを、前記第２のＴＴＩ長で送信するアップリンク共有チャネルに転送して送信し、
第１のＴＴＩ長で送信するアップリンク共有チャネルの送信期間に第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【０２６３】
前記第５方式が適用される場合、前記所定の規則５は以下方式のうちの１つまたは組み合わせを含み、
前記第２のＴＴＩ長で送信するアップリンク共有チャネルで搬送されるＵＣＩすべてを、前記第１のＴＴＩ長で送信するアップリンク共有チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク共有チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク共有チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク共有チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク共有チャネルに転送して送信し、
第１のＴＴＩ長で送信するアップリンク共有チャネル複数があれば、ＰＣＣに前記第１のＴＴＩ長で送信するアップリンク共有チャネルがある場合、ＰＣＣ上の前記第１のＴＴＩ長送信するアップリンク共有チャネルを選択して、前記ｓＰＵＳＣＨ上のＵＣＩを送信し、ＰＣＣに第１のＴＴＩ長で送信するアップリンク共有チャネルがなければ、前記第１のＴＴＩ長で送信するアップリンク共有チャネルを有するＳＣＣのうちの最小キャリアインデックスのＳＣＣ上の前記第１のＴＴＩ長で送信するアップリンク共有チャネルを選択して、前記ｓＰＵＳＣＨ上のＵＣＩを送信し、前記選択された第１のＴＴＩ長で送信するアップリンク共有チャネルがＲＡＲ ｇｒａｎｔに対応するアップリンク共有チャネルである場合、前記ＵＣＩを送信しない、
前記第６方式が適用される場合、選択されたアップリンクチャネルが第２のＴＴＩ長で送信するアップリンク共有チャネルであるとき、第１のＴＴＩ長で送信するアップリンク共有チャネルの送信期間に第２のＴＴＩ長で送信するアップリンク共有チャネル複数があれば、前記所定の規則４の方式で、ＵＣＩを搬送するチャネルを選択し、選択されたアップリンクチャネルが第１のＴＴＩ長で送信するアップリンク共有チャネルであるとき、第１のＴＴＩ長で送信するアップリンク共有チャネル複数があれば、前記所定の規則５の方式で、ＵＣＩを搬送するチャネルを選択する。
【０２６４】
実施では、第１のＴＴＩ長で送信するアップリンク制御チャネルが、第２のＴＴＩ長で送信するアップリンク共有チャネルとオーバーラップする場合、以下の方式の少なくとも１つを適用する。
【０２６５】
第７方式では、
前記第２のＴＴＩ長で送信するアップリンク共有チャネルを選択して送信し、前記第１のＴＴＩ長で送信するアップリンク制御チャネルを放棄し、または、前記第２のＴＴＩ長で送信するアップリンク共有チャネルとオーバーラップする前記第１のＴＴＩ長で送信するアップリンク制御チャネル内のシンボル上の情報をパンクチャリングする。
【０２６６】
第８方式では、
前記第１のＴＴＩ長で送信するアップリンク制御チャネルを選択して送信し、前記第２のＴＴＩ長で送信するアップリンク共有チャネルを放棄する。
【０２６７】
第９方式では、
ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第７方式または前記第８方式で同じ優先度のＵＣＩを搬送する複数のチャネルから選択する。
【０２６８】
実施では、前記第７方式が適用される場合、前記第１のＴＴＩ長で送信するアップリンク制御チャネルで搬送されるＵＣＩを、所定の規則１または所定の規則６の下で前記第２のＴＴＩ長で送信するアップリンク共有チャネルに転送して送信する。
【０２６９】
前記第８方式が適用される場合、前記第２のＴＴＩ長で送信するアップリンク共有チャネルがＵＣＩを搬送している場合、前記ＵＣＩを所定の規則１または所定の規則７の下で前記第１のＴＴＩ長で送信するアップリンク制御チャネルに転送して送信する。
【０２７０】
前記第９方式が適用される場合、選択されていない残りのアップリンクチャネル上のＵＣＩを所定の規則１の下で選択されたアップリンクチャネルに転送して送信する。
【０２７１】
実施では、前記第７方式が適用される場合、前記所定の規則６は、以下方式のうちの１つまたは組み合わせを含み、
前記第１のＴＴＩ長で送信するアップリンク制御チャネルで搬送されるＵＣＩすべてを、前記第２のＴＴＩ長で送信するアップリンク共有チャネルに転送して送信し、
前記第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク制御チャネルで搬送されるＵＣＩがＰ−ＣＳＩを含む場合、前記第１のＴＴＩ長で送信するアップリンク制御チャネルで搬送されるＰ−ＣＳＩを放棄し、または、前記第２のＴＴＩ長で送信するアップリンク共有チャネルがＰ−ＣＳＩを搬送する場合、前記第１のＴＴＩ長で送信するアップリンク制御チャネルで搬送されるＰ−ＣＳＩを放棄し、前記第２のＴＴＩ長で送信するアップリンク共有チャネルがＰ−ＣＳＩを搬送しない場合、前記第１のＴＴＩ長で送信するアップリンク制御チャネルで搬送されるＰ−ＣＳＩを、前記第２のＴＴＩ長で送信するアップリンク共有チャネルに転送して送信し、
第１のＴＴＩ長で送信するアップリンク制御チャネルの送信期間に複数の第２のＴＴＩ長で送信するアップリンク共有チャネル複数がある場合、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【０２７２】
前記第８方式が適用される場合、前記所定の規則７は、以下方式のうちの１つまたは組み合わせを含み、
前記第２のＴＴＩ長で送信するアップリンク共有チャネルで搬送されるＵＣＩの全てを、前記第１のＴＴＩ長で送信するアップリンク制御チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク制御チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク制御チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク制御チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク制御チャネルに転送して送信する。
【０２７３】
前記第９方式が適用される場合、選択されたアップリンクチャネルが第２のＴＴＩ長で送信するアップリンク共有チャネルであるとき、第１のＴＴＩ長で送信するアップリンク制御チャネルの送信期間に複数の第２のＴＴＩ長で送信するアップリンク共有チャネル複数がある場合、前記所定の規則７の方式でＵＣＩを搬送するチャネルを選択する。
【０２７４】
実施では、前記ＵＣＩ優先度は、ＳＲの優先度がＡＣＫ／ＮＡＣＫの優先度以上であり、ＡＣＫ／ＮＡＣＫの優先度がＰ−ＣＳＩの優先度よりも高い。
【０２７５】
実施では、前記所定の規則１は、以下方式のうちの１つまたは組み合わせを含み、
選択されていない残りのアップリンクチャネル上のＵＣＩを選択されたアップリンクチャネルに転送して送信し、
選択されていない残りのアップリンクチャネル上のＵＣＩがＡＣＫ／ＮＡＣＫ及び/またはＳＲである場合、前記ＵＣＩを選択されたアップリンクチャネルに転送して送信し、選択されていない残りのアップリンクチャネル上のＵＣＩがＰ−ＣＳＩを含む場合、前記選択されていない残りのアップリンクチャネル上のＰ−ＣＳＩを放棄し、または、選択されたアップリンクチャネルがＰ−ＣＳＩを搬送している場合、前記選択されていない残りのアップリンクチャネル上のＰ−ＣＳＩを放棄し、選択されたアップリンクチャネルがＰ−ＣＳＩを搬送していない場合、選択されていないチャネルで搬送されるＰ−ＣＳＩを、選択されたアップリンクチャネルに転送して送信し、
選択されたアップリンクチャネルが第１のＴＴＩ長で送信するアップリンク共有チャネル及び/または第１のＴＴＩ長で送信する第１のＴＴＩ長で送信するアップリンク制御チャネルである場合は、第１のＴＴＩ長で送信するアップリンク共有チャネル及び第１のＴＴＩ長で送信するアップリンク制御チャネル両方があるとき、そのうちの１つを選択して前記ＵＣＩを搬送し、または、前記ＵＣＩの一部を第１のＴＴＩ長で送信するアップリンク共有チャネルで搬送されるようにし、前記ＵＣＩの残りの部分を第１のＴＴＩ長で送信するアップリンク制御チャネルで搬送されるようにし、第１のＴＴＩ長を利用するアップリンク共有チャネル複数がある場合、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
選択されたアップリンクチャネルが第２のＴＴＩ長で送信するアップリンク制御チャネルであれば、前記第１のＴＴＩ長の間に第２のＴＴＩ長で送信するアップリンク制御チャネル複数があるとき、最初１つのまたは最後１つの第２のＴＴＩ長で送信するアップリンク制御チャネルを選択して前記ＵＣＩを搬送し、または、Ｐ−ＣＳＩ搬送用の、第２のＴＴＩ長で送信するアップリンク制御チャネルを選択して、前記選択されていない残りのアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記選択されていない残りのアップリンクチャネル内のＰ−ＣＳＩを搬送するためのものとし、ＡＣＫ／ＮＡＣＫ及び/またはＳＲ搬送用の、第２のＴＴＩ長で送信するアップリンク制御チャネルを選択して前記選択されていない残りのアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して前記選択されていない残りのアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記選択されていない残りのアップリンクチャネル内の対応のＵＣＩを搬送するためのものとし、
選択されたアップリンクチャネルが第２のＴＴＩ長で送信するアップリンク共有チャネルであるとき、前記第１のＴＴＩ長の間に複数の第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを搬送し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して前記ＵＣＩを搬送し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【０２７６】
実施では、さらに、第１のＴＴＩ長で送信するアップリンクチャネルの送信電力と、第２のＴＴＩ長で送信するアップリンクチャネルの送信電力との合計が、ＵＥに許容される最大送信電力を超えるかどうかを判定し、最大送信電力を超えると、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信する。
【０２７７】
及び/または、第１のＴＴＩ長で送信するアップリンクチャネルと第２のＴＴＩ長で送信するアップリンクチャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信する。
【０２７８】
及び/または、第１のＴＴＩ長で送信するアップリンク制御チャネルと第２のＴＴＩ長で送信するアップリンク共有チャネルとの同時送信をサポートするかどうかを判定し、及び/または、第１のＴＴＩ長で送信するアップリンク共有チャネルと第２のＴＴＩ長で送信するアップリンク制御チャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信する。
【０２７９】
ここで、図７において、バスアーキテクチャは、いずれ数の相互接続するバス及びブリッジを備える。具体的なに、プロセッサ７００が代表となる１つまたは複数のプロセッサ及びメモリ７２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する送受信機７１０は、送信媒体上の他の様々な装置と通信するためのユニットである、いくつかの要素、例えば送信機および受信機とすることができる。 異なるユーザ機器の場合、ユーザインターフェース７３０は、必要に応じて装置を内部および外部に接続するためのインターフェースとすることもでき、接続された装置には、キーパッド、モニタ、スピーカ、マイクロフォン、ジョイスティックなどがある。
【０２８０】
プロセッサ７００は、バズアーキテクチャ及び通常の処理を管理し、メモリ７２０は、プロセッサ７００動作する際に利用するデータを記憶することができる。
【０２８１】
図８は基地局の構造図であり、図に示すように、基地局では、
プロセッサ８００は、メモリ８２０に格納されたプログラムを読み出し、第１のＴＴＩ長で送信するアップリンクチャネルの送信期間が第２のＴＴＩ長で送信するアップリンクチャネルの送信期間とオーバーラップするかどうかを判定し、
オーバーラップすると判定した場合、ＵＥが所定の規則の下でアップリンクチャネルを選択して送信することを決定し、残りのアップリンクチャネルでの送信を放棄するか、または、残りのアップリンクチャネルをパンクチャリングして送信し、
送受信機８１０は、プロセッサ８００の制御下でデータを送受信するように構成され、
プロセッサの処理結果に従ってデータを送信する。
【０２８２】
実施では、前記第１のＴＴＩ長が前記第２のＴＴＩ長より大きい。
【０２８３】
実施では、前記アップリンクチャネルは、アップリンク制御チャネル及びアップリンク共有チャネルのうちの少なくとも１つである。
【０２８４】
実施では、前記所定の規則は、以下の規則のうちの１つまたは組み合わせであり、
アップリンク制御チャネルを選択し、アップリンク共有チャネルでの送信を放棄するか、またはアップリンク共有チャネルをパンクチャリングして送信し、
第２のＴＴＩ長で送信するアップリンクチャネルを選択し、第１のＴＴＩ長で送信するアップリンクチャネルでの送信を放棄するか、または、第１のＴＴＩ長で送信するアップリンクチャネルをパンクチャリングして送信し、
ＵＣＩを搬送するアップリンクチャネルを選択し、ＵＣＩを搬送するアップリンクチャネルが複数ある場合、優先度の高いＵＣＩを搬送するアップリンクチャネルを選択し、優先度の高いＵＣＩを搬送するアップリンクチャネルが複数ある場合、前記規則を再利用して選択し、残りのアップリンクチャネルでの送信を放棄するか、または、残りのアップリンクチャネルをパンクチャリングして送信する。
【０２８５】
実施では、さらに、
ＵＥが選択されていない残りのアップリンクチャネル上のＵＣＩを所定の規則１の下で選択されたアップリンクチャネルに転送して送信することを決定する。 
実施では、第１のＴＴＩ長で送信するアップリンク共有チャネル及び/または第１のＴＴＩ長で送信するアップリンク制御チャネルが、第２のＴＴＩ長で送信するアップリンク制御チャネルとオーバーラップする場合、以下の方式の少なくとも１つを適用する。
【０２８６】
第１の方式では、 
以下のことを決定し、ＵＥが前記第２のＴＴＩ長で送信するアップリンク制御チャネルを選択して送信し、前記第１のＴＴＩ長で送信するアップリンク共有チャネル及び/または第１のＴＴＩ長で送信するアップリンク制御チャネルを放棄し、または、前記第２のＴＴＩ長で送信するアップリンク制御チャネルとオーバーラップする前記第１のＴＴＩ長で送信するアップリンク共有チャネル及び/または第１のＴＴＩ長で送信するアップリンク制御チャネル内のシンボル上の情報をパンクチャリングする。
【０２８７】
第２の方式では、
前記第１のＴＴＩ長で送信するアップリンク共有チャネル及び/またはアップリンク制御チャネルを選択し、前記第２のＴＴＩ長で送信するアップリンク制御チャネルを放棄し、
第３の方式では、
ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第１の方式または前記第２の方式で同じ優先度のＵＣＩを搬送する複数のチャネルから選択する。
【０２８８】
実施では、前記第１の方式をを適用する場合、以下のことを決定し、ＵＥが前記第１のＴＴＩ長で送信するアップリンク共有チャネル及び/または第１のＴＴＩ長で送信するアップリンク制御チャネルで搬送されるＵＣＩを、所定の規則１または所定の規則２の下で前記第２のＴＴＩ長で送信するアップリンク制御チャネルに転送して送信し、
前記第２の方式をを適用する場合、以下のことを決定し、ＵＥが前記第２のＴＴＩ長で送信するアップリンク制御チャネルで搬送されるＵＣＩを、所定の規則１または所定の規則３の下で前記第１のＴＴＩ長で送信するアップリンク共有チャネル及び/または第１のＴＴＩ長で送信するアップリンク制御チャネルに転送して送信する。
【０２８９】
前記第３方式を適用する場合、以下のことを決定し、ＵＥが選択されていない残りのアップリンクチャネル上のＵＣＩを、前記所定の規則１の下で選択されたアップリンクチャネルに転送して送信する。
【０２９０】
実施では、前記第１の方式を適用する場合、前記所定の規則２は以下方式のうちの１つまたは組み合わせを含み、
前記第１のＴＴＩ長で送信するアップリンク共有チャネル及び/または第１のＴＴＩ長で送信するアップリンク制御チャネルで搬送されるＵＣＩのすべてを、前記第２のＴＴＩ長で送信するアップリンク制御チャネルに転送して送信し、
前記第１のＴＴＩ長で送信するアップリンク共有チャネル及び/または第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク制御チャネルに転送して送信し、前記第１のＴＴＩ長で送信するアップリンク共有チャネル及び/または第１のＴＴＩ長で送信するアップリンク制御チャネルで搬送されるＵＣＩがＰ−ＣＳＩを含む場合、前記第１のＴＴＩ長で送信するアップリンク共有チャネル及び/または第１のＴＴＩ長で送信するアップリンク制御チャネルで搬送されるＰ−ＣＳＩを放棄し、または、前記第２のＴＴＩ長で送信するアップリンク制御チャネルにＰ−ＣＳＩが含まれる場合、前記第１のＴＴＩ長で送信するアップリンク共有チャネル及び/または第１のＴＴＩ長で送信するアップリンク制御チャネルで搬送されるＰ−ＣＳＩを放棄し、前記第２のＴＴＩ長で送信するアップリンク制御チャネルにＰ−ＣＳＩが含まれない場合、前記第１のＴＴＩ長で送信するアップリンク共有チャネル及び/または第１のＴＴＩ長で送信するアップリンク制御チャネルで搬送されるＰ−ＣＳＩを、第２のＴＴＩ長で送信するアップリンク制御チャネルに転送して送信し、
第１のＴＴＩ長で送信するアップリンク共有チャネル及び/または第１のＴＴＩ長で送信するアップリンク制御チャネルの送信期間の間に、第２のＴＴＩ長で送信するアップリンク制御チャネル複数があれば、
最初１つのまたは最後１つの第２のＴＴＩ長で送信するアップリンク制御チャネルを選択して前記ＵＣＩを搬送し、または、
Ｐ−ＣＳＩ搬送用の、第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＰ−ＣＳＩを搬送し、ＡＣＫ／ＮＡＣＫ及び/またはＳＲ搬送用の、第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンク共有チャネル及び/または第１のＴＴＩ長で送信するアップリンク制御チャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記第１のＴＴＩ長で送信するアップリンク共有チャネル及び/または第１のＴＴＩ長で送信するアップリンク制御チャネル内の対応のＵＣＩを搬送するためのものとする。
【０２９１】
前記第２の方式を適用する場合、前記所定の規則３は、以下方式のうちの１つまたは組み合わせを含み、
前記第２のＴＴＩ長で送信するアップリンク制御チャネルで搬送されるＵＣＩすべてを、前記第２のＴＴＩ長で送信するアップリンク制御チャネルで搬送されるＵＣＩすべてを、前記第１のＴＴＩ長で送信するアップリンク共有チャネル及び/または第１のＴＴＩ長で送信するアップリンク制御チャネルに転送して送信し、
前記第２のＴＴＩ長で送信するアップリンク制御チャネルで搬送されるＵＣＩがＡＣＫ／ＮＡＣＫ及び/またはＳＲである場合、前記ＵＣＩを前記第１のＴＴＩ長で送信するアップリンク共有チャネル及び/または第１のＴＴＩ長で送信するアップリンク制御チャネルに転送して送信し、前記第２のＴＴＩ長で送信するアップリンク制御チャネルで搬送されるＵＣＩがＰ−ＣＳＩを含む場合、前記第２のＴＴＩ長で送信するアップリンク制御チャネルで搬送されるＰ−ＣＳＩを放棄し、または、前記第１のＴＴＩ長で送信するアップリンク共有チャネル及び/または第１のＴＴＩ長で送信するアップリンク制御チャネルがＰ−ＣＳＩを搬送する場合、前記第２のＴＴＩ長で送信するアップリンク制御チャネルで搬送されるＰ−ＣＳＩを放棄し、前記第１のＴＴＩ長で送信するアップリンク共有チャネル及び/または第１のＴＴＩ長で送信するアップリンク制御チャネルがＰ−ＣＳＩを搬送しない場合、前記第２のＴＴＩ長で送信するアップリンク制御チャネルで搬送されるＰ−ＣＳＩを、前記第２のＴＴＩ長で送信するアップリンク共有チャネル及び/または第１のＴＴＩ長で送信するアップリンク制御チャネルに転送して送信し、
前記第１のＴＴＩ長で送信するアップリンク共有チャネル及び第１のＴＴＩ長で送信するアップリンク制御チャネル両方があれば、そのうちの１つを選択して前記ＵＣＩを搬送し、または、前記ＵＣＩの一部を前記第１のＴＴＩ長で送信するアップリンク共有チャネルで搬送し、前記ＵＣＩの残りの部分を前記第１のＴＴＩ長で送信するアップリンク制御チャネルで搬送し、及び/または、第１のＴＴＩ長で送信するアップリンク共有チャネル複数があれば、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
前記第３方式を適用する場合、選択されたアップリンクチャネルが第２のＴＴＩ長で送信するアップリンク制御チャネルであれば、第１のＴＴＩ長で送信するアップリンク共有チャネル及び/または第１のＴＴＩ長で送信するアップリンク制御チャネルの送信期間の間に、第２のＴＴＩ長で送信するアップリンク制御チャネル複数があれば、前記所定の規則２の方式で前記ＵＣＩを搬送するチャネルを選択し、選択されたアップリンクチャネルが第１のＴＴＩ長で送信するアップリンク共有チャネル及び/または第１のＴＴＩ長で送信するアップリンク制御チャネルである場合、第１のＴＴＩ長で送信するアップリンク共有チャネル及びアップリンク制御チャネル両方があるか、または、複数の第１のＴＴＩ長で送信するアップリンク共有チャネルがあれば、前記所定の規則３の方式で、前記ＵＣＩを搬送するチャネルを選択する。
【０２９２】
実施では、第１のＴＴＩ長で送信するアップリンク共有チャネルが第２のＴＴＩ長で送信するアップリンク共有チャネルとオーバーラップする場合、以下の方式の少なくとも１つを適用する。
【０２９３】
第４方式では、
前記第２のＴＴＩ長で送信するアップリンク共有チャネルを選択して送信し、前記第１のＴＴＩ長で送信するアップリンク共有チャネルを放棄し、または、前記第２のＴＴＩ長で送信するアップリンク共有チャネルとオーバーラップする、前記第１のＴＴＩ長で送信するアップリンク共有チャネル内のシンボル上の情報をパンクチャリングし、
第５方式では、
前記第１のＴＴＩ長で送信するアップリンク共有チャネルを選択して送信し、前記第２のＴＴＩ長で送信するアップリンク共有チャネルを放棄し、
第６方式では、
ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第３方式または前記第４方式で同じ優先度のＵＣＩを搬送する複数のチャネルから選択する。
【０２９４】
実施では、前記第４方式が適用される場合、前記第１のＴＴＩ長で送信するアップリンク共有チャネルで搬送されるＵＣＩを、所定の規則１または所定の規則４の下で前記第２のＴＴＩ長で送信するアップリンク共有チャネルに転送して送信し、 
前記第５方式が適用される場合、前記第２のＴＴＩ長で送信するアップリンク共有チャネルで搬送されるＵＣＩを、所定の規則１または所定の規則５の下で前記第１のＴＴＩ長で送信するアップリンク共有チャネルに転送して送信し、
前記第６方式が適用される場合、選択されていない残りのアップリンクチャネル上のＵＣＩを所定の規則１の下で選択されたアップリンクチャネルに転送して送信する。
【０２９５】
実施では、前記第４方式が適用される場合、前記所定の規則４は、以下方式のうちの１つまたは組み合わせを含み、
前記第１のＴＴＩ長で送信するアップリンク共有チャネルで搬送されるＵＣＩすべてを、前記第２のＴＴＩ長で送信するアップリンク共有チャネルに転送して送信し、
前記第１のＴＴＩ長で送信するアップリンク共有チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク共有チャネルで搬送されるＵＣＩがＰ−ＣＳＩを含む場合、前記第１のＴＴＩ長で送信するアップリンク共有チャネルで搬送されるＰ−ＣＳＩを放棄し、または、前記第２のＴＴＩ長で送信するアップリンク共有チャネルがＰ−ＣＳＩを搬送している場合、前記第１のＴＴＩ長で送信するアップリンク共有チャネルで搬送されるＰ−ＣＳＩを放棄し、前記第２のＴＴＩ長で送信するアップリンク共有チャネルがＰ−ＣＳＩを搬送していない場合、前記第１のＴＴＩ長で送信するアップリンク共有チャネルで搬送されるＰ−ＣＳＩを、前記第２のＴＴＩ長で送信するアップリンク共有チャネルに転送して送信し、
第１のＴＴＩ長で送信するアップリンク共有チャネルの送信期間に第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【０２９６】
前記第５方式が適用される場合、前記所定の規則５は以下方式のうちの１つまたは組み合わせを含み、
前記第２のＴＴＩ長で送信するアップリンク共有チャネルで搬送されるＵＣＩすべてを、前記第１のＴＴＩ長で送信するアップリンク共有チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク共有チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク共有チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク共有チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク共有チャネルに転送して送信し、
第１のＴＴＩ長で送信するアップリンク共有チャネル複数があれば、ＰＣＣに前記第１のＴＴＩ長で送信するアップリンク共有チャネルがある場合、ＰＣＣ上の前記第１のＴＴＩ長送信するアップリンク共有チャネルを選択して、前記ｓＰＵＳＣＨ上のＵＣＩを送信し、ＰＣＣに第１のＴＴＩ長で送信するアップリンク共有チャネルがなければ、前記第１のＴＴＩ長で送信するアップリンク共有チャネルを有するＳＣＣのうちの最小キャリアインデックスのＳＣＣ上の前記第１のＴＴＩ長で送信するアップリンク共有チャネルを選択して、前記ｓＰＵＳＣＨ上のＵＣＩを送信し、前記選択された第１のＴＴＩ長で送信するアップリンク共有チャネルがＲＡＲ ｇｒａｎｔに対応するアップリンク共有チャネルである場合、前記ＵＣＩを送信しない。
【０２９７】
前記第６方式が適用される場合、選択されたアップリンクチャネルが第２のＴＴＩ長で送信するアップリンク共有チャネルであるとき、第１のＴＴＩ長で送信するアップリンク共有チャネルの送信期間に第２のＴＴＩ長で送信するアップリンク共有チャネル複数があれば、前記所定の規則４の方式で、ＵＣＩを搬送するチャネルを選択し、選択されたアップリンクチャネルが第１のＴＴＩ長で送信するアップリンク共有チャネルであるとき、第１のＴＴＩ長で送信するアップリンク共有チャネル複数があれば、前記所定の規則５の方式で、ＵＣＩを搬送するチャネルを選択する。
【０２９８】
実施では、第１のＴＴＩ長で送信するアップリンク制御チャネルが、第２のＴＴＩ長で送信するアップリンク共有チャネルとオーバーラップする場合、以下の方式の少なくとも１つを適用する。
【０２９９】
第７方式では、
前記第２のＴＴＩ長で送信するアップリンク共有チャネルを選択して送信し、前記第１のＴＴＩ長で送信するアップリンク制御チャネルを放棄し、または、前記第２のＴＴＩ長で送信するアップリンク共有チャネルとオーバーラップする前記第１のＴＴＩ長で送信するアップリンク制御チャネル内のシンボル上の情報をパンクチャリングする。
【０３００】
第８方式では、
前記第１のＴＴＩ長で送信するアップリンク制御チャネルを選択して送信し、前記第２のＴＴＩ長で送信するアップリンク共有チャネルを放棄する。
【０３０１】
第９方式では、
ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第７方式または前記第８方式で同じ優先度のＵＣＩを搬送する複数のチャネルから選択する。
【０３０２】
実施では、前記第７方式が適用される場合、前記第１のＴＴＩ長で送信するアップリンク制御チャネルで搬送されるＵＣＩを、所定の規則１または所定の規則６の下で前記第２のＴＴＩ長で送信するアップリンク共有チャネルに転送して送信する。
【０３０３】
前記第８方式が適用される場合、前記第２のＴＴＩ長で送信するアップリンク共有チャネルがＵＣＩを搬送している場合、前記ＵＣＩを所定の規則１または所定の規則７の下で前記第１のＴＴＩ長で送信するアップリンク制御チャネルに転送して送信する。
【０３０４】
前記第９方式が適用される場合、選択されていない残りのアップリンクチャネル上のＵＣＩを所定の規則１の下で選択されたアップリンクチャネルに転送して送信する。
【０３０５】
実施では、前記第７方式が適用される場合、前記所定の規則６は、以下方式のうちの１つまたは組み合わせを含み、
前記第１のＴＴＩ長で送信するアップリンク制御チャネルで搬送されるＵＣＩすべてを、前記第２のＴＴＩ長で送信するアップリンク共有チャネルに転送して送信し、
前記第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク制御チャネルで搬送されるＵＣＩがＰ−ＣＳＩを含む場合、前記第１のＴＴＩ長で送信するアップリンク制御チャネルで搬送されるＰ−ＣＳＩを放棄し、または、前記第２のＴＴＩ長で送信するアップリンク共有チャネルがＰ−ＣＳＩを搬送する場合、前記第１のＴＴＩ長で送信するアップリンク制御チャネルで搬送されるＰ−ＣＳＩを放棄し、前記第２のＴＴＩ長で送信するアップリンク共有チャネルがＰ−ＣＳＩを搬送しない場合、前記第１のＴＴＩ長で送信するアップリンク制御チャネルで搬送されるＰ−ＣＳＩを、前記第２のＴＴＩ長で送信するアップリンク共有チャネルに転送して送信し、
第１のＴＴＩ長で送信するアップリンク制御チャネルの送信期間に複数の第２のＴＴＩ長で送信するアップリンク共有チャネル複数がある場合、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【０３０６】
前記第８方式が適用される場合、前記所定の規則７は、以下方式のうちの１つまたは組み合わせを含み、
前記第２のＴＴＩ長で送信するアップリンク共有チャネルで搬送されるＵＣＩの全てを、前記第１のＴＴＩ長で送信するアップリンク制御チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク制御チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク制御チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク制御チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク制御チャネルに転送して送信し、
前記第９方式が適用される場合、選択されたアップリンクチャネルが第２のＴＴＩ長で送信するアップリンク共有チャネルであるとき、第１のＴＴＩ長で送信するアップリンク制御チャネルの送信期間に複数の第２のＴＴＩ長で送信するアップリンク共有チャネル複数がある場合、前記所定の規則７の方式でＵＣＩを搬送するチャネルを選択する。
【０３０７】
実施では、前記ＵＣＩ優先度は、ＳＲの優先度がＡＣＫ／ＮＡＣＫの優先度以上であり、ＡＣＫ／ＮＡＣＫの優先度がＰ−ＣＳＩの優先度よりも高い。
【０３０８】
実施では、前記所定の規則１は、以下方式のうちの１つまたは組み合わせを含み、
選択されていない残りのアップリンクチャネル上のＵＣＩを選択されたアップリンクチャネルに転送して送信し、
選択されていない残りのアップリンクチャネル上のＵＣＩがＡＣＫ／ＮＡＣＫ及び/またはＳＲである場合、前記ＵＣＩを選択されたアップリンクチャネルに転送して送信し、選択されていない残りのアップリンクチャネル上のＵＣＩがＰ−ＣＳＩを含む場合、前記選択されていない残りのアップリンクチャネル上のＰ−ＣＳＩを放棄し、または、選択されたアップリンクチャネルがＰ−ＣＳＩを搬送している場合、前記選択されていない残りのアップリンクチャネル上のＰ−ＣＳＩを放棄し、選択されたアップリンクチャネルがＰ−ＣＳＩを搬送していない場合、選択されていないチャネルで搬送されるＰ−ＣＳＩを、選択されたアップリンクチャネルに転送して送信し、
選択されたアップリンクチャネルが第１のＴＴＩ長で送信するアップリンク共有チャネル及び/または第１のＴＴＩ長で送信する第１のＴＴＩ長で送信するアップリンク制御チャネルである場合は、第１のＴＴＩ長で送信するアップリンク共有チャネル及び第１のＴＴＩ長で送信するアップリンク制御チャネル両方があるとき、そのうちの１つを選択して前記ＵＣＩを搬送し、または、前記ＵＣＩの一部を第１のＴＴＩ長で送信するアップリンク共有チャネルで搬送されるようにし、前記ＵＣＩの残りの部分を第１のＴＴＩ長で送信するアップリンク制御チャネルで搬送されるようにし、第１のＴＴＩ長を利用するアップリンク共有チャネル複数がある場合、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
選択されたアップリンクチャネルが第２のＴＴＩ長で送信するアップリンク制御チャネルであれば、前記第１のＴＴＩ長の間に第２のＴＴＩ長で送信するアップリンク制御チャネル複数があるとき、最初１つのまたは最後１つの第２のＴＴＩ長で送信するアップリンク制御チャネルを選択して前記ＵＣＩを搬送し、または、Ｐ−ＣＳＩ搬送用の、第２のＴＴＩ長で送信するアップリンク制御チャネルを選択して、前記選択されていない残りのアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記選択されていない残りのアップリンクチャネル内のＰ−ＣＳＩを搬送するためのものとし、ＡＣＫ／ＮＡＣＫ及び/またはＳＲ搬送用の、第２のＴＴＩ長で送信するアップリンク制御チャネルを選択して前記選択されていない残りのアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して前記選択されていない残りのアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記選択されていない残りのアップリンクチャネル内の対応のＵＣＩを搬送するためのものとし、
選択されたアップリンクチャネルが第２のＴＴＩ長で送信するアップリンク共有チャネルであるとき、前記第１のＴＴＩ長の間に複数の第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを搬送し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して前記ＵＣＩを搬送し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【０３０９】
実施では、さらに、第１のＴＴＩ長で送信するアップリンクチャネルの送信電力と、第２のＴＴＩ長で送信するアップリンクチャネルの送信電力との合計が、ＵＥに許容される最大送信電力を超えるかどうかを判定し、最大送信電力を超えると、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信する。
【０３１０】
及び/または、第１のＴＴＩ長で送信するアップリンクチャネルと第２のＴＴＩ長で送信するアップリンクチャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信する。
【０３１１】
及び/または、第１のＴＴＩ長で送信するアップリンク制御チャネルと第２のＴＴＩ長で送信するアップリンク共有チャネルとの同時送信をサポートするかどうかを判定し、及び/または、第１のＴＴＩ長で送信するアップリンク共有チャネルと第２のＴＴＩ長で送信するアップリンク制御チャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定の規則の下で一部のアップリンクチャネルを選択して送信し、残りのアップリンクチャネルでの送信を放棄し、または、残りのアップリンクチャネルをパンクチャリングして送信する。
【０３１２】
ここで、図８において、バスアーキテクチャは、いずれ数の相互接続するバス及びブリッジを備える。具体的なに、プロセッサ８００が代表となる１つまたは複数のプロセッサ及びメモリ８２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機８１０は、複数の部品であることができ、すなわち、送信機及び送受信機を備え、伝送媒体において、たの装置と通信するユニットを提供する。プロセッサ８００は、バズアーキテクチャ及び通常の処理を管理し、メモリ８２０は、プロセッサ８００動作する際に利用するデータを記憶することができる。
【０３１３】
要約すると、本発明の実施例に係る技術案によれば、異なるＴＴＩ長を有するオーバーラップするチャネルでの送信に対する解決策が定義されており、一実装形態では、所定の規則で１種のチャネルを選択し、他のチャネルでの送信を放棄し、または、他の（種類の）チャネルをパンクチャリングして送信する。本発明の実施例による、異なるＴＴＩ長を有するアップリンクチャネルがオーバーラップする場合の送信の解決策では、一方の（種類の）チャネルが所定の規則での下で選択され、他方の（種類の）チャネルの送信は放棄される。または、他方の（種類の）チャネルをパンクチャリングして送信することにより、ＵＥがデータを正しく送信することができる。
【０３１４】
本分野の技術者として、本発明の実施形態が、方法、システムまたはいはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つまたはいは複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置等を含むがそれとは限らない）において実施する。
【０３１５】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、またはいは他のプログラム可能なデータ処理装置設備の処理装置器に提供でき、コンピュータまたはいは他のプログラム可能なデータ処理装置のプロセッサは、これらのコンピュータプログラム指令を実行し、フロー図における一つまたはいは複数のフローおよび／またはブロック図における一つまたはいは複数のブロックに指定する機能を実現する。  
これらのコンピュータプログラム指令は又、コンピュータまたはいは他のプログラム可能なデータ処理装置を特定形態で動作させるコンピュータ読取記憶装置に記憶できる。これによって、指令を含む装置は当該コンピュータ読取記憶装置内の指令を実行でき、フロー図における一つまたはいは複数のフローおよび／またはブロック図における一つまたはいは複数のブロックに指定する機能を実現する。
【０３１６】
これらコンピュータプログラム指令はさらに、コンピュータまたはいは他のプログラム可能なデータ処理装置設備に実装もできる。コンピュータプログラム指令が実装されたコンピュータまたはいは他のプログラム可能設備は、一連の操作ステップを実行することによって、関連の処理を実現し、コンピュータまたはいは他のプログラム可能な設備において実行される指令によって、フロー図における一つまたはいは複数のフローおよび／またはブロック図における一つまたはいは複数のブロックに指定する機能を実現する。  
上述のした実施形態に記述された技術的な解決手段を改造し、またはいはその中の一部の技術要素を置換することもできる。そのような、改造と置換は本発明の各実施形態の技術の範囲から逸脱するとは見なされない。
【０３１７】
無論、当業者によって、上述のした実施形態に記述された技術的な解決手段を改造し、またはいはその中の一部の技術要素を置換することもできる。そのような、改造と置換は本発明の各実施形態の技術の範囲から逸脱するとは見なされない。そのような改造と置換は、すべて本発明の請求の範囲に属する。
【図１】
2019531657.tif 000003
【図２】
2019531657.tif 000004
【図３】
2019531657.tif 000005
【図４】
2019531657.tif 000006
【図５】
2019531657.tif 000007
【図６】
2019531657.tif 000008
【図７】
2019531657.tif 000009
【図８】
2019531657.tif 000010
【手続補正書】
【提出日】平成31年4月23日(2019.4.23)
【手続補正１】
【補正対象書類名】明細書
【補正対象項目名】全文
【補正方法】変更
【補正の内容】
【発明の詳細な説明】
【技術分野】
【０００１】
本発明は、無線通信技術分野に関し、特にデータ伝送のための方法及び装置に関する。
［関連出願の相互参照］
本出願は、２０１６年９月２９日に中国特許局に提出し、出願番号が２０１６１０８６５９７２.６であり、発明名称が「データ伝送のための方法及び装置」との中国特許出願を基礎とする優先権を主張し、その開示の総てをここに取り込む。
【背景技術】
【０００２】
図１は、ロングタームエボリューション（Ｌｏｎｇ Ｔｅｒｍ Ｅｖｏｌｕｔｉｏｎ，ＬＴＥ）周波数分割複信（Ｆｒｅｑｕｅｎｃｙ Ｄｉｖｉｓｉｏｎ Ｄｕｐｌｅｘ，ＦＤＤ）システム用のフレーム構造タイプ１の概略図である。既存のＬＴＥ ＦＤＤシステムではフレーム構造タイプ１（ＦＳ１）が使用され、ＦＳ１（ｆｒａｍｅ ｓｔｒｕｃｔｕｒｅ ｔｙｐｅ １）の構造図は図１に示す通りである。ＦＤＤシステムでは、アップリンク送信とダウンリンク送信は異なるキャリア周波数を利用する。アップリンク送信とダウンリンク送信の両方で同じフレーム構造を利用する。各キャリア上で、１０ｍｓの長さの無線フレームは１０個の１ｍｓサブフレームを含み、各サブフレームはそれぞれ長さ０．５ｍｓの２つのタイムスロットを含む。アップリンクおよびダウンリンクデータを送信するための送信時間間隔（Ｔｒａｎｓｍｉｓｓｉｏｎ Ｔｉｍｅ Ｉｎｔｅｒｖａｌ，ＴＴＩ）の時間長は１ｍｓである。
【０００３】
図２は、ＬＴＥ時分割複信（Ｔｉｍｅ Ｄｉｖｉｓｉｏｎ Ｄｕｐｌｅｘ，ＴＤＤ）システムのためのフレーム構造タイプ２の概略図を示す。既存のＬＴＥ ＴＤＤシステムではフレーム構造タイプ２（ｆｒａｍｅ ｓｔｒｕｃｔｕｒｅ ｔｙｐｅ ２，ＦＳ２）が使用され、ＦＳ２の構造図は図２に示す通りである。ＴＤＤシステムでは、アップリンク及びダウンリンク送信は、同じ周波数上の異なるサブフレームまたはタイムスロットを利用する。ＦＳ２では、各１０ｍｓ無線フレームは２つの５ｍｓ半フレームを含み、各半フレームはそれぞれ１ｍｓの長さを有する５つのサブフレームを含む。ＦＳ２内のサブフレームは、３種類のサブフレーム、すなわち、ダウンリンクサブフレーム、アップリンクサブフレーム、および特殊サブフレームに分類され、各特殊サブフレームは、ダウンリンクパイロットタイムスロット（Ｄｏｗｎｌｉｎｋ Ｐｉｌｏｔ Ｔｉｍｅ Ｓｌｏｔ，ＤｗＰＴＳ）、ガード期間（Ｇｕａｒｄ Ｐｅｒｉｏｄ，ＧＰ）、およびアップリンクパイロットタイムスロット（Ｕｐｌｉｎｋ Ｐｉｌｏｔ Ｔｉｍｅ Ｓｌｏｔ，ＵｐＰＴＳ）を含む。各ハーフフレームは、少なくとも１つのダウンリンクサブフレーム、少なくとも１つのアップリンクサブフレーム、および最大で１つの特殊サブフレームを含む。
【０００４】
ショートＴＴＩ送信の典型的な動作モードは、既存のＬＴＥメカニズムで定義されているサブフレーム構造内に１ｍｓよりショートい複数のショートＴＴＩ送信があることである。アップリンクではショート縮物理アップリンク共有チャネル（ｓｈｏｒｔｅｎｅｄ Ｐｈｙｓｉｃａｌ Ｕｐｌｉｎｋ Ｓｈａｒｅｄ ＣＨａｎｎｅｌ，ｓＰＵＳＣＨ）およびショート縮物理アップリンク制御チャネル（ｓｈｏｒｔｅｎｅｄ Ｐｈｙｓｉｃａｌ Ｕｐｌｉｎｋ Ｃｏｎｔｒｏｌ ＣＨａｎｎｅｌ，ｓＰＵＣＣＨ）がサポートされ、ここで、ｓＰＵＣＣＨは、ショートＴＴＩを利用するダウンリンク送信に対する肯定応答／否定応答（Ａｃｋｎｏｗｌｅｄｇｅｍｅｎｔ／ Ｎｅｇａｔｉｖｅ Ａｃｋｎｏｗｌｅｄｇｅｍｅｎｔ，ＡＣＫ／ＮＡＣＫ）フィードバック情報を搬送するように少なくとも構成される。ショートＴＴＩの長さは、２、３、４、または７個の直交周波数分割多重（Ｏｒｔｈｏｇｏｎａｌ Ｆｒｅｑｕｅｎｃｙ Ｄｉｖｉｓｉｏｎ Ｍｕｌｔｉｐｌｅｘ，ＯＦＤＭ）またはシングルキャリア周波数分割多元接続（Ｓｉｎｇｌｅ−Ｃａｒｒｉｅｒ Ｆｒｅｑｕｅｎｃｙ−Ｄｉｖｉｓｉｏｎ Ｍｕｌｔｉｐｌｅ Ａｃｃｅｓｓ，ＳＣ―ＦＤＭＡ）シンボルであり得る。もちろん、ショートいショートＴＴＩの長さは、代替として、１４以下の別の数のシンボル、または１ｍｓ以下の時間長であり得る。
【０００５】
既存のＴＴＩ送信では、ｓＰＵＣＣＨおよびｓＰＵＳＣＨのＴＴＩ長が同じあると定義されている。レガシー（ｌｅｇａｃｙ）ＴＴＩ（１ｍｓ）を用いてサブフレームで送信するようにスケジューリングされたＵＥは、さらにショートＴＴＩを用いて送信するようにスケジューリングされてもよく、例えば、ｓＰＵＣＣＨおよびＰＵＳＣＨ／ＰＵＣＣＨの両方がある（１ｍｓＴＴＩでの送信）。同じサブフレーム内に、または同じサブフレーム内にｓＰＵＳＣＨおよびＰＵＳＣＨ／ＰＵＣＣＨがある場合、これまで明確な送信解決策は存在しなかった。
【発明の概要】
【発明が解決しようとする課題】
【０００６】
本発明は、データ伝送のための方法及び装置を提供し、異なるＴＴＩ長を有するオーバーラップチャネル上でデータを送信するようにする。
【課題を解決するための手段】
【０００７】
第１の態様によれば、本発明の実施例に係るデータ伝送のための方法は、第１のＴＴＩ長で送信するアップリンクチャネルの送信期間が第２のＴＴＩ長で送信するアップリンクチャネルの送信期間とオーバーラップするかどうかを判定するステップと、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信するステップとを備える。
【０００８】
実施では、前記第１のＴＴＩ長が前記第２のＴＴＩ長より大きい。
【０００９】
実施では、前記アップリンクチャネルは、アップリンク制御チャネル及びアップリンク共有チャネルのうちの少なくとも１つである。
【００１０】
実施では、前記所定のルールは、以下のルールのうちの１つまたは組み合わせであり、
アップリンク制御チャネルを選択し、アップリンク共有チャネルでの送信を放棄するか、またはアップリンク共有チャネルをパンクチャリングして送信し、
第２のＴＴＩ長で送信するアップリンクチャネルを選択し、第１のＴＴＩ長で送信するアップリンクチャネルを放棄するか、または、第１のＴＴＩ長で送信するアップリンクチャネルをパンクチャリングして送信し、
ＵＣＩを搬送するアップリンクチャネルを選択し、ＵＣＩを搬送するアップリンクチャネルが複数ある場合、優先度の高いＵＣＩを搬送するアップリンクチャネルを選択し、優先度の高いＵＣＩを搬送するアップリンクチャネルが複数ある場合、前記ルールを再利用して選択し、残りのアップリンクチャネルを放棄するか、または、残りのアップリンクチャネルをパンクチャリングして送信する。
【００１１】
実施では、さらに、選択されていないアップリンクチャネル上のＵＣＩを所定の規則１の下で選択されたアップリンクチャネルに転送して送信する。 
【００１２】
実施では、第１のＴＴＩ長で送信するルアップリンクチャネルが、第２のＴＴＩ長で送信するアップリンク制御チャネルとオーバーラップする場合、以下の方式の少なくとも１つを適用し、前記アップリンクチャネルは少なくとも１つのアップリンク共有チャネルまたはアップリンク制御チャネルを含み、
第１の方式では、前記第２のＴＴＩ長で送信するアップリンク制御チャネルを選択して送信し、前記第１のＴＴＩ長で送信するアップリンクチャネルを放棄し、または、前記第２のＴＴＩ長で送信するアップリンク制御チャネルとオーバーラップする前記第１のＴＴＩ長で送信するアップリンクチャネル内のシンボル上の情報をパンクチャリングし、
第２の方式では、前記第１のＴＴＩ長で送信するアップリンクチャネルを選択し、前記第２のＴＴＩ長で送信するアップリンク制御チャネルを放棄し、
第３の方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第１の方式または前記第２の方式で同じ優先度のＵＣＩを搬送する複数のチャネルから選択する。
【００１３】
実施では、前記第１の方式を適用する場合、前記第１のＴＴＩ長で送信するアップリンクチャネルで搬送されるＵＣＩを、所定の規則１または所定の規則２の下で前記第２のＴＴＩ長で送信するアップリンク制御チャネルに転送して送信し、前記第２の方式を適用する場合、前記第２のＴＴＩ長で送信するアップリンク制御チャネルで搬送されるＵＣＩを、所定の規則１または所定の規則３の下で前記第１のＴＴＩ長で送信するアップリンクチャネルに転送して送信し、前記第３方式を適用する場合、選択されていないアップリンクチャネル上のＵＣＩを、前記所定の規則１の下で選択されたアップリンクチャネルに転送して送信する。
【００１４】
実施では、前記第１の方式を適用する場合、前記所定の規則２は以下方式のうちの１つまたは組み合わせを含み、
前記第１のＴＴＩ長で送信するアップリンクチャネルで搬送されるＵＣＩのすべてを、前記第２のＴＴＩ長で送信するアップリンク制御チャネルに転送して送信し、
前記第１のＴＴＩ長で送信するアップリンクチャネルで搬送されるＵＣＩがＡＣＫ／ＮＡＣＫ及び/またはＳＲである場合、前記ＵＣＩを前記第２のＴＴＩ長で送信するアップリンク制御チャネルに転送して送信し、前記第１のＴＴＩ長で送信するアップリンクチャネルで搬送されるＵＣＩがＰ−ＣＳＩを含む場合、前記第１のＴＴＩ長で送信するアップリンクチャネルで搬送されるＰ−ＣＳＩを放棄し、または、前記第２のＴＴＩ長で送信するアップリンク制御チャネルにＰ−ＣＳＩが含まれる場合、前記第１のＴＴＩ長で送信するアップリンクチャネルで搬送されるＰ−ＣＳＩを放棄し、前記第２のＴＴＩ長で送信するアップリンク制御チャネルにＰ−ＣＳＩが含まれない場合、前記第１のＴＴＩ長で送信するアップリンクチャネルで搬送されるＰ−ＣＳＩを、第２のＴＴＩ長で送信するアップリンク制御チャネルに転送して送信し、
第１のＴＴＩ長で送信するアップリンクチャネルの送信期間の間に、第２のＴＴＩ長で送信するアップリンク制御チャネル複数があれば、
最初１つのまたは最後１つの第２のＴＴＩ長で送信するアップリンク制御チャネルを選択して前記ＵＣＩを搬送し、または、
Ｐ−ＣＳＩ搬送用の、第２のＴＴＩ長で送信するアップリンク制御チャネルを選択して、前記第１のＴＴＩ長で送信するアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンクチャネル内のＰ−ＣＳＩを搬送し、ＡＣＫ／ＮＡＣＫ及び/またはＳＲ搬送用の、第２のＴＴＩ長で送信するアップリンク制御チャネルを選択して、前記第１のＴＴＩ長で送信するアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記第１のＴＴＩ長で送信するアップリンクチャネル内の対応のＵＣＩを搬送するためのものとし、
前記第２の方式を適用する場合、前記所定の規則３は、以下方式のうちの１つまたは組み合わせを含み、
前記第２のＴＴＩ長で送信するアップリンク制御チャネルで搬送されるＵＣＩすべてを、前記第２のＴＴＩ長で送信するアップリンク制御チャネルで搬送されるＵＣＩすべてを、前記第１のＴＴＩ長で送信するアップリンクチャネルに転送して送信し、
前記第２のＴＴＩ長で送信するアップリンク制御チャネルで搬送されるＵＣＩがＡＣＫ／ＮＡＣＫ及び/またはＳＲである場合、前記ＵＣＩを前記第１のＴＴＩ長で送信するアップリンクチャネルに転送して送信し、前記第２のＴＴＩ長で送信するアップリンク制御チャネルで搬送されるＵＣＩがＰ−ＣＳＩを含む場合、前記第２のＴＴＩ長で送信するアップリンク制御チャネルで搬送されるＰ−ＣＳＩを放棄し、または、前記第１のＴＴＩ長で送信するアップリンクチャネルがＰ−ＣＳＩを搬送する場合、前記第２のＴＴＩ長で送信するアップリンク制御チャネルで搬送されるＰ−ＣＳＩを放棄し、前記第１のＴＴＩ長で送信するアップリンクチャネルがＰ−ＣＳＩを搬送しない場合、前記第２のＴＴＩ長で送信するアップリンク制御チャネルで搬送されるＰ−ＣＳＩを、前記第２のＴＴＩ長で送信するアップリンクチャネルに転送して送信し、
前記第１のＴＴＩ長で送信するアップリンク共有チャネル及び第１のＴＴＩ長で送信するアップリンク制御チャネル両方があれば、そのうちの１つを選択して前記ＵＣＩを搬送し、または、前記ＵＣＩの一部を前記第１のＴＴＩ長で送信するアップリンク共有チャネルで搬送し、前記ＵＣＩの残りの部分を前記第１のＴＴＩ長で送信するアップリンク制御チャネルで搬送し、及び/または、第１のＴＴＩ長で送信するアップリンク共有チャネル複数があれば、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
前記第３方式を適用する場合、選択されたアップリンクチャネルが第２のＴＴＩ長で送信するアップリンク制御チャネルであれば、第１のＴＴＩ長で送信するアップリンクチャネルの送信期間の間に、第２のＴＴＩ長で送信するアップリンク制御チャネル複数があれば、前記所定の規則２の方式で前記ＵＣＩを搬送するチャネルを選択し、選択されたアップリンクチャネルが第１のＴＴＩ長で送信するアップリンクチャネルである場合、第１のＴＴＩ長で送信するアップリンク共有チャネル及びアップリンク制御チャネル両方があるか、または、複数の第１のＴＴＩ長で送信するアップリンク共有チャネルがあれば、前記所定の規則３の方式で、前記ＵＣＩを搬送するチャネルを選択する。
【００１５】
実施では、第１のＴＴＩ長で送信するアップリンク共有チャネルが第２のＴＴＩ長で送信するアップリンク共有チャネルとオーバーラップする場合、以下の方式の少なくとも１つを適用し、
第４方式では、前記第２のＴＴＩ長で送信するアップリンク共有チャネルを選択して送信し、前記第１のＴＴＩ長で送信するアップリンク共有チャネルを放棄し、または、前記第２のＴＴＩ長で送信するアップリンク共有チャネルとオーバーラップする、前記第１のＴＴＩ長で送信するアップリンク共有チャネル内のシンボル上の情報をパンクチャリングし、
第５方式では、前記第１のＴＴＩ長で送信するアップリンク共有チャネルを選択して送信し、前記第２のＴＴＩ長で送信するアップリンク共有チャネルを放棄し、
第６方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第３方式または前記第４方式で同じ優先度のＵＣＩを搬送する複数のチャネルから選択する。
【００１６】
実施では、前記第４方式が適用される場合、前記第１のＴＴＩ長で送信するアップリンク共有チャネルで搬送されるＵＣＩを、所定の規則１または所定の規則４の下で前記第２のＴＴＩ長で送信するアップリンク共有チャネルに転送して送信し、前記第５方式が適用される場合、前記第２のＴＴＩ長で送信するアップリンク共有チャネルで搬送されるＵＣＩを、所定の規則１または所定の規則５の下で前記第１のＴＴＩ長で送信するアップリンク共有チャネルに転送して送信し、前記第６方式が適用される場合、選択されていないアップリンクチャネル上のＵＣＩを所定の規則１の下で選択されたアップリンクチャネルに転送して送信する。
【００１７】
実施では、前記第４方式が適用される場合、前記所定の規則４は、以下方式のうちの１つまたは組み合わせを含み、
前記第１のＴＴＩ長で送信するアップリンク共有チャネルで搬送されるＵＣＩすべてを、前記第２のＴＴＩ長で送信するアップリンク共有チャネルに転送して送信し、
前記第１のＴＴＩ長で送信するアップリンク共有チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク共有チャネルで搬送されるＵＣＩがＰ−ＣＳＩを含む場合、前記第１のＴＴＩ長で送信するアップリンク共有チャネルで搬送されるＰ−ＣＳＩを放棄し、または、前記第２のＴＴＩ長で送信するアップリンク共有チャネルがＰ−ＣＳＩを搬送している場合、前記第１のＴＴＩ長で送信するアップリンク共有チャネルで搬送されるＰ−ＣＳＩを放棄し、前記第２のＴＴＩ長で送信するアップリンク共有チャネルがＰ−ＣＳＩを搬送していない場合、前記第１のＴＴＩ長で送信するアップリンク共有チャネルで搬送されるＰ−ＣＳＩを、前記第２のＴＴＩ長で送信するアップリンク共有チャネルに転送して送信し、
第１のＴＴＩ長で送信するアップリンク共有チャネルの送信期間に第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第５方式が適用される場合、前記所定の規則５は以下方式のうちの１つまたは組み合わせを含み、
前記第２のＴＴＩ長で送信するアップリンク共有チャネルで搬送されるＵＣＩすべてを、前記第１のＴＴＩ長で送信するアップリンク共有チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク共有チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク共有チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク共有チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク共有チャネルに転送して送信し、
第１のＴＴＩ長で送信するアップリンク共有チャネル複数があれば、ＰＣＣに前記第１のＴＴＩ長で送信するアップリンク共有チャネルがある場合、ＰＣＣ上の前記第１のＴＴＩ長送信するアップリンク共有チャネルを選択して、前記ｓＰＵＳＣＨ上のＵＣＩを送信し、ＰＣＣに第１のＴＴＩ長で送信するアップリンク共有チャネルがなければ、前記第１のＴＴＩ長で送信するアップリンク共有チャネルを有するＳＣＣのうちの最小キャリアインデックスのＳＣＣ上の前記第１のＴＴＩ長で送信するアップリンク共有チャネルを選択して、前記ｓＰＵＳＣＨ上のＵＣＩを送信し、前記選択された第１のＴＴＩ長で送信するアップリンク共有チャネルがＲＡＲ ｇｒａｎｔに対応するアップリンク共有チャネルである場合、前記ＵＣＩを送信しない、
前記第６方式が適用される場合、選択されたアップリンクチャネルが第２のＴＴＩ長で送信するアップリンク共有チャネルであるとき、第１のＴＴＩ長で送信するアップリンク共有チャネルの送信期間に第２のＴＴＩ長で送信するアップリンク共有チャネル複数があれば、前記所定の規則４の方式で、ＵＣＩを搬送するチャネルを選択し、選択されたアップリンクチャネルが第１のＴＴＩ長で送信するアップリンク共有チャネルであるとき、第１のＴＴＩ長で送信するアップリンク共有チャネル複数があれば、前記所定の規則５の方式で、ＵＣＩを搬送するチャネルを選択する。
【００１８】
実施では、第１のＴＴＩ長で送信するアップリンク制御チャネルが、第２のＴＴＩ長で送信するアップリンク共有チャネルとオーバーラップする場合、以下の方式の少なくとも１つを適用し、
第７方式では、前記第２のＴＴＩ長で送信するアップリンク共有チャネルを選択して送信し、前記第１のＴＴＩ長で送信するアップリンク制御チャネルを放棄し、または、前記第２のＴＴＩ長で送信するアップリンク共有チャネルとオーバーラップする前記第１のＴＴＩ長で送信するアップリンク制御チャネル内のシンボル上の情報をパンクチャリングし、
第８方式では、前記第１のＴＴＩ長で送信するアップリンク制御チャネルを選択して送信し、前記第２のＴＴＩ長で送信するアップリンク共有チャネルを放棄し、
第９方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第７方式または前記第８方式で同じ優先度のＵＣＩを搬送する複数のチャネルから選択する。
【００１９】
実施では、前記第７方式が適用される場合、前記第１のＴＴＩ長で送信するアップリンク制御チャネルで搬送されるＵＣＩを、所定の規則１または所定の規則６の下で前記第２のＴＴＩ長で送信するアップリンク共有チャネルに転送して送信し、前記第８方式が適用される場合、前記第２のＴＴＩ長で送信するアップリンク共有チャネルがＵＣＩを搬送している場合、前記ＵＣＩを所定の規則１または所定の規則７の下で前記第１のＴＴＩ長で送信するアップリンク制御チャネルに転送して送信し、前記第９方式が適用される場合、選択されていないアップリンクチャネル上のＵＣＩを所定の規則１の下で選択されたアップリンクチャネルに転送して送信する。
【００２０】
実施では、前記第７方式が適用される場合、前記所定の規則６は、以下方式のうちの１つまたは組み合わせを含み、
前記第１のＴＴＩ長で送信するアップリンク制御チャネルで搬送されるＵＣＩすべてを、前記第２のＴＴＩ長で送信するアップリンク共有チャネルに転送して送信し、
前記第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク制御チャネルで搬送されるＵＣＩがＰ−ＣＳＩを含む場合、前記第１のＴＴＩ長で送信するアップリンク制御チャネルで搬送されるＰ−ＣＳＩを放棄し、または、前記第２のＴＴＩ長で送信するアップリンク共有チャネルがＰ−ＣＳＩを搬送する場合、前記第１のＴＴＩ長で送信するアップリンク制御チャネルで搬送されるＰ−ＣＳＩを放棄し、前記第２のＴＴＩ長で送信するアップリンク共有チャネルがＰ−ＣＳＩを搬送しない場合、前記第１のＴＴＩ長で送信するアップリンク制御チャネルで搬送されるＰ−ＣＳＩを、前記第２のＴＴＩ長で送信するアップリンク共有チャネルに転送して送信し、
第１のＴＴＩ長で送信するアップリンク制御チャネルの送信期間に複数の第２のＴＴＩ長で送信するアップリンク共有チャネル複数がある場合、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第８方式が適用される場合、前記所定の規則７は、以下方式のうちの１つまたは組み合わせを含み、
前記第２のＴＴＩ長で送信するアップリンク共有チャネルで搬送されるＵＣＩの全てを、前記第１のＴＴＩ長で送信するアップリンク制御チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク制御チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク制御チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク制御チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク制御チャネルに転送して送信し、
前記第９方式が適用される場合、選択されたアップリンクチャネルが第２のＴＴＩ長で送信するアップリンク共有チャネルであるとき、第１のＴＴＩ長で送信するアップリンク制御チャネルの送信期間に複数の第２のＴＴＩ長で送信するアップリンク共有チャネル複数がある場合、前記所定の規則７の方式でＵＣＩを搬送するチャネルを選択する。
【００２１】
実施では、前記ＵＣＩ優先度は、ＳＲの優先度がＡＣＫ／ＮＡＣＫの優先度以上であり、ＡＣＫ／ＮＡＣＫの優先度がＰ−ＣＳＩの優先度よりも高い。
【００２２】
実施では、前記所定の規則１は、以下方式のうちの１つまたは組み合わせを含み、
選択されていないアップリンクチャネル上のＵＣＩを選択されたアップリンクチャネルに転送して送信し、
選択されていないアップリンクチャネル上のＵＣＩがＡＣＫ／ＮＡＣＫ及び/またはＳＲである場合、前記ＵＣＩを選択されたアップリンクチャネルに転送して送信し、選択されていないアップリンクチャネル上のＵＣＩがＰ−ＣＳＩを含む場合、前記選択されていないアップリンクチャネル上のＰ−ＣＳＩを放棄し、または、選択されたアップリンクチャネルがＰ−ＣＳＩを搬送している場合、前記選択されていないアップリンクチャネル上のＰ−ＣＳＩを放棄し、選択されたアップリンクチャネルがＰ−ＣＳＩを搬送していない場合、選択されていないチャネルで搬送されるＰ−ＣＳＩを、選択されたアップリンクチャネルに転送して送信し、
選択されたアップリンクチャネルが第１のＴＴＩ長で送信するアップリンクチャネルである場合は、第１のＴＴＩ長で送信するアップリンク共有チャネル及び第１のＴＴＩ長で送信するアップリンク制御チャネル両方があるとき、そのうちの１つを選択して前記ＵＣＩを搬送し、または、前記ＵＣＩの一部を第１のＴＴＩ長で送信するアップリンク共有チャネルで搬送されるようにし、前記ＵＣＩの残りの部分を第１のＴＴＩ長で送信するアップリンク制御チャネルで搬送されるようにし、第１のＴＴＩ長を利用するアップリンク共有チャネル複数がある場合、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
選択されたアップリンクチャネルが第２のＴＴＩ長で送信するアップリンク制御チャネルであれば、前記第１のＴＴＩ長の間に第２のＴＴＩ長で送信するアップリンク制御チャネル複数があるとき、最初１つのまたは最後１つの第２のＴＴＩ長で送信するアップリンク制御チャネルを選択して前記ＵＣＩを搬送し、または、Ｐ−ＣＳＩ搬送用の、第２のＴＴＩ長で送信するアップリンク制御チャネルを選択して、前記選択されていないアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記選択されていないアップリンクチャネル内のＰ−ＣＳＩを搬送するためのものとし、ＡＣＫ／ＮＡＣＫ及び/またはＳＲ搬送用の、第２のＴＴＩ長で送信するアップリンク制御チャネルを選択して前記選択されていないアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して前記選択されていないアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記選択されていないアップリンクチャネル内の対応のＵＣＩを搬送するためのものとし、
選択されたアップリンクチャネルが第２のＴＴＩ長で送信するアップリンク共有チャネルであるとき、前記第１のＴＴＩ長の間に複数の第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを搬送し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して前記ＵＣＩを搬送し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【００２３】
実施では、さらに、
第１のＴＴＩ長で送信するアップリンクチャネルの送信電力と、第２のＴＴＩ長で送信するアップリンクチャネルの送信電力との合計が、ＵＥに許容される最大送信電力を超えるかどうかを判定し、最大送信電力を超えると、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信し、及び/または、
第１のＴＴＩ長で送信するアップリンクチャネルと第２のＴＴＩ長で送信するアップリンクチャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信し、及び/または、
第１のＴＴＩ長で送信するアップリンク制御チャネルと第２のＴＴＩ長で送信するアップリンク共有チャネルとの同時送信をサポートするかどうかを判定し、及び/または、第１のＴＴＩ長で送信するアップリンク共有チャネルと第２のＴＴＩ長で送信するアップリンク制御チャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信する。
【００２４】
第２の態様によれば、本発明の実施例に係るデータ伝送のための方法は、第１のＴＴＩ長で送信するアップリンクチャネルの送信期間が第２のＴＴＩ長で送信するアップリンクチャネルの送信期間とオーバーラップするかどうかを判定するステップと、オーバーラップすると判定した場合、ＵＥが所定のルールの下でアップリンクチャネルを選択して送信することを決定し、残りのアップリンクチャネルを放棄するか、または、残りのアップリンクチャネルをパンクチャリングして送信するステップとを備える。
【００２５】
実施では、前記第１のＴＴＩ長が前記第２のＴＴＩ長より大きい。
【００２６】
実施では、前記アップリンクチャネルは、アップリンク制御チャネル及びアップリンク共有チャネルのうちの少なくとも１つである。
【００２７】
実施では、前記所定のルールは、以下のルールのうちの１つまたは組み合わせであり、
アップリンク制御チャネルを選択し、アップリンク共有チャネルでの送信を放棄するか、またはアップリンク共有チャネルをパンクチャリングして送信し、
第２のＴＴＩ長で送信するアップリンクチャネルを選択し、第１のＴＴＩ長で送信するアップリンクチャネルを放棄するか、または、第１のＴＴＩ長で送信するアップリンクチャネルをパンクチャリングして送信し、
ＵＣＩを搬送するアップリンクチャネルを選択し、ＵＣＩを搬送するアップリンクチャネルが複数ある場合、優先度の高いＵＣＩを搬送するアップリンクチャネルを選択し、優先度の高いＵＣＩを搬送するアップリンクチャネルが複数ある場合、前記ルールを再利用して選択し、残りのアップリンクチャネルを放棄するか、または、残りのアップリンクチャネルをパンクチャリングして送信する。
【００２８】
実施では、さらに、ＵＥが選択されていないアップリンクチャネル上のＵＣＩを所定の規則１の下で選択されたアップリンクチャネルに転送して送信することを決定する。 
【００２９】
実施では、第１のＴＴＩ長で送信するルアップリンクチャネルが、第２のＴＴＩ長で送信するアップリンク制御チャネルとオーバーラップする場合、以下の方式の少なくとも１つを適用し、前記アップリンクチャネルは少なくとも１つのアップリンク共有チャネルまたはアップリンク制御チャネルを含み、
第１の方式では、以下のことを決定し、ＵＥが前記第２のＴＴＩ長で送信するアップリンク制御チャネルを選択して送信し、前記第１のＴＴＩ長で送信するアップリンクチャネルを放棄し、または、前記第２のＴＴＩ長で送信するアップリンク制御チャネルとオーバーラップする前記第１のＴＴＩ長で送信するアップリンクチャネル内のシンボル上の情報をパンクチャリングし、
第２の方式では、ＵＥが前記第１のＴＴＩ長で送信するアップリンク共有チャネル及び/またはアップリンク制御チャネルを選択し、前記第２のＴＴＩ長で送信するアップリンク制御チャネルを放棄することを決定し、
第３の方式では、以下のことを決定し、ＵＥがＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第１の方式または前記第２の方式で同じ優先度のＵＣＩを搬送する複数のチャネルから選択する。
【００３０】
実施では、前記第１の方式をを適用する場合、以下のことを決定し、ＵＥが前記第１のＴＴＩ長で送信するアップリンクチャネルで搬送されるＵＣＩを、所定の規則１または所定の規則２の下で前記第２のＴＴＩ長で送信するアップリンク制御チャネルに転送して送信し、前記第２の方式をを適用する場合、以下のことを決定し、ＵＥが前記第２のＴＴＩ長で送信するアップリンク制御チャネルで搬送されるＵＣＩを、所定の規則１または所定の規則３の下で前記第１のＴＴＩ長で送信するアップリンクチャネルに転送して送信し、前記第３方式を適用する場合、以下のことを決定し、ＵＥが選択されていないアップリンクチャネル上のＵＣＩを、前記所定の規則１の下で選択されたアップリンクチャネルに転送して送信する。
【００３１】
実施では、前記第１の方式を適用する場合、前記所定の規則２は以下方式のうちの１つまたは組み合わせを含み、
前記第１のＴＴＩ長で送信するアップリンクチャネルで搬送されるＵＣＩのすべてを、前記第２のＴＴＩ長で送信するアップリンク制御チャネルに転送して送信し、
前記第１のＴＴＩ長で送信するアップリンクチャネルで搬送されるＵＣＩがＡＣＫ／ＮＡＣＫ及び/またはＳＲである場合、前記ＵＣＩを前記第２のＴＴＩ長で送信するアップリンク制御チャネルに転送して送信し、前記第１のＴＴＩ長で送信するアップリンクチャネルで搬送されるＵＣＩがＰ−ＣＳＩを含む場合、前記第１のＴＴＩ長で送信するアップリンクチャネルで搬送されるＰ−ＣＳＩを放棄し、または、前記第２のＴＴＩ長で送信するアップリンク制御チャネルにＰ−ＣＳＩが含まれる場合、前記第１のＴＴＩ長で送信するアップリンクチャネルで搬送されるＰ−ＣＳＩを放棄し、前記第２のＴＴＩ長で送信するアップリンク制御チャネルにＰ−ＣＳＩが含まれない場合、前記第１のＴＴＩ長で送信するアップリンクチャネルで搬送されるＰ−ＣＳＩを、第２のＴＴＩ長で送信するアップリンク制御チャネルに転送して送信し、
第１のＴＴＩ長で送信するアップリンクチャネルの送信期間の間に、第２のＴＴＩ長で送信するアップリンク制御チャネル複数があれば、
最初１つのまたは最後１つの第２のＴＴＩ長で送信するアップリンク制御チャネルを選択して前記ＵＣＩを搬送し、または、
Ｐ−ＣＳＩ搬送用の、第２のＴＴＩ長で送信するアップリンク制御チャネルを選択して、前記第１のＴＴＩ長で送信するアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンクチャネル内のＰ−ＣＳＩを搬送し、ＡＣＫ／ＮＡＣＫ及び/またはＳＲ搬送用の、第２のＴＴＩ長で送信するアップリンク制御チャネルを選択して、前記第１のＴＴＩ長で送信するアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記第１のＴＴＩ長で送信するアップリンクチャネル内の対応のＵＣＩを搬送するためのものとし、
前記第２の方式を適用する場合、前記所定の規則３は、以下方式のうちの１つまたは組み合わせを含み、
前記第２のＴＴＩ長で送信するアップリンク制御チャネルで搬送されるＵＣＩすべてを、前記第２のＴＴＩ長で送信するアップリンク制御チャネルで搬送されるＵＣＩすべてを、前記第１のＴＴＩ長で送信するアップリンクチャネルに転送して送信し、
前記第２のＴＴＩ長で送信するアップリンク制御チャネルで搬送されるＵＣＩがＡＣＫ／ＮＡＣＫ及び/またはＳＲである場合、前記ＵＣＩを前記第１のＴＴＩ長で送信するアップリンクチャネルに転送して送信し、前記第２のＴＴＩ長で送信するアップリンク制御チャネルで搬送されるＵＣＩがＰ−ＣＳＩを含む場合、前記第２のＴＴＩ長で送信するアップリンク制御チャネルで搬送されるＰ−ＣＳＩを放棄し、または、前記第１のＴＴＩ長で送信するアップリンクチャネルがＰ−ＣＳＩを搬送する場合、前記第２のＴＴＩ長で送信するアップリンク制御チャネルで搬送されるＰ−ＣＳＩを放棄し、前記第１のＴＴＩ長で送信するアップリンクチャネルがＰ−ＣＳＩを搬送しない場合、前記第２のＴＴＩ長で送信するアップリンク制御チャネルで搬送されるＰ−ＣＳＩを、前記第２のＴＴＩ長で送信するアップリンクチャネルに転送して送信し、
前記第１のＴＴＩ長で送信するアップリンク共有チャネル及び第１のＴＴＩ長で送信するアップリンク制御チャネル両方があれば、そのうちの１つを選択して前記ＵＣＩを搬送し、または、前記ＵＣＩの一部を前記第１のＴＴＩ長で送信するアップリンク共有チャネルで搬送し、前記ＵＣＩの残りの部分を前記第１のＴＴＩ長で送信するアップリンク制御チャネルで搬送し、及び/または、第１のＴＴＩ長で送信するアップリンク共有チャネル複数があれば、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
前記第３方式を適用する場合、選択されたアップリンクチャネルが第２のＴＴＩ長で送信するアップリンク制御チャネルであれば、第１のＴＴＩ長で送信するアップリンクチャネルの送信期間の間に、第２のＴＴＩ長で送信するアップリンク制御チャネル複数があれば、前記所定の規則２の方式で前記ＵＣＩを搬送するチャネルを選択し、選択されたアップリンクチャネルが第１のＴＴＩ長で送信するアップリンクチャネルである場合、第１のＴＴＩ長で送信するアップリンク共有チャネル及びアップリンク制御チャネル両方があるか、または、複数の第１のＴＴＩ長で送信するアップリンク共有チャネルがあれば、前記所定の規則３の方式で、前記ＵＣＩを搬送するチャネルを選択する。
【００３２】
実施では、第１のＴＴＩ長で送信するアップリンク共有チャネルが第２のＴＴＩ長で送信するアップリンク共有チャネルとオーバーラップする場合、以下の方式の少なくとも１つを適用し、
第４方式では、以下のことを決定し、ＵＥが前記第２のＴＴＩ長で送信するアップリンク共有チャネルを選択して送信し、前記第１のＴＴＩ長で送信するアップリンク共有チャネルを放棄し、または、前記第２のＴＴＩ長で送信するアップリンク共有チャネルとオーバーラップする、前記第１のＴＴＩ長で送信するアップリンク共有チャネル内のシンボル上の情報をパンクチャリングし、
第５方式では、以下のことを決定し、ＵＥが前記第１のＴＴＩ長で送信するアップリンク共有チャネルを選択して送信し、前記第２のＴＴＩ長で送信するアップリンク共有チャネルを放棄し、
第６方式では、以下のことを決定し、ＵＥがＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第３方式または前記第４方式で同じ優先度のＵＣＩを搬送する複数のチャネルから選択する。
【００３３】
実施では、前記第４方式が適用される場合、以下のことを決定し、ＵＥが前記第１のＴＴＩ長で送信するアップリンク共有チャネルで搬送されるＵＣＩを、所定の規則１または所定の規則４の下で前記第２のＴＴＩ長で送信するアップリンク共有チャネルに転送して送信し、 前記第５方式が適用される場合、以下のことを決定し、ＵＥが前記第２のＴＴＩ長で送信するアップリンク共有チャネルで搬送されるＵＣＩを、所定の規則１または所定の規則５の下で前記第１のＴＴＩ長で送信するアップリンク共有チャネルに転送して送信し、前記第６方式が適用される場合、ＵＥが選択されていないアップリンクチャネル上のＵＣＩを所定の規則１の下で選択されたアップリンクチャネルに転送して送信することを決定する。
【００３４】
実施では、前記第４方式が適用される場合、前記所定の規則４は、以下方式のうちの１つまたは組み合わせを含み、
前記第１のＴＴＩ長で送信するアップリンク共有チャネルで搬送されるＵＣＩすべてを、前記第２のＴＴＩ長で送信するアップリンク共有チャネルに転送して送信し、
前記第１のＴＴＩ長で送信するアップリンク共有チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク共有チャネルで搬送されるＵＣＩがＰ−ＣＳＩを含む場合、前記第１のＴＴＩ長で送信するアップリンク共有チャネルで搬送されるＰ−ＣＳＩを放棄し、または、前記第２のＴＴＩ長で送信するアップリンク共有チャネルがＰ−ＣＳＩを搬送している場合、前記第１のＴＴＩ長で送信するアップリンク共有チャネルで搬送されるＰ−ＣＳＩを放棄し、前記第２のＴＴＩ長で送信するアップリンク共有チャネルがＰ−ＣＳＩを搬送していない場合、前記第１のＴＴＩ長で送信するアップリンク共有チャネルで搬送されるＰ−ＣＳＩを、前記第２のＴＴＩ長で送信するアップリンク共有チャネルに転送して送信し、
第１のＴＴＩ長で送信するアップリンク共有チャネルの送信期間に第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第５方式が適用される場合、前記所定の規則５は以下方式のうちの１つまたは組み合わせを含み、
前記第２のＴＴＩ長で送信するアップリンク共有チャネルで搬送されるＵＣＩすべてを、前記第１のＴＴＩ長で送信するアップリンク共有チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク共有チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク共有チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク共有チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク共有チャネルに転送して送信し、
第１のＴＴＩ長で送信するアップリンク共有チャネル複数があれば、ＰＣＣに前記第１のＴＴＩ長で送信するアップリンク共有チャネルがある場合、ＰＣＣ上の前記第１のＴＴＩ長送信するアップリンク共有チャネルを選択して、前記ｓＰＵＳＣＨ上のＵＣＩを送信し、ＰＣＣに第１のＴＴＩ長で送信するアップリンク共有チャネルがなければ、前記第１のＴＴＩ長で送信するアップリンク共有チャネルを有するＳＣＣのうちの最小キャリアインデックスのＳＣＣ上の前記第１のＴＴＩ長で送信するアップリンク共有チャネルを選択して、前記ｓＰＵＳＣＨ上のＵＣＩを送信し、前記選択された第１のＴＴＩ長で送信するアップリンク共有チャネルがＲＡＲ ｇｒａｎｔに対応するアップリンク共有チャネルである場合、前記ＵＣＩを送信しない、
前記第６方式が適用される場合、選択されたアップリンクチャネルが第２のＴＴＩ長で送信するアップリンク共有チャネルであるとき、第１のＴＴＩ長で送信するアップリンク共有チャネルの送信期間に第２のＴＴＩ長で送信するアップリンク共有チャネル複数があれば、前記所定の規則４の方式で、ＵＣＩを搬送するチャネルを選択し、選択されたアップリンクチャネルが第１のＴＴＩ長で送信するアップリンク共有チャネルであるとき、第１のＴＴＩ長で送信するアップリンク共有チャネル複数があれば、前記所定の規則５の方式で、ＵＣＩを搬送するチャネルを選択する。
【００３５】
実施では、第１のＴＴＩ長で送信するアップリンク制御チャネルが、第２のＴＴＩ長で送信するアップリンク共有チャネルとオーバーラップする場合、以下の方式の少なくとも１つを適用し、
第７方式では、以下のことを決定し、ＵＥが前記第２のＴＴＩ長で送信するアップリンク共有チャネルを選択して送信し、前記第１のＴＴＩ長で送信するアップリンク制御チャネルを放棄し、または、前記第２のＴＴＩ長で送信するアップリンク共有チャネルとオーバーラップする前記第１のＴＴＩ長で送信するアップリンク制御チャネル内のシンボル上の情報をパンクチャリングし、
第８方式では、以下のことを決定し、ＵＥが前記第１のＴＴＩ長で送信するアップリンク制御チャネルを選択して送信し、前記第２のＴＴＩ長で送信するアップリンク共有チャネルを放棄し、
第９方式では、以下のことを決定し、ＵＥがＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第７方式または前記第８方式で同じ優先度のＵＣＩを搬送する複数のチャネルから選択する。
【００３６】
実施では、前記第７方式が適用される場合、以下のことを決定し、ＵＥが前記第１のＴＴＩ長で送信するアップリンク制御チャネルで搬送されるＵＣＩを、所定の規則１または所定の規則６の下で前記第２のＴＴＩ長で送信するアップリンク共有チャネルに転送して送信し、前記第８方式が適用される場合、前記第２のＴＴＩ長で送信するアップリンク共有チャネルがＵＣＩを搬送している場合、ＵＥが前記ＵＣＩを所定の規則１または所定の規則７の下で前記第１のＴＴＩ長で送信するアップリンク制御チャネルに転送して送信することを決定し、前記第９方式が適用される場合、ＵＥが選択されていないアップリンクチャネル上のＵＣＩを所定の規則１の下で選択されたアップリンクチャネルに転送して送信することを決定する。
【００３７】
実施では、前記第７方式が適用される場合、前記所定の規則６は、以下方式のうちの１つまたは組み合わせを含み、
前記第１のＴＴＩ長で送信するアップリンク制御チャネルで搬送されるＵＣＩすべてを、前記第２のＴＴＩ長で送信するアップリンク共有チャネルに転送して送信し、
前記第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク制御チャネルで搬送されるＵＣＩがＰ−ＣＳＩを含む場合、前記第１のＴＴＩ長で送信するアップリンク制御チャネルで搬送されるＰ−ＣＳＩを放棄し、または、前記第２のＴＴＩ長で送信するアップリンク共有チャネルがＰ−ＣＳＩを搬送する場合、前記第１のＴＴＩ長で送信するアップリンク制御チャネルで搬送されるＰ−ＣＳＩを放棄し、前記第２のＴＴＩ長で送信するアップリンク共有チャネルがＰ−ＣＳＩを搬送しない場合、前記第１のＴＴＩ長で送信するアップリンク制御チャネルで搬送されるＰ−ＣＳＩを、前記第２のＴＴＩ長で送信するアップリンク共有チャネルに転送して送信し、
第１のＴＴＩ長で送信するアップリンク制御チャネルの送信期間に複数の第２のＴＴＩ長で送信するアップリンク共有チャネル複数がある場合、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第８方式が適用される場合、前記所定の規則７は、以下方式のうちの１つまたは組み合わせを含み、
前記第２のＴＴＩ長で送信するアップリンク共有チャネルで搬送されるＵＣＩの全てを、前記第１のＴＴＩ長で送信するアップリンク制御チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク制御チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク制御チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク制御チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク制御チャネルに転送して送信し、
前記第９方式が適用される場合、選択されたアップリンクチャネルが第２のＴＴＩ長で送信するアップリンク共有チャネルであるとき、第１のＴＴＩ長で送信するアップリンク制御チャネルの送信期間に複数の第２のＴＴＩ長で送信するアップリンク共有チャネル複数がある場合、前記所定の規則７の方式でＵＣＩを搬送するチャネルを選択する。
【００３８】
実施では、前記ＵＣＩ優先度は、ＳＲの優先度がＡＣＫ／ＮＡＣＫの優先度以上であり、ＡＣＫ／ＮＡＣＫの優先度がＰ−ＣＳＩの優先度よりも高い。
【００３９】
実施では、前記所定の規則１は、以下方式のうちの１つまたは組み合わせを含み、
選択されていないアップリンクチャネル上のＵＣＩを選択されたアップリンクチャネルに転送して送信し、
選択されていないアップリンクチャネル上のＵＣＩがＡＣＫ／ＮＡＣＫ及び/またはＳＲである場合、前記ＵＣＩを選択されたアップリンクチャネルに転送して送信し、選択されていないアップリンクチャネル上のＵＣＩがＰ−ＣＳＩを含む場合、前記選択されていないアップリンクチャネル上のＰ−ＣＳＩを放棄し、または、選択されたアップリンクチャネルがＰ−ＣＳＩを搬送している場合、前記選択されていないアップリンクチャネル上のＰ−ＣＳＩを放棄し、選択されたアップリンクチャネルがＰ−ＣＳＩを搬送していない場合、選択されていないチャネルで搬送されるＰ−ＣＳＩを、選択されたアップリンクチャネルに転送して送信し、
選択されたアップリンクチャネルが第１のＴＴＩ長で送信するアップリンクチャネルである場合は、第１のＴＴＩ長で送信するアップリンク共有チャネル及び第１のＴＴＩ長で送信するアップリンク制御チャネル両方があるとき、そのうちの１つを選択して前記ＵＣＩを搬送し、または、前記ＵＣＩの一部を第１のＴＴＩ長で送信するアップリンク共有チャネルで搬送されるようにし、前記ＵＣＩの残りの部分を第１のＴＴＩ長で送信するアップリンク制御チャネルで搬送されるようにし、第１のＴＴＩ長を利用するアップリンク共有チャネル複数がある場合、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
選択されたアップリンクチャネルが第２のＴＴＩ長で送信するアップリンク制御チャネルであれば、前記第１のＴＴＩ長の間に第２のＴＴＩ長で送信するアップリンク制御チャネル複数があるとき、最初１つのまたは最後１つの第２のＴＴＩ長で送信するアップリンク制御チャネルを選択して前記ＵＣＩを搬送し、または、Ｐ−ＣＳＩ搬送用の、第２のＴＴＩ長で送信するアップリンク制御チャネルを選択して、前記選択されていないアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記選択されていないアップリンクチャネル内のＰ−ＣＳＩを搬送するためのものとし、ＡＣＫ／ＮＡＣＫ及び/またはＳＲ搬送用の、第２のＴＴＩ長で送信するアップリンク制御チャネルを選択して前記選択されていないアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して前記選択されていないアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記選択されていないアップリンクチャネル内の対応のＵＣＩを搬送するためのものとし、
選択されたアップリンクチャネルが第２のＴＴＩ長で送信するアップリンク共有チャネルであるとき、前記第１のＴＴＩ長の間に複数の第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを搬送し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して前記ＵＣＩを搬送し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【００４０】
実施では、さらに、ＵＥが下記のステップで動作することを決定し、
第１のＴＴＩ長で送信するアップリンクチャネルの送信電力と、第２のＴＴＩ長で送信するアップリンクチャネルの送信電力との合計が、ＵＥに許容される最大送信電力を超えるかどうかを判定し、最大送信電力を超えると、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信し、及び/または、
第１のＴＴＩ長で送信するアップリンクチャネルと第２のＴＴＩ長で送信するアップリンクチャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信し、及び/または、
第１のＴＴＩ長で送信するアップリンク制御チャネルと第２のＴＴＩ長で送信するアップリンク共有チャネルとの同時送信をサポートするかどうかを判定し、及び/または、第１のＴＴＩ長で送信するアップリンク共有チャネルと第２のＴＴＩ長で送信するアップリンク制御チャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信する。
【００４１】
第３の態様によれば、本発明の実施例に係るデータ伝送のための装置は、第１のＴＴＩ長で送信するアップリンクチャネルの送信期間が第２のＴＴＩ長で送信するアップリンクチャネルの送信期間とオーバーラップするかどうかを判定するように構成される、第１の決定モジュールと、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信する用に構成される、送信モジュールとを備える。
【００４２】
実施では、前記第１のＴＴＩ長が前記第２のＴＴＩ長より大きい。
【００４３】
実施では、前記アップリンクチャネルは、アップリンク制御チャネル及びアップリンク共有チャネルのうちの少なくとも１つである。
【００４４】
実施では、前記所定のルールは、以下のルールのうちの１つまたは組み合わせであり、
アップリンク制御チャネルを選択し、アップリンク共有チャネルでの送信を放棄するか、またはアップリンク共有チャネルをパンクチャリングして送信し、
第２のＴＴＩ長で送信するアップリンクチャネルを選択し、第１のＴＴＩ長で送信するアップリンクチャネルを放棄するか、または、第１のＴＴＩ長で送信するアップリンクチャネルをパンクチャリングして送信し、
ＵＣＩを搬送するアップリンクチャネルを選択し、ＵＣＩを搬送するアップリンクチャネルが複数ある場合、優先度の高いＵＣＩを搬送するアップリンクチャネルを選択し、優先度の高いＵＣＩを搬送するアップリンクチャネルが複数ある場合、前記ルールを再利用して選択し、残りのアップリンクチャネルを放棄するか、または、残りのアップリンクチャネルをパンクチャリングして送信する。
【００４５】
実施では、さらに、選択されていないアップリンクチャネル上のＵＣＩを所定の規則１の下で選択されたアップリンクチャネルに転送して送信する。
【００４６】
実施では、第１のＴＴＩ長で送信するルアップリンクチャネルが、第２のＴＴＩ長で送信するアップリンク制御チャネルとオーバーラップする場合、以下の方式の少なくとも１つを適用し、前記アップリンクチャネルは少なくとも１つのアップリンク共有チャネルまたはアップリンク制御チャネルを含み、
第１の方式では、前記第２のＴＴＩ長で送信するアップリンク制御チャネルを選択して送信し、前記第１のＴＴＩ長で送信するアップリンクチャネルを放棄し、または、前記第２のＴＴＩ長で送信するアップリンク制御チャネルとオーバーラップする前記第１のＴＴＩ長で送信するアップリンクチャネル内のシンボル上の情報をパンクチャリングし、
第２の方式では、前記第１のＴＴＩ長で送信するアップリンクチャネルを選択し、前記第２のＴＴＩ長で送信するアップリンク制御チャネルを放棄し、
第３の方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第１の方式または前記第２の方式で同じ優先度のＵＣＩを搬送する複数のチャネルから選択する。
【００４７】
実施では、前記第１の方式を適用する場合、前記第１のＴＴＩ長で送信するアップリンクチャネルで搬送されるＵＣＩを、所定の規則１または所定の規則２の下で前記第２のＴＴＩ長で送信するアップリンク制御チャネルに転送して送信し、前記第２の方式を適用する場合、前記第２のＴＴＩ長で送信するアップリンク制御チャネルで搬送されるＵＣＩを、所定の規則１または所定の規則３の下で前記第１のＴＴＩ長で送信するアップリンクチャネルに転送して送信し、前記第３方式を適用する場合、選択されていないアップリンクチャネル上のＵＣＩを、前記所定の規則１の下で選択されたアップリンクチャネルに転送して送信する。
【００４８】
実施では、前記第１の方式を適用する場合、前記所定の規則２は以下方式のうちの１つまたは組み合わせを含み、
前記第１のＴＴＩ長で送信するアップリンクチャネルで搬送されるＵＣＩのすべてを、前記第２のＴＴＩ長で送信するアップリンク制御チャネルに転送して送信し、
前記第１のＴＴＩ長で送信するアップリンクチャネルで搬送されるＵＣＩがＡＣＫ／ＮＡＣＫ及び/またはＳＲである場合、前記ＵＣＩを前記第２のＴＴＩ長で送信するアップリンク制御チャネルに転送して送信し、前記第１のＴＴＩ長で送信するアップリンクチャネルで搬送されるＵＣＩがＰ−ＣＳＩを含む場合、前記第１のＴＴＩ長で送信するアップリンクチャネルで搬送されるＰ−ＣＳＩを放棄し、または、前記第２のＴＴＩ長で送信するアップリンク制御チャネルにＰ−ＣＳＩが含まれる場合、前記第１のＴＴＩ長で送信するアップリンクチャネルで搬送されるＰ−ＣＳＩを放棄し、前記第２のＴＴＩ長で送信するアップリンク制御チャネルにＰ−ＣＳＩが含まれない場合、前記第１のＴＴＩ長で送信するアップリンクチャネルで搬送されるＰ−ＣＳＩを、第２のＴＴＩ長で送信するアップリンク制御チャネルに転送して送信し、
第１のＴＴＩ長で送信するアップリンクチャネルの送信期間の間に、第２のＴＴＩ長で送信するアップリンク制御チャネル複数があれば、
最初１つのまたは最後１つの第２のＴＴＩ長で送信するアップリンク制御チャネルを選択して前記ＵＣＩを搬送し、または、
Ｐ−ＣＳＩ搬送用の、第２のＴＴＩ長で送信するアップリンク制御チャネルを選択して、前記第１のＴＴＩ長で送信するアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンクチャネル内のＰ−ＣＳＩを搬送し、ＡＣＫ／ＮＡＣＫ及び/またはＳＲ搬送用の、第２のＴＴＩ長で送信するアップリンク制御チャネルを選択して、前記第１のＴＴＩ長で送信するアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記第１のＴＴＩ長で送信するアップリンクチャネル内の対応のＵＣＩを搬送するためのものとし、
前記第２の方式を適用する場合、前記所定の規則３は、以下方式のうちの１つまたは組み合わせを含み、
前記第２のＴＴＩ長で送信するアップリンク制御チャネルで搬送されるＵＣＩすべてを、前記第２のＴＴＩ長で送信するアップリンク制御チャネルで搬送されるＵＣＩすべてを、前記第１のＴＴＩ長で送信するアップリンクチャネルに転送して送信し、
前記第２のＴＴＩ長で送信するアップリンク制御チャネルで搬送されるＵＣＩがＡＣＫ／ＮＡＣＫ及び/またはＳＲである場合、前記ＵＣＩを前記第１のＴＴＩ長で送信するアップリンクチャネルに転送して送信し、前記第２のＴＴＩ長で送信するアップリンク制御チャネルで搬送されるＵＣＩがＰ−ＣＳＩを含む場合、前記第２のＴＴＩ長で送信するアップリンク制御チャネルで搬送されるＰ−ＣＳＩを放棄し、または、前記第１のＴＴＩ長で送信するアップリンクチャネルがＰ−ＣＳＩを搬送する場合、前記第２のＴＴＩ長で送信するアップリンク制御チャネルで搬送されるＰ−ＣＳＩを放棄し、前記第１のＴＴＩ長で送信するアップリンクチャネルがＰ−ＣＳＩを搬送しない場合、前記第２のＴＴＩ長で送信するアップリンク制御チャネルで搬送されるＰ−ＣＳＩを、前記第２のＴＴＩ長で送信するアップリンクチャネルに転送して送信し、
前記第１のＴＴＩ長で送信するアップリンク共有チャネル及び第１のＴＴＩ長で送信するアップリンク制御チャネル両方があれば、そのうちの１つを選択して前記ＵＣＩを搬送し、または、前記ＵＣＩの一部を前記第１のＴＴＩ長で送信するアップリンク共有チャネルで搬送し、前記ＵＣＩの残りの部分を前記第１のＴＴＩ長で送信するアップリンク制御チャネルで搬送し、及び/または、第１のＴＴＩ長で送信するアップリンク共有チャネル複数があれば、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
前記第３方式を適用する場合、選択されたアップリンクチャネルが第２のＴＴＩ長で送信するアップリンク制御チャネルであれば、第１のＴＴＩ長で送信するアップリンクチャネルの送信期間の間に、第２のＴＴＩ長で送信するアップリンク制御チャネル複数があれば、前記所定の規則２の方式で前記ＵＣＩを搬送するチャネルを選択し、選択されたアップリンクチャネルが第１のＴＴＩ長で送信するアップリンクチャネルである場合、第１のＴＴＩ長で送信するアップリンク共有チャネル及びアップリンク制御チャネル両方があるか、または、複数の第１のＴＴＩ長で送信するアップリンク共有チャネルがあれば、前記所定の規則３の方式で、前記ＵＣＩを搬送するチャネルを選択する。
【００４９】
実施では、第１のＴＴＩ長で送信するアップリンク共有チャネルが第２のＴＴＩ長で送信するアップリンク共有チャネルとオーバーラップする場合、以下の方式の少なくとも１つを適用し、
第４方式では、前記第２のＴＴＩ長で送信するアップリンク共有チャネルを選択して送信し、前記第１のＴＴＩ長で送信するアップリンク共有チャネルを放棄し、または、前記第２のＴＴＩ長で送信するアップリンク共有チャネルとオーバーラップする、前記第１のＴＴＩ長で送信するアップリンク共有チャネル内のシンボル上の情報をパンクチャリングし、
第５方式では、前記第１のＴＴＩ長で送信するアップリンク共有チャネルを選択して送信し、前記第２のＴＴＩ長で送信するアップリンク共有チャネルを放棄し、
第６方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第３方式または前記第４方式で同じ優先度のＵＣＩを搬送する複数のチャネルから選択する。
【００５０】
実施では、前記第４方式が適用される場合、前記第１のＴＴＩ長で送信するアップリンク共有チャネルで搬送されるＵＣＩを、所定の規則１または所定の規則４の下で前記第２のＴＴＩ長で送信するアップリンク共有チャネルに転送して送信し、 前記第５方式が適用される場合、前記第２のＴＴＩ長で送信するアップリンク共有チャネルで搬送されるＵＣＩを、所定の規則１または所定の規則５の下で前記第１のＴＴＩ長で送信するアップリンク共有チャネルに転送して送信し、前記第６方式が適用される場合、選択されていないアップリンクチャネル上のＵＣＩを所定の規則１の下で選択されたアップリンクチャネルに転送して送信する。
【００５１】
実施では、前記第４方式が適用される場合、前記所定の規則４は、以下方式のうちの１つまたは組み合わせを含み、
前記第１のＴＴＩ長で送信するアップリンク共有チャネルで搬送されるＵＣＩすべてを、前記第２のＴＴＩ長で送信するアップリンク共有チャネルに転送して送信し、
前記第１のＴＴＩ長で送信するアップリンク共有チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク共有チャネルで搬送されるＵＣＩがＰ−ＣＳＩを含む場合、前記第１のＴＴＩ長で送信するアップリンク共有チャネルで搬送されるＰ−ＣＳＩを放棄し、または、前記第２のＴＴＩ長で送信するアップリンク共有チャネルがＰ−ＣＳＩを搬送している場合、前記第１のＴＴＩ長で送信するアップリンク共有チャネルで搬送されるＰ−ＣＳＩを放棄し、前記第２のＴＴＩ長で送信するアップリンク共有チャネルがＰ−ＣＳＩを搬送していない場合、前記第１のＴＴＩ長で送信するアップリンク共有チャネルで搬送されるＰ−ＣＳＩを、前記第２のＴＴＩ長で送信するアップリンク共有チャネルに転送して送信し、
第１のＴＴＩ長で送信するアップリンク共有チャネルの送信期間に第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第５方式が適用される場合、前記所定の規則５は以下方式のうちの１つまたは組み合わせを含み、
前記第２のＴＴＩ長で送信するアップリンク共有チャネルで搬送されるＵＣＩすべてを、前記第１のＴＴＩ長で送信するアップリンク共有チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク共有チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク共有チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク共有チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク共有チャネルに転送して送信し、
第１のＴＴＩ長で送信するアップリンク共有チャネル複数があれば、ＰＣＣに前記第１のＴＴＩ長で送信するアップリンク共有チャネルがある場合、ＰＣＣ上の前記第１のＴＴＩ長送信するアップリンク共有チャネルを選択して、前記ｓＰＵＳＣＨ上のＵＣＩを送信し、ＰＣＣに第１のＴＴＩ長で送信するアップリンク共有チャネルがなければ、前記第１のＴＴＩ長で送信するアップリンク共有チャネルを有するＳＣＣのうちの最小キャリアインデックスのＳＣＣ上の前記第１のＴＴＩ長で送信するアップリンク共有チャネルを選択して、前記ｓＰＵＳＣＨ上のＵＣＩを送信し、前記選択された第１のＴＴＩ長で送信するアップリンク共有チャネルがＲＡＲ ｇｒａｎｔに対応するアップリンク共有チャネルである場合、前記ＵＣＩを送信しない、
前記第６方式が適用される場合、選択されたアップリンクチャネルが第２のＴＴＩ長で送信するアップリンク共有チャネルであるとき、第１のＴＴＩ長で送信するアップリンク共有チャネルの送信期間に第２のＴＴＩ長で送信するアップリンク共有チャネル複数があれば、前記所定の規則４の方式で、ＵＣＩを搬送するチャネルを選択し、選択されたアップリンクチャネルが第１のＴＴＩ長で送信するアップリンク共有チャネルであるとき、第１のＴＴＩ長で送信するアップリンク共有チャネル複数があれば、前記所定の規則５の方式で、ＵＣＩを搬送するチャネルを選択する。
【００５２】
実施では、第１のＴＴＩ長で送信するアップリンク制御チャネルが、第２のＴＴＩ長で送信するアップリンク共有チャネルとオーバーラップする場合、以下の方式の少なくとも１つを適用し、
第７方式では、前記第２のＴＴＩ長で送信するアップリンク共有チャネルを選択して送信し、前記第１のＴＴＩ長で送信するアップリンク制御チャネルを放棄し、または、前記第２のＴＴＩ長で送信するアップリンク共有チャネルとオーバーラップする前記第１のＴＴＩ長で送信するアップリンク制御チャネル内のシンボル上の情報をパンクチャリングし、
第８方式では、前記第１のＴＴＩ長で送信するアップリンク制御チャネルを選択して送信し、前記第２のＴＴＩ長で送信するアップリンク共有チャネルを放棄し、
第９方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第７方式または前記第８方式で同じ優先度のＵＣＩを搬送する複数のチャネルから選択する。
【００５３】
実施では、前記第７方式が適用される場合、前記第１のＴＴＩ長で送信するアップリンク制御チャネルで搬送されるＵＣＩを、所定の規則１または所定の規則６の下で前記第２のＴＴＩ長で送信するアップリンク共有チャネルに転送して送信し、前記第８方式が適用される場合、前記第２のＴＴＩ長で送信するアップリンク共有チャネルがＵＣＩを搬送している場合、前記ＵＣＩを所定の規則１または所定の規則７の下で前記第１のＴＴＩ長で送信するアップリンク制御チャネルに転送して送信し、前記第９方式が適用される場合、選択されていないアップリンクチャネル上のＵＣＩを所定の規則１の下で選択されたアップリンクチャネルに転送して送信する。
【００５４】
実施では、前記第７方式が適用される場合、前記所定の規則６は、以下方式のうちの１つまたは組み合わせを含み、
前記第１のＴＴＩ長で送信するアップリンク制御チャネルで搬送されるＵＣＩすべてを、前記第２のＴＴＩ長で送信するアップリンク共有チャネルに転送して送信し、
前記第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク制御チャネルで搬送されるＵＣＩがＰ−ＣＳＩを含む場合、前記第１のＴＴＩ長で送信するアップリンク制御チャネルで搬送されるＰ−ＣＳＩを放棄し、または、前記第２のＴＴＩ長で送信するアップリンク共有チャネルがＰ−ＣＳＩを搬送する場合、前記第１のＴＴＩ長で送信するアップリンク制御チャネルで搬送されるＰ−ＣＳＩを放棄し、前記第２のＴＴＩ長で送信するアップリンク共有チャネルがＰ−ＣＳＩを搬送しない場合、前記第１のＴＴＩ長で送信するアップリンク制御チャネルで搬送されるＰ−ＣＳＩを、前記第２のＴＴＩ長で送信するアップリンク共有チャネルに転送して送信し、
第１のＴＴＩ長で送信するアップリンク制御チャネルの送信期間に複数の第２のＴＴＩ長で送信するアップリンク共有チャネル複数がある場合、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第８方式が適用される場合、前記所定の規則７は、以下方式のうちの１つまたは組み合わせを含み、
前記第２のＴＴＩ長で送信するアップリンク共有チャネルで搬送されるＵＣＩの全てを、前記第１のＴＴＩ長で送信するアップリンク制御チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク制御チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク制御チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク制御チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク制御チャネルに転送して送信し、
前記第９方式が適用される場合、選択されたアップリンクチャネルが第２のＴＴＩ長で送信するアップリンク共有チャネルであるとき、第１のＴＴＩ長で送信するアップリンク制御チャネルの送信期間に複数の第２のＴＴＩ長で送信するアップリンク共有チャネル複数がある場合、前記所定の規則７の方式でＵＣＩを搬送するチャネルを選択する。
【００５５】
実施では、前記ＵＣＩ優先度は、ＳＲの優先度がＡＣＫ／ＮＡＣＫの優先度以上であり、ＡＣＫ／ＮＡＣＫの優先度がＰ−ＣＳＩの優先度よりも高い。
【００５６】
実施では、前記所定の規則１は、以下方式のうちの１つまたは組み合わせを含み、
選択されていないアップリンクチャネル上のＵＣＩを選択されたアップリンクチャネルに転送して送信し、
選択されていないアップリンクチャネル上のＵＣＩがＡＣＫ／ＮＡＣＫ及び/またはＳＲである場合、前記ＵＣＩを選択されたアップリンクチャネルに転送して送信し、選択されていないアップリンクチャネル上のＵＣＩがＰ−ＣＳＩを含む場合、前記選択されていないアップリンクチャネル上のＰ−ＣＳＩを放棄し、または、選択されたアップリンクチャネルがＰ−ＣＳＩを搬送している場合、前記選択されていないアップリンクチャネル上のＰ−ＣＳＩを放棄し、選択されたアップリンクチャネルがＰ−ＣＳＩを搬送していない場合、選択されていないチャネルで搬送されるＰ−ＣＳＩを、選択されたアップリンクチャネルに転送して送信し、
選択されたアップリンクチャネルが第１のＴＴＩ長で送信するアップリンクチャネルである場合は、第１のＴＴＩ長で送信するアップリンク共有チャネル及び第１のＴＴＩ長で送信するアップリンク制御チャネル両方があるとき、そのうちの１つを選択して前記ＵＣＩを搬送し、または、前記ＵＣＩの一部を第１のＴＴＩ長で送信するアップリンク共有チャネルで搬送されるようにし、前記ＵＣＩの残りの部分を第１のＴＴＩ長で送信するアップリンク制御チャネルで搬送されるようにし、第１のＴＴＩ長を利用するアップリンク共有チャネル複数がある場合、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
選択されたアップリンクチャネルが第２のＴＴＩ長で送信するアップリンク制御チャネルであれば、前記第１のＴＴＩ長の間に第２のＴＴＩ長で送信するアップリンク制御チャネル複数があるとき、最初１つのまたは最後１つの第２のＴＴＩ長で送信するアップリンク制御チャネルを選択して前記ＵＣＩを搬送し、または、Ｐ−ＣＳＩ搬送用の、第２のＴＴＩ長で送信するアップリンク制御チャネルを選択して、前記選択されていないアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記選択されていないアップリンクチャネル内のＰ−ＣＳＩを搬送するためのものとし、ＡＣＫ／ＮＡＣＫ及び/またはＳＲ搬送用の、第２のＴＴＩ長で送信するアップリンク制御チャネルを選択して前記選択されていないアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して前記選択されていないアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記選択されていないアップリンクチャネル内の対応のＵＣＩを搬送するためのものとし、
選択されたアップリンクチャネルが第２のＴＴＩ長で送信するアップリンク共有チャネルであるとき、前記第１のＴＴＩ長の間に複数の第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを搬送し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して前記ＵＣＩを搬送し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【００５７】
実施では、さらに、
第１のＴＴＩ長で送信するアップリンクチャネルの送信電力と、第２のＴＴＩ長で送信するアップリンクチャネルの送信電力との合計が、ＵＥに許容される最大送信電力を超えるかどうかを判定し、最大送信電力を超えると、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信し、及び/または、
第１のＴＴＩ長で送信するアップリンクチャネルと第２のＴＴＩ長で送信するアップリンクチャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信し、及び/または、
第１のＴＴＩ長で送信するアップリンク制御チャネルと第２のＴＴＩ長で送信するアップリンク共有チャネルとの同時送信をサポートするかどうかを判定し、及び/または、第１のＴＴＩ長で送信するアップリンク共有チャネルと第２のＴＴＩ長で送信するアップリンク制御チャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信する。
【００５８】
第４の態様によれば、本発明の実施例に係るデータ伝送のための装置は、第１のＴＴＩ長で送信するアップリンクチャネルの送信期間が第２のＴＴＩ長で送信するアップリンクチャネルの送信期間とオーバーラップするかどうかを判定するように構成される、第２の決定モジュールと、オーバーラップすると判定した場合、ＵＥが所定のルールの下でアップリンクチャネルを選択して送信することを決定し、残りのアップリンクチャネルを放棄するか、または、残りのアップリンクチャネルをパンクチャリングして送信するように構成される、送信決定モジュールとを備える。
【００５９】
実施では、前記第１のＴＴＩ長が前記第２のＴＴＩ長より大きい。
【００６０】
実施では、前記アップリンクチャネルは、アップリンク制御チャネル及びアップリンク共有チャネルのうちの少なくとも１つである。
【００６１】
実施では、前記所定のルールは、以下のルールのうちの１つまたは組み合わせであり、
アップリンク制御チャネルを選択し、アップリンク共有チャネルでの送信を放棄するか、またはアップリンク共有チャネルをパンクチャリングして送信し、
第２のＴＴＩ長で送信するアップリンクチャネルを選択し、第１のＴＴＩ長で送信するアップリンクチャネルを放棄するか、または、第１のＴＴＩ長で送信するアップリンクチャネルをパンクチャリングして送信し、
ＵＣＩを搬送するアップリンクチャネルを選択し、ＵＣＩを搬送するアップリンクチャネルが複数ある場合、優先度の高いＵＣＩを搬送するアップリンクチャネルを選択し、優先度の高いＵＣＩを搬送するアップリンクチャネルが複数ある場合、前記ルールを再利用して選択し、残りのアップリンクチャネルを放棄するか、または、残りのアップリンクチャネルをパンクチャリングして送信する。
【００６２】
実施では、さらに、ＵＥが選択されていないアップリンクチャネル上のＵＣＩを所定の規則１の下で選択されたアップリンクチャネルに転送して送信することを決定する。 
【００６３】
実施では、第１のＴＴＩ長で送信するルアップリンクチャネルが、第２のＴＴＩ長で送信するアップリンク制御チャネルとオーバーラップする場合、以下の方式の少なくとも１つを適用し、前記アップリンクチャネルは少なくとも１つのアップリンク共有チャネルまたはアップリンク制御チャネルを含み、
第１の方式では、以下のことを決定し、ＵＥが前記第２のＴＴＩ長で送信するアップリンク制御チャネルを選択して送信し、前記第１のＴＴＩ長で送信するアップリンクチャネルを放棄し、または、前記第２のＴＴＩ長で送信するアップリンク制御チャネルとオーバーラップする前記第１のＴＴＩ長で送信するアップリンクチャネル内のシンボル上の情報をパンクチャリングし、
第２の方式では、ＵＥが前記第１のＴＴＩ長で送信するアップリンク共有チャネル及び/またはアップリンク制御チャネルを選択し、前記第２のＴＴＩ長で送信するアップリンク制御チャネルを放棄することを決定し、
第３の方式では、以下のことを決定し、ＵＥがＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第１の方式または前記第２の方式で同じ優先度のＵＣＩを搬送する複数のチャネルから選択する。
【００６４】
実施では、前記第１の方式をを適用する場合、以下のことを決定し、ＵＥが前記第１のＴＴＩ長で送信するアップリンクチャネルで搬送されるＵＣＩを、所定の規則１または所定の規則２の下で前記第２のＴＴＩ長で送信するアップリンク制御チャネルに転送して送信し、前記第２の方式をを適用する場合、以下のことを決定し、ＵＥが前記第２のＴＴＩ長で送信するアップリンク制御チャネルで搬送されるＵＣＩを、所定の規則１または所定の規則３の下で前記第１のＴＴＩ長で送信するアップリンクチャネルに転送して送信し、前記第３方式を適用する場合、以下のことを決定し、ＵＥが選択されていないアップリンクチャネル上のＵＣＩを、前記所定の規則１の下で選択されたアップリンクチャネルに転送して送信する。
【００６５】
実施では、前記第１の方式を適用する場合、前記所定の規則２は以下方式のうちの１つまたは組み合わせを含み、
前記第１のＴＴＩ長で送信するアップリンクチャネルで搬送されるＵＣＩのすべてを、前記第２のＴＴＩ長で送信するアップリンク制御チャネルに転送して送信し、
前記第１のＴＴＩ長で送信するアップリンクチャネルで搬送されるＵＣＩがＡＣＫ／ＮＡＣＫ及び/またはＳＲである場合、前記ＵＣＩを前記第２のＴＴＩ長で送信するアップリンク制御チャネルに転送して送信し、前記第１のＴＴＩ長で送信するアップリンクチャネルで搬送されるＵＣＩがＰ−ＣＳＩを含む場合、前記第１のＴＴＩ長で送信するアップリンクチャネルで搬送されるＰ−ＣＳＩを放棄し、または、前記第２のＴＴＩ長で送信するアップリンク制御チャネルにＰ−ＣＳＩが含まれる場合、前記第１のＴＴＩ長で送信するアップリンクチャネルで搬送されるＰ−ＣＳＩを放棄し、前記第２のＴＴＩ長で送信するアップリンク制御チャネルにＰ−ＣＳＩが含まれない場合、前記第１のＴＴＩ長で送信するアップリンクチャネルで搬送されるＰ−ＣＳＩを、第２のＴＴＩ長で送信するアップリンク制御チャネルに転送して送信し、
第１のＴＴＩ長で送信するアップリンクチャネルの送信期間の間に、第２のＴＴＩ長で送信するアップリンク制御チャネル複数があれば、
最初１つのまたは最後１つの第２のＴＴＩ長で送信するアップリンク制御チャネルを選択して前記ＵＣＩを搬送し、または、
Ｐ−ＣＳＩ搬送用の、第２のＴＴＩ長で送信するアップリンク制御チャネルを選択して、前記第１のＴＴＩ長で送信するアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンクチャネル内のＰ−ＣＳＩを搬送し、ＡＣＫ／ＮＡＣＫ及び/またはＳＲ搬送用の、第２のＴＴＩ長で送信するアップリンク制御チャネルを選択して、前記第１のＴＴＩ長で送信するアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記第１のＴＴＩ長で送信するアップリンクチャネル内の対応のＵＣＩを搬送するためのものとし、
前記第２の方式を適用する場合、前記所定の規則３は、以下方式のうちの１つまたは組み合わせを含み、
前記第２のＴＴＩ長で送信するアップリンク制御チャネルで搬送されるＵＣＩすべてを、前記第２のＴＴＩ長で送信するアップリンク制御チャネルで搬送されるＵＣＩすべてを、前記第１のＴＴＩ長で送信するアップリンクチャネルに転送して送信し、
前記第２のＴＴＩ長で送信するアップリンク制御チャネルで搬送されるＵＣＩがＡＣＫ／ＮＡＣＫ及び/またはＳＲである場合、前記ＵＣＩを前記第１のＴＴＩ長で送信するアップリンクチャネルに転送して送信し、前記第２のＴＴＩ長で送信するアップリンク制御チャネルで搬送されるＵＣＩがＰ−ＣＳＩを含む場合、前記第２のＴＴＩ長で送信するアップリンク制御チャネルで搬送されるＰ−ＣＳＩを放棄し、または、前記第１のＴＴＩ長で送信するアップリンクチャネルがＰ−ＣＳＩを搬送する場合、前記第２のＴＴＩ長で送信するアップリンク制御チャネルで搬送されるＰ−ＣＳＩを放棄し、前記第１のＴＴＩ長で送信するアップリンクチャネルがＰ−ＣＳＩを搬送しない場合、前記第２のＴＴＩ長で送信するアップリンク制御チャネルで搬送されるＰ−ＣＳＩを、前記第２のＴＴＩ長で送信するアップリンクチャネルに転送して送信し、
前記第１のＴＴＩ長で送信するアップリンク共有チャネル及び第１のＴＴＩ長で送信するアップリンク制御チャネル両方があれば、そのうちの１つを選択して前記ＵＣＩを搬送し、または、前記ＵＣＩの一部を前記第１のＴＴＩ長で送信するアップリンク共有チャネルで搬送し、前記ＵＣＩの残りの部分を前記第１のＴＴＩ長で送信するアップリンク制御チャネルで搬送し、及び/または、第１のＴＴＩ長で送信するアップリンク共有チャネル複数があれば、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
前記第３方式を適用する場合、選択されたアップリンクチャネルが第２のＴＴＩ長で送信するアップリンク制御チャネルであれば、第１のＴＴＩ長で送信するアップリンクチャネルの送信期間の間に、第２のＴＴＩ長で送信するアップリンク制御チャネル複数があれば、前記所定の規則２の方式で前記ＵＣＩを搬送するチャネルを選択し、選択されたアップリンクチャネルが第１のＴＴＩ長で送信するアップリンクチャネルである場合、第１のＴＴＩ長で送信するアップリンク共有チャネル及びアップリンク制御チャネル両方があるか、または、複数の第１のＴＴＩ長で送信するアップリンク共有チャネルがあれば、前記所定の規則３の方式で、前記ＵＣＩを搬送するチャネルを選択する。
【００６６】
実施では、第１のＴＴＩ長で送信するアップリンク共有チャネルが第２のＴＴＩ長で送信するアップリンク共有チャネルとオーバーラップする場合、以下の方式の少なくとも１つを適用し、
第４方式では、以下のことを決定し、ＵＥが前記第２のＴＴＩ長で送信するアップリンク共有チャネルを選択して送信し、前記第１のＴＴＩ長で送信するアップリンク共有チャネルを放棄し、または、前記第２のＴＴＩ長で送信するアップリンク共有チャネルとオーバーラップする、前記第１のＴＴＩ長で送信するアップリンク共有チャネル内のシンボル上の情報をパンクチャリングし、
第５方式では、以下のことを決定し、ＵＥが前記第１のＴＴＩ長で送信するアップリンク共有チャネルを選択して送信し、前記第２のＴＴＩ長で送信するアップリンク共有チャネルを放棄し、
第６方式では、以下のことを決定し、ＵＥがＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第３方式または前記第４方式で同じ優先度のＵＣＩを搬送する複数のチャネルから選択する。
【００６７】
実施では、前記第４方式が適用される場合、以下のことを決定し、ＵＥが前記第１のＴＴＩ長で送信するアップリンク共有チャネルで搬送されるＵＣＩを、所定の規則１または所定の規則４の下で前記第２のＴＴＩ長で送信するアップリンク共有チャネルに転送して送信し、前記第５方式が適用される場合、以下のことを決定し、ＵＥが前記第２のＴＴＩ長で送信するアップリンク共有チャネルで搬送されるＵＣＩを、所定の規則１または所定の規則５の下で前記第１のＴＴＩ長で送信するアップリンク共有チャネルに転送して送信し、前記第６方式が適用される場合、ＵＥが選択されていないアップリンクチャネル上のＵＣＩを所定の規則１の下で選択されたアップリンクチャネルに転送して送信することを決定する。
【００６８】
実施では、前記第４方式が適用される場合、前記所定の規則４は、以下方式のうちの１つまたは組み合わせを含み、
前記第１のＴＴＩ長で送信するアップリンク共有チャネルで搬送されるＵＣＩすべてを、前記第２のＴＴＩ長で送信するアップリンク共有チャネルに転送して送信し、
前記第１のＴＴＩ長で送信するアップリンク共有チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク共有チャネルで搬送されるＵＣＩがＰ−ＣＳＩを含む場合、前記第１のＴＴＩ長で送信するアップリンク共有チャネルで搬送されるＰ−ＣＳＩを放棄し、または、前記第２のＴＴＩ長で送信するアップリンク共有チャネルがＰ−ＣＳＩを搬送している場合、前記第１のＴＴＩ長で送信するアップリンク共有チャネルで搬送されるＰ−ＣＳＩを放棄し、前記第２のＴＴＩ長で送信するアップリンク共有チャネルがＰ−ＣＳＩを搬送していない場合、前記第１のＴＴＩ長で送信するアップリンク共有チャネルで搬送されるＰ−ＣＳＩを、前記第２のＴＴＩ長で送信するアップリンク共有チャネルに転送して送信し、
第１のＴＴＩ長で送信するアップリンク共有チャネルの送信期間に第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第５方式が適用される場合、前記所定の規則５は以下方式のうちの１つまたは組み合わせを含み、
前記第２のＴＴＩ長で送信するアップリンク共有チャネルで搬送されるＵＣＩすべてを、前記第１のＴＴＩ長で送信するアップリンク共有チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク共有チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク共有チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク共有チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク共有チャネルに転送して送信し、
第１のＴＴＩ長で送信するアップリンク共有チャネル複数があれば、ＰＣＣに前記第１のＴＴＩ長で送信するアップリンク共有チャネルがある場合、ＰＣＣ上の前記第１のＴＴＩ長送信するアップリンク共有チャネルを選択して、前記ｓＰＵＳＣＨ上のＵＣＩを送信し、ＰＣＣに第１のＴＴＩ長で送信するアップリンク共有チャネルがなければ、前記第１のＴＴＩ長で送信するアップリンク共有チャネルを有するＳＣＣのうちの最小キャリアインデックスのＳＣＣ上の前記第１のＴＴＩ長で送信するアップリンク共有チャネルを選択して、前記ｓＰＵＳＣＨ上のＵＣＩを送信し、前記選択された第１のＴＴＩ長で送信するアップリンク共有チャネルがＲＡＲ ｇｒａｎｔに対応するアップリンク共有チャネルである場合、前記ＵＣＩを送信しない、
前記第６方式が適用される場合、選択されたアップリンクチャネルが第２のＴＴＩ長で送信するアップリンク共有チャネルであるとき、第１のＴＴＩ長で送信するアップリンク共有チャネルの送信期間に第２のＴＴＩ長で送信するアップリンク共有チャネル複数があれば、前記所定の規則４の方式で、ＵＣＩを搬送するチャネルを選択し、選択されたアップリンクチャネルが第１のＴＴＩ長で送信するアップリンク共有チャネルであるとき、第１のＴＴＩ長で送信するアップリンク共有チャネル複数があれば、前記所定の規則５の方式で、ＵＣＩを搬送するチャネルを選択する。
【００６９】
実施では、第１のＴＴＩ長で送信するアップリンク制御チャネルが、第２のＴＴＩ長で送信するアップリンク共有チャネルとオーバーラップする場合、以下の方式の少なくとも１つを適用し、
第７方式では、以下のことを決定し、ＵＥが前記第２のＴＴＩ長で送信するアップリンク共有チャネルを選択して送信し、前記第１のＴＴＩ長で送信するアップリンク制御チャネルを放棄し、または、前記第２のＴＴＩ長で送信するアップリンク共有チャネルとオーバーラップする前記第１のＴＴＩ長で送信するアップリンク制御チャネル内のシンボル上の情報をパンクチャリングし、
第８方式では、以下のことを決定し、ＵＥが前記第１のＴＴＩ長で送信するアップリンク制御チャネルを選択して送信し、前記第２のＴＴＩ長で送信するアップリンク共有チャネルを放棄し、
第９方式では、以下のことを決定し、ＵＥがＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第７方式または前記第８方式で同じ優先度のＵＣＩを搬送する複数のチャネルから選択する。
【００７０】
実施では、前記第７方式が適用される場合、以下のことを決定し、ＵＥが前記第１のＴＴＩ長で送信するアップリンク制御チャネルで搬送されるＵＣＩを、所定の規則１または所定の規則６の下で前記第２のＴＴＩ長で送信するアップリンク共有チャネルに転送して送信し、前記第８方式が適用される場合、前記第２のＴＴＩ長で送信するアップリンク共有チャネルがＵＣＩを搬送している場合、ＵＥが前記ＵＣＩを所定の規則１または所定の規則７の下で前記第１のＴＴＩ長で送信するアップリンク制御チャネルに転送して送信することを決定し、前記第９方式が適用される場合、ＵＥが選択されていないアップリンクチャネル上のＵＣＩを所定の規則１の下で選択されたアップリンクチャネルに転送して送信することを決定する。
【００７１】
実施では、前記第７方式が適用される場合、前記所定の規則６は、以下方式のうちの１つまたは組み合わせを含み、
前記第１のＴＴＩ長で送信するアップリンク制御チャネルで搬送されるＵＣＩすべてを、前記第２のＴＴＩ長で送信するアップリンク共有チャネルに転送して送信し、
前記第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク制御チャネルで搬送されるＵＣＩがＰ−ＣＳＩを含む場合、前記第１のＴＴＩ長で送信するアップリンク制御チャネルで搬送されるＰ−ＣＳＩを放棄し、または、前記第２のＴＴＩ長で送信するアップリンク共有チャネルがＰ−ＣＳＩを搬送する場合、前記第１のＴＴＩ長で送信するアップリンク制御チャネルで搬送されるＰ−ＣＳＩを放棄し、前記第２のＴＴＩ長で送信するアップリンク共有チャネルがＰ−ＣＳＩを搬送しない場合、前記第１のＴＴＩ長で送信するアップリンク制御チャネルで搬送されるＰ−ＣＳＩを、前記第２のＴＴＩ長で送信するアップリンク共有チャネルに転送して送信し、
第１のＴＴＩ長で送信するアップリンク制御チャネルの送信期間に複数の第２のＴＴＩ長で送信するアップリンク共有チャネル複数がある場合、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第８方式が適用される場合、前記所定の規則７は、以下方式のうちの１つまたは組み合わせを含み、
前記第２のＴＴＩ長で送信するアップリンク共有チャネルで搬送されるＵＣＩの全てを、前記第１のＴＴＩ長で送信するアップリンク制御チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク制御チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク制御チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク制御チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク制御チャネルに転送して送信し、
前記第９方式が適用される場合、選択されたアップリンクチャネルが第２のＴＴＩ長で送信するアップリンク共有チャネルであるとき、第１のＴＴＩ長で送信するアップリンク制御チャネルの送信期間に複数の第２のＴＴＩ長で送信するアップリンク共有チャネル複数がある場合、前記所定の規則７の方式でＵＣＩを搬送するチャネルを選択する。
【００７２】
実施では、前記ＵＣＩ優先度は、ＳＲの優先度がＡＣＫ／ＮＡＣＫの優先度以上であり、ＡＣＫ／ＮＡＣＫの優先度がＰ−ＣＳＩの優先度よりも高い。
【００７３】
実施では、前記所定の規則１は、以下方式のうちの１つまたは組み合わせを含み、
選択されていないアップリンクチャネル上のＵＣＩを選択されたアップリンクチャネルに転送して送信し、
選択されていないアップリンクチャネル上のＵＣＩがＡＣＫ／ＮＡＣＫ及び/またはＳＲである場合、前記ＵＣＩを選択されたアップリンクチャネルに転送して送信し、選択されていないアップリンクチャネル上のＵＣＩがＰ−ＣＳＩを含む場合、前記選択されていないアップリンクチャネル上のＰ−ＣＳＩを放棄し、または、選択されたアップリンクチャネルがＰ−ＣＳＩを搬送している場合、前記選択されていないアップリンクチャネル上のＰ−ＣＳＩを放棄し、選択されたアップリンクチャネルがＰ−ＣＳＩを搬送していない場合、選択されていないチャネルで搬送されるＰ−ＣＳＩを、選択されたアップリンクチャネルに転送して送信し、
選択されたアップリンクチャネルが第１のＴＴＩ長で送信するアップリンクチャネルである場合は、第１のＴＴＩ長で送信するアップリンク共有チャネル及び第１のＴＴＩ長で送信するアップリンク制御チャネル両方があるとき、そのうちの１つを選択して前記ＵＣＩを搬送し、または、前記ＵＣＩの一部を第１のＴＴＩ長で送信するアップリンク共有チャネルで搬送されるようにし、前記ＵＣＩの残りの部分を第１のＴＴＩ長で送信するアップリンク制御チャネルで搬送されるようにし、第１のＴＴＩ長を利用するアップリンク共有チャネル複数がある場合、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
選択されたアップリンクチャネルが第２のＴＴＩ長で送信するアップリンク制御チャネルであれば、前記第１のＴＴＩ長の間に第２のＴＴＩ長で送信するアップリンク制御チャネル複数があるとき、最初１つのまたは最後１つの第２のＴＴＩ長で送信するアップリンク制御チャネルを選択して前記ＵＣＩを搬送し、または、Ｐ−ＣＳＩ搬送用の、第２のＴＴＩ長で送信するアップリンク制御チャネルを選択して、前記選択されていないアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記選択されていないアップリンクチャネル内のＰ−ＣＳＩを搬送するためのものとし、ＡＣＫ／ＮＡＣＫ及び/またはＳＲ搬送用の、第２のＴＴＩ長で送信するアップリンク制御チャネルを選択して前記選択されていないアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して前記選択されていないアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記選択されていないアップリンクチャネル内の対応のＵＣＩを搬送するためのものとし、
選択されたアップリンクチャネルが第２のＴＴＩ長で送信するアップリンク共有チャネルであるとき、前記第１のＴＴＩ長の間に複数の第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを搬送し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して前記ＵＣＩを搬送し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【００７４】
実施では、さらに、ＵＥが以下の方式で動作することを決定し、
第１のＴＴＩ長で送信するアップリンクチャネルの送信電力と、第２のＴＴＩ長で送信するアップリンクチャネルの送信電力との合計が、ＵＥに許容される最大送信電力を超えるかどうかを判定し、最大送信電力を超えると、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信し、及び/または、
第１のＴＴＩ長で送信するアップリンクチャネルと第２のＴＴＩ長で送信するアップリンクチャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信し、及び/または、
第１のＴＴＩ長で送信するアップリンク制御チャネルと第２のＴＴＩ長で送信するアップリンク共有チャネルとの同時送信をサポートするかどうかを判定し、及び/または、第１のＴＴＩ長で送信するアップリンク共有チャネルと第２のＴＴＩ長で送信するアップリンク制御チャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信する。
【００７５】
第５の態様では、プロセッサと、送受信機と、メモリとを備える装置が提供され、プロセッサは、メモリ内のプログラムを読み取り、実行して、上記第１の態様に記載のいずれか１つの方法を実行するように構成される。 上記の最初の側面。
【００７６】
第６の態様では、プロセッサと、送受信機と、メモリとを備える装置が提供され、プロセッサは、メモリ内のプログラムを読み取り、実行して、上記第２の態様に記載のいずれか１つの方法を実行するように構成される。
【００７７】
第７の態様では、上記第１の態様に記載のいずれか１つの方法をコンピュータに実行させるように構成されたコンピュータ実行可能命令を記憶するコンピュータ記憶媒体が提供される。
【００７８】
第８の態様では、上記第２の態様に記載のいずれか１つの方法をコンピュータに実行させるように構成されたコンピュータ実行可能命令を格納するコンピュータ記憶媒体が提供される。
【発明の効果】
【００７９】
本発明の実施例に係る技術案によれば、異なるＴＴＩ長を有するオーバーラップするチャネルでの送信に対する解決策が定義されており、一実装形態では、所定のルールで１種のチャネルを選択し、他のチャネルでの送信を放棄し、または、他のチャネルをパンクチャリングして送信し、送信のとき、所定のルールで１種のチャネルを選択し、他のチャネルでの送信を放棄し、または、他のチャネルをパンクチャリングして送信するため、異なるＴＴＩ長を有するチャネルがオーバーラップする場合もＵＥはデータを正しく送信できる。
【００８０】
本発明に係る実施例や従来の技術方案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【図面の簡単な説明】
【００８１】
【図１】背景技術におけるＬＴＥ ＦＤＤシステムに用いられるフレーム構造１の概略図である。
【図２】背景技術におけるＬＴＥ ＴＤＤシステムに用いられるフレーム構造２の概略図である。
【図３】本発明の実施例に係るＵＥ側のデータ伝送のための方法のフローチャートである
【図４】本発明の実施例に係る基地局側のデータ伝送のための方法のフローチャートである
【図５】本発明の実施例に係るＵＥ側のデータ伝送のための装置の構成図である。
【図６】本発明の実施例に係るネットワーク側のデータ伝送のための装置の構成図である。
【図７】本発明の実施例に係るＵＥの構成図である。
【図８】本発明の実施例に係る基地局の構成図である。
【発明を実施するための形態】
【００８２】
移動通信サービスに対する需要が増大しているので、国際電気通信連合（Ｉｎｔｅｒｎａｔｉｏｎａｌ Ｔｅｌｅｃｏｍｍｕｎｉｃａｔｉｏｎ Ｕｎｉｏｎ，ＩＴＵ）、および他の組織は、将来の移動通信システムにおいて必要とされるより高いユーザプレーン遅延性能を定義している。 一般に、ユーザプレーン遅延は、ＴＴＩ長を短くすることによって短縮され、それによって短ＴＴＩ送信をサポートする。しかしながら、これまでのところショートＴＴＩにおける送信に対する明確な解決策は存在しなかった。本発明では、異なるＴＴＩ長を有する重複チャネル上での送信に対する解決策が提案され、ここでチャネルのうちの１つは所定ルールの下で選択され、他のチャネル上の送信は放棄される。または、他のチャネルをパンクチャリングして送信する。本発明の特定の実施形態は、図面を参照して以下に説明される。
【００８３】
以下の説明では、ｅＮＢ側およびＵＥ側での実装形態をそれぞれ説明し、その後、実施形態による解決策の実装形態をよりよく理解するために、両者が協働する実装形態の例をさらに説明する。そのような説明は、両者が一実装形態で協働すること、または一実装形態で別々に動作することを示唆するものではなく、実際、ｅＮＢ側およびＵＥ側のそれぞれの問題は、実装形態で別々に動作するときに対処することもできる。ただし、両方の実装で協力すると、より良い技術的効果が得られる。
【００８４】
一般に、ｅＮＢ側が動作的にＵＥ側に対応し、一方の側が詳細に説明され、他方の側が簡潔さのために簡単に説明されるので、さらに留意されるべきである。他の側には対応する実装がないことではなく、当業者は、何ら発明的な努力なしに、他の側に対応する実装を容易に知ることができる。
【００８５】
図３は、ＵＥ側のデータ伝送のための方法のフローチャートであり、図に示すように、以下のステップを備える。
【００８６】
ステップ３０１において、第１のＴＴＩ長で送信するアップリンクチャネルの送信期間が第２のＴＴＩ長で送信するアップリンクチャネルの送信期間とオーバーラップするかどうかを判定する。
【００８７】
ステップ３０２において、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信する。
【００８８】
図４は基地局側のデータ伝送のための方法のフローチャートであり、図に示すように、以下のステップを備える。
【００８９】
ステップ４０１において、第１のＴＴＩ長で送信するアップリンクチャネルの送信期間が第２のＴＴＩ長で送信するアップリンクチャネルの送信期間とオーバーラップするかどうかを判定する。
【００９０】
ステップ４０２において、オーバーラップすると判定した場合、ＵＥが所定のルールの下でアップリンクチャネルを選択して送信することを決定し、残りのアップリンクチャネルを放棄するか、または、残りのアップリンクチャネルをパンクチャリングして送信する。
【００９１】
特定の実装形態では、ＵＥにおいて、第１のＴＴＩ長で送信するアップリンクチャネルの送信期間が第２のＴＴＩ長で送信するアップリンクチャネルの送信期間とオーバーラップするとき（なわち、同じ時間領域位置で衝突する）、所定のルールの下で少なくも１つのアップリンクチャネルを選択して送信し、残りのアップリンクチャネルを放棄し、または、残りのアップリンクチャネルをパンクチャリングして送信する。
【００９２】
基地局側において、第１のＴＴＩ長で送信するアップリンクチャネルの送信期間が第２のＴＴＩ長で送信するアップリンクチャネルの送信期間とオーバーラップするとき、ＵＥが所定のルールの下でアップリンクチャネルを選択して送信することを決定し、他のチャネルでの送信を放棄し、または、他のチャネルをパンクチャリングして送信する。
【００９３】
ｅＮＢ側の他の動作はＵＥ側の動作と同じであるので、以下、ＵＥ側について以下に説明する。
【００９４】
特定の実装形態では、以下の内容があり得る。
【００９５】
前記第１のＴＴＩ長が前記第２のＴＴＩ長より大きい、
前記第１のＴＴＩ長が１ｍｓであり、前記第２のＴＴＩ長は１ｍｓを超えないショートＴＴＩであり、例えば２、３、４、７つのシンボルなど、
前記アップリンクチャネルは、アップリンク制御チャネル及びアップリンク共有チャネルのうちの少なくとも１つである。
【００９６】
前記所定のルールは、アップリンク制御チャネルを選択し、送信アップリンク共有チャネルを放棄（ｄｒｏｐ）し、または、アップリンク共有チャネルをパンクチャリング（ｐｕｎｃｔｕｒｉｎｇ）して送信し、及び/または、第２のＴＴＩ長で送信するアップリンクチャネルを選択し、第１のＴＴＩ長で送信するアップリンクチャネルを放棄するか、または、第１のＴＴＩ長で送信するアップリンクチャネルをパンクチャリングして送信し、及び/または、アップリンク制御情報（Ｕｐｌｉｎｋ Ｃｏｎｔｒｏｌ Ｉｎｆｏｒｍａｔｉｏｎ，ＵＣＩ）を搬送するアップリンクチャネルを選択し、ＵＣＩを搬送するアップリンクチャネルが複数ある場合、優先度の高いＵＣＩを搬送するアップリンクチャネルを選択し、優先度の高いＵＣＩを搬送するアップリンクチャネルが複数ある場合、前記ルールを再利用して選択し、残りのアップリンクチャネルを放棄するか、または、アップリンクチネルをパンクチャリングして送信し、
ＵＣＩ優先度はスケジューリング要求（Ｓｃｈｅｄｕｌｉｎｇ Ｒｅｑｕｅｓｔ，ＳＲ）の以上であり、ＡＣＫ／ＮＡＣＫの優先度がＰ−ＣＳＩ（ｐｅｒｉｏｄｉｃ ＣＳＩ：Ｃｈａｎｎｅｌ Ｓｔａｔｅ Ｉｎｆｏｒｍａｔｉｏｎ，周期チャネル状態情報）の優先度よりも高い。
【００９７】
実施では、選択されていないアップリンクチャネル上のＵＣＩを所定の規則１の下で選択されたアップリンクチャネルに転送して送信し、前記所定の規則１は、
選択されていないアップリンクチャネル上のＵＣＩのすべてを選択されたアップリンクチャネルに転送して送信し、
または、選択されていないアップリンクチャネル上のＵＣＩがＡＣＫ／ＮＡＣＫ及び/またはＳＲである場合、選択されたアップリンクチャネルに直接に転送して送信し、選択されていないアップリンクチャネル上のＵＣＩがＰ−ＣＳＩを含む場合、前記Ｐ−ＣＳＩを直接にｄｒｏｐする。または、選択されたアップリンクチャネルがＰ−ＣＳＩを搬送している場合、選択されていないアップリンクチャネル上のＰ−ＣＳＩをｄｒｏｐする。選択されたアップリンクチャネルがＰ−ＣＳＩを搬送していない場合、選択されていないチャネルで搬送されるＰ−ＣＳＩを、選択されたアップリンクチャネルに転送して送信する。
【００９８】
選択されたアップリンクチャネルが第１のＴＴＩ長で送信するアップリンクチャネルである場合、第１のＴＴＩ長で送信するアップリンク共有チャネル及び第１のＴＴＩ長で送信するアップリンク制御チャネル両方があるとき、そのうちの１つを選択して前記ＵＣＩ（例えば、アップリンク制御チャネルを選択する）を搬送する。または、前記ＵＣＩの一部を、第１のＴＴＩ長で送信するアップリンク共有チャネルで（例えば、Ｐ−ＣＳＩ）搬送し、前記ＵＣＩの他の一部を、第１のＴＴＩ長で送信するアップリンク制御チャネル（例えば、ＡＣＫ／ＮＡＣＫ及び/または、ＳＲ）で搬送する。第１のＴＴＩ長を用いるアップリンク共有チャネル複数があれば、プライマリコンポーネントキャリア（Ｐｒｉｍａｒｙ Ｃｏｍｐｏｎｅｎｔ Ｃａｒｒｉｅｒ，ＰＣＣ）に第１のＴＴＩ長で送信するアップリンク共有チャネルがある場合、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するセカンダリコンポーネントキャリア（Ｓｅｃｏｎｄａｒｙ Ｃｏｍｐｏｎｅｎｔ Ｃａｒｒｉｅｒ，ＳＣＣ）上の第１のＴＴＩ長で送信するアップリンク共有チャネルを選択してＵＣＩを送信する。前記選択されたアップリンク共有チャネルは、ＲＡＲスケジューリング情報（ＲＡＲ ｇｒａｎｔ；ＲＡＲ：Ｒａｎｄｏｍ Ａｃｃｅｓｓ Ｒｅｓｐｏｎｓｅ，ランダムアクセス応答）に対応するアップリンク共有チャネル，前記ＵＣＩを送信しない。
【００９９】
選択されたアップリンクチャネルが第２のＴＴＩ長で送信するアップリンク制御チャネルであれば、前記第１のＴＴＩ長の間に第２のＴＴＩ長で送信するアップリンク制御チャネル複数があるとき、最初１つのまたは最後１つの第２のＴＴＩ長で送信するアップリンク制御チャネルを選択して前記ＵＣＩを送信する。または、Ｐ−ＣＳＩ搬送用の、第２のＴＴＩ長で送信するアップリンク制御チャネルを選択して、前記選択されていないアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記選択されていないアップリンクチャネル内のＰ−ＣＳＩを搬送するためのものとし、ＡＣＫ／ＮＡＣＫ及び/またはＳＲ搬送用の、第２のＴＴＩ長で送信するアップリンク制御チャネルを選択して、前記選択されていないアップリンクチャネル内のＡＣＫ／ＮＡＣＫ及び/または、ＳＲ（Ｐ−ＣＳＩに対して選択されたアップリンクチャネルと同じでも同じでなくてもよく、それらが異なる場合、複数のチャネルがそれぞれ異なるＵＣＩを搬送するために選択される）を搬送するためのものとする。ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して前記選択されていないアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記選択されていないアップリンクチャネル内の対応のＵＣＩを搬送するためのものとする。
【０１００】
選択されたアップリンクチャネルが第２のＴＴＩ長で送信するアップリンク共有チャネルであるとき、前記第１のＴＴＩ長の間に複数の第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを搬送し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して前記ＵＣＩを搬送し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【０１０１】
第１のＴＴＩ長で送信するアップリンクチャネル及び第２のＴＴＩ長で送信するアップリンクチャネルそれぞれがアップリンク共有チャネルであるか、または、アップリンク制御チャネルである場合の送信の実装について以下に説明する。
【０１０２】
シナリオ１：
第１のＴＴＩ長で送信するアップリンクチャネルが第２のＴＴＩ長で送信するアップリンク制御チャネルとオーバーラップする場合の実装は、以下とおりである。
【０１０３】
第１の方式では、前記第２のＴＴＩ長で送信するアップリンク制御チャネルを選択して送信し、前記第１のＴＴＩ長で送信するアップリンクチャネルを放棄し、または、前記第２のＴＴＩ長で送信するアップリンク制御チャネルとオーバーラップする前記第１のＴＴＩ長で送信するアップリンクチャネル内のシンボル上の情報をパンクチャリングする（この部分の情報は送信せず、以下同じ）。
【０１０４】
前記第１のＴＴＩ長で送信するアップリンクチャネルで搬送されるＵＣＩを、所定の規則１または２で前記第２のＴＴＩ長で送信するアップリンク制御チャネルに転送して送信する。前記所定の規則２は、
前記第１のＴＴＩ長で送信するアップリンクチャネルで搬送されるＵＣＩのすべてを、前記第２のＴＴＩ長で送信するアップリンク制御チャネルに転送して送信し、または、
前記第１のＴＴＩ長で送信するアップリンクチャネルで搬送されるＵＣＩがＡＣＫ／ＮＡＣＫ及び/またはＳＲである場合、前記ＵＣＩを前記第２のＴＴＩ長で送信するアップリンク制御チャネルに直接に転送して送信し、前記第１のＴＴＩ長で送信するアップリンクチャネルで搬送されるＵＣＩがＰ−ＣＳＩを含む場合、１の実施方式としては、前記第１のＴＴＩ長で送信するアップリンクチャネルで搬送されるＰ−ＣＳＩを直接にｄｒｏｐする。または、他の１の実施方式としては、前記第２のＴＴＩ長で送信するアップリンク制御チャネルにＰ−ＣＳＩが含まれる場合、前記第１のＴＴＩ長で送信するアップリンクチャネルで搬送されるＰ−ＣＳＩをｄｒｏｐし、前記第２のＴＴＩ長で送信するアップリンク制御チャネルにＰ−ＣＳＩが含まれない場合、前記第１のＴＴＩ長で送信するアップリンクチャネルで搬送されるＰ−ＣＳＩを、第２のＴＴＩ長で送信するアップリンク制御チャネルに転送して送信し、
第１のＴＴＩ長で送信するアップリンクチャネルの送信期間の間に、第２のＴＴＩ長で送信するアップリンク制御チャネル複数があれば、
最初１つのまたは最後１つの第２のＴＴＩ長で送信するアップリンク制御チャネルを選択して前記ＵＣＩを送信し、または、
Ｐ−ＣＳＩ搬送用の、第２のＴＴＩ長で送信するアップリンク制御チャネルを選択して、前記第１のＴＴＩ長で送信するアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンクチャネル内のＰ−ＣＳＩを搬送し、ＡＣＫ／ＮＡＣＫ及び/またはＳＲ搬送用の、第２のＴＴＩ長で送信するアップリンク制御チャネルを選択して、前記第１のＴＴＩ長で送信するアップリンクチャネル内のＡＣＫ／ＮＡＣＫ及び/またはＳＲを搬送するものとする（これは、Ｐ−ＣＳＩに対して選択されたアップリンクチャネルと同じでも異なっていてもよく、同じであれば、異なるＵＣＩをそれぞれ搬送するために複数のチャネルが選択されている）。ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記第１のＴＴＩ長で送信するアップリンクチャネル内の対応のＵＣＩを搬送するためのものとする。
【０１０５】
例えば、物理アップリンク共有チャネル（Ｐｈｙｓｉｃａｌ Ｕｐｌｉｎｋ Ｓｈａｒｅｄ Ｃｈａｎｎｅｌ，ＰＵＳＣＨ）/物理アップリンク制御チャネル（Ｐｈｙｓｉｃａｌ Ｕｐｌｉｎｋ Ｃｏｎｔｒｏｌ Ｃｈａｎｎｅｌ，ＰＵＣＣＨ）がｓＰＵＣＣＨ（ショートＰＵＣＣＨ）とオーバーラップするとき、ｓＰＵＣＣＨを選択し、ＰＵＳＣＨ/ＰＵＣＣＨをｄｒｏｐする。または、ｓＰＵＣＣＨとオーバーラップするＰＵＳＣＨ/ＰＵＣＣＨ内のシンボル上の情報をパンクチャリングする。
【０１０６】
ＰＵＳＣＨ/ＰＵＣＣＨがＵＣＩを搬送する場合、ＵＣＩは、上記所定の規則でｓＰＵＣＣＨにおいて送信される。ＰＵＳＣＨ/ＰＵＣＣＨの送信サブフレームに複数のｓＰＵＣＣＨがあれば、上記選択規則でそのうちの少なくとも１つのｓＰＵＣＣＨを選択して、ＰＵＳＣＨ/ＰＵＣＣＨに含むＵＣＩを送信する。
【０１０７】
第２の方式では、第１のＴＴＩ長で送信するアップリンクチャネルを選択し、第２のＴＴＩ長で送信するアップリンク制御チャネルで搬送されるＵＣＩを、所定の規則１または３の下で第１のＴＴＩ長で送信するアップリンクチャネルに転送して、送信する。前記所定の規則３は、以下とおりである。
【０１０８】
前記第２のＴＴＩ長で送信するアップリンク制御チャネルで搬送される所有ＵＣＩ都前記第１のＴＴＩ長で送信するアップリンクチャネルに転送して送信する。
【０１０９】
または、前記第２のＴＴＩ長で送信するアップリンク制御チャネルで搬送されるＵＣＩがＡＣＫ／ＮＡＣＫ及び/またはＳＲである場合、前記第１のＴＴＩ長で送信するアップリンクチャネルに直接に転送して送信し、前記第２のＴＴＩ長で送信するアップリンク制御チャネルで搬送されるＵＣＩがＰ−ＣＳＩを含む場合、一の具現方式としては、前記Ｐ−ＣＳＩを直接にｄｒｏｐし、または、他の具現方式としては、前記第１のＴＴＩ長で送信するアップリンクチャネルがＰ−ＣＳＩを搬送する場合、前記第２のＴＴＩ長で送信するアップリンク制御チャネルで搬送されるＰ−ＣＳＩをｄｒｏｐする。前記第１のＴＴＩ長で送信するアップリンクチャネルがＰ−ＣＳＩを搬送しない場合、前記第２のＴＴＩ長で送信するアップリンク制御チャネルで搬送されるＰ−ＣＳＩを、前記第２のＴＴＩ長で送信するアップリンク共有チャネル及び/または、アップリンク制御チャネルに転送して送信する。
【０１１０】
第１のＴＴＩ長で送信するアップリンク共有チャネル及びアップリンク制御チャネル両方があれば、そのうちの１つを選択して、前記ＵＣＩ（例えば、アップリンク制御チャネルを選択する）搬送する。または、前記ＵＣＩの一部を、第１のＴＴＩ長で送信するアップリンク共有チャネルで（例えば、Ｐ−ＣＳＩ）搬送し、前記ＵＣＩの残り部分を、第１のＴＴＩ長で送信するアップリンク制御チャネルで（例えば、ＡＣＫ／ＮＡＣＫ及び/または、ＳＲ）を搬送する。
【０１１１】
第１のＴＴＩ長で送信するアップリンク共有チャネル複数があれば、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない。
【０１１２】
例えば、ＰＵＳＣＨ/ＰＵＣＣＨがｓＰＵＣＣＨとオーバーラップする場合、ＰＵＳＣＨ/ＰＵＣＣＨを選択し、 ｓＰＵＣＣＨをｄｒｏｐする。ｓＰＵＣＣＨ上で搬送されるＵＣＩを、上記所定の規則でＰＵＳＣＨ/ＰＵＣＣＨにおいて送信する。上述の方法で選択してＰＵＣＣＨにおいて送信される。または、ＡＣＫ／ＮＡＣＫをＰＵＣＣＨにおいて送信され、Ｐ−ＣＳＩをＰＵＳＣＨにおいて送信される。ＰＵＳＣＨ複数があれば、上述の選択規則でそのうちの１つのＰＵＳＣＨを選択してｓＰＵＣＣＨ上のＵＣＩを搬送する。
【０１１３】
第３の方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする他のアップリンクチャネル内のシンボル上の情報をパンクチャリング（この部分の情報は送信せず、以下同じ）する。前記選択されたアップリンクチャネルとオーバーラップする残りのアップリンクチャネル内のシンボル上の情報をパンクチャリングする場合、さらに、第１の方式または第２の方式を参考することができる。
【０１１４】
ＵＣＩの優先度は以下の通りである：ＳＲの優先度はＡＣＫ／ＮＡＣＫの優先度以上であり、ＡＣＫ／ＮＡＣＫの優先度はＰ−ＣＳＩの優先度より高い。
【０１１５】
選択されていないアップリンクチャネル上のＵＣＩを所定の規則１の下で選択されたアップリンクチャネルに転送して送信し、前記所定の規則１は、上述の記載を参照する。
【０１１６】
選択されたアップリンクチャネルが第２のＴＴＩ長で送信するアップリンク制御チャネルであれば、第１のＴＴＩ長で送信するアップリンクチャネルの送信期間の間に、第２のＴＴＩ長で送信するアップリンク制御チャネル複数があれば、前記ＵＣＩを搬送するチャネルを選択する規則は、方式１と同じである。選択されたアップリンクチャネルが第１のＴＴＩ長で送信するアップリンクチャネルである場合、第１のＴＴＩ長で送信するアップリンク共有チャネル及びアップリンク制御チャネル両方があるか、または、複数の第１のＴＴＩ長で送信するアップリンク共有チャネルがあれば、前記ＵＣＩを搬送するチャネルを選択する規則は方式２と同じである。
【０１１７】
例えば、ＰＵＳＣＨ/ＰＵＣＣＨがｓＰＵＣＣＨとオーバーラップする場合、ｓＰＵＣＣＨがＡＣＫ／ＮＡＣＫを搬送し、ＰＵＳＣＨ/ＰＵＣＣＨがＰ−ＣＳＩを搬送すれば、ｓＰＵＣＣＨを選択し、ＰＵＳＣＨ/ＰＵＣＣＨ上のＰ−ＣＳＩを、上述の所定の規則でｓＰＵＣＣＨに転送して送信し、ＰＵＳＣＨ/ＰＵＣＣＨをｄｒｏｐする。または、ｓＰＵＣＣＨとオーバーラップするＰＵＳＣＨ/ＰＵＣＣＨ内のシンボル上の情報をパンクチャリングする。
【０１１８】
ＰＵＳＣＨ/ＰＵＣＣＨがＡＣＫ／ＮＡＣＫを搬送し、ｓＰＵＣＣＨがＰ−ＣＳＩを搬送すれば、ＰＵＳＣＨ/ＰＵＣＣＨを選択し、ｓＰＵＣＣＨをｄｒｏｐし、ｓＰＵＣＣＨ上のＰ−ＣＳＩを、上述の所定の規則でＰＵＳＣＨ/ＰＵＣＣＨに転送して送信する。
【０１１９】
ｓＰＵＣＣＨがＡＣＫ／ＮＡＣＫを搬送し、ＰＵＳＣＨ/ＰＵＣＣＨもＡＣＫ／ＮＡＣＫを搬送すれば、第１の方式を参考する場合、ｓＰＵＣＣＨを選択し、ＰＵＳＣＨ/ＰＵＣＣＨ上のＡＣＫ／ＮＡＣＫをｓＰＵＣＣＨに転送して送信し、ＰＵＳＣＨ/ＰＵＣＣＨをｄｒｏｐする。または、ｓＰＵＣＣＨとオーバーラップするＰＵＳＣＨ/ＰＵＣＣＨ内のシンボル上の情報をパンクチャリングし、第２の方式を参考する場合、ＰＵＳＣＨ/ＰＵＣＣＨを選択し、 ｓＰＵＣＣＨをｄｒｏｐする。ｓＰＵＣＣＨ上のＡＣＫ／ＮＡＣＫをＰＵＳＣＨ/ＰＵＣＣＨに転送して送信する。
【０１２０】
上述の選択において、ｓＰＵＣＣＨが選択される場合、ＰＵＳＣＨ/ＰＵＣＣＨの送信サブフレームにｓＰＵＣＣＨ複数があれば、上述の第１の方式の選択規則でアップリンク制御チャネルを選択して、ＰＵＳＣＨ/ＰＵＣＣＨ上のＵＣＩを搬送する。ＰＵＳＣＨ/ＰＵＣＣＨを選択して、ＰＵＳＣＨ複数があり、または、ＰＵＳＣＨ及びＰＵＣＣＨ両方があれば、上述の第２の方式の選択規則でｓＰＵＣＣＨ上のＵＣＩを搬送するためのアップリンクチャネルを選択する。
【０１２１】
シナリオ２：
第１のＴＴＩ長で送信するアップリンク共有チャネルが第２のＴＴＩ長で送信するアップリンク共有チャネルとオーバーラップする場合の実装は以下とおりである。
【０１２２】
第４方式では、前記第２のＴＴＩ長で送信するアップリンク共有チャネルを選択して送信し、前記第１のＴＴＩ長で送信するアップリンク共有チャネルを放棄し、または、前記第２のＴＴＩ長で送信するアップリンク共有チャネルとオーバーラップする、前記第１のＴＴＩ長で送信するアップリンク共有チャネル内のシンボル上の情報をパンクチャリングする。
【０１２３】
前記第１のＴＴＩ長で送信するアップリンク共有チャネルで搬送されるＵＣＩを、所定の規則１または所定の規則４の下で前記第２のＴＴＩ長で送信するアップリンク共有チャネルに転送して送信する。
【０１２４】
前記所定の規則４は、以下とおりである。
【０１２５】
前記第１のＴＴＩ長で送信するアップリンク共有チャネルで搬送されるＵＣＩのすべてを、前記第２のＴＴＩ長で送信するアップリンク共有チャネルに転送して送信する。
【０１２６】
または、前記ＵＣＩがＡＣＫ／ＮＡＣＫ及び/またはＳＲである場合、前記第２のＴＴＩ長で送信するアップリンク共有チャネルに直接に転送して送信し、前記ＵＣＩがＰ−ＣＳＩを含む場合、前記Ｐ−ＣＳＩを直接にｄｒｏｐし、または、前記第２のＴＴＩ長で送信するアップリンク共有チャネルがＰ−ＣＳＩを搬送する場合、前記第１のＴＴＩ長で送信するアップリンク共有チャネルで搬送されるＰ−ＣＳＩをｄｒｏｐする。前記第２のＴＴＩ長で送信するアップリンク共有チャネルがＰ−ＣＳＩを搬送していない場合、前記第１のＴＴＩ長で送信するアップリンク共有チャネルで搬送されるＰ−ＣＳＩを、前記第２のＴＴＩ長で送信するアップリンク共有チャネルに転送して送信する。
【０１２７】
第１のＴＴＩ長で送信するアップリンク共有チャネルの送信期間に第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【０１２８】
例えば、ＰＵＳＣＨがｓＰＵＳＣＨとオーバーラップする場合、ｓＰＵＳＣＨを選択する。ＰＵＳＣＨをｄｒｏｐし、または、ｓＰＵＳＣＨとオーバーラップするＰＵＳＣＨ内のシンボル上の情報をｐｕｎｃｔｕｒｉｎｇする。ＰＵＳＣＨにＵＣＩが搬送されている場合、ＵＣＩを、所定の規則でｓＰＵＳＣＨにおいて送信する。
【０１２９】
ＰＵＳＣＨの送信サブフレームにｓＰＵＳＣＨ複数があれば、最初１つのまたは最後１つのｓＰＵＳＣＨを選択してＵＣＩを送信する。または、ＵＥが複数のキャリアを集約した場合、ＰＣＣに上述のｓＰＵＳＣＨがあれば、ＰＣＣ上の最初１つのまたは最後１つのｓＰＵＳＣＨを優先的に選択して、ＰＵＳＣＨ上のＵＣＩを搬送する。ＰＣＣに上述のｓＰＵＳＣＨがなければ、上述のｓＰＵＳＣＨが存在する最小のキャリアインデックスを有するＳＣＣ上の最初１つのまたは最後１つのｓＰＵＳＣＨを選択して、ＰＵＳＣＨ上のＵＣＩを送信する。
【０１３０】
第５方式では、前記第１のＴＴＩ長で送信するアップリンク共有チャネルを選択して送信し、前記第２のＴＴＩ長で送信するアップリンク共有チャネルを放棄し、
前記第２のＴＴＩ長で送信するアップリンク共有チャネルで搬送されるＵＣＩを、所定の規則１または所定の規則５の下で前記第１のＴＴＩ長で送信するアップリンク共有チャネルに転送して送信する。
【０１３１】
前記所定の規則５は、以下とおりである。
【０１３２】
前記第２のＴＴＩ長で送信するアップリンク共有チャネルで搬送されるＵＣＩすべてを、前記第１のＴＴＩ長で送信するアップリンク共有チャネルに転送して送信する。
【０１３３】
または、前記第２のＴＴＩ長で送信するアップリンク共有チャネルで搬送されるＵＣＩがＡＣＫ／ＮＡＣＫ及び/またはＳＲである場合、前記第１のＴＴＩ長で送信するアップリンク共有チャネルに直接に転送して送信する。前記第２のＴＴＩ長で送信するアップリンク共有チャネルで搬送されるＵＣＩがＰ−ＣＳＩを含む場合、前記Ｐ−ＣＳＩを直接にｄｒｏｐし、または、前記第１のＴＴＩ長で送信するアップリンク共有チャネルがＰ−ＣＳＩを搬送する場合、前記第２のＴＴＩ長で送信するアップリンク共有チャネルで搬送されるＰ−ＣＳＩをｄｒｏｐする。前記第１のＴＴＩ長で送信するアップリンク共有チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク共有チャネルに転送して送信する。
【０１３４】
第１のＴＴＩ長で送信するアップリンク共有チャネル複数があれば、ＰＣＣに前記第１のＴＴＩ長で送信するアップリンク共有チャネルがある場合、ＰＣＣ上の前記第１のＴＴＩ長送信するアップリンク共有チャネルを選択して、前記ｓＰＵＳＣＨ上のＵＣＩを送信し、ＰＣＣに第１のＴＴＩ長で送信するアップリンク共有チャネルがなければ、前記第１のＴＴＩ長で送信するアップリンク共有チャネルを有するＳＣＣのうちの最小キャリアインデックスのＳＣＣ上の前記第１のＴＴＩ長で送信するアップリンク共有チャネルを選択して、前記ｓＰＵＳＣＨ上のＵＣＩを送信し、前記選択された第１のＴＴＩ長で送信するアップリンク共有チャネルがＲＡＲ ｇｒａｎｔに対応するアップリンク共有チャネルである場合、前記ＵＣＩを送信しない。
【０１３５】
例えば、ＰＵＳＣＨがｓＰＵＳＣＨとオーバーラップする場合、ＰＵＳＣＨを選択し、ｓＰＵＳＣＨをｄｒｏｐする。ｓＰＵＳＣＨにＵＣＩがあれば、ＵＣＩを、所定の規則でＰＵＳＣＨにおいて送信する。ＰＵＳＣＨ複数があれば、ＰＣＣに上述のＰＵＳＣＨがある場合、ＰＣＣ上のＰＵＳＣＨを優先的に選択して、ｓＰＵＳＣＨ上のＵＣＩを搬送する。ＰＣＣに上述のＰＵＳＣＨがなければ、上述のＰＵＳＣＨが存在する最小のキャリアインデックスを有するＳＣＣ上のＰＵＳＣＨを選択して、前記ｓＰＵＳＣＨ上のＵＣＩを搬送する。
【０１３６】
第６方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする他のアップリンクチャネル内のシンボル上の情報をパンクチャリング（この部分の情報は送信せず、以下同じ）する。前記選択されたアップリンクチャネルとオーバーラップする残りのアップリンクチャネル内のシンボル上の情報をパンクチャリングし、さらに、第４方式または、第５方式を参考する。
【０１３７】
ＵＣＩの優先度は以下の通りである：ＳＲの優先度はＡＣＫ／ＮＡＣＫの優先度以上であり、ＡＣＫ／ＮＡＣＫの優先度はＰ−ＣＳＩの優先度より高い。
【０１３８】
選択されていないアップリンクチャネル上のＵＣＩを所定の規則１の下で選択されたアップリンクチャネルに転送して送信する。
【０１３９】
選択されたアップリンクチャネルが第２のＴＴＩ長で送信するアップリンク共有チャネルであるとき、第１のＴＴＩ長で送信するアップリンク共有チャネルの送信期間に第２のＴＴＩ長で送信するアップリンク共有チャネル複数があれば、ＵＣＩを搬送するチャネルを選択する規則は、第４方式と同じである。選択されたアップリンクチャネルが第１のＴＴＩ長で送信するアップリンク共有チャネルであるとき、第１のＴＴＩ長で送信するアップリンク共有チャネル複数があれば、ＵＣＩを搬送するチャネルを選択する規則は第５方式と同じである。
【０１４０】
例えば、ＰＵＳＣＨがｓＰＵＳＣＨとオーバーラップする場合、ｓＰＵＳＣＨがＡＣＫ／ＮＡＣＫを搬送し、ＰＵＳＣＨがＰ−ＣＳＩを搬送すれば、ｓＰＵＳＣＨを選択する。ＰＵＳＣＨ上のＰ−ＣＳＩを、上述の所定の規則でｓＰＵＳＣＨに転送して送信する。ＰＵＳＣＨをｄｒｏｐし、または、ｓＰＵＳＣＨとオーバーラップするＰＵＳＣＨ内のシンボル上の情報をパンクチャリングする。
【０１４１】
ＰＵＳＣＨがＡＣＫ／ＮＡＣＫを搬送し、ｓＰＵＳＣＨがＰ−ＣＳＩを搬送する場合、ＰＵＳＣＨを選択し、ｓＰＵＳＣＨをｄｒｏｐする。ｓＰＵＳＣＨ上のＰ−ＣＳＩを、上述の所定の規則でＰＵＳＣＨに転送して送信する。ｓＰＵＳＣＨがＡＣＫ／ＮＡＣＫを搬送し、ＰＵＳＣＨもＡＣＫ／ＮＡＣＫを搬送すれば、第４方式を参考するとき、ｓＰＵＳＣＨを選択する。ＰＵＳＣＨ上のＡＣＫ／ＮＡＣＫをｓＰＵＳＣＨに転送して送信し、ＰＵＳＣＨをｄｒｏｐする。または、ｓＰＵＳＣＨとオーバーラップっするＰＵＳＣＨ内のシンボル上の情報をパンクチャリングし、第５方式を参考するとき、ＰＵＳＣＨを選択し、ｓＰＵＳＣＨをｄｒｏｐする。ｓＰＵＳＣＨ上のＡＣＫ／ＮＡＣＫをＰＵＳＣＨに転送して送信する。
【０１４２】
上述の選択において、ｓＰＵＳＣＨを選択するとき、ＰＵＳＣＨの送信サブフレームにｓＰＵＳＣＨ複数があれば、上述の第４方式の選択規則でアップリンク共有チャネルを選択してＰＵＳＣＨ上のＵＣＩを搬送する。ＰＵＳＣＨを選択する場合、ＰＵＳＣＨ複数があれば、上述の第５方式の選択規則でｓＰＵＳＣＨ上のＵＣＩを搬送するためのアップリンク共有チャネルを選択する。
【０１４３】
シナリオ３：
第１のＴＴＩ長で送信するアップリンク制御チャネルが第２のＴＴＩ長で送信するアップリンク共有チャネルとオーバーラップする場合、以下の通りで実施する。
【０１４４】
第７方式では、前記第２のＴＴＩ長で送信するアップリンク共有チャネルを選択して送信し、前記第１のＴＴＩ長で送信するアップリンク制御チャネルで搬送されるＵＣＩを、所定の規則１または所定の規則６の下で前記第２のＴＴＩ長で送信するアップリンク共有チャネルに転送して送信し、前記第１のＴＴＩ長で送信するアップリンク制御チャネルを放棄する。または、前記第２のＴＴＩ長で送信するアップリンク共有チャネルとオーバーラップする前記第１のＴＴＩ長で送信するアップリンク制御チャネル内のシンボル上の情報をパンクチャリングする。
【０１４５】
前記所定の規則６は以下とおりである。
【０１４６】
前記第１のＴＴＩ長で送信するアップリンク制御チャネルで搬送されるＵＣＩの全てを、前記第２のＴＴＩ長で送信するアップリンク共有チャネルに転送して送信する。
【０１４７】
または、前記第１のＴＴＩ長で送信するアップリンク制御チャネルで搬送されるＵＣＩがＡＣＫ／ＮＡＣＫ及び/またはＳＲである場合、前記第２のＴＴＩ長で送信するアップリンク共有チャネルに直接に転送して送信する。前記第１のＴＴＩ長で送信するアップリンク制御チャネルで搬送されるＵＣＩがＰ−ＣＳＩを含む場合、前記Ｐ−ＣＳＩを直接にｄｒｏｐし、または、前記第２のＴＴＩ長で送信するアップリンク共有チャネルがＰ−ＣＳＩを搬送する場合、前記第１のＴＴＩ長で送信するアップリンク制御チャネルで搬送されるＰ−ＣＳＩをｄｒｏｐする。前記第２のＴＴＩ長で送信するアップリンク共有チャネルがＰ−ＣＳＩを搬送しない場合、前記第１のＴＴＩ長で送信するアップリンク制御チャネルで搬送されるＰ−ＣＳＩを、前記第２のＴＴＩ長で送信するアップリンク共有チャネルに転送して送信する。
【０１４８】
第１のＴＴＩ長で送信するアップリンク制御チャネルの送信期間に複数の第２のＴＴＩ長で送信するアップリンク共有チャネル複数がある場合、第２のＴＴＩ長で送信するアップリンク共有チャネルを選択する方法は、シナリオ２の第４方式と同じである。
【０１４９】
例えば、ＰＵＣＣＨがｓＰＵＳＣＨとオーバーラップする場合、ｓＰＵＳＣＨを選択する。ＰＵＣＣＨをｄｒｏｐする。または、ｓＰＵＳＣＨとオーバーラップするＰＵＣＣＨ内のシンボル上の情報をｐｕｎｃｔｕｒｉｎｇする。さらに、ＰＵＣＣＨ上のＵＣＩをｓＰＵＳＣＨにおいて送信する。当該ＰＵＣＣＨの送信サブフレームにｓＰＵＳＣＨ複数があれば、ｓＰＵＳＣＨを選択する方式は、シナリオ２の第４方式と同じである。
【０１５０】
方式８：前記第１のＴＴＩ長で送信するアップリンク制御チャネルを選択して送信し、前記第２のＴＴＩ長で送信するアップリンク共有チャネルを放棄する。
【０１５１】
前記第２のＴＴＩ長で送信するアップリンク共有チャネルがＵＣＩを搬送している場合、前記ＵＣＩを所定の規則１または所定の規則７の下で前記第１のＴＴＩ長で送信するアップリンク制御チャネルに転送して送信する。
【０１５２】
前記所定の規則７は以下とおりである。
【０１５３】
前記第２のＴＴＩ長で送信するアップリンク共有チャネルで搬送されるＵＣＩの全てを、前記第１のＴＴＩ長で送信するアップリンク制御チャネルに転送して送信する。  
または、前記第２のＴＴＩ長で送信するアップリンク共有チャネルで搬送されるＵＣＩがＡＣＫ／ＮＡＣＫ及び/またはＳＲである場合、前記第１のＴＴＩ長で送信するアップリンク制御チャネルに直接に転送して送信する。前記第２のＴＴＩ長で送信するアップリンク共有チャネルで搬送されるＵＣＩがＰ−ＣＳＩを含む場合、前記Ｐ−ＣＳＩを直接にｄｒｏｐし、または、前記第１のＴＴＩ長で送信するアップリンク制御チャネルがＰ−ＣＳＩを搬送している場合、前記第２のＴＴＩ長で送信するアップリンク共有チャネルで搬送されるＰ−ＣＳＩをｄｒｏｐする。前記第１のＴＴＩ長で送信するアップリンク制御チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク制御チャネルに転送して送信する。
【０１５４】
例えば、ＰＵＣＣＨがｓＰＵＳＣＨとオーバーラップする場合、ＰＵＣＣＨを選択し、ｓＰＵＳＣＨをｄｒｏｐする。さらに、ｓＰＵＳＣＨにＵＣＩがあれば、ＵＣＩを所定の規則でＰＵＣＣＨにおいて送信する。
【０１５５】
方式９：ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄する。または、前記選択されたアップリンクチャネルとオーバーラップする他のアップリンクチャネル内のシンボル上の情報をパンクチャリングする（この部分の情報は送信せず、以下同じ）。前記選択されたアップリンクチャネルとオーバーラップする残りのアップリンクチャネル内のシンボル上の情報をパンクチャリングし、上述の第７方式または第８方式を参考されたい。
【０１５６】
ＵＣＩの優先度は以下の通りである：ＳＲの優先度はＡＣＫ／ＮＡＣＫの優先度以上であり、ＡＣＫ／ＮＡＣＫの優先度はＰ−ＣＳＩの優先度より高い。
【０１５７】
選択されていないアップリンクチャネル上のＵＣＩを所定の規則１の下で選択されたアップリンクチャネルに転送して送信する。
【０１５８】
選択されたアップリンクチャネルが第２のＴＴＩ長で送信するアップリンク共有チャネルであるとき、第１のＴＴＩ長で送信するアップリンク制御チャネルの送信期間に複数の第２のＴＴＩ長で送信するアップリンク共有チャネル複数がある場合、ＵＣＩを搬送するチャネルを選択する規則は第８方式と同じである。
【０１５９】
例えば、ＰＵＣＣＨがｓＰＵＳＣＨとオーバーラップする場合、ｓＰＵＳＣＨがＡＣＫ／ＮＡＣＫを搬送し、ＰＵＣＣＨがＰ−ＣＳＩを搬送すれば、ｓＰＵＳＣＨを選択する。ＰＵＣＣＨ上のＰ−ＣＳＩを上述の所定の規則でｓＰＵＳＣＨに転送して送信し、ＰＵＣＣＨをｄｒｏｐする。または、ｓＰＵＳＣＨとオーバーラップするＰＵＣＣＨ内のシンボル上の情報をパンクチャリングする。
【０１６０】
ＰＵＣＣＨがＡＣＫ／ＮＡＣＫを搬送し、ｓＰＵＳＣＨがＰ−ＣＳＩを搬送すれば、ＰＵＣＣＨを選択し、ｓＰＵＳＣＨをｄｒｏｐする。ｓＰＵＳＣＨ上のＰ−ＣＳＩを、上述の所定の規則でＰＵＣＣＨに転送して送信する。
【０１６１】
ｓＰＵＳＣＨがＡＣＫ／ＮＡＣＫを搬送し、ＰＵＣＣＨもＡＣＫ／ＮＡＣＫを搬送する場合、第７方式を参考するとき、ｓＰＵＳＣＨを選択する。ＰＵＣＣＨ上のＡＣＫ／ＮＡＣＫをｓＰＵＳＣＨに転送して送信し、ＰＵＣＣＨをｄｒｏｐする。または、ｓＰＵＳＣＨとオーバーラップするＰＵＣＣＨ内のシンボル上の情報をパンクチャリングし、第８方式を参考するとき、ＰＵＣＣＨを選択し、ｓＰＵＳＣＨをｄｒｏｐする。ｓＰＵＳＣＨ上のＡＣＫ／ＮＡＣＫをＰＵＣＣＨに転送して送信する。
【０１６２】
上述の選択において、ｓＰＵＳＣＨを選択するとき、ＰＵＣＣＨの送信サブフレームにｓＰＵＳＣＨ複数があれば、上述の第７方式の選択規則でアップリンク共有チャネルを選択してＰＵＣＣＨ上のＵＣＩを搬送する。
【０１６３】
特定の実装形態では、上述の動作を実行する前、第１のＴＴＩ長で送信するアップリンクチャネルの送信電力と、第２のＴＴＩ長で送信するアップリンクチャネルの送信電力との合計が、ＵＥに許容される最大送信電力を超えるかどうかを判定し、最大送信電力を超えると、上述の動作を実行する。 
上述の動作を実行する前、第１のＴＴＩ長で送信するアップリンクチャネルと第２のＴＴＩ長で送信するアップリンクチャネルとの同時送信をサポートするかどうかを判定し、サポートしないと判定すれば、上述の動作を実行する。
【０１６４】
上述の動作を実行する前、第１のＴＴＩ長で送信するアップリンク制御チャネルと第２のＴＴＩ長で送信するアップリンク共有チャネルとの同時送信をサポートするかどうかを判定し、及び/または、第１のＴＴＩ長で送信するアップリンク共有チャネルと第２のＴＴＩ長で送信するアップリンク制御チャネルとの同時送信をサポートするかどうかを判定し、サポートしないと判定すれば、上述の動作を実行する。
【０１６５】
上述の過程において、選択されていないアップリンクチャネル上のＰ−ＣＳＩが選択されたアップリンクチャネルにおいて送信去れる場合、選択されたアップリンクチャネル上のＵＣＩの組み合わせに関する送信規則が満たされる。例えば、ＡＣＫ／ＮＡＣＫ/ＳＲとＰ−ＣＳＩの同時送信をサポートする場合、送信容量などに応じて送信するＰ−ＣＳＩの個数を選択することができる。具体的に、選択されたアップリンクチャネルにもともとＡＣＫ／ＮＡＣＫ及び/またはＳＲがあれば、選択されたアップリンクチャネルがＰ−ＣＳＩとＡＣＫ／ＮＡＣＫ及び/またはＳＲの同時送信をサポートするかどうかに従って、選択されていないアップリンクチャネルで搬送されるＰ−ＣＳＩを、選択されたアップリンクチャネルに転送して送信することができるかどうかを決定する。同時送信がサポートされている場合、Ｐ−ＣＳＩを転送することができる。そうでなければ、選択されていないアップリンクチャネルで搬送されるＰ−ＣＳＩをｄｒｏｐする。選択されたアップリンクチャネルにもともとＰ−ＣＳＩがある場合、選択されていないアップリンクチャネルで搬送されるＰ−ＣＳＩを、選択されたアップリンクチャネルに転送して送信し、上述の選択されたアップリンクチャネルにおいて、選択されていないアップリンクチャネルで搬送されるＰ−ＣＳＩを送信する場合、Ｐ−ＣＳＩすべてを、選択されたアップリンクチャネルにおいて送信することができる。または、選択されたアップリンクチャネルの容量に従って、選択されていないアップリンクチャネルで搬送されるＰ−ＣＳＩの全部または一部を選択する。従来技術と同じ規則、すなわち、ＣＳＩタイプ優先度、キャリア優先度、およびＣＳＩプロセス優先度に従って選択することができる。
【０１６６】
同じ発明思想に基づいて、本発明の実施形態はデータ伝送のための装置をさらに提供し、装置はデータを送信するための方法と同様の原理の下で問題に対処するので、方法の実施を参考することができるため、繰り返しの説明はここでは省略する。
【０１６７】
図５はＵＥ側データ伝送のための装置の構造図である、図に示すように、 
第１のＴＴＩ長で送信するアップリンクチャネルの送信期間が第２のＴＴＩ長で送信するアップリンクチャネルの送信期間とオーバーラップするかどうかを判定するように構成される、第１の決定モジュール５０１と、
オーバーラップすると判定した場合、所定のルールの下で少なくも１つのアップリンクチャネルを選択して送信し、残りのアップリンクチャネルを放棄し、または、残りのアップリンクチャネルをパンクチャリングして送信する用に構成される、送信モジュール５０２とを備える。
【０１６８】
実施では、前記第１のＴＴＩ長が前記第２のＴＴＩ長より大きい。
【０１６９】
実施では、前記アップリンクチャネルは、アップリンク制御チャネル及びアップリンク共有チャネルのうちの少なくとも１つである。
【０１７０】
実施では、前記所定のルールは、以下のルールのうちの１つまたは組み合わせであり、
アップリンク制御チャネルを選択し、アップリンク共有チャネルでの送信を放棄するか、またはアップリンク共有チャネルをパンクチャリングして送信し、
第２のＴＴＩ長で送信するアップリンクチャネルを選択し、第１のＴＴＩ長で送信するアップリンクチャネルを放棄するか、または、第１のＴＴＩ長で送信するアップリンクチャネルをパンクチャリングして送信し、
ＵＣＩを搬送するアップリンクチャネルを選択し、ＵＣＩを搬送するアップリンクチャネルが複数ある場合、優先度の高いＵＣＩを搬送するアップリンクチャネルを選択し、優先度の高いＵＣＩを搬送するアップリンクチャネルが複数ある場合、前記規則を再利用して選択し、残りのアップリンクチャネルを放棄するか、または、残りのアップリンクチャネルをパンクチャリングして送信する。
【０１７１】
実施では、さらに、選択されていないアップリンクチャネル上のＵＣＩを所定の規則１の下で選択されたアップリンクチャネルに転送して送信する。 
実施では、第１のＴＴＩ長で送信するルアップリンクチャネルが、第２のＴＴＩ長で送信するアップリンク制御チャネルとオーバーラップする場合、以下の方式の少なくとも１つを適用し、前記アップリンクチャネルは少なくとも１つのアップリンク共有チャネルまたはアップリンク制御チャネルを含み、
第１の方式では：
前記第２のＴＴＩ長で送信するアップリンク制御チャネルを選択して送信し、前記第１のＴＴＩ長で送信するアップリンクチャネルを放棄し、または、前記第２のＴＴＩ長で送信するアップリンク制御チャネルとオーバーラップする前記第１のＴＴＩ長で送信するアップリンクチャネル内のシンボル上の情報をパンクチャリングする。
【０１７２】
第２の方式では：
前記第１のＴＴＩ長で送信するアップリンクチャネルを選択し、前記第２のＴＴＩ長で送信するアップリンク制御チャネルを放棄する。
【０１７３】
第３の方式では：
ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第１の方式または前記第２の方式で同じ優先度のＵＣＩを搬送する複数のチャネルから選択する。
【０１７４】
実施では、前記第１の方式を適用する場合、前記第１のＴＴＩ長で送信するアップリンクチャネルで搬送されるＵＣＩを、所定の規則１または所定の規則２の下で前記第２のＴＴＩ長で送信するアップリンク制御チャネルに転送して送信する。
【０１７５】
前記第２の方式を適用する場合、前記第２のＴＴＩ長で送信するアップリンク制御チャネルで搬送されるＵＣＩを、所定の規則１または所定の規則３の下で前記第１のＴＴＩ長で送信するアップリンクチャネルに転送して送信する。
【０１７６】
前記第３方式を適用する場合、選択されていないアップリンクチャネル上のＵＣＩを、前記所定の規則１の下で選択されたアップリンクチャネルに転送して送信する。
【０１７７】
実施では、前記第１の方式を適用する場合、前記所定の規則２は以下方式のうちの１つまたは組み合わせを含み、
前記第１のＴＴＩ長で送信するアップリンクチャネルで搬送されるＵＣＩのすべてを、前記第２のＴＴＩ長で送信するアップリンク制御チャネルに転送して送信し、
前記第１のＴＴＩ長で送信するアップリンクチャネルで搬送されるＵＣＩがＡＣＫ／ＮＡＣＫ及び/またはＳＲである場合、前記ＵＣＩを前記第２のＴＴＩ長で送信するアップリンク制御チャネルに転送して送信し、前記第１のＴＴＩ長で送信するアップリンクチャネルで搬送されるＵＣＩがＰ−ＣＳＩを含む場合、前記第１のＴＴＩ長で送信するアップリンクチャネルで搬送されるＰ−ＣＳＩを放棄し、または、前記第２のＴＴＩ長で送信するアップリンク制御チャネルにＰ−ＣＳＩが含まれる場合、前記第１のＴＴＩ長で送信するアップリンクチャネルで搬送されるＰ−ＣＳＩを放棄し、前記第２のＴＴＩ長で送信するアップリンク制御チャネルにＰ−ＣＳＩが含まれない場合、前記第１のＴＴＩ長で送信するアップリンクチャネルで搬送されるＰ−ＣＳＩを、第２のＴＴＩ長で送信するアップリンク制御チャネルに転送して送信し、
第１のＴＴＩ長で送信するアップリンクチャネルの送信期間の間に、第２のＴＴＩ長で送信するアップリンク制御チャネル複数があれば、
最初１つのまたは最後１つの第２のＴＴＩ長で送信するアップリンク制御チャネルを選択して前記ＵＣＩを搬送し、または、
Ｐ−ＣＳＩ搬送用の、第２のＴＴＩ長で送信するアップリンク制御チャネルを選択して、前記第１のＴＴＩ長で送信するアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンクチャネル内のＰ−ＣＳＩを搬送し、ＡＣＫ／ＮＡＣＫ及び/またはＳＲ搬送用の、第２のＴＴＩ長で送信するアップリンク制御チャネルを選択して、前記第１のＴＴＩ長で送信するアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記第１のＴＴＩ長で送信するアップリンクチャネル内の対応のＵＣＩを搬送するためのものとする。
【０１７８】
前記第２の方式を適用する場合、前記所定の規則３は、以下方式のうちの１つまたは組み合わせを含み、
前記第２のＴＴＩ長で送信するアップリンク制御チャネルで搬送されるＵＣＩすべてを、前記第２のＴＴＩ長で送信するアップリンク制御チャネルで搬送されるＵＣＩすべてを、前記第１のＴＴＩ長で送信するアップリンクチャネルに転送して送信し、
前記第２のＴＴＩ長で送信するアップリンク制御チャネルで搬送されるＵＣＩがＡＣＫ／ＮＡＣＫ及び/またはＳＲである場合、前記ＵＣＩを前記第１のＴＴＩ長で送信するアップリンクチャネルに転送して送信し、前記第２のＴＴＩ長で送信するアップリンク制御チャネルで搬送されるＵＣＩがＰ−ＣＳＩを含む場合、前記第２のＴＴＩ長で送信するアップリンク制御チャネルで搬送されるＰ−ＣＳＩを放棄し、または、前記第１のＴＴＩ長で送信するアップリンクチャネルがＰ−ＣＳＩを搬送する場合、前記第２のＴＴＩ長で送信するアップリンク制御チャネルで搬送されるＰ−ＣＳＩを放棄し、前記第１のＴＴＩ長で送信するアップリンクチャネルがＰ−ＣＳＩを搬送しない場合、前記第２のＴＴＩ長で送信するアップリンク制御チャネルで搬送されるＰ−ＣＳＩを、前記第２のＴＴＩ長で送信するアップリンクチャネルに転送して送信し、
前記第１のＴＴＩ長で送信するアップリンク共有チャネル及び第１のＴＴＩ長で送信するアップリンク制御チャネル両方があれば、そのうちの１つを選択して前記ＵＣＩを搬送し、または、前記ＵＣＩの一部を前記第１のＴＴＩ長で送信するアップリンク共有チャネルで搬送し、前記ＵＣＩの残りの部分を前記第１のＴＴＩ長で送信するアップリンク制御チャネルで搬送し、及び/または、第１のＴＴＩ長で送信するアップリンク共有チャネル複数があれば、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
前記第３方式を適用する場合、選択されたアップリンクチャネルが第２のＴＴＩ長で送信するアップリンク制御チャネルであれば、第１のＴＴＩ長で送信するアップリンクチャネルの送信期間の間に、第２のＴＴＩ長で送信するアップリンク制御チャネル複数があれば、前記所定の規則２の方式で前記ＵＣＩを搬送するチャネルを選択し、選択されたアップリンクチャネルが第１のＴＴＩ長で送信するアップリンクチャネルである場合、第１のＴＴＩ長で送信するアップリンク共有チャネル及びアップリンク制御チャネル両方があるか、または、複数の第１のＴＴＩ長で送信するアップリンク共有チャネルがあれば、前記所定の規則３の方式で、前記ＵＣＩを搬送するチャネルを選択する。
【０１７９】
実施では、第１のＴＴＩ長で送信するアップリンク共有チャネルが第２のＴＴＩ長で送信するアップリンク共有チャネルとオーバーラップする場合、以下の方式の少なくとも１つを適用する。
【０１８０】
第４方式では、
前記第２のＴＴＩ長で送信するアップリンク共有チャネルを選択して送信し、前記第１のＴＴＩ長で送信するアップリンク共有チャネルを放棄し、または、前記第２のＴＴＩ長で送信するアップリンク共有チャネルとオーバーラップする、前記第１のＴＴＩ長で送信するアップリンク共有チャネル内のシンボル上の情報をパンクチャリングする。
【０１８１】
第５方式では：
前記第１のＴＴＩ長で送信するアップリンク共有チャネルを選択して送信し、前記第２のＴＴＩ長で送信するアップリンク共有チャネルを放棄する。
【０１８２】
第６方式では：
ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第３方式または前記第４方式で同じ優先度のＵＣＩを搬送する複数のチャネルから選択する。
【０１８３】
実施では、前記第４方式が適用される場合、前記第１のＴＴＩ長で送信するアップリンク共有チャネルで搬送されるＵＣＩを、所定の規則１または所定の規則４の下で前記第２のＴＴＩ長で送信するアップリンク共有チャネルに転送して送信する。
【０１８４】
前記第５方式が適用される場合、前記第２のＴＴＩ長で送信するアップリンク共有チャネルで搬送されるＵＣＩを、所定の規則１または所定の規則５の下で前記第１のＴＴＩ長で送信するアップリンク共有チャネルに転送して送信する。
【０１８５】
前記第６方式が適用される場合、選択されていないアップリンクチャネル上のＵＣＩを所定の規則１の下で選択されたアップリンクチャネルに転送して送信する。
【０１８６】
実施では、前記第４方式が適用される場合、前記所定の規則４は、以下方式のうちの１つまたは組み合わせを含み、
前記第１のＴＴＩ長で送信するアップリンク共有チャネルで搬送されるＵＣＩすべてを、前記第２のＴＴＩ長で送信するアップリンク共有チャネルに転送して送信し、
前記第１のＴＴＩ長で送信するアップリンク共有チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク共有チャネルで搬送されるＵＣＩがＰ−ＣＳＩを含む場合、前記第１のＴＴＩ長で送信するアップリンク共有チャネルで搬送されるＰ−ＣＳＩを放棄し、または、前記第２のＴＴＩ長で送信するアップリンク共有チャネルがＰ−ＣＳＩを搬送している場合、前記第１のＴＴＩ長で送信するアップリンク共有チャネルで搬送されるＰ−ＣＳＩを放棄し、前記第２のＴＴＩ長で送信するアップリンク共有チャネルがＰ−ＣＳＩを搬送していない場合、前記第１のＴＴＩ長で送信するアップリンク共有チャネルで搬送されるＰ−ＣＳＩを、前記第２のＴＴＩ長で送信するアップリンク共有チャネルに転送して送信し、
第１のＴＴＩ長で送信するアップリンク共有チャネルの送信期間に第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【０１８７】
前記第５方式が適用される場合、前記所定の規則５は以下方式のうちの１つまたは組み合わせを含み、
前記第２のＴＴＩ長で送信するアップリンク共有チャネルで搬送されるＵＣＩすべてを、前記第１のＴＴＩ長で送信するアップリンク共有チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク共有チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク共有チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク共有チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク共有チャネルに転送して送信し、
第１のＴＴＩ長で送信するアップリンク共有チャネル複数があれば、ＰＣＣに前記第１のＴＴＩ長で送信するアップリンク共有チャネルがある場合、ＰＣＣ上の前記第１のＴＴＩ長送信するアップリンク共有チャネルを選択して、前記ｓＰＵＳＣＨ上のＵＣＩを送信し、ＰＣＣに第１のＴＴＩ長で送信するアップリンク共有チャネルがなければ、前記第１のＴＴＩ長で送信するアップリンク共有チャネルを有するＳＣＣのうちの最小キャリアインデックスのＳＣＣ上の前記第１のＴＴＩ長で送信するアップリンク共有チャネルを選択して、前記ｓＰＵＳＣＨ上のＵＣＩを送信し、前記選択された第１のＴＴＩ長で送信するアップリンク共有チャネルがＲＡＲ ｇｒａｎｔに対応するアップリンク共有チャネルである場合、前記ＵＣＩを送信しない。
【０１８８】
前記第６方式が適用される場合、選択されたアップリンクチャネルが第２のＴＴＩ長で送信するアップリンク共有チャネルであるとき、第１のＴＴＩ長で送信するアップリンク共有チャネルの送信期間に第２のＴＴＩ長で送信するアップリンク共有チャネル複数があれば、前記所定の規則４の方式で、ＵＣＩを搬送するチャネルを選択し、選択されたアップリンクチャネルが第１のＴＴＩ長で送信するアップリンク共有チャネルであるとき、第１のＴＴＩ長で送信するアップリンク共有チャネル複数があれば、前記所定の規則５の方式で、ＵＣＩを搬送するチャネルを選択する。
【０１８９】
実施では、第１のＴＴＩ長で送信するアップリンク制御チャネルが、第２のＴＴＩ長で送信するアップリンク共有チャネルとオーバーラップする場合、以下の方式の少なくとも１つを適用する。
【０１９０】
第７方式では、
前記第２のＴＴＩ長で送信するアップリンク共有チャネルを選択して送信し、前記第１のＴＴＩ長で送信するアップリンク制御チャネルを放棄し、または、前記第２のＴＴＩ長で送信するアップリンク共有チャネルとオーバーラップする前記第１のＴＴＩ長で送信するアップリンク制御チャネル内のシンボル上の情報をパンクチャリングする。
【０１９１】
第８方式では、
前記第１のＴＴＩ長で送信するアップリンク制御チャネルを選択して送信し、前記第２のＴＴＩ長で送信するアップリンク共有チャネルを放棄する。
【０１９２】
第９方式では：
ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第７方式または前記第８方式で同じ優先度のＵＣＩを搬送する複数のチャネルから選択する。
【０１９３】
実施では、前記第７方式が適用される場合、前記第１のＴＴＩ長で送信するアップリンク制御チャネルで搬送されるＵＣＩを、所定の規則１または所定の規則６の下で前記第２のＴＴＩ長で送信するアップリンク共有チャネルに転送して送信する。
【０１９４】
前記第８方式が適用される場合、前記第２のＴＴＩ長で送信するアップリンク共有チャネルがＵＣＩを搬送している場合、前記ＵＣＩを所定の規則１または所定の規則７の下で前記第１のＴＴＩ長で送信するアップリンク制御チャネルに転送して送信する。
【０１９５】
前記第９方式が適用される場合、選択されていないアップリンクチャネル上のＵＣＩを所定の規則１の下で選択されたアップリンクチャネルに転送して送信する。
【０１９６】
実施では、前記第７方式が適用される場合、前記所定の規則６は、以下方式のうちの１つまたは組み合わせを含み、
前記第１のＴＴＩ長で送信するアップリンク制御チャネルで搬送されるＵＣＩすべてを、前記第２のＴＴＩ長で送信するアップリンク共有チャネルに転送して送信し、
前記第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク制御チャネルで搬送されるＵＣＩがＰ−ＣＳＩを含む場合、前記第１のＴＴＩ長で送信するアップリンク制御チャネルで搬送されるＰ−ＣＳＩを放棄し、または、前記第２のＴＴＩ長で送信するアップリンク共有チャネルがＰ−ＣＳＩを搬送する場合、前記第１のＴＴＩ長で送信するアップリンク制御チャネルで搬送されるＰ−ＣＳＩを放棄し、前記第２のＴＴＩ長で送信するアップリンク共有チャネルがＰ−ＣＳＩを搬送しない場合、前記第１のＴＴＩ長で送信するアップリンク制御チャネルで搬送されるＰ−ＣＳＩを、前記第２のＴＴＩ長で送信するアップリンク共有チャネルに転送して送信し、
第１のＴＴＩ長で送信するアップリンク制御チャネルの送信期間に複数の第２のＴＴＩ長で送信するアップリンク共有チャネル複数がある場合、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第８方式が適用される場合、前記所定の規則７は、以下方式のうちの１つまたは組み合わせを含み、
前記第２のＴＴＩ長で送信するアップリンク共有チャネルで搬送されるＵＣＩの全てを、前記第１のＴＴＩ長で送信するアップリンク制御チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク制御チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク制御チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク制御チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク制御チャネルに転送して送信する。
【０１９７】
前記第９方式が適用される場合、選択されたアップリンクチャネルが第２のＴＴＩ長で送信するアップリンク共有チャネルであるとき、第１のＴＴＩ長で送信するアップリンク制御チャネルの送信期間に複数の第２のＴＴＩ長で送信するアップリンク共有チャネル複数がある場合、前記所定の規則７の方式でＵＣＩを搬送するチャネルを選択する。
【０１９８】
実施では、前記ＵＣＩ優先度は、ＳＲの優先度がＡＣＫ／ＮＡＣＫの優先度以上であり、ＡＣＫ／ＮＡＣＫの優先度がＰ−ＣＳＩの優先度よりも高い。
【０１９９】
実施では、前記所定の規則１は、以下方式のうちの１つまたは組み合わせを含み、
選択されていないアップリンクチャネル上のＵＣＩを選択されたアップリンクチャネルに転送して送信する。
【０２００】
選択されていないアップリンクチャネル上のＵＣＩがＡＣＫ／ＮＡＣＫ及び/またはＳＲである場合、前記ＵＣＩを選択されたアップリンクチャネルに転送して送信し、選択されていないアップリンクチャネル上のＵＣＩがＰ−ＣＳＩを含む場合、前記選択されていないアップリンクチャネル上のＰ−ＣＳＩを放棄し、または、選択されたアップリンクチャネルがＰ−ＣＳＩを搬送している場合、前記選択されていないアップリンクチャネル上のＰ−ＣＳＩを放棄し、選択されたアップリンクチャネルがＰ−ＣＳＩを搬送していない場合、選択されていないチャネルで搬送されるＰ−ＣＳＩを、選択されたアップリンクチャネルに転送して送信する。
【０２０１】
選択されたアップリンクチャネルが第１のＴＴＩ長で送信するアップリンクチャネルである場合は、第１のＴＴＩ長で送信するアップリンク共有チャネル及び第１のＴＴＩ長で送信するアップリンク制御チャネル両方があるとき、そのうちの１つを選択して前記ＵＣＩを搬送し、または、前記ＵＣＩの一部を第１のＴＴＩ長で送信するアップリンク共有チャネルで搬送されるようにし、前記ＵＣＩの残りの部分を第１のＴＴＩ長で送信するアップリンク制御チャネルで搬送されるようにし、第１のＴＴＩ長を利用するアップリンク共有チャネル複数がある場合、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない。
【０２０２】
選択されたアップリンクチャネルが第２のＴＴＩ長で送信するアップリンク制御チャネルであれば、前記第１のＴＴＩ長の間に第２のＴＴＩ長で送信するアップリンク制御チャネル複数があるとき、最初１つのまたは最後１つの第２のＴＴＩ長で送信するアップリンク制御チャネルを選択して前記ＵＣＩを搬送し、または、Ｐ−ＣＳＩ搬送用の、第２のＴＴＩ長で送信するアップリンク制御チャネルを選択して、前記選択されていないアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記選択されていないアップリンクチャネル内のＰ−ＣＳＩを搬送するためのものとし、ＡＣＫ／ＮＡＣＫ及び/またはＳＲ搬送用の、第２のＴＴＩ長で送信するアップリンク制御チャネルを選択して前記選択されていないアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して前記選択されていないアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記選択されていないアップリンクチャネル内の対応のＵＣＩを搬送するためのものとする。
【０２０３】
選択されたアップリンクチャネルが第２のＴＴＩ長で送信するアップリンク共有チャネルであるとき、前記第１のＴＴＩ長の間に複数の第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを搬送し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して前記ＵＣＩを搬送し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【０２０４】
実施では、さらに、第１のＴＴＩ長で送信するアップリンクチャネルの送信電力と、第２のＴＴＩ長で送信するアップリンクチャネルの送信電力との合計が、ＵＥに許容される最大送信電力を超えるかどうかを判定し、最大送信電力を超えると、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信する。
【０２０５】
及び/または、第１のＴＴＩ長で送信するアップリンクチャネルと第２のＴＴＩ長で送信するアップリンクチャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信し、及び/または、
第１のＴＴＩ長で送信するアップリンク制御チャネルと第２のＴＴＩ長で送信するアップリンク共有チャネルとの同時送信をサポートするかどうかを判定し、及び/または、第１のＴＴＩ長で送信するアップリンク共有チャネルと第２のＴＴＩ長で送信するアップリンク制御チャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信する。
【０２０６】
図６はネットワーク側データ伝送のための装置の構造図であり、図に示すように、
第１のＴＴＩ長で送信するアップリンクチャネルの送信期間が第２のＴＴＩ長で送信するアップリンクチャネルの送信期間とオーバーラップするかどうかを判定するように構成される、第２の決定モジュール６０１と、
オーバーラップすると判定した場合、ＵＥが所定のルールの下でアップリンクチャネルを選択して送信することを決定し、残りのアップリンクチャネルを放棄するか、または、残りのアップリンクチャネルをパンクチャリングして送信するように構成される、送信決定モジュール６０２とを備える。
【０２０７】
実施では、前記第１のＴＴＩ長が前記第２のＴＴＩ長より大きい。
【０２０８】
実施では、前記アップリンクチャネルは、アップリンク制御チャネル及びアップリンク共有チャネルのうちの少なくとも１つである。
【０２０９】
実施では、前記所定の規則は、以下の規則のうちの１つまたは組み合わせであり、
アップリンク制御チャネルを選択し、アップリンク共有チャネルでの送信を放棄するか、またはアップリンク共有チャネルをパンクチャリングして送信する。
【０２１０】
第２のＴＴＩ長で送信するアップリンクチャネルを選択し、第１のＴＴＩ長で送信するアップリンクチャネルを放棄するか、または、第１のＴＴＩ長で送信するアップリンクチャネルをパンクチャリングして送信する。
【０２１１】
ＵＣＩを搬送するアップリンクチャネルを選択し、ＵＣＩを搬送するアップリンクチャネルが複数ある場合、優先度の高いＵＣＩを搬送するアップリンクチャネルを選択し、優先度の高いＵＣＩを搬送するアップリンクチャネルが複数ある場合、前記規則を再利用して選択し、残りのアップリンクチャネルを放棄するか、または、残りのアップリンクチャネルをパンクチャリングして送信する。
【０２１２】
実施では、さらに、ＵＥが選択されていないアップリンクチャネル上のＵＣＩを所定の規則１の下で選択されたアップリンクチャネルに転送して送信することを決定する。 
実施では、第１のＴＴＩ長で送信するルアップリンクチャネルが、第２のＴＴＩ長で送信するアップリンク制御チャネルとオーバーラップする場合、以下の方式の少なくとも１つを適用し、前記アップリンクチャネルは少なくとも１つのアップリンク共有チャネルまたはアップリンク制御チャネルを含み、
第１の方式では、以下のことを決定し、
ＵＥが前記第２のＴＴＩ長で送信するアップリンク制御チャネルを選択して送信し、前記第１のＴＴＩ長で送信するアップリンクチャネルを放棄し、または、前記第２のＴＴＩ長で送信するアップリンク制御チャネルとオーバーラップする前記第１のＴＴＩ長で送信するアップリンクチャネル内のシンボル上の情報をパンクチャリングする。
【０２１３】
第２の方式では：
前記第１のＴＴＩ長で送信するアップリンク共有チャネル及び/またはアップリンク制御チャネルを選択し、前記第２のＴＴＩ長で送信するアップリンク制御チャネルを放棄する。
【０２１４】
第３の方式では：
ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第１の方式または前記第２の方式で同じ優先度のＵＣＩを搬送する複数のチャネルから選択する。
【０２１５】
実施では、前記第１の方式をを適用する場合、以下のことを決定し、ＵＥが前記第１のＴＴＩ長で送信するアップリンクチャネルで搬送されるＵＣＩを、所定の規則１または所定の規則２の下で前記第２のＴＴＩ長で送信するアップリンク制御チャネルに転送して送信し、
前記第２の方式をを適用する場合、以下のことを決定し、ＵＥが前記第２のＴＴＩ長で送信するアップリンク制御チャネルで搬送されるＵＣＩを、所定の規則１または所定の規則３の下で前記第１のＴＴＩ長で送信するアップリンクチャネルに転送して送信し、
前記第３方式を適用する場合、以下のことを決定し、ＵＥが選択されていないアップリンクチャネル上のＵＣＩを、前記所定の規則１の下で選択されたアップリンクチャネルに転送して送信する。
【０２１６】
実施では、前記第１の方式を適用する場合、前記所定の規則２は以下方式のうちの１つまたは組み合わせを含み、
前記第１のＴＴＩ長で送信するアップリンクチャネルで搬送されるＵＣＩのすべてを、前記第２のＴＴＩ長で送信するアップリンク制御チャネルに転送して送信し、
前記第１のＴＴＩ長で送信するアップリンクチャネルで搬送されるＵＣＩがＡＣＫ／ＮＡＣＫ及び/またはＳＲである場合、前記ＵＣＩを前記第２のＴＴＩ長で送信するアップリンク制御チャネルに転送して送信し、前記第１のＴＴＩ長で送信するアップリンクチャネルで搬送されるＵＣＩがＰ−ＣＳＩを含む場合、前記第１のＴＴＩ長で送信するアップリンクチャネルで搬送されるＰ−ＣＳＩを放棄し、または、前記第２のＴＴＩ長で送信するアップリンク制御チャネルにＰ−ＣＳＩが含まれる場合、前記第１のＴＴＩ長で送信するアップリンクチャネルで搬送されるＰ−ＣＳＩを放棄し、前記第２のＴＴＩ長で送信するアップリンク制御チャネルにＰ−ＣＳＩが含まれない場合、前記第１のＴＴＩ長で送信するアップリンクチャネルで搬送されるＰ−ＣＳＩを、第２のＴＴＩ長で送信するアップリンク制御チャネルに転送して送信し、
第１のＴＴＩ長で送信するアップリンクチャネルの送信期間の間に、第２のＴＴＩ長で送信するアップリンク制御チャネル複数があれば、
最初１つのまたは最後１つの第２のＴＴＩ長で送信するアップリンク制御チャネルを選択して前記ＵＣＩを搬送し、または、
Ｐ−ＣＳＩ搬送用の、第２のＴＴＩ長で送信するアップリンク制御チャネルを選択して、前記第１のＴＴＩ長で送信するアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンクチャネル内のＰ−ＣＳＩを搬送し、ＡＣＫ／ＮＡＣＫ及び/またはＳＲ搬送用の、第２のＴＴＩ長で送信するアップリンク制御チャネルを選択して、前記第１のＴＴＩ長で送信するアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記第１のＴＴＩ長で送信するアップリンクチャネル内の対応のＵＣＩを搬送するためのものとする。
【０２１７】
前記第２の方式を適用する場合、前記所定の規則３は、以下方式のうちの１つまたは組み合わせを含み、
前記第２のＴＴＩ長で送信するアップリンク制御チャネルで搬送されるＵＣＩすべてを、前記第２のＴＴＩ長で送信するアップリンク制御チャネルで搬送されるＵＣＩすべてを、前記第１のＴＴＩ長で送信するアップリンクチャネルに転送して送信し、
前記第２のＴＴＩ長で送信するアップリンク制御チャネルで搬送されるＵＣＩがＡＣＫ／ＮＡＣＫ及び/またはＳＲである場合、前記ＵＣＩを前記第１のＴＴＩ長で送信するアップリンクチャネルに転送して送信し、前記第２のＴＴＩ長で送信するアップリンク制御チャネルで搬送されるＵＣＩがＰ−ＣＳＩを含む場合、前記第２のＴＴＩ長で送信するアップリンク制御チャネルで搬送されるＰ−ＣＳＩを放棄し、または、前記第１のＴＴＩ長で送信するアップリンクチャネルがＰ−ＣＳＩを搬送する場合、前記第２のＴＴＩ長で送信するアップリンク制御チャネルで搬送されるＰ−ＣＳＩを放棄し、前記第１のＴＴＩ長で送信するアップリンクチャネルがＰ−ＣＳＩを搬送しない場合、前記第２のＴＴＩ長で送信するアップリンク制御チャネルで搬送されるＰ−ＣＳＩを、前記第２のＴＴＩ長で送信するアップリンクチャネルに転送して送信し、
前記第１のＴＴＩ長で送信するアップリンク共有チャネル及び第１のＴＴＩ長で送信するアップリンク制御チャネル両方があれば、そのうちの１つを選択して前記ＵＣＩを搬送し、または、前記ＵＣＩの一部を前記第１のＴＴＩ長で送信するアップリンク共有チャネルで搬送し、前記ＵＣＩの残りの部分を前記第１のＴＴＩ長で送信するアップリンク制御チャネルで搬送し、及び/または、第１のＴＴＩ長で送信するアップリンク共有チャネル複数があれば、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
前記第３方式を適用する場合、選択されたアップリンクチャネルが第２のＴＴＩ長で送信するアップリンク制御チャネルであれば、第１のＴＴＩ長で送信するアップリンクチャネルの送信期間の間に、第２のＴＴＩ長で送信するアップリンク制御チャネル複数があれば、前記所定の規則２の方式で前記ＵＣＩを搬送するチャネルを選択し、選択されたアップリンクチャネルが第１のＴＴＩ長で送信するアップリンクチャネルである場合、第１のＴＴＩ長で送信するアップリンク共有チャネル及びアップリンク制御チャネル両方があるか、または、複数の第１のＴＴＩ長で送信するアップリンク共有チャネルがあれば、前記所定の規則３の方式で、前記ＵＣＩを搬送するチャネルを選択する。
【０２１８】
実施では、第１のＴＴＩ長で送信するアップリンク共有チャネルが第２のＴＴＩ長で送信するアップリンク共有チャネルとオーバーラップする場合、以下の方式の少なくとも１つを適用する。
【０２１９】
第４方式では：
前記第２のＴＴＩ長で送信するアップリンク共有チャネルを選択して送信し、前記第１のＴＴＩ長で送信するアップリンク共有チャネルを放棄し、または、前記第２のＴＴＩ長で送信するアップリンク共有チャネルとオーバーラップする、前記第１のＴＴＩ長で送信するアップリンク共有チャネル内のシンボル上の情報をパンクチャリングする。
【０２２０】
第５方式では、
前記第１のＴＴＩ長で送信するアップリンク共有チャネルを選択して送信し、前記第２のＴＴＩ長で送信するアップリンク共有チャネルを放棄する。
【０２２１】
第６方式では：
ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第３方式または前記第４方式で同じ優先度のＵＣＩを搬送する複数のチャネルから選択する。
【０２２２】
実施では、前記第４方式が適用される場合、前記第１のＴＴＩ長で送信するアップリンク共有チャネルで搬送されるＵＣＩを、所定の規則１または所定の規則４の下で前記第２のＴＴＩ長で送信するアップリンク共有チャネルに転送して送信する。
【０２２３】
前記第５方式が適用される場合、前記第２のＴＴＩ長で送信するアップリンク共有チャネルで搬送されるＵＣＩを、所定の規則１または所定の規則５の下で前記第１のＴＴＩ長で送信するアップリンク共有チャネルに転送して送信する。
【０２２４】
前記第６方式が適用される場合、選択されていないアップリンクチャネル上のＵＣＩを所定の規則１の下で選択されたアップリンクチャネルに転送して送信する。
【０２２５】
実施では、前記第４方式が適用される場合、前記所定の規則４は、以下方式のうちの１つまたは組み合わせを含み、
前記第１のＴＴＩ長で送信するアップリンク共有チャネルで搬送されるＵＣＩすべてを、前記第２のＴＴＩ長で送信するアップリンク共有チャネルに転送して送信し、
前記第１のＴＴＩ長で送信するアップリンク共有チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク共有チャネルで搬送されるＵＣＩがＰ−ＣＳＩを含む場合、前記第１のＴＴＩ長で送信するアップリンク共有チャネルで搬送されるＰ−ＣＳＩを放棄し、または、前記第２のＴＴＩ長で送信するアップリンク共有チャネルがＰ−ＣＳＩを搬送している場合、前記第１のＴＴＩ長で送信するアップリンク共有チャネルで搬送されるＰ−ＣＳＩを放棄し、前記第２のＴＴＩ長で送信するアップリンク共有チャネルがＰ−ＣＳＩを搬送していない場合、前記第１のＴＴＩ長で送信するアップリンク共有チャネルで搬送されるＰ−ＣＳＩを、前記第２のＴＴＩ長で送信するアップリンク共有チャネルに転送して送信し、
第１のＴＴＩ長で送信するアップリンク共有チャネルの送信期間に第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【０２２６】
前記第５方式が適用される場合、前記所定の規則５は以下方式のうちの１つまたは組み合わせを含み、
前記第２のＴＴＩ長で送信するアップリンク共有チャネルで搬送されるＵＣＩすべてを、前記第１のＴＴＩ長で送信するアップリンク共有チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク共有チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク共有チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク共有チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク共有チャネルに転送して送信し、
第１のＴＴＩ長で送信するアップリンク共有チャネル複数があれば、ＰＣＣに前記第１のＴＴＩ長で送信するアップリンク共有チャネルがある場合、ＰＣＣ上の前記第１のＴＴＩ長送信するアップリンク共有チャネルを選択して、前記ｓＰＵＳＣＨ上のＵＣＩを送信し、ＰＣＣに第１のＴＴＩ長で送信するアップリンク共有チャネルがなければ、前記第１のＴＴＩ長で送信するアップリンク共有チャネルを有するＳＣＣのうちの最小キャリアインデックスのＳＣＣ上の前記第１のＴＴＩ長で送信するアップリンク共有チャネルを選択して、前記ｓＰＵＳＣＨ上のＵＣＩを送信し、前記選択された第１のＴＴＩ長で送信するアップリンク共有チャネルがＲＡＲ ｇｒａｎｔに対応するアップリンク共有チャネルである場合、前記ＵＣＩを送信しない。
【０２２７】
前記第６方式が適用される場合、選択されたアップリンクチャネルが第２のＴＴＩ長で送信するアップリンク共有チャネルであるとき、第１のＴＴＩ長で送信するアップリンク共有チャネルの送信期間に第２のＴＴＩ長で送信するアップリンク共有チャネル複数があれば、前記所定の規則４の方式で、ＵＣＩを搬送するチャネルを選択し、選択されたアップリンクチャネルが第１のＴＴＩ長で送信するアップリンク共有チャネルであるとき、第１のＴＴＩ長で送信するアップリンク共有チャネル複数があれば、前記所定の規則５の方式で、ＵＣＩを搬送するチャネルを選択する。
【０２２８】
実施では、第１のＴＴＩ長で送信するアップリンク制御チャネルが、第２のＴＴＩ長で送信するアップリンク共有チャネルとオーバーラップする場合、以下の方式の少なくとも１つを適用する。
【０２２９】
第７方式では：
前記第２のＴＴＩ長で送信するアップリンク共有チャネルを選択して送信し、前記第１のＴＴＩ長で送信するアップリンク制御チャネルを放棄し、または、前記第２のＴＴＩ長で送信するアップリンク共有チャネルとオーバーラップする前記第１のＴＴＩ長で送信するアップリンク制御チャネル内のシンボル上の情報をパンクチャリングする。
【０２３０】
第８方式では：
前記第１のＴＴＩ長で送信するアップリンク制御チャネルを選択して送信し、前記第２のＴＴＩ長で送信するアップリンク共有チャネルを放棄する。
【０２３１】
第９方式では、
ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第７方式または前記第８方式で同じ優先度のＵＣＩを搬送する複数のチャネルから選択する。
【０２３２】
実施では、前記第７方式が適用される場合、前記第１のＴＴＩ長で送信するアップリンク制御チャネルで搬送されるＵＣＩを、所定の規則１または所定の規則６の下で前記第２のＴＴＩ長で送信するアップリンク共有チャネルに転送して送信する。
【０２３３】
前記第８方式が適用される場合、前記第２のＴＴＩ長で送信するアップリンク共有チャネルがＵＣＩを搬送している場合、前記ＵＣＩを所定の規則１または所定の規則７の下で前記第１のＴＴＩ長で送信するアップリンク制御チャネルに転送して送信する。
【０２３４】
前記第９方式が適用される場合、選択されていないアップリンクチャネル上のＵＣＩを所定の規則１の下で選択されたアップリンクチャネルに転送して送信する。
【０２３５】
実施では、前記第７方式が適用される場合、前記所定の規則６は、以下方式のうちの１つまたは組み合わせを含み、
前記第１のＴＴＩ長で送信するアップリンク制御チャネルで搬送されるＵＣＩすべてを、前記第２のＴＴＩ長で送信するアップリンク共有チャネルに転送して送信し、
前記第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク制御チャネルで搬送されるＵＣＩがＰ−ＣＳＩを含む場合、前記第１のＴＴＩ長で送信するアップリンク制御チャネルで搬送されるＰ−ＣＳＩを放棄し、または、前記第２のＴＴＩ長で送信するアップリンク共有チャネルがＰ−ＣＳＩを搬送する場合、前記第１のＴＴＩ長で送信するアップリンク制御チャネルで搬送されるＰ−ＣＳＩを放棄し、前記第２のＴＴＩ長で送信するアップリンク共有チャネルがＰ−ＣＳＩを搬送しない場合、前記第１のＴＴＩ長で送信するアップリンク制御チャネルで搬送されるＰ−ＣＳＩを、前記第２のＴＴＩ長で送信するアップリンク共有チャネルに転送して送信し、
第１のＴＴＩ長で送信するアップリンク制御チャネルの送信期間に複数の第２のＴＴＩ長で送信するアップリンク共有チャネル複数がある場合、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【０２３６】
前記第８方式が適用される場合、前記所定の規則７は、以下方式のうちの１つまたは組み合わせを含み、
前記第２のＴＴＩ長で送信するアップリンク共有チャネルで搬送されるＵＣＩの全てを、前記第１のＴＴＩ長で送信するアップリンク制御チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク制御チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク制御チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク制御チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク制御チャネルに転送して送信し、
前記第９方式が適用される場合、選択されたアップリンクチャネルが第２のＴＴＩ長で送信するアップリンク共有チャネルであるとき、第１のＴＴＩ長で送信するアップリンク制御チャネルの送信期間に複数の第２のＴＴＩ長で送信するアップリンク共有チャネル複数がある場合、前記所定の規則７の方式でＵＣＩを搬送するチャネルを選択する。
【０２３７】
実施では、前記ＵＣＩ優先度は、ＳＲの優先度がＡＣＫ／ＮＡＣＫの優先度以上であり、ＡＣＫ／ＮＡＣＫの優先度がＰ−ＣＳＩの優先度よりも高い。
【０２３８】
実施では、前記所定の規則１は、以下方式のうちの１つまたは組み合わせを含み、
選択されていないアップリンクチャネル上のＵＣＩを選択されたアップリンクチャネルに転送して送信し、
選択されていないアップリンクチャネル上のＵＣＩがＡＣＫ／ＮＡＣＫ及び/またはＳＲである場合、前記ＵＣＩを選択されたアップリンクチャネルに転送して送信し、選択されていないアップリンクチャネル上のＵＣＩがＰ−ＣＳＩを含む場合、前記選択されていないアップリンクチャネル上のＰ−ＣＳＩを放棄し、または、選択されたアップリンクチャネルがＰ−ＣＳＩを搬送している場合、前記選択されていないアップリンクチャネル上のＰ−ＣＳＩを放棄し、選択されたアップリンクチャネルがＰ−ＣＳＩを搬送していない場合、選択されていないチャネルで搬送されるＰ−ＣＳＩを、選択されたアップリンクチャネルに転送して送信し、
選択されたアップリンクチャネルが第１のＴＴＩ長で送信するアップリンクチャネルである場合は、第１のＴＴＩ長で送信するアップリンク共有チャネル及び第１のＴＴＩ長で送信するアップリンク制御チャネル両方があるとき、そのうちの１つを選択して前記ＵＣＩを搬送し、または、前記ＵＣＩの一部を第１のＴＴＩ長で送信するアップリンク共有チャネルで搬送されるようにし、前記ＵＣＩの残りの部分を第１のＴＴＩ長で送信するアップリンク制御チャネルで搬送されるようにし、第１のＴＴＩ長を利用するアップリンク共有チャネル複数がある場合、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
選択されたアップリンクチャネルが第２のＴＴＩ長で送信するアップリンク制御チャネルであれば、前記第１のＴＴＩ長の間に第２のＴＴＩ長で送信するアップリンク制御チャネル複数があるとき、最初１つのまたは最後１つの第２のＴＴＩ長で送信するアップリンク制御チャネルを選択して前記ＵＣＩを搬送し、または、Ｐ−ＣＳＩ搬送用の、第２のＴＴＩ長で送信するアップリンク制御チャネルを選択して、前記選択されていないアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記選択されていないアップリンクチャネル内のＰ−ＣＳＩを搬送するためのものとし、ＡＣＫ／ＮＡＣＫ及び/またはＳＲ搬送用の、第２のＴＴＩ長で送信するアップリンク制御チャネルを選択して前記選択されていないアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して前記選択されていないアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記選択されていないアップリンクチャネル内の対応のＵＣＩを搬送するためのものとし、
選択されたアップリンクチャネルが第２のＴＴＩ長で送信するアップリンク共有チャネルであるとき、前記第１のＴＴＩ長の間に複数の第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを搬送し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して前記ＵＣＩを搬送し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【０２３９】
実施では、さらに、第１のＴＴＩ長で送信するアップリンクチャネルの送信電力と、第２のＴＴＩ長で送信するアップリンクチャネルの送信電力との合計が、ＵＥに許容される最大送信電力を超えるかどうかを判定し、最大送信電力を超えると、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信する。
【０２４０】
及び/または、第１のＴＴＩ長で送信するアップリンクチャネルと第２のＴＴＩ長で送信するアップリンクチャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信する。
【０２４１】
及び/または、第１のＴＴＩ長で送信するアップリンク制御チャネルと第２のＴＴＩ長で送信するアップリンク共有チャネルとの同時送信をサポートするかどうかを判定し、及び/または、第１のＴＴＩ長で送信するアップリンク共有チャネルと第２のＴＴＩ長で送信するアップリンク制御チャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信する。
【０２４２】
説明の便宜上、上記の装置のそれぞれの構成要素はそれぞれそれぞれのモジュールまたはユニットとして機能的に説明されている。もちろん、本発明の実施において、それぞれのモジュールまたはユニットの機能は、ソフトウェアまたはハードウェアの同一の１つまたは複数の部分で実行することができる。
【０２４３】
本発明の実施形態による技術的解決策は、以下のように具現化することができる。
【０２４４】
図７はＵＥの構造図であり、図に示すように、ＵＥでは、
プロセッサ７００は、メモリ７２０に格納されたプログラムを読み出し、第１のＴＴＩ長で送信するアップリンクチャネルの送信期間が第２のＴＴＩ長で送信するアップリンクチャネルの送信期間とオーバーラップするかどうかを判定し、 
送受信機７１０は、プロセッサ７００の制御下でデータを送受信するように構成され、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信する。
【０２４５】
実施では、前記第１のＴＴＩ長が前記第２のＴＴＩ長より大きい。
【０２４６】
実施では、前記アップリンクチャネルは、アップリンク制御チャネル及びアップリンク共有チャネルのうちの少なくとも１つである。
【０２４７】
実施では、前記所定の規則は、以下の規則のうちの１つまたは組み合わせであり、
アップリンク制御チャネルを選択し、アップリンク共有チャネルでの送信を放棄するか、またはアップリンク共有チャネルをパンクチャリングして送信し、
第２のＴＴＩ長で送信するアップリンクチャネルを選択し、第１のＴＴＩ長で送信するアップリンクチャネルを放棄するか、または、第１のＴＴＩ長で送信するアップリンクチャネルをパンクチャリングして送信し、
ＵＣＩを搬送するアップリンクチャネルを選択し、ＵＣＩを搬送するアップリンクチャネルが複数ある場合、優先度の高いＵＣＩを搬送するアップリンクチャネルを選択し、優先度の高いＵＣＩを搬送するアップリンクチャネルが複数ある場合、前記規則を再利用して選択し、残りのアップリンクチャネルを放棄するか、または、残りのアップリンクチャネルをパンクチャリングして送信する。
【０２４８】
実施では、さらに、選択されていないアップリンクチャネル上のＵＣＩを所定の規則１の下で選択されたアップリンクチャネルに転送して送信する。 
実施では、第１のＴＴＩ長で送信するアップリンクチャネルが、第２のＴＴＩ長で送信するアップリンク制御チャネルとオーバーラップする場合、以下の方式の少なくとも１つを適用する。
【０２４９】
第１の方式では、
前記第２のＴＴＩ長で送信するアップリンク制御チャネルを選択して送信し、前記第１のＴＴＩ長で送信するアップリンクチャネルを放棄する。または、前記第２のＴＴＩ長で送信するアップリンク制御チャネルとオーバーラップする前記第１のＴＴＩ長で送信するアップリンクチャネル内のシンボル上の情報をパンクチャリングする。
【０２５０】
第２の方式では、
前記第１のＴＴＩ長で送信するアップリンク共有チャネル及び/またはアップリンク制御チャネルを選択し、前記第２のＴＴＩ長で送信するアップリンク制御チャネルを放棄する。
【０２５１】
第３の方式では、
ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第１の方式または前記第２の方式で同じ優先度のＵＣＩを搬送する複数のチャネルから選択する。
【０２５２】
実施では、前記第１の方式を適用する場合、前記第１のＴＴＩ長で送信するアップリンクチャネルで搬送されるＵＣＩを、所定の規則１または所定の規則２の下で前記第２のＴＴＩ長で送信するアップリンク制御チャネルに転送して送信する。
【０２５３】
前記第２の方式を適用する場合、前記第２のＴＴＩ長で送信するアップリンク制御チャネルで搬送されるＵＣＩを、所定の規則１または所定の規則３の下で前記第１のＴＴＩ長で送信するアップリンクチャネルに転送して送信する。
【０２５４】
前記第３方式を適用する場合、選択されていないアップリンクチャネル上のＵＣＩを、前記所定の規則１の下で選択されたアップリンクチャネルに転送して送信する。
【０２５５】
実施では、前記第１の方式を適用する場合、前記所定の規則２は以下方式のうちの１つまたは組み合わせを含み、
前記第１のＴＴＩ長で送信するアップリンクチャネルで搬送されるＵＣＩのすべてを、前記第２のＴＴＩ長で送信するアップリンク制御チャネルに転送して送信し、
前記第１のＴＴＩ長で送信するアップリンクチャネルで搬送されるＵＣＩがＡＣＫ／ＮＡＣＫ及び/またはＳＲである場合、前記ＵＣＩを前記第２のＴＴＩ長で送信するアップリンク制御チャネルに転送して送信し、前記第１のＴＴＩ長で送信するアップリンクチャネルで搬送されるＵＣＩがＰ−ＣＳＩを含む場合、前記第１のＴＴＩ長で送信するアップリンクチャネルで搬送されるＰ−ＣＳＩを放棄し、または、前記第２のＴＴＩ長で送信するアップリンク制御チャネルにＰ−ＣＳＩが含まれる場合、前記第１のＴＴＩ長で送信するアップリンクチャネルで搬送されるＰ−ＣＳＩを放棄し、前記第２のＴＴＩ長で送信するアップリンク制御チャネルにＰ−ＣＳＩが含まれない場合、前記第１のＴＴＩ長で送信するアップリンクチャネルで搬送されるＰ−ＣＳＩを、第２のＴＴＩ長で送信するアップリンク制御チャネルに転送して送信し、
第１のＴＴＩ長で送信するアップリンクチャネルの送信期間の間に、第２のＴＴＩ長で送信するアップリンク制御チャネル複数があれば、
最初１つのまたは最後１つの第２のＴＴＩ長で送信するアップリンク制御チャネルを選択して前記ＵＣＩを搬送し、または、
Ｐ−ＣＳＩ搬送用の、第２のＴＴＩ長で送信するアップリンク制御チャネルを選択して、前記第１のＴＴＩ長で送信するアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンクチャネル内のＰ−ＣＳＩを搬送し、ＡＣＫ／ＮＡＣＫ及び/またはＳＲ搬送用の、第２のＴＴＩ長で送信するアップリンク制御チャネルを選択して、前記第１のＴＴＩ長で送信するアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記第１のＴＴＩ長で送信するアップリンクチャネル内の対応のＵＣＩを搬送するためのものとする。
【０２５６】
前記第２の方式を適用する場合、前記所定の規則３は、以下方式のうちの１つまたは組み合わせを含み、
前記第２のＴＴＩ長で送信するアップリンク制御チャネルで搬送されるＵＣＩすべてを、前記第２のＴＴＩ長で送信するアップリンク制御チャネルで搬送されるＵＣＩすべてを、前記第１のＴＴＩ長で送信するアップリンクチャネルに転送して送信し、
前記第２のＴＴＩ長で送信するアップリンク制御チャネルで搬送されるＵＣＩがＡＣＫ／ＮＡＣＫ及び/またはＳＲである場合、前記ＵＣＩを前記第１のＴＴＩ長で送信するアップリンクチャネルに転送して送信し、前記第２のＴＴＩ長で送信するアップリンク制御チャネルで搬送されるＵＣＩがＰ−ＣＳＩを含む場合、前記第２のＴＴＩ長で送信するアップリンク制御チャネルで搬送されるＰ−ＣＳＩを放棄し、または、前記第１のＴＴＩ長で送信するアップリンクチャネルがＰ−ＣＳＩを搬送する場合、前記第２のＴＴＩ長で送信するアップリンク制御チャネルで搬送されるＰ−ＣＳＩを放棄し、前記第１のＴＴＩ長で送信するアップリンクチャネルがＰ−ＣＳＩを搬送しない場合、前記第２のＴＴＩ長で送信するアップリンク制御チャネルで搬送されるＰ−ＣＳＩを、前記第２のＴＴＩ長で送信するアップリンクチャネルに転送して送信し、
前記第１のＴＴＩ長で送信するアップリンク共有チャネル及び第１のＴＴＩ長で送信するアップリンク制御チャネル両方があれば、そのうちの１つを選択して前記ＵＣＩを搬送し、または、前記ＵＣＩの一部を前記第１のＴＴＩ長で送信するアップリンク共有チャネルで搬送し、前記ＵＣＩの残りの部分を前記第１のＴＴＩ長で送信するアップリンク制御チャネルで搬送し、及び/または、第１のＴＴＩ長で送信するアップリンク共有チャネル複数があれば、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
前記第３方式を適用する場合、選択されたアップリンクチャネルが第２のＴＴＩ長で送信するアップリンク制御チャネルであれば、第１のＴＴＩ長で送信するアップリンクチャネルの送信期間の間に、第２のＴＴＩ長で送信するアップリンク制御チャネル複数があれば、前記所定の規則２の方式で前記ＵＣＩを搬送するチャネルを選択し、選択されたアップリンクチャネルが第１のＴＴＩ長で送信するアップリンクチャネルである場合、第１のＴＴＩ長で送信するアップリンク共有チャネル及びアップリンク制御チャネル両方があるか、または、複数の第１のＴＴＩ長で送信するアップリンク共有チャネルがあれば、前記所定の規則３の方式で、前記ＵＣＩを搬送するチャネルを選択する。
【０２５７】
実施では、第１のＴＴＩ長で送信するアップリンク共有チャネルが第２のＴＴＩ長で送信するアップリンク共有チャネルとオーバーラップする場合、以下の方式の少なくとも１つを適用する。
【０２５８】
第４方式では、
前記第２のＴＴＩ長で送信するアップリンク共有チャネルを選択して送信し、前記第１のＴＴＩ長で送信するアップリンク共有チャネルを放棄し、または、前記第２のＴＴＩ長で送信するアップリンク共有チャネルとオーバーラップする、前記第１のＴＴＩ長で送信するアップリンク共有チャネル内のシンボル上の情報をパンクチャリングする。
【０２５９】
第５方式では、
前記第１のＴＴＩ長で送信するアップリンク共有チャネルを選択して送信し、前記第２のＴＴＩ長で送信するアップリンク共有チャネルを放棄し、
第６方式では、
ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第３方式または前記第４方式で同じ優先度のＵＣＩを搬送する複数のチャネルから選択する。
【０２６０】
実施では、前記第４方式が適用される場合、前記第１のＴＴＩ長で送信するアップリンク共有チャネルで搬送されるＵＣＩを、所定の規則１または所定の規則４の下で前記第２のＴＴＩ長で送信するアップリンク共有チャネルに転送して送信する。 
前記第５方式が適用される場合、前記第２のＴＴＩ長で送信するアップリンク共有チャネルで搬送されるＵＣＩを、所定の規則１または所定の規則５の下で前記第１のＴＴＩ長で送信するアップリンク共有チャネルに転送して送信する。
【０２６１】
前記第６方式が適用される場合、選択されていないアップリンクチャネル上のＵＣＩを所定の規則１の下で選択されたアップリンクチャネルに転送して送信する。
【０２６２】
実施では、前記第４方式が適用される場合、前記所定の規則４は、以下方式のうちの１つまたは組み合わせを含み、
前記第１のＴＴＩ長で送信するアップリンク共有チャネルで搬送されるＵＣＩすべてを、前記第２のＴＴＩ長で送信するアップリンク共有チャネルに転送して送信し、
前記第１のＴＴＩ長で送信するアップリンク共有チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク共有チャネルで搬送されるＵＣＩがＰ−ＣＳＩを含む場合、前記第１のＴＴＩ長で送信するアップリンク共有チャネルで搬送されるＰ−ＣＳＩを放棄し、または、前記第２のＴＴＩ長で送信するアップリンク共有チャネルがＰ−ＣＳＩを搬送している場合、前記第１のＴＴＩ長で送信するアップリンク共有チャネルで搬送されるＰ−ＣＳＩを放棄し、前記第２のＴＴＩ長で送信するアップリンク共有チャネルがＰ−ＣＳＩを搬送していない場合、前記第１のＴＴＩ長で送信するアップリンク共有チャネルで搬送されるＰ−ＣＳＩを、前記第２のＴＴＩ長で送信するアップリンク共有チャネルに転送して送信し、
第１のＴＴＩ長で送信するアップリンク共有チャネルの送信期間に第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【０２６３】
前記第５方式が適用される場合、前記所定の規則５は以下方式のうちの１つまたは組み合わせを含み、
前記第２のＴＴＩ長で送信するアップリンク共有チャネルで搬送されるＵＣＩすべてを、前記第１のＴＴＩ長で送信するアップリンク共有チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク共有チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク共有チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク共有チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク共有チャネルに転送して送信し、
第１のＴＴＩ長で送信するアップリンク共有チャネル複数があれば、ＰＣＣに前記第１のＴＴＩ長で送信するアップリンク共有チャネルがある場合、ＰＣＣ上の前記第１のＴＴＩ長送信するアップリンク共有チャネルを選択して、前記ｓＰＵＳＣＨ上のＵＣＩを送信し、ＰＣＣに第１のＴＴＩ長で送信するアップリンク共有チャネルがなければ、前記第１のＴＴＩ長で送信するアップリンク共有チャネルを有するＳＣＣのうちの最小キャリアインデックスのＳＣＣ上の前記第１のＴＴＩ長で送信するアップリンク共有チャネルを選択して、前記ｓＰＵＳＣＨ上のＵＣＩを送信し、前記選択された第１のＴＴＩ長で送信するアップリンク共有チャネルがＲＡＲ ｇｒａｎｔに対応するアップリンク共有チャネルである場合、前記ＵＣＩを送信しない、
前記第６方式が適用される場合、選択されたアップリンクチャネルが第２のＴＴＩ長で送信するアップリンク共有チャネルであるとき、第１のＴＴＩ長で送信するアップリンク共有チャネルの送信期間に第２のＴＴＩ長で送信するアップリンク共有チャネル複数があれば、前記所定の規則４の方式で、ＵＣＩを搬送するチャネルを選択し、選択されたアップリンクチャネルが第１のＴＴＩ長で送信するアップリンク共有チャネルであるとき、第１のＴＴＩ長で送信するアップリンク共有チャネル複数があれば、前記所定の規則５の方式で、ＵＣＩを搬送するチャネルを選択する。
【０２６４】
実施では、第１のＴＴＩ長で送信するアップリンク制御チャネルが、第２のＴＴＩ長で送信するアップリンク共有チャネルとオーバーラップする場合、以下の方式の少なくとも１つを適用する。
【０２６５】
第７方式では、
前記第２のＴＴＩ長で送信するアップリンク共有チャネルを選択して送信し、前記第１のＴＴＩ長で送信するアップリンク制御チャネルを放棄し、または、前記第２のＴＴＩ長で送信するアップリンク共有チャネルとオーバーラップする前記第１のＴＴＩ長で送信するアップリンク制御チャネル内のシンボル上の情報をパンクチャリングする。
【０２６６】
第８方式では、
前記第１のＴＴＩ長で送信するアップリンク制御チャネルを選択して送信し、前記第２のＴＴＩ長で送信するアップリンク共有チャネルを放棄する。
【０２６７】
第９方式では、
ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第７方式または前記第８方式で同じ優先度のＵＣＩを搬送する複数のチャネルから選択する。
【０２６８】
実施では、前記第７方式が適用される場合、前記第１のＴＴＩ長で送信するアップリンク制御チャネルで搬送されるＵＣＩを、所定の規則１または所定の規則６の下で前記第２のＴＴＩ長で送信するアップリンク共有チャネルに転送して送信する。
【０２６９】
前記第８方式が適用される場合、前記第２のＴＴＩ長で送信するアップリンク共有チャネルがＵＣＩを搬送している場合、前記ＵＣＩを所定の規則１または所定の規則７の下で前記第１のＴＴＩ長で送信するアップリンク制御チャネルに転送して送信する。
【０２７０】
前記第９方式が適用される場合、選択されていないアップリンクチャネル上のＵＣＩを所定の規則１の下で選択されたアップリンクチャネルに転送して送信する。
【０２７１】
実施では、前記第７方式が適用される場合、前記所定の規則６は、以下方式のうちの１つまたは組み合わせを含み、
前記第１のＴＴＩ長で送信するアップリンク制御チャネルで搬送されるＵＣＩすべてを、前記第２のＴＴＩ長で送信するアップリンク共有チャネルに転送して送信し、
前記第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク制御チャネルで搬送されるＵＣＩがＰ−ＣＳＩを含む場合、前記第１のＴＴＩ長で送信するアップリンク制御チャネルで搬送されるＰ−ＣＳＩを放棄し、または、前記第２のＴＴＩ長で送信するアップリンク共有チャネルがＰ−ＣＳＩを搬送する場合、前記第１のＴＴＩ長で送信するアップリンク制御チャネルで搬送されるＰ−ＣＳＩを放棄し、前記第２のＴＴＩ長で送信するアップリンク共有チャネルがＰ−ＣＳＩを搬送しない場合、前記第１のＴＴＩ長で送信するアップリンク制御チャネルで搬送されるＰ−ＣＳＩを、前記第２のＴＴＩ長で送信するアップリンク共有チャネルに転送して送信し、
第１のＴＴＩ長で送信するアップリンク制御チャネルの送信期間に複数の第２のＴＴＩ長で送信するアップリンク共有チャネル複数がある場合、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【０２７２】
前記第８方式が適用される場合、前記所定の規則７は、以下方式のうちの１つまたは組み合わせを含み、
前記第２のＴＴＩ長で送信するアップリンク共有チャネルで搬送されるＵＣＩの全てを、前記第１のＴＴＩ長で送信するアップリンク制御チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク制御チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク制御チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク制御チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク制御チャネルに転送して送信する。
【０２７３】
前記第９方式が適用される場合、選択されたアップリンクチャネルが第２のＴＴＩ長で送信するアップリンク共有チャネルであるとき、第１のＴＴＩ長で送信するアップリンク制御チャネルの送信期間に複数の第２のＴＴＩ長で送信するアップリンク共有チャネル複数がある場合、前記所定の規則７の方式でＵＣＩを搬送するチャネルを選択する。
【０２７４】
実施では、前記ＵＣＩ優先度は、ＳＲの優先度がＡＣＫ／ＮＡＣＫの優先度以上であり、ＡＣＫ／ＮＡＣＫの優先度がＰ−ＣＳＩの優先度よりも高い。
【０２７５】
実施では、前記所定の規則１は、以下方式のうちの１つまたは組み合わせを含み、
選択されていないアップリンクチャネル上のＵＣＩを選択されたアップリンクチャネルに転送して送信し、
選択されていないアップリンクチャネル上のＵＣＩがＡＣＫ／ＮＡＣＫ及び/またはＳＲである場合、前記ＵＣＩを選択されたアップリンクチャネルに転送して送信し、選択されていないアップリンクチャネル上のＵＣＩがＰ−ＣＳＩを含む場合、前記選択されていないアップリンクチャネル上のＰ−ＣＳＩを放棄し、または、選択されたアップリンクチャネルがＰ−ＣＳＩを搬送している場合、前記選択されていないアップリンクチャネル上のＰ−ＣＳＩを放棄し、選択されたアップリンクチャネルがＰ−ＣＳＩを搬送していない場合、選択されていないチャネルで搬送されるＰ−ＣＳＩを、選択されたアップリンクチャネルに転送して送信し、
選択されたアップリンクチャネルが第１のＴＴＩ長で送信するアップリンクチャネルである場合は、第１のＴＴＩ長で送信するアップリンク共有チャネル及び第１のＴＴＩ長で送信するアップリンク制御チャネル両方があるとき、そのうちの１つを選択して前記ＵＣＩを搬送し、または、前記ＵＣＩの一部を第１のＴＴＩ長で送信するアップリンク共有チャネルで搬送されるようにし、前記ＵＣＩの残りの部分を第１のＴＴＩ長で送信するアップリンク制御チャネルで搬送されるようにし、第１のＴＴＩ長を利用するアップリンク共有チャネル複数がある場合、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
選択されたアップリンクチャネルが第２のＴＴＩ長で送信するアップリンク制御チャネルであれば、前記第１のＴＴＩ長の間に第２のＴＴＩ長で送信するアップリンク制御チャネル複数があるとき、最初１つのまたは最後１つの第２のＴＴＩ長で送信するアップリンク制御チャネルを選択して前記ＵＣＩを搬送し、または、Ｐ−ＣＳＩ搬送用の、第２のＴＴＩ長で送信するアップリンク制御チャネルを選択して、前記選択されていないアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記選択されていないアップリンクチャネル内のＰ−ＣＳＩを搬送するためのものとし、ＡＣＫ／ＮＡＣＫ及び/またはＳＲ搬送用の、第２のＴＴＩ長で送信するアップリンク制御チャネルを選択して前記選択されていないアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して前記選択されていないアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記選択されていないアップリンクチャネル内の対応のＵＣＩを搬送するためのものとし、
選択されたアップリンクチャネルが第２のＴＴＩ長で送信するアップリンク共有チャネルであるとき、前記第１のＴＴＩ長の間に複数の第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを搬送し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して前記ＵＣＩを搬送し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【０２７６】
実施では、さらに、第１のＴＴＩ長で送信するアップリンクチャネルの送信電力と、第２のＴＴＩ長で送信するアップリンクチャネルの送信電力との合計が、ＵＥに許容される最大送信電力を超えるかどうかを判定し、最大送信電力を超えると、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信する。
【０２７７】
及び/または、第１のＴＴＩ長で送信するアップリンクチャネルと第２のＴＴＩ長で送信するアップリンクチャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信する。
【０２７８】
及び/または、第１のＴＴＩ長で送信するアップリンク制御チャネルと第２のＴＴＩ長で送信するアップリンク共有チャネルとの同時送信をサポートするかどうかを判定し、及び/または、第１のＴＴＩ長で送信するアップリンク共有チャネルと第２のＴＴＩ長で送信するアップリンク制御チャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信する。
【０２７９】
ここで、図７において、バスアーキテクチャは、いずれ数の相互接続するバス及びブリッジを備える。具体的なに、プロセッサ７００が代表となる１つまたは複数のプロセッサ及びメモリ７２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する送受信機７１０は、送信媒体上の他の様々な装置と通信するためのユニットである、いくつかの要素、例えば送信機および受信機とすることができる。 異なるユーザ機器の場合、ユーザインターフェース７３０は、必要に応じて装置を内部および外部に接続するためのインターフェースとすることもでき、接続された装置には、キーパッド、モニタ、スピーカ、マイクロフォン、ジョイスティックなどがある。
【０２８０】
プロセッサ７００は、バズアーキテクチャ及び通常の処理を管理し、メモリ７２０は、プロセッサ７００動作する際に利用するデータを記憶することができる。
【０２８１】
図８は基地局の構造図であり、図に示すように、基地局では、
プロセッサ８００は、メモリ８２０に格納されたプログラムを読み出し、第１のＴＴＩ長で送信するアップリンクチャネルの送信期間が第２のＴＴＩ長で送信するアップリンクチャネルの送信期間とオーバーラップするかどうかを判定し、
オーバーラップすると判定した場合、ＵＥが所定のルールの下でアップリンクチャネルを選択して送信することを決定し、残りのアップリンクチャネルを放棄するか、または、残りのアップリンクチャネルをパンクチャリングして送信し、
送受信機８１０は、プロセッサ８００の制御下でデータを送受信するように構成され、
プロセッサの処理結果に従ってデータを送信する。
【０２８２】
実施では、前記第１のＴＴＩ長が前記第２のＴＴＩ長より大きい。
【０２８３】
実施では、前記アップリンクチャネルは、アップリンク制御チャネル及びアップリンク共有チャネルのうちの少なくとも１つである。
【０２８４】
実施では、前記所定の規則は、以下の規則のうちの１つまたは組み合わせであり、
アップリンク制御チャネルを選択し、アップリンク共有チャネルでの送信を放棄するか、またはアップリンク共有チャネルをパンクチャリングして送信し、
第２のＴＴＩ長で送信するアップリンクチャネルを選択し、第１のＴＴＩ長で送信するアップリンクチャネルを放棄するか、または、第１のＴＴＩ長で送信するアップリンクチャネルをパンクチャリングして送信し、
ＵＣＩを搬送するアップリンクチャネルを選択し、ＵＣＩを搬送するアップリンクチャネルが複数ある場合、優先度の高いＵＣＩを搬送するアップリンクチャネルを選択し、優先度の高いＵＣＩを搬送するアップリンクチャネルが複数ある場合、前記規則を再利用して選択し、残りのアップリンクチャネルを放棄するか、または、残りのアップリンクチャネルをパンクチャリングして送信する。
【０２８５】
実施では、さらに、
ＵＥが選択されていないアップリンクチャネル上のＵＣＩを所定の規則１の下で選択されたアップリンクチャネルに転送して送信することを決定する。 
実施では、第１のＴＴＩ長で送信するアップリンクチャネルが、第２のＴＴＩ長で送信するアップリンク制御チャネルとオーバーラップする場合、以下の方式の少なくとも１つを適用する。
【０２８６】
第１の方式では、 
以下のことを決定し、ＵＥが前記第２のＴＴＩ長で送信するアップリンク制御チャネルを選択して送信し、前記第１のＴＴＩ長で送信するアップリンクチャネルを放棄し、または、前記第２のＴＴＩ長で送信するアップリンク制御チャネルとオーバーラップする前記第１のＴＴＩ長で送信するアップリンクチャネル内のシンボル上の情報をパンクチャリングする。
【０２８７】
第２の方式では、
前記第１のＴＴＩ長で送信するアップリンク共有チャネル及び/またはアップリンク制御チャネルを選択し、前記第２のＴＴＩ長で送信するアップリンク制御チャネルを放棄し、
第３の方式では、
ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第１の方式または前記第２の方式で同じ優先度のＵＣＩを搬送する複数のチャネルから選択する。
【０２８８】
実施では、前記第１の方式をを適用する場合、以下のことを決定し、ＵＥが前記第１のＴＴＩ長で送信するアップリンクチャネルで搬送されるＵＣＩを、所定の規則１または所定の規則２の下で前記第２のＴＴＩ長で送信するアップリンク制御チャネルに転送して送信し、
前記第２の方式をを適用する場合、以下のことを決定し、ＵＥが前記第２のＴＴＩ長で送信するアップリンク制御チャネルで搬送されるＵＣＩを、所定の規則１または所定の規則３の下で前記第１のＴＴＩ長で送信するアップリンクチャネルに転送して送信する。
【０２８９】
前記第３方式を適用する場合、以下のことを決定し、ＵＥが選択されていないアップリンクチャネル上のＵＣＩを、前記所定の規則１の下で選択されたアップリンクチャネルに転送して送信する。
【０２９０】
実施では、前記第１の方式を適用する場合、前記所定の規則２は以下方式のうちの１つまたは組み合わせを含み、
前記第１のＴＴＩ長で送信するアップリンクチャネルで搬送されるＵＣＩのすべてを、前記第２のＴＴＩ長で送信するアップリンク制御チャネルに転送して送信し、
前記第１のＴＴＩ長で送信するアップリンクチャネルで搬送されるＵＣＩがＡＣＫ／ＮＡＣＫ及び/またはＳＲである場合、前記ＵＣＩを前記第２のＴＴＩ長で送信するアップリンク制御チャネルに転送して送信し、前記第１のＴＴＩ長で送信するアップリンクチャネルで搬送されるＵＣＩがＰ−ＣＳＩを含む場合、前記第１のＴＴＩ長で送信するアップリンクチャネルで搬送されるＰ−ＣＳＩを放棄し、または、前記第２のＴＴＩ長で送信するアップリンク制御チャネルにＰ−ＣＳＩが含まれる場合、前記第１のＴＴＩ長で送信するアップリンクチャネルで搬送されるＰ−ＣＳＩを放棄し、前記第２のＴＴＩ長で送信するアップリンク制御チャネルにＰ−ＣＳＩが含まれない場合、前記第１のＴＴＩ長で送信するアップリンクチャネルで搬送されるＰ−ＣＳＩを、第２のＴＴＩ長で送信するアップリンク制御チャネルに転送して送信し、
第１のＴＴＩ長で送信するアップリンクチャネルの送信期間の間に、第２のＴＴＩ長で送信するアップリンク制御チャネル複数があれば、
最初１つのまたは最後１つの第２のＴＴＩ長で送信するアップリンク制御チャネルを選択して前記ＵＣＩを搬送し、または、
Ｐ−ＣＳＩ搬送用の、第２のＴＴＩ長で送信するアップリンク制御チャネルを選択して、前記第１のＴＴＩ長で送信するアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンクチャネル内のＰ−ＣＳＩを搬送し、ＡＣＫ／ＮＡＣＫ及び/またはＳＲ搬送用の、第２のＴＴＩ長で送信するアップリンク制御チャネルを選択して、前記第１のＴＴＩ長で送信するアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記第１のＴＴＩ長で送信するアップリンクチャネル内の対応のＵＣＩを搬送するためのものとする。
【０２９１】
前記第２の方式を適用する場合、前記所定の規則３は、以下方式のうちの１つまたは組み合わせを含み、
前記第２のＴＴＩ長で送信するアップリンク制御チャネルで搬送されるＵＣＩすべてを、前記第２のＴＴＩ長で送信するアップリンク制御チャネルで搬送されるＵＣＩすべてを、前記第１のＴＴＩ長で送信するアップリンクチャネルに転送して送信し、
前記第２のＴＴＩ長で送信するアップリンク制御チャネルで搬送されるＵＣＩがＡＣＫ／ＮＡＣＫ及び/またはＳＲである場合、前記ＵＣＩを前記第１のＴＴＩ長で送信するアップリンクチャネルに転送して送信し、前記第２のＴＴＩ長で送信するアップリンク制御チャネルで搬送されるＵＣＩがＰ−ＣＳＩを含む場合、前記第２のＴＴＩ長で送信するアップリンク制御チャネルで搬送されるＰ−ＣＳＩを放棄し、または、前記第１のＴＴＩ長で送信するアップリンクチャネルがＰ−ＣＳＩを搬送する場合、前記第２のＴＴＩ長で送信するアップリンク制御チャネルで搬送されるＰ−ＣＳＩを放棄し、前記第１のＴＴＩ長で送信するアップリンクチャネルがＰ−ＣＳＩを搬送しない場合、前記第２のＴＴＩ長で送信するアップリンク制御チャネルで搬送されるＰ−ＣＳＩを、前記第２のＴＴＩ長で送信するアップリンクチャネルに転送して送信し、
前記第１のＴＴＩ長で送信するアップリンク共有チャネル及び第１のＴＴＩ長で送信するアップリンク制御チャネル両方があれば、そのうちの１つを選択して前記ＵＣＩを搬送し、または、前記ＵＣＩの一部を前記第１のＴＴＩ長で送信するアップリンク共有チャネルで搬送し、前記ＵＣＩの残りの部分を前記第１のＴＴＩ長で送信するアップリンク制御チャネルで搬送し、及び/または、第１のＴＴＩ長で送信するアップリンク共有チャネル複数があれば、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
前記第３方式を適用する場合、選択されたアップリンクチャネルが第２のＴＴＩ長で送信するアップリンク制御チャネルであれば、第１のＴＴＩ長で送信するアップリンクチャネルの送信期間の間に、第２のＴＴＩ長で送信するアップリンク制御チャネル複数があれば、前記所定の規則２の方式で前記ＵＣＩを搬送するチャネルを選択し、選択されたアップリンクチャネルが第１のＴＴＩ長で送信するアップリンクチャネルである場合、第１のＴＴＩ長で送信するアップリンク共有チャネル及びアップリンク制御チャネル両方があるか、または、複数の第１のＴＴＩ長で送信するアップリンク共有チャネルがあれば、前記所定の規則３の方式で、前記ＵＣＩを搬送するチャネルを選択する。
【０２９２】
実施では、第１のＴＴＩ長で送信するアップリンク共有チャネルが第２のＴＴＩ長で送信するアップリンク共有チャネルとオーバーラップする場合、以下の方式の少なくとも１つを適用する。
【０２９３】
第４方式では、
前記第２のＴＴＩ長で送信するアップリンク共有チャネルを選択して送信し、前記第１のＴＴＩ長で送信するアップリンク共有チャネルを放棄し、または、前記第２のＴＴＩ長で送信するアップリンク共有チャネルとオーバーラップする、前記第１のＴＴＩ長で送信するアップリンク共有チャネル内のシンボル上の情報をパンクチャリングし、
第５方式では、
前記第１のＴＴＩ長で送信するアップリンク共有チャネルを選択して送信し、前記第２のＴＴＩ長で送信するアップリンク共有チャネルを放棄し、
第６方式では、
ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第３方式または前記第４方式で同じ優先度のＵＣＩを搬送する複数のチャネルから選択する。
【０２９４】
実施では、前記第４方式が適用される場合、前記第１のＴＴＩ長で送信するアップリンク共有チャネルで搬送されるＵＣＩを、所定の規則１または所定の規則４の下で前記第２のＴＴＩ長で送信するアップリンク共有チャネルに転送して送信し、 
前記第５方式が適用される場合、前記第２のＴＴＩ長で送信するアップリンク共有チャネルで搬送されるＵＣＩを、所定の規則１または所定の規則５の下で前記第１のＴＴＩ長で送信するアップリンク共有チャネルに転送して送信し、
前記第６方式が適用される場合、選択されていないアップリンクチャネル上のＵＣＩを所定の規則１の下で選択されたアップリンクチャネルに転送して送信する。
【０２９５】
実施では、前記第４方式が適用される場合、前記所定の規則４は、以下方式のうちの１つまたは組み合わせを含み、
前記第１のＴＴＩ長で送信するアップリンク共有チャネルで搬送されるＵＣＩすべてを、前記第２のＴＴＩ長で送信するアップリンク共有チャネルに転送して送信し、
前記第１のＴＴＩ長で送信するアップリンク共有チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク共有チャネルで搬送されるＵＣＩがＰ−ＣＳＩを含む場合、前記第１のＴＴＩ長で送信するアップリンク共有チャネルで搬送されるＰ−ＣＳＩを放棄し、または、前記第２のＴＴＩ長で送信するアップリンク共有チャネルがＰ−ＣＳＩを搬送している場合、前記第１のＴＴＩ長で送信するアップリンク共有チャネルで搬送されるＰ−ＣＳＩを放棄し、前記第２のＴＴＩ長で送信するアップリンク共有チャネルがＰ−ＣＳＩを搬送していない場合、前記第１のＴＴＩ長で送信するアップリンク共有チャネルで搬送されるＰ−ＣＳＩを、前記第２のＴＴＩ長で送信するアップリンク共有チャネルに転送して送信し、
第１のＴＴＩ長で送信するアップリンク共有チャネルの送信期間に第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【０２９６】
前記第５方式が適用される場合、前記所定の規則５は以下方式のうちの１つまたは組み合わせを含み、
前記第２のＴＴＩ長で送信するアップリンク共有チャネルで搬送されるＵＣＩすべてを、前記第１のＴＴＩ長で送信するアップリンク共有チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク共有チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク共有チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク共有チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク共有チャネルに転送して送信し、
第１のＴＴＩ長で送信するアップリンク共有チャネル複数があれば、ＰＣＣに前記第１のＴＴＩ長で送信するアップリンク共有チャネルがある場合、ＰＣＣ上の前記第１のＴＴＩ長送信するアップリンク共有チャネルを選択して、前記ｓＰＵＳＣＨ上のＵＣＩを送信し、ＰＣＣに第１のＴＴＩ長で送信するアップリンク共有チャネルがなければ、前記第１のＴＴＩ長で送信するアップリンク共有チャネルを有するＳＣＣのうちの最小キャリアインデックスのＳＣＣ上の前記第１のＴＴＩ長で送信するアップリンク共有チャネルを選択して、前記ｓＰＵＳＣＨ上のＵＣＩを送信し、前記選択された第１のＴＴＩ長で送信するアップリンク共有チャネルがＲＡＲ ｇｒａｎｔに対応するアップリンク共有チャネルである場合、前記ＵＣＩを送信しない。
【０２９７】
前記第６方式が適用される場合、選択されたアップリンクチャネルが第２のＴＴＩ長で送信するアップリンク共有チャネルであるとき、第１のＴＴＩ長で送信するアップリンク共有チャネルの送信期間に第２のＴＴＩ長で送信するアップリンク共有チャネル複数があれば、前記所定の規則４の方式で、ＵＣＩを搬送するチャネルを選択し、選択されたアップリンクチャネルが第１のＴＴＩ長で送信するアップリンク共有チャネルであるとき、第１のＴＴＩ長で送信するアップリンク共有チャネル複数があれば、前記所定の規則５の方式で、ＵＣＩを搬送するチャネルを選択する。
【０２９８】
実施では、第１のＴＴＩ長で送信するアップリンク制御チャネルが、第２のＴＴＩ長で送信するアップリンク共有チャネルとオーバーラップする場合、以下の方式の少なくとも１つを適用する。
【０２９９】
第７方式では、
前記第２のＴＴＩ長で送信するアップリンク共有チャネルを選択して送信し、前記第１のＴＴＩ長で送信するアップリンク制御チャネルを放棄し、または、前記第２のＴＴＩ長で送信するアップリンク共有チャネルとオーバーラップする前記第１のＴＴＩ長で送信するアップリンク制御チャネル内のシンボル上の情報をパンクチャリングする。
【０３００】
第８方式では、
前記第１のＴＴＩ長で送信するアップリンク制御チャネルを選択して送信し、前記第２のＴＴＩ長で送信するアップリンク共有チャネルを放棄する。
【０３０１】
第９方式では、
ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第７方式または前記第８方式で同じ優先度のＵＣＩを搬送する複数のチャネルから選択する。
【０３０２】
実施では、前記第７方式が適用される場合、前記第１のＴＴＩ長で送信するアップリンク制御チャネルで搬送されるＵＣＩを、所定の規則１または所定の規則６の下で前記第２のＴＴＩ長で送信するアップリンク共有チャネルに転送して送信する。
【０３０３】
前記第８方式が適用される場合、前記第２のＴＴＩ長で送信するアップリンク共有チャネルがＵＣＩを搬送している場合、前記ＵＣＩを所定の規則１または所定の規則７の下で前記第１のＴＴＩ長で送信するアップリンク制御チャネルに転送して送信する。
【０３０４】
前記第９方式が適用される場合、選択されていないアップリンクチャネル上のＵＣＩを所定の規則１の下で選択されたアップリンクチャネルに転送して送信する。
【０３０５】
実施では、前記第７方式が適用される場合、前記所定の規則６は、以下方式のうちの１つまたは組み合わせを含み、
前記第１のＴＴＩ長で送信するアップリンク制御チャネルで搬送されるＵＣＩすべてを、前記第２のＴＴＩ長で送信するアップリンク共有チャネルに転送して送信し、
前記第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク制御チャネルで搬送されるＵＣＩがＰ−ＣＳＩを含む場合、前記第１のＴＴＩ長で送信するアップリンク制御チャネルで搬送されるＰ−ＣＳＩを放棄し、または、前記第２のＴＴＩ長で送信するアップリンク共有チャネルがＰ−ＣＳＩを搬送する場合、前記第１のＴＴＩ長で送信するアップリンク制御チャネルで搬送されるＰ−ＣＳＩを放棄し、前記第２のＴＴＩ長で送信するアップリンク共有チャネルがＰ−ＣＳＩを搬送しない場合、前記第１のＴＴＩ長で送信するアップリンク制御チャネルで搬送されるＰ−ＣＳＩを、前記第２のＴＴＩ長で送信するアップリンク共有チャネルに転送して送信し、
第１のＴＴＩ長で送信するアップリンク制御チャネルの送信期間に複数の第２のＴＴＩ長で送信するアップリンク共有チャネル複数がある場合、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【０３０６】
前記第８方式が適用される場合、前記所定の規則７は、以下方式のうちの１つまたは組み合わせを含み、
前記第２のＴＴＩ長で送信するアップリンク共有チャネルで搬送されるＵＣＩの全てを、前記第１のＴＴＩ長で送信するアップリンク制御チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク制御チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク制御チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク制御チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク制御チャネルに転送して送信し、
前記第９方式が適用される場合、選択されたアップリンクチャネルが第２のＴＴＩ長で送信するアップリンク共有チャネルであるとき、第１のＴＴＩ長で送信するアップリンク制御チャネルの送信期間に複数の第２のＴＴＩ長で送信するアップリンク共有チャネル複数がある場合、前記所定の規則７の方式でＵＣＩを搬送するチャネルを選択する。
【０３０７】
実施では、前記ＵＣＩ優先度は、ＳＲの優先度がＡＣＫ／ＮＡＣＫの優先度以上であり、ＡＣＫ／ＮＡＣＫの優先度がＰ−ＣＳＩの優先度よりも高い。
【０３０８】
実施では、前記所定の規則１は、以下方式のうちの１つまたは組み合わせを含み、
選択されていないアップリンクチャネル上のＵＣＩを選択されたアップリンクチャネルに転送して送信し、
選択されていないアップリンクチャネル上のＵＣＩがＡＣＫ／ＮＡＣＫ及び/またはＳＲである場合、前記ＵＣＩを選択されたアップリンクチャネルに転送して送信し、選択されていないアップリンクチャネル上のＵＣＩがＰ−ＣＳＩを含む場合、前記選択されていないアップリンクチャネル上のＰ−ＣＳＩを放棄し、または、選択されたアップリンクチャネルがＰ−ＣＳＩを搬送している場合、前記選択されていないアップリンクチャネル上のＰ−ＣＳＩを放棄し、選択されたアップリンクチャネルがＰ−ＣＳＩを搬送していない場合、選択されていないチャネルで搬送されるＰ−ＣＳＩを、選択されたアップリンクチャネルに転送して送信し、
選択されたアップリンクチャネルが第１のＴＴＩ長で送信するアップリンクチャネルである場合は、第１のＴＴＩ長で送信するアップリンク共有チャネル及び第１のＴＴＩ長で送信するアップリンク制御チャネル両方があるとき、そのうちの１つを選択して前記ＵＣＩを搬送し、または、前記ＵＣＩの一部を第１のＴＴＩ長で送信するアップリンク共有チャネルで搬送されるようにし、前記ＵＣＩの残りの部分を第１のＴＴＩ長で送信するアップリンク制御チャネルで搬送されるようにし、第１のＴＴＩ長を利用するアップリンク共有チャネル複数がある場合、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
選択されたアップリンクチャネルが第２のＴＴＩ長で送信するアップリンク制御チャネルであれば、前記第１のＴＴＩ長の間に第２のＴＴＩ長で送信するアップリンク制御チャネル複数があるとき、最初１つのまたは最後１つの第２のＴＴＩ長で送信するアップリンク制御チャネルを選択して前記ＵＣＩを搬送し、または、Ｐ−ＣＳＩ搬送用の、第２のＴＴＩ長で送信するアップリンク制御チャネルを選択して、前記選択されていないアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記選択されていないアップリンクチャネル内のＰ−ＣＳＩを搬送するためのものとし、ＡＣＫ／ＮＡＣＫ及び/またはＳＲ搬送用の、第２のＴＴＩ長で送信するアップリンク制御チャネルを選択して前記選択されていないアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して前記選択されていないアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記選択されていないアップリンクチャネル内の対応のＵＣＩを搬送するためのものとし、
選択されたアップリンクチャネルが第２のＴＴＩ長で送信するアップリンク共有チャネルであるとき、前記第１のＴＴＩ長の間に複数の第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを搬送し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して前記ＵＣＩを搬送し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない。
【０３０９】
実施では、さらに、第１のＴＴＩ長で送信するアップリンクチャネルの送信電力と、第２のＴＴＩ長で送信するアップリンクチャネルの送信電力との合計が、ＵＥに許容される最大送信電力を超えるかどうかを判定し、最大送信電力を超えると、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信する。
【０３１０】
及び/または、第１のＴＴＩ長で送信するアップリンクチャネルと第２のＴＴＩ長で送信するアップリンクチャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信する。
【０３１１】
及び/または、第１のＴＴＩ長で送信するアップリンク制御チャネルと第２のＴＴＩ長で送信するアップリンク共有チャネルとの同時送信をサポートするかどうかを判定し、及び/または、第１のＴＴＩ長で送信するアップリンク共有チャネルと第２のＴＴＩ長で送信するアップリンク制御チャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信する。
【０３１２】
ここで、図８において、バスアーキテクチャは、いずれ数の相互接続するバス及びブリッジを備える。具体的なに、プロセッサ８００が代表となる１つまたは複数のプロセッサ及びメモリ８２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機８１０は、複数の部品であることができ、すなわち、送信機及び送受信機を備え、伝送媒体において、たの装置と通信するユニットを提供する。プロセッサ８００は、バズアーキテクチャ及び通常の処理を管理し、メモリ８２０は、プロセッサ８００動作する際に利用するデータを記憶することができる。
【０３１３】
要約すると、本発明の実施例に係る技術案によれば、異なるＴＴＩ長を有するオーバーラップするチャネルでの送信に対する解決策が定義されており、一実装形態では、所定の規則で１種のチャネルを選択し、他のチャネルでの送信を放棄し、または、他の（種類の）チャネルをパンクチャリングして送信する。本発明の実施例による、異なるＴＴＩ長を有するアップリンクチャネルがオーバーラップする場合の送信の解決策では、一方の（種類の）チャネルが所定の規則での下で選択され、他方の（種類の）チャネルの送信は放棄される。または、他方の（種類の）チャネルをパンクチャリングして送信することにより、ＵＥがデータを正しく送信することができる。
【０３１４】
本分野の技術者として、本発明の実施形態が、方法、システムまたはいはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つまたはいは複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置等を含むがそれとは限らない）において実施する。
【０３１５】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、またはいは他のプログラム可能なデータ処理装置設備の処理装置器に提供でき、コンピュータまたはいは他のプログラム可能なデータ処理装置のプロセッサは、これらのコンピュータプログラム指令を実行し、フロー図における一つまたはいは複数のフローおよび／またはブロック図における一つまたはいは複数のブロックに指定する機能を実現する。  
これらのコンピュータプログラム指令は又、コンピュータまたはいは他のプログラム可能なデータ処理装置を特定形態で動作させるコンピュータ読取記憶装置に記憶できる。これによって、指令を含む装置は当該コンピュータ読取記憶装置内の指令を実行でき、フロー図における一つまたはいは複数のフローおよび／またはブロック図における一つまたはいは複数のブロックに指定する機能を実現する。
【０３１６】
これらコンピュータプログラム指令はさらに、コンピュータまたはいは他のプログラム可能なデータ処理装置設備に実装もできる。コンピュータプログラム指令が実装されたコンピュータまたはいは他のプログラム可能設備は、一連の操作ステップを実行することによって、関連の処理を実現し、コンピュータまたはいは他のプログラム可能な設備において実行される指令によって、フロー図における一つまたはいは複数のフローおよび／またはブロック図における一つまたはいは複数のブロックに指定する機能を実現する。  
上述のした実施形態に記述された技術的な解決手段を改造し、またはいはその中の一部の技術要素を置換することもできる。そのような、改造と置換は本発明の各実施形態の技術の範囲から逸脱するとは見なされない。
【０３１７】
無論、当業者によって、上述のした実施形態に記述された技術的な解決手段を改造し、またはいはその中の一部の技術要素を置換することもできる。そのような、改造と置換は本発明の各実施形態の技術の範囲から逸脱するとは見なされない。そのような改造と置換は、すべて本発明の請求の範囲に属する。
【手続補正２】
【補正対象書類名】特許請求の範囲
【補正対象項目名】全文
【補正方法】変更
【補正の内容】
【特許請求の範囲】
【請求項１】
第１の送信時間間隔ＴＴＩ長で送信するアップリンクチャネルの送信期間が第２のＴＴＩ長で送信するアップリンクチャネルの送信期間とオーバーラップするかどうかを判定するステップと、
オーバーラップすると判定した場合、所定のルールの下で少なくも１つのアップリンクチャネルを選択して送信し、残りのアップリンクチャネルを放棄し、または、残りのアップリンクチャネルをパンクチャリングして送信するステップとを備えることを特徴とするデータ伝送のための方法。
【請求項２】
前記第１のＴＴＩ長が前記第２のＴＴＩ長より大きいことを特徴とする請求項１に記載のデータ伝送のための方法。
【請求項３】
所定のルールの下で少なくも１つのアップリンクチャネルを選択して送信し、残りのアップリンクチャネルを放棄し、または、残りのアップリンクチャネルをパンクチャリングして送信する場合、前記所定のルールは、以下のルールのうちの１つまたは組み合わせであり、
ルール１
アップリンク制御チャネルを選択し、アップリンク共有チャネルでの送信を放棄するか、またはアップリンク共有チャネルをパンクチャリングして送信し、
ルール２
第２のＴＴＩ長で送信するアップリンクチャネルを選択し、第１のＴＴＩ長で送信するアップリンクチャネルを放棄するか、または、第１のＴＴＩ長で送信するアップリンクチャネルをパンクチャリングして送信し、
ルール３
アップリンク制御情報（ＵＣＩ）を搬送するアップリンクチャネルを選択し、ＵＣＩを搬送するアップリンクチャネルが複数ある場合、優先度の高いＵＣＩを搬送するアップリンクチャネルを選択し、優先度の高いＵＣＩを搬送するアップリンクチャネルが複数ある場合、前記ルール１及びルール２を再利用して選択し、残りのアップリンクチャネルを放棄するか、または、残りのアップリンクチャネルをパンクチャリングして送信し、
ルール４
第１のＴＴＩ長で送信するアップリンクチャネルが、第２のＴＴＩ長で送信するアップリンク制御チャネルとオーバーラップする場合、以下の方式の少なくとも１つを適用し、ここで、前記アップリンクチャネルは少なくとも１つのアップリンク共有チャネルまたはアップリンク制御チャネルを含み、
第１の方式では、前記第２のＴＴＩ長で送信するアップリンク制御チャネルを選択し、前記第１のＴＴＩ長で送信するアップリンクチャネルを放棄し、または、前記第２のＴＴＩ長で送信するアップリンク制御チャネルとオーバーラップする前記第１のＴＴＩ長で送信するアップリンクチャネル内のシンボル上の情報をパンクチャリングし、
第２の方式では、前記第１のＴＴＩ長で送信するアップリンクチャネルを選択し、前記第２のＴＴＩ長で送信するアップリンク制御チャネルを放棄し、
第３の方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第１の方式または前記第２の方式で同じ優先度のＵＣＩを搬送する複数のチャネルから選択し、
ルール５
第１のＴＴＩ長で送信するアップリンク共有チャネルが第２のＴＴＩ長で送信するアップリンク共有チャネルとオーバーラップする場合、以下の方式の少なくとも１つを適用し、
第４方式では、前記第２のＴＴＩ長で送信するアップリンク共有チャネルを選択して送信し、前記第１のＴＴＩ長で送信するアップリンク共有チャネルを放棄し、または、前記第２のＴＴＩ長で送信するアップリンク共有チャネルとオーバーラップする、前記第１のＴＴＩ長で送信するアップリンク共有チャネル内のシンボル上の情報をパンクチャリングし、
第５方式では、前記第１のＴＴＩ長で送信するアップリンク共有チャネルを選択して送信し、前記第２のＴＴＩ長で送信するアップリンク共有チャネルを放棄し、
第６方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第３方式または前記第４方式で同じ優先度のＵＣＩを搬送する複数のチャネルから選択し、
ルール６
第１のＴＴＩ長で送信するアップリンク制御チャネルが、第２のＴＴＩ長で送信するアップリンク共有チャネルとオーバーラップする場合、以下の方式の少なくとも１つを適用し、
第７方式では、前記第２のＴＴＩ長で送信するアップリンク共有チャネルを選択して送信し、前記第１のＴＴＩ長で送信するアップリンク制御チャネルを放棄し、または、前記第２のＴＴＩ長で送信するアップリンク共有チャネルとオーバーラップする前記第１のＴＴＩ長で送信するアップリンク制御チャネル内のシンボル上の情報をパンクチャリングし、
第８方式では、前記第１のＴＴＩ長で送信するアップリンク制御チャネルを選択して送信し、前記第２のＴＴＩ長で送信するアップリンク共有チャネルを放棄し、
第９方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第７方式または前記第８方式で同じ優先度のＵＣＩを搬送する複数のチャネルから選択することを特徴とする請求項１に記載のデータ伝送のための方法。
【請求項４】
前記ルール１ないしルール３のうちの少なくても１つで少なくも１つのアップリンクチャネルを選択して送信し、残りのアップリンクチャネルを放棄し、または、残りのアップリンクチャネルをパンクチャリングして送信する場合、、選択されていないアップリンクチャネル上のＵＣＩを所定の規則１の下で選択されたアップリンクチャネルに転送して送信し、
前記ルール４で少なくも１つのアップリンクチャネルを選択して送信し、残りのアップリンクチャネルを放棄し、または、残りのアップリンクチャネルをパンクチャリングして送信する場合、
前記第１の方式を適用する場合、前記第１のＴＴＩ長で送信するアップリンクチャネルで搬送されるＵＣＩを、所定の規則１または所定の規則２の下で前記第２のＴＴＩ長で送信するアップリンク制御チャネルに転送して送信し、
前記第２の方式を適用する場合、前記第２のＴＴＩ長で送信するアップリンク制御チャネルで搬送されるＵＣＩを、所定の規則１または所定の規則３の下で前記第１のＴＴＩ長で送信するアップリンク共有チャネルに転送して送信し、
前記第３方式を適用する場合、選択されていないアップリンクチャネル上のＵＣＩを、前記所定の規則１の下で選択されたアップリンクチャネルに転送して送信し、
前記ルール５で少なくも１つのアップリンクチャネルを選択して送信し、残りのアップリンクチャネルを放棄し、または、残りのアップリンクチャネルをパンクチャリングして送信する場合、
前記第４方式が適用される場合、前記第１のＴＴＩ長で送信するアップリンク共有チャネルで搬送されるＵＣＩを、所定の規則１または所定の規則４の下で前記第２のＴＴＩ長で送信するアップリンク共有チャネルに転送して送信し、 
前記第５方式が適用される場合、前記第２のＴＴＩ長で送信するアップリンク共有チャネルで搬送されるＵＣＩを、所定の規則１または所定の規則５の下で前記第１のＴＴＩ長で送信するアップリンク共有チャネルに転送して送信し、
前記第６方式が適用される場合、選択されていないアップリンクチャネル上のＵＣＩを所定の規則１の下で選択されたアップリンクチャネルに転送して送信し、
前記ルール６で少なくも１つのアップリンクチャネルを選択して送信し、残りのアップリンクチャネルを放棄し、または、残りのアップリンクチャネルをパンクチャリングして送信する場合、
前記第７方式が適用される場合、前記第１のＴＴＩ長で送信するアップリンク制御チャネルで搬送されるＵＣＩを、所定の規則１または所定の規則６の下で前記第２のＴＴＩ長で送信するアップリンク共有チャネルに転送して送信し、
前記第８方式が適用される場合、前記第２のＴＴＩ長で送信するアップリンク共有チャネルがＵＣＩを搬送している場合、前記ＵＣＩを所定の規則１または所定の規則７の下で前記第１のＴＴＩ長で送信するアップリンク制御チャネルに転送して送信し、
前記第９方式が適用される場合、選択されていないアップリンクチャネル上のＵＣＩを所定の規則１の下で選択されたアップリンクチャネルに転送して送信することを特徴とする請求項３に記載のデータ伝送のための方法。
【請求項５】
前記第１の方式を適用する場合、前記所定の規則２は以下方式のうちの１つまたは組み合わせを含み、
前記第１のＴＴＩ長で送信するアップリンクチャネルで搬送されるＵＣＩのすべてを、前記第２のＴＴＩ長で送信するアップリンク制御チャネルに転送して送信し、
前記第１のＴＴＩ長で送信するアップリンクチャネルで搬送されるＵＣＩがＡＣＫ／ＮＡＣＫ及び/またはスケジューリング要求（Ｓｃｈｅｄｕｌｉｎｇ Ｒｅｑｕｅｓｔ，ＳＲ）であれば、前記ＵＣＩを前記第２のＴＴＩ長で送信するアップリンク制御チャネルに転送して送信し、前記第１のＴＴＩ長で送信するアップリンクチャネルで搬送されるＵＣＩが周期チャネル状態情報（Ｐｅｒｉｏｄｉｃａｌ Ｃｈａｎｎｅｌ Ｓｔａｔｅ Ｉｎｆｏｒｍａｔｉｏｎ,  Ｐ−ＣＳＩ）を含む場合、前記第１のＴＴＩ長で送信するアップリンクチャネルで搬送されるＰ−ＣＳＩを放棄し、または、前記第２のＴＴＩ長で送信するアップリンク制御チャネルにＰ−ＣＳＩが含まれる場合、前記第１のＴＴＩ長で送信するアップリンクチャネルで搬送されるＰ−ＣＳＩを放棄し、前記第２のＴＴＩ長で送信するアップリンク制御チャネルにＰ−ＣＳＩが含まれない場合、前記第１のＴＴＩ長で送信するアップリンク共有チャネルで搬送されるＰ−ＣＳＩを、第２のＴＴＩ長で送信するアップリンク制御チャネルに転送して送信し、
第１のＴＴＩ長で送信するアップリンクチャネルの送信期間の間に、第２のＴＴＩ長で送信するアップリンク制御チャネル複数があれば、
最初１つのまたは最後１つの第２のＴＴＩ長で送信するアップリンク制御チャネルを選択して前記ＵＣＩを搬送し、または、
Ｐ−ＣＳＩ搬送用の、第２のＴＴＩ長で送信するアップリンク制御チャネルを選択して、前記第１のＴＴＩ長で送信するアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンクチャネル内のＰ−ＣＳＩを搬送し、ＡＣＫ／ＮＡＣＫ及び/またはＳＲ搬送用の、第２のＴＴＩ長で送信するアップリンク制御チャネルを選択して、前記第１のＴＴＩ長で送信するアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンクチャネル内のＡＣＫ／ＮＡＣＫ及び/またはＳＲを搬送するためのものとし、Ｐ−ＣＳＩを搬送用の、前記第２のＴＴＩ長で送信するアップリンク制御チャネル複数があれば、前記複数のアップリンク制御チャネルから最初１つのまたは最後１つを選択して、前記第１のＴＴＩ長で送信するアップリンク共有チャネル内の対応のＰ−ＣＳＩを搬送するためのものとし、ＡＣＫ／ＮＡＣＫ及び/またはＳＲ搬送用の、第２のＴＴＩ長で送信するアップリンク制御チャネル複数があれば、前記第１のＴＴＩ長で送信するアップリンク共有チャネル内の対応のＡＣＫ／ＮＡＣＫ及び/またはＳＲを搬送するためのものとし、
前記第２の方式を適用する場合、前記所定の規則３は、以下方式のうちの１つまたは組み合わせを含み、
前記第２のＴＴＩ長で送信するアップリンク制御チャネルで搬送されるＵＣＩすべてを、前記第２のＴＴＩ長で送信するアップリンク制御チャネルで搬送されるＵＣＩすべてを、前記第１のＴＴＩ長で送信するアップリンクチャネルに転送して送信し、
前記第２のＴＴＩ長で送信するアップリンク制御チャネルで搬送されるＵＣＩがＡＣＫ／ＮＡＣＫ及び/またはＳＲである場合、前記ＵＣＩを前記第１のＴＴＩ長で送信するアップリンクチャネルに転送して送信し、前記第２のＴＴＩ長で送信するアップリンク制御チャネルで搬送されるＵＣＩがＰ−ＣＳＩを含む場合、前記第２のＴＴＩ長で送信するアップリンク制御チャネルで搬送されるＰ−ＣＳＩを放棄し、または、前記第１のＴＴＩ長で送信するアップリンクチャネルがＰ−ＣＳＩを搬送する場合、前記第２のＴＴＩ長で送信するアップリンク制御チャネルで搬送されるＰ−ＣＳＩを放棄し、前記第１のＴＴＩ長で送信するアップリンクチャネルがＰ−ＣＳＩを搬送しない場合、前記第２のＴＴＩ長で送信するアップリンク制御チャネルで搬送されるＰ−ＣＳＩを、前記第２のＴＴＩ長で送信するアップリンクチャネルに転送して送信し、
前記第１のＴＴＩ長で送信するアップリンク共有チャネル及び第１のＴＴＩ長で送信するアップリンク制御チャネル両方があれば、そのうちの１つを選択して前記ＵＣＩを搬送し、または、前記ＵＣＩの一部を前記第１のＴＴＩ長で送信するアップリンク共有チャネルで搬送し、前記ＵＣＩの残りの部分を前記第１のＴＴＩ長で送信するアップリンク制御チャネルで搬送し、及び/または、第１のＴＴＩ長で送信するアップリンク共有チャネル複数があれば、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがランダムアクセス応答（ＲＡＲ） ｇｒａｎｔに対応するアップリンク共有チャネルであれば、前記ＵＣＩを送信しない、
前記第３方式を適用する場合、選択されたアップリンクチャネルが第２のＴＴＩ長で送信するアップリンク制御チャネルであれば、第１のＴＴＩ長で送信するアップリンクチャネルの送信期間の間に、第２のＴＴＩ長で送信するアップリンク制御チャネル複数があれば、前記所定の規則２の方式で前記ＵＣＩを搬送するチャネルを選択し、選択されたアップリンクチャネルが第１のＴＴＩ長で送信するアップリンクチャネルである場合、第１のＴＴＩ長で送信するアップリンク共有チャネル及びアップリンク制御チャネル両方があるか、または、複数の第１のＴＴＩ長で送信するアップリンク共有チャネルがあれば、前記所定の規則３の方式で、前記ＵＣＩを搬送するチャネルを選択し、
前記第４方式が適用される場合、前記所定の規則４は、以下方式のうちの１つまたは組み合わせを含み、
前記第１のＴＴＩ長で送信するアップリンク共有チャネルで搬送されるＵＣＩすべてを、前記第２のＴＴＩ長で送信するアップリンク共有チャネルに転送して送信し、
前記第１のＴＴＩ長で送信するアップリンク共有チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク共有チャネルで搬送されるＵＣＩがＰ−ＣＳＩを含む場合、前記第１のＴＴＩ長で送信するアップリンク共有チャネルで搬送されるＰ−ＣＳＩを放棄し、または、前記第２のＴＴＩ長で送信するアップリンク共有チャネルがＰ−ＣＳＩを搬送している場合、前記第１のＴＴＩ長で送信するアップリンク共有チャネルで搬送されるＰ−ＣＳＩを放棄し、前記第２のＴＴＩ長で送信するアップリンク共有チャネルがＰ−ＣＳＩを搬送していない場合、前記第１のＴＴＩ長で送信するアップリンク共有チャネルで搬送されるＰ−ＣＳＩを、前記第２のＴＴＩ長で送信するアップリンク共有チャネルに転送して送信し、
第１のＴＴＩ長で送信するアップリンク共有チャネルの送信期間に第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、プライマリコンポーネントキャリア（ＰＣＣ）に前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するセカンダリコンポーネントキャリア（ＳＣＣ）のうちの最小キャリアインデックスのＳＣＣ上の前記第２のＴＴＩ長で送信するアップリンク共有チャネルを選択して前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第５方式が適用される場合、前記所定の規則５は以下方式のうちの１つまたは組み合わせを含み、
前記第２のＴＴＩ長で送信するアップリンク共有チャネルで搬送されるＵＣＩすべてを、前記第１のＴＴＩ長で送信するアップリンク共有チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク共有チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク共有チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク共有チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク共有チャネルに転送して送信し、
第１のＴＴＩ長で送信するアップリンク共有チャネル複数があれば、ＰＣＣに前記第１のＴＴＩ長で送信するアップリンク共有チャネルがある場合、ＰＣＣ上の前記第１のＴＴＩ長送信するアップリンク共有チャネルを選択して、前記ショート物理アップリンク共有チャネルｓＰＵＳＣＨ上のＵＣＩを送信し、ＰＣＣに第１のＴＴＩ長で送信するアップリンク共有チャネルがなければ、前記第１のＴＴＩ長で送信するアップリンク共有チャネルを有するＳＣＣのうちの最小キャリアインデックスのＳＣＣ上の前記第１のＴＴＩ長で送信するアップリンク共有チャネルを選択して、前記ｓＰＵＳＣＨ上のＵＣＩを送信し、前記選択された第１のＴＴＩ長で送信するアップリンク共有チャネルがＲＡＲ ｇｒａｎｔに対応するアップリンク共有チャネルである場合、前記ＵＣＩを送信しない、
前記第６方式が適用される場合、選択されたアップリンクチャネルが第２のＴＴＩ長で送信するアップリンク共有チャネルであるとき、第１のＴＴＩ長で送信するアップリンク共有チャネルの送信期間に第２のＴＴＩ長で送信するアップリンク共有チャネル複数があれば、前記所定の規則４の方式で、ＵＣＩを搬送するチャネルを選択し、選択されたアップリンクチャネルが第１のＴＴＩ長で送信するアップリンク共有チャネルであるとき、第１のＴＴＩ長で送信するアップリンク共有チャネル複数があれば、前記所定の規則５の方式で、ＵＣＩを搬送するチャネルを選択し、
前記第７方式が適用される場合、前記所定の規則６は、以下方式のうちの１つまたは組み合わせを含み、
前記第１のＴＴＩ長で送信するアップリンク制御チャネルで搬送されるＵＣＩすべてを、前記第２のＴＴＩ長で送信するアップリンク共有チャネルに転送して送信し、
前記第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク制御チャネルで搬送されるＵＣＩがＰ−ＣＳＩを含む場合、前記第１のＴＴＩ長で送信するアップリンク制御チャネルで搬送されるＰ−ＣＳＩを放棄し、または、前記第２のＴＴＩ長で送信するアップリンク共有チャネルがＰ−ＣＳＩを搬送する場合、前記第１のＴＴＩ長で送信するアップリンク制御チャネルで搬送されるＰ−ＣＳＩを放棄し、前記第２のＴＴＩ長で送信するアップリンク共有チャネルがＰ−ＣＳＩを搬送しない場合、前記第１のＴＴＩ長で送信するアップリンク制御チャネルで搬送されるＰ−ＣＳＩを、前記第２のＴＴＩ長で送信するアップリンク共有チャネルに転送して送信し、
第１のＴＴＩ長で送信するアップリンク制御チャネルの送信期間に複数の第２のＴＴＩ長で送信するアップリンク共有チャネル複数がある場合、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第８方式が適用される場合、前記所定の規則７は、以下方式のうちの１つまたは組み合わせを含み、
前記第２のＴＴＩ長で送信するアップリンク共有チャネルで搬送されるＵＣＩの全てを、前記第１のＴＴＩ長で送信するアップリンク制御チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク制御チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク制御チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク制御チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク制御チャネルに転送して送信し、
前記第９方式が適用される場合、選択されたアップリンクチャネルが第２のＴＴＩ長で送信するアップリンク共有チャネルであるとき、第１のＴＴＩ長で送信するアップリンク制御チャネルの送信期間に複数の第２のＴＴＩ長で送信するアップリンク共有チャネル複数がある場合、前記所定の規則７の方式でＵＣＩを搬送するチャネルを選択し、
前記所定の規則１は、以下方式のうちの１つまたは組み合わせを含み、
選択されていないアップリンクチャネル上のＵＣＩを選択されたアップリンクチャネルに転送して送信し、
選択されていないアップリンクチャネル上のＵＣＩがＡＣＫ／ＮＡＣＫ及び/またはＳＲである場合、前記ＵＣＩを選択されたアップリンクチャネルに転送して送信し、選択されていないアップリンクチャネル上のＵＣＩがＰ−ＣＳＩを含む場合、前記選択されていないアップリンクチャネル上のＰ−ＣＳＩを放棄し、または、選択されたアップリンクチャネルがＰ−ＣＳＩを搬送している場合、前記選択されていないアップリンクチャネル上のＰ−ＣＳＩを放棄し、選択されたアップリンクチャネルがＰ−ＣＳＩを搬送していない場合、選択されていないチャネルで搬送されるＰ−ＣＳＩを、選択されたアップリンクチャネルに転送して送信し、
選択されたアップリンクチャネルが第１のＴＴＩ長で送信するアップリンクチャネルである場合は、第１のＴＴＩ長で送信するアップリンク共有チャネル及び第１のＴＴＩ長で送信するアップリンク制御チャネル両方があるとき、そのうちの１つを選択して前記ＵＣＩを搬送し、または、前記ＵＣＩの一部を第１のＴＴＩ長で送信するアップリンク共有チャネルで搬送されるようにし、前記ＵＣＩの残りの部分を第１のＴＴＩ長で送信するアップリンク制御チャネルで搬送されるようにし、第１のＴＴＩ長を利用するアップリンク共有チャネル複数がある場合、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
選択されたアップリンクチャネルが第２のＴＴＩ長で送信するアップリンク制御チャネルであれば、前記第１のＴＴＩ長の間に第２のＴＴＩ長で送信するアップリンク制御チャネル複数があるとき、最初１つのまたは最後１つの第２のＴＴＩ長で送信するアップリンク制御チャネルを選択して前記ＵＣＩを搬送し、または、Ｐ−ＣＳＩ搬送用の、第２のＴＴＩ長で送信するアップリンク制御チャネルを選択して、前記選択されていないアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記選択されていないアップリンクチャネル内のＰ−ＣＳＩを搬送するためのものとし、ＡＣＫ／ＮＡＣＫ及び/またはＳＲ搬送用の、第２のＴＴＩ長で送信するアップリンク制御チャネルを選択して前記選択されていないアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して前記選択されていないアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記選択されていないアップリンクチャネル内の対応のＵＣＩを搬送するためのものとし、
選択されたアップリンクチャネルが第２のＴＴＩ長で送信するアップリンク共有チャネルであるとき、前記第１のＴＴＩ長の間に複数の第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを搬送し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して前記ＵＣＩを搬送し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しないことを特徴とする請求項４に記載のデータ伝送のための方法。
【請求項６】
前記ＵＣＩ優先度は、ＳＲの優先度がＡＣＫ／ＮＡＣＫの優先度以上であり、ＡＣＫ／ＮＡＣＫの優先度がＰ−ＣＳＩの優先度よりも高いことを特徴とする請求項３に記載のデータ伝送のための方法。
【請求項７】
第１のＴＴＩ長で送信するアップリンクチャネルの送信電力と、第２のＴＴＩ長で送信するアップリンクチャネルの送信電力との合計が、ＵＥに許容される最大送信電力を超えるかどうかを判定し、最大送信電力を超えると、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信し、及び/または、
第１のＴＴＩ長で送信するアップリンクチャネルと第２のＴＴＩ長で送信するアップリンクチャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信し、及び/または、
第１のＴＴＩ長で送信するアップリンク制御チャネルと第２のＴＴＩ長で送信するアップリンク共有チャネルとの同時送信をサポートするかどうかを判定し、及び/または、第１のＴＴＩ長で送信するアップリンク共有チャネルと第２のＴＴＩ長で送信するアップリンク制御チャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信することを特徴とする請求項１に記載のデータ伝送のための方法。
【請求項８】
第１のＴＴＩ長で送信するアップリンクチャネルの送信期間が第２のＴＴＩ長で送信するアップリンクチャネルの送信期間とオーバーラップするかどうかを判定し、
オーバーラップすると判定した場合、ＵＥが所定のルールの下でアップリンクチャネルを選択して送信することを決定し、残りのアップリンクチャネルを放棄するか、または、残りのアップリンクチャネルをパンクチャリングして送信することを特徴とするデータ伝送のための方法。 
【請求項９】
前記第１のＴＴＩ長が前記第２のＴＴＩ長より大きいことを特徴とする請求項８に記載のデータ伝送のための方法。 
【請求項１０】
ＵＥが所定のルールの下でアップリンクチャネルを選択して送信することを決定し、残りのアップリンクチャネルを放棄するか、または、残りのアップリンクチャネルをパンクチャリングして送信する場合、前記所定のルールは、以下のルールのうちの１つまたは組み合わせであり、
ルール１
アップリンク制御チャネルを選択し、アップリンク共有チャネルでの送信を放棄するか、またはアップリンク共有チャネルをパンクチャリングして送信し、
ルール２
第２のＴＴＩ長で送信するアップリンクチャネルを選択し、第１のＴＴＩ長で送信するアップリンクチャネルを放棄するか、または、第１のＴＴＩ長で送信するアップリンクチャネルをパンクチャリングして送信し、
ルール３
ＵＣＩを搬送するアップリンクチャネルを選択し、ＵＣＩを送信するアップリンクチャネルが複数ある場合、優先度の高いＵＣＩを搬送するアップリンクチャネルを選択し、優先度の高いＵＣＩを搬送するアップリンクチャネルが複数ある場合、前記ルール１またはルール２を再利用して選択し、残りのアップリンクチャネルを放棄するか、または、残りのアップリンクチャネルをパンクチャリングして送信し、
ルール４
第１のＴＴＩ長で送信するルアップリンクチャネルが、第２のＴＴＩ長で送信するアップリンク制御チャネルとオーバーラップする場合、以下の方式の少なくとも１つを適用し、前記アップリンクチャネルは少なくとも１つのアップリンク共有チャネルまたはアップリンク制御チャネルを含み、
第１の方式では、以下のことを決定し、ＵＥが前記第２のＴＴＩ長で送信するアップリンク制御チャネルを選択して送信し、前記第１のＴＴＩ長で送信するアップリンクチャネルを放棄し、または、前記第２のＴＴＩ長で送信するアップリンク制御チャネルとオーバーラップする前記第１のＴＴＩ長で送信するアップリンクチャネル内のシンボル上の情報をパンクチャリングし、
第２の方式では、ＵＥが前記第１のＴＴＩ長で送信するアップリンク共有チャネル及び/またはアップリンク制御チャネルを選択し、前記第２のＴＴＩ長で送信するアップリンク制御チャネルを放棄することを決定し、
第３の方式では、以下のことを決定し、ＵＥがＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第１の方式または前記第２の方式で同じ優先度のＵＣＩを搬送する複数のチャネルから選択し、
ルール５
第１のＴＴＩ長で送信するアップリンク共有チャネルが第２のＴＴＩ長で送信するアップリンク共有チャネルとオーバーラップする場合、以下の方式の少なくとも１つを適用し、
第４方式では、以下のことを決定し、ＵＥが前記第２のＴＴＩ長で送信するアップリンク共有チャネルを選択して送信し、前記第１のＴＴＩ長で送信するアップリンク共有チャネルを放棄し、または、前記第２のＴＴＩ長で送信するアップリンク共有チャネルとオーバーラップする、前記第１のＴＴＩ長で送信するアップリンク共有チャネル内のシンボル上の情報をパンクチャリングし、
第５方式では、以下のことを決定し、ＵＥが前記第１のＴＴＩ長で送信するアップリンク共有チャネルを選択して送信し、前記第２のＴＴＩ長で送信するアップリンク共有チャネルを放棄し、
第６方式では、以下のことを決定し、ＵＥがＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第３方式または前記第４方式で同じ優先度のＵＣＩを搬送する複数のチャネルから選択し、
ルール６
第１のＴＴＩ長で送信するアップリンク制御チャネルが、第２のＴＴＩ長で送信するアップリンク共有チャネルとオーバーラップする場合、以下の方式の少なくとも１つを適用し、
第７方式では、以下のことを決定し、ＵＥが前記第２のＴＴＩ長で送信するアップリンク共有チャネルを選択して送信し、前記第１のＴＴＩ長で送信するアップリンク制御チャネルを放棄し、または、前記第２のＴＴＩ長で送信するアップリンク共有チャネルとオーバーラップする前記第１のＴＴＩ長で送信するアップリンク制御チャネル内のシンボル上の情報をパンクチャリングし、
第８方式では、以下のことを決定し、ＵＥが前記第１のＴＴＩ長で送信するアップリンク制御チャネルを選択して送信し、前記第２のＴＴＩ長で送信するアップリンク共有チャネルを放棄し、
第９方式では、以下のことを決定し、ＵＥがＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第７方式または前記第８方式で同じ優先度のＵＣＩを搬送する複数のチャネルから選択することを特徴とする請求項８に記載のデータ伝送のための方法。 
【請求項１１】
前記ルール１ないしルール３のうちの少なくても１つで少なくも１つのアップリンクチャネルを選択して送信し、残りのアップリンクチャネルを放棄し、または、残りのアップリンクチャネルをパンクチャリングして送信する場合、
ＵＥが選択されていないアップリンクチャネル上のＵＣＩを所定の規則１の下で選択されたアップリンクチャネルに転送して送信することを決定し、
前記ルール４で少なくも１つのアップリンクチャネルを選択して送信し、残りのアップリンクチャネルを放棄し、または、残りのアップリンクチャネルをパンクチャリングして送信する場合、
前記第１の方式を適用する場合、ＵＥが前記第１のＴＴＩ長で送信するアップリンクチャネルで搬送されるＵＣＩを、所定の規則１または所定の規則２の下で前記第２のＴＴＩ長で送信するアップリンク制御チャネルに転送して送信し、
前記第２の方式を適用する場合、以下のことを決定し、ＵＥが前記第２のＴＴＩ長で送信するアップリンク制御チャネルで搬送されるＵＣＩを、所定の規則１または所定の規則３の下で前記第１のＴＴＩ長で送信するアップリンクチャネルに転送して送信し、
前記第３方式を適用する場合、以下のことを決定し、ＵＥが選択されていないアップリンクチャネル上のＵＣＩを、前記所定の規則１の下で選択されたアップリンクチャネルに転送して送信し、
前記ルール５で少なくも１つのアップリンクチャネルを選択して送信し、残りのアップリンクチャネルを放棄し、または、残りのアップリンクチャネルをパンクチャリングして送信する場合、
前記第４方式が適用される場合、以下のことを決定し、ＵＥが前記第１のＴＴＩ長で送信するアップリンク共有チャネルで搬送されるＵＣＩを、所定の規則１または所定の規則４の下で前記第２のＴＴＩ長で送信するアップリンク共有チャネルに転送して送信し、 
前記第５方式が適用される場合、以下のことを決定し、ＵＥが前記第２のＴＴＩ長で送信するアップリンク共有チャネルで搬送されるＵＣＩを、所定の規則１または所定の規則５の下で前記第１のＴＴＩ長で送信するアップリンク共有チャネルに転送して送信し、
前記第６方式が適用される場合、ＵＥが選択されていないアップリンクチャネル上のＵＣＩを所定の規則１の下で選択されたアップリンクチャネルに転送して送信することを決定し、
前記ルール６で少なくも１つのアップリンクチャネルを選択して送信し、残りのアップリンクチャネルを放棄し、または、残りのアップリンクチャネルをパンクチャリングして送信する場合、
前記第７方式が適用される場合、以下のことを決定し、ＵＥが前記第１のＴＴＩ長で送信するアップリンク制御チャネルで搬送されるＵＣＩを、所定の規則１または所定の規則６の下で前記第２のＴＴＩ長で送信するアップリンク共有チャネルに転送して送信し、
前記第８方式が適用される場合、前記第２のＴＴＩ長で送信するアップリンク共有チャネルがＵＣＩを搬送している場合、ＵＥが前記ＵＣＩを所定の規則１または所定の規則７の下で前記第１のＴＴＩ長で送信するアップリンク制御チャネルに転送して送信することを決定し、
前記第９方式が適用される場合、ＵＥが選択されていないアップリンクチャネル上のＵＣＩを所定の規則１の下で選択されたアップリンクチャネルに転送して送信することを特徴とする請求項１０に記載のデータ伝送のための方法。 
【請求項１２】
前記第１の方式を適用する場合、前記所定の規則２は以下方式のうちの１つまたは組み合わせを含み、
前記第１のＴＴＩ長で送信するアップリンクチャネルで搬送されるＵＣＩのすべてを、前記第２のＴＴＩ長で送信するアップリンク制御チャネルに転送して送信し、
前記第１のＴＴＩ長で送信するアップリンクチャネルで搬送されるＵＣＩがＡＣＫ／ＮＡＣＫ及び/またはＳＲである場合、前記ＵＣＩを前記第２のＴＴＩ長で送信するアップリンク制御チャネルに転送して送信し、前記第１のＴＴＩ長で送信するアップリンクチャネルで搬送されるＵＣＩがＰ−ＣＳＩを含む場合、前記第１のＴＴＩ長で送信するアップリンクチャネルで搬送されるＰ−ＣＳＩを放棄し、または、前記第２のＴＴＩ長で送信するアップリンク制御チャネルにＰ−ＣＳＩが含まれる場合、前記第１のＴＴＩ長で送信するアップリンクチャネルで搬送されるＰ−ＣＳＩを放棄し、前記第２のＴＴＩ長で送信するアップリンク制御チャネルにＰ−ＣＳＩが含まれない場合、前記第１のＴＴＩ長で送信するアップリンクチャネルで搬送されるＰ−ＣＳＩを、第２のＴＴＩ長で送信するアップリンク制御チャネルに転送して送信し、
第１のＴＴＩ長で送信するアップリンクチャネルの送信期間の間に、第２のＴＴＩ長で送信するアップリンク制御チャネル複数があれば、
最初１つのまたは最後１つの第２のＴＴＩ長で送信するアップリンク制御チャネルを選択して前記ＵＣＩを搬送し、または、
Ｐ−ＣＳＩ搬送用の、第２のＴＴＩ長で送信するアップリンク制御チャネルを選択して、前記第１のＴＴＩ長で送信するアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンクチャネル内のＰ−ＣＳＩを搬送し、ＡＣＫ／ＮＡＣＫ及び/またはＳＲ搬送用の、第２のＴＴＩ長で送信するアップリンク制御チャネルを選択して、前記第１のＴＴＩ長で送信するアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンクチャネル内のＡＣＫ／ＮＡＣＫ及び/またはＳＲを搬送するためのものとし、Ｐ−ＣＳＩを搬送用の、前記第２のＴＴＩ長で送信するアップリンク制御チャネル複数があれば、前記複数のアップリンク制御チャネルから最初１つのまたは最後１つを選択して、前記第１のＴＴＩ長で送信するアップリンクチャネル内の対応のＵＣＩを搬送するためのものとし、ＡＣＫ／ＮＡＣＫ及び/またはＳＲ搬送用の、第２のＴＴＩ長で送信するアップリンク制御チャネル複数があれば、前記第１のＴＴＩ長で送信するアップリンク共有チャネル内の対応のＡＣＫ／ＮＡＣＫ及び/またはＳＲを搬送するためのものとし、
前記第２の方式を適用する場合、前記所定の規則３は、以下方式のうちの１つまたは組み合わせを含み、
前記第２のＴＴＩ長で送信するアップリンク制御チャネルで搬送されるＵＣＩすべてを、前記第２のＴＴＩ長で送信するアップリンク制御チャネルで搬送されるＵＣＩすべてを、前記第１のＴＴＩ長で送信するアップリンクチャネルに転送して送信し、
前記第２のＴＴＩ長で送信するアップリンク制御チャネルで搬送されるＵＣＩがＡＣＫ／ＮＡＣＫ及び/またはＳＲである場合、前記ＵＣＩを前記第１のＴＴＩ長で送信するアップリンクチャネルに転送して送信し、前記第２のＴＴＩ長で送信するアップリンク制御チャネルで搬送されるＵＣＩがＰ−ＣＳＩを含む場合、前記第２のＴＴＩ長で送信するアップリンク制御チャネルで搬送されるＰ−ＣＳＩを放棄し、または、前記第１のＴＴＩ長で送信するアップリンクチャネルがＰ−ＣＳＩを搬送する場合、前記第２のＴＴＩ長で送信するアップリンク制御チャネルで搬送されるＰ−ＣＳＩを放棄し、前記第１のＴＴＩ長で送信するアップリンクチャネルがＰ−ＣＳＩを搬送しない場合、前記第２のＴＴＩ長で送信するアップリンク制御チャネルで搬送されるＰ−ＣＳＩを、前記第２のＴＴＩ長で送信するアップリンクチャネルに転送して送信し、
前記第１のＴＴＩ長で送信するアップリンク共有チャネル及び第１のＴＴＩ長で送信するアップリンク制御チャネル両方があれば、そのうちの１つを選択して前記ＵＣＩを搬送し、または、前記ＵＣＩの一部を前記第１のＴＴＩ長で送信するアップリンク共有チャネルで搬送し、前記ＵＣＩの残りの部分を前記第１のＴＴＩ長で送信するアップリンク制御チャネルで搬送し、及び/または、第１のＴＴＩ長で送信するアップリンク共有チャネル複数があれば、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
前記第３方式を適用する場合、選択されたアップリンクチャネルが第２のＴＴＩ長で送信するアップリンク制御チャネルであれば、第１のＴＴＩ長で送信するアップリンクチャネルの送信期間の間に、第２のＴＴＩ長で送信するアップリンク制御チャネル複数があれば、前記所定の規則２の方式で前記ＵＣＩを搬送するチャネルを選択し、選択されたアップリンクチャネルが第１のＴＴＩ長で送信するアップリンクチャネルである場合、第１のＴＴＩ長で送信するアップリンク共有チャネル及びアップリンク制御チャネル両方があるか、または、複数の第１のＴＴＩ長で送信するアップリンク共有チャネルがあれば、前記所定の規則３の方式で、前記ＵＣＩを搬送するチャネルを選択し、
前記第４方式が適用される場合、前記所定の規則４は、以下方式のうちの１つまたは組み合わせを含み、
前記第１のＴＴＩ長で送信するアップリンク共有チャネルで搬送されるＵＣＩすべてを、前記第２のＴＴＩ長で送信するアップリンク共有チャネルに転送して送信し、
前記第１のＴＴＩ長で送信するアップリンク共有チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク共有チャネルで搬送されるＵＣＩがＰ−ＣＳＩを含む場合、前記第１のＴＴＩ長で送信するアップリンク共有チャネルで搬送されるＰ−ＣＳＩを放棄し、または、前記第２のＴＴＩ長で送信するアップリンク共有チャネルがＰ−ＣＳＩを搬送している場合、前記第１のＴＴＩ長で送信するアップリンク共有チャネルで搬送されるＰ−ＣＳＩを放棄し、前記第２のＴＴＩ長で送信するアップリンク共有チャネルがＰ−ＣＳＩを搬送していない場合、前記第１のＴＴＩ長で送信するアップリンク共有チャネルで搬送されるＰ−ＣＳＩを、前記第２のＴＴＩ長で送信するアップリンク共有チャネルに転送して送信し、
第１のＴＴＩ長で送信するアップリンク共有チャネルの送信期間に第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第５方式が適用される場合、前記所定の規則５は以下方式のうちの１つまたは組み合わせを含み、
前記第２のＴＴＩ長で送信するアップリンク共有チャネルで搬送されるＵＣＩすべてを、前記第１のＴＴＩ長で送信するアップリンク共有チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク共有チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク共有チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク共有チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク共有チャネルに転送して送信し、
第１のＴＴＩ長で送信するアップリンク共有チャネル複数があれば、ＰＣＣに前記第１のＴＴＩ長で送信するアップリンク共有チャネルがある場合、ＰＣＣ上の前記第１のＴＴＩ長送信するアップリンク共有チャネルを選択して、前記ｓＰＵＳＣＨ上のＵＣＩを送信し、ＰＣＣに第１のＴＴＩ長で送信するアップリンク共有チャネルがなければ、前記第１のＴＴＩ長で送信するアップリンク共有チャネルを有するＳＣＣのうちの最小キャリアインデックスのＳＣＣ上の前記第１のＴＴＩ長で送信するアップリンク共有チャネルを選択して、前記ｓＰＵＳＣＨ上のＵＣＩを送信し、前記選択された第１のＴＴＩ長で送信するアップリンク共有チャネルがＲＡＲ ｇｒａｎｔに対応するアップリンク共有チャネルである場合、前記ＵＣＩを送信しない、
前記第６方式が適用される場合、選択されたアップリンクチャネルが第２のＴＴＩ長で送信するアップリンク共有チャネルであるとき、第１のＴＴＩ長で送信するアップリンク共有チャネルの送信期間に第２のＴＴＩ長で送信するアップリンク共有チャネル複数があれば、前記所定の規則４の方式で、ＵＣＩを搬送するチャネルを選択し、選択されたアップリンクチャネルが第１のＴＴＩ長で送信するアップリンク共有チャネルであるとき、第１のＴＴＩ長で送信するアップリンク共有チャネル複数があれば、前記所定の規則５の方式で、ＵＣＩを搬送するチャネルを選択し、
前記第７方式が適用される場合、前記所定の規則６は、以下方式のうちの１つまたは組み合わせを含み、
前記第１のＴＴＩ長で送信するアップリンク制御チャネルで搬送されるＵＣＩすべてを、前記第２のＴＴＩ長で送信するアップリンク共有チャネルに転送して送信し、
前記第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク制御チャネルで搬送されるＵＣＩがＰ−ＣＳＩを含む場合、前記第１のＴＴＩ長で送信するアップリンク制御チャネルで搬送されるＰ−ＣＳＩを放棄し、または、前記第２のＴＴＩ長で送信するアップリンク共有チャネルがＰ−ＣＳＩを搬送する場合、前記第１のＴＴＩ長で送信するアップリンク制御チャネルで搬送されるＰ−ＣＳＩを放棄し、前記第２のＴＴＩ長で送信するアップリンク共有チャネルがＰ−ＣＳＩを搬送しない場合、前記第１のＴＴＩ長で送信するアップリンク制御チャネルで搬送されるＰ−ＣＳＩを、前記第２のＴＴＩ長で送信するアップリンク共有チャネルに転送して送信し、
第１のＴＴＩ長で送信するアップリンク制御チャネルの送信期間に複数の第２のＴＴＩ長で送信するアップリンク共有チャネル複数がある場合、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第８方式が適用される場合、前記所定の規則７は、以下方式のうちの１つまたは組み合わせを含み、
前記第２のＴＴＩ長で送信するアップリンク共有チャネルで搬送されるＵＣＩの全てを、前記第１のＴＴＩ長で送信するアップリンク制御チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク制御チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク制御チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク制御チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク制御チャネルに転送して送信し、
前記第９方式が適用される場合、選択されたアップリンクチャネルが第２のＴＴＩ長で送信するアップリンク共有チャネルであるとき、第１のＴＴＩ長で送信するアップリンク制御チャネルの送信期間に複数の第２のＴＴＩ長で送信するアップリンク共有チャネル複数がある場合、前記所定の規則７の方式でＵＣＩを搬送するチャネルを選択し、
前記所定の規則１は、以下方式のうちの１つまたは組み合わせを含み、
選択されていないアップリンクチャネル上のＵＣＩを選択されたアップリンクチャネルに転送して送信し、
選択されていないアップリンクチャネル上のＵＣＩがＡＣＫ／ＮＡＣＫ及び/またはＳＲである場合、前記ＵＣＩを選択されたアップリンクチャネルに転送して送信し、選択されていないアップリンクチャネル上のＵＣＩがＰ−ＣＳＩを含む場合、前記選択されていないアップリンクチャネル上のＰ−ＣＳＩを放棄し、または、選択されたアップリンクチャネルがＰ−ＣＳＩを搬送している場合、前記選択されていないアップリンクチャネル上のＰ−ＣＳＩを放棄し、選択されたアップリンクチャネルがＰ−ＣＳＩを搬送していない場合、選択されていないチャネルで搬送されるＰ−ＣＳＩを、選択されたアップリンクチャネルに転送して送信し、
選択されたアップリンクチャネルが第１のＴＴＩ長で送信するアップリンクチャネルである場合は、第１のＴＴＩ長で送信するアップリンク共有チャネル及び第１のＴＴＩ長で送信するアップリンク制御チャネル両方があるとき、そのうちの１つを選択して前記ＵＣＩを搬送し、または、前記ＵＣＩの一部を第１のＴＴＩ長で送信するアップリンク共有チャネルで搬送されるようにし、前記ＵＣＩの残りの部分を第１のＴＴＩ長で送信するアップリンク制御チャネルで搬送されるようにし、第１のＴＴＩ長を利用するアップリンク共有チャネル複数がある場合、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
選択されたアップリンクチャネルが第２のＴＴＩ長で送信するアップリンク制御チャネルであれば、前記第１のＴＴＩ長の間に第２のＴＴＩ長で送信するアップリンク制御チャネル複数があるとき、最初１つのまたは最後１つの第２のＴＴＩ長で送信するアップリンク制御チャネルを選択して前記ＵＣＩを搬送し、または、Ｐ−ＣＳＩ搬送用の、第２のＴＴＩ長で送信するアップリンク制御チャネルを選択して、前記選択されていないアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記選択されていないアップリンクチャネル内のＰ−ＣＳＩを搬送するためのものとし、ＡＣＫ／ＮＡＣＫ及び/またはＳＲ搬送用の、第２のＴＴＩ長で送信するアップリンク制御チャネルを選択して前記選択されていないアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して前記選択されていないアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記選択されていないアップリンクチャネル内の対応のＵＣＩを搬送するためのものとし、
選択されたアップリンクチャネルが第２のＴＴＩ長で送信するアップリンク共有チャネルであるとき、前記第１のＴＴＩ長の間に複数の第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを搬送し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して前記ＵＣＩを搬送し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しないことを特徴とする請求項１１に記載のデータ伝送のための方法。 
【請求項１３】
前記ＵＣＩ優先度は、ＳＲの優先度がＡＣＫ／ＮＡＣＫの優先度以上であり、ＡＣＫ／ＮＡＣＫの優先度がＰ−ＣＳＩの優先度よりも高いことを特徴とする請求項１０に記載のデータ伝送のための方法。 
【請求項１４】
ＵＥが下記のステップで動作することを決定し、
第１のＴＴＩ長で送信するアップリンクチャネルの送信電力と、第２のＴＴＩ長で送信するアップリンクチャネルの送信電力との合計が、ＵＥに許容される最大送信電力を超えるかどうかを判定し、最大送信電力を超えると、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信し、及び/または、
第１のＴＴＩ長で送信するアップリンクチャネルと第２のＴＴＩ長で送信するアップリンクチャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信し、及び/または、
第１のＴＴＩ長で送信するアップリンク制御チャネルと第２のＴＴＩ長で送信するアップリンク共有チャネルとの同時送信をサポートするかどうかを判定し、及び/または、第１のＴＴＩ長で送信するアップリンク共有チャネルと第２のＴＴＩ長で送信するアップリンク制御チャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信することを特徴とする請求項８に記載のデータ伝送のための方法。 
【請求項１５】
第１のＴＴＩ長で送信するアップリンクチャネルの送信期間が第２のＴＴＩ長で送信するアップリンクチャネルの送信期間とオーバーラップするかどうかを判定するように構成される、第１の決定モジュールと、
オーバーラップすると判定した場合、所定のルールの下で少なくも１つのアップリンクチャネルを選択して送信し、残りのアップリンクチャネルを放棄し、または、残りのアップリンクチャネルをパンクチャリングして送信する用に構成される、送信モジュールと、
を備えることを特徴とするデータ伝送のための装置。 
【請求項１６】
前記第１のＴＴＩ長が前記第２のＴＴＩ長より大きいことを特徴とする請求項１５に記載のデータ伝送のための装置。 
【請求項１７】
前記送信モジュールが、所定のルールの下で少なくも１つのアップリンクチャネルを選択して送信し、残りのアップリンクチャネルを放棄し、または、残りのアップリンクチャネルをパンクチャリングして送信する場合、前記所定のルールは、以下のルールのうちの１つまたは組み合わせであり、
ルール１
アップリンク制御チャネルを選択し、アップリンク共有チャネルでの送信を放棄するか、またはアップリンク共有チャネルをパンクチャリングして送信し、
ルール２
第２のＴＴＩ長で送信するアップリンクチャネルを選択し、第１のＴＴＩ長で送信するアップリンクチャネルを放棄するか、または、第１のＴＴＩ長で送信するアップリンクチャネルをパンクチャリングして送信し、
ルール３
ＵＣＩを搬送するアップリンクチャネルを選択し、ＵＣＩを送信するアップリンクチャネルが複数ある場合、優先度の高いＵＣＩを搬送するアップリンクチャネルを選択し、優先度の高いＵＣＩを搬送するアップリンクチャネルが複数ある場合、前記ルール１またはルール２を再利用して選択し、残りのアップリンクチャネルを放棄するか、または、残りのアップリンクチャネルをパンクチャリングして送信し、
ルール４
第１のＴＴＩ長で送信するルアップリンクチャネルが、第２のＴＴＩ長で送信するアップリンク制御チャネルとオーバーラップする場合、以下の方式の少なくとも１つを適用し、前記アップリンクチャネルは少なくとも１つのアップリンク共有チャネルまたはアップリンク制御チャネルを含み、
第１の方式では、前記第２のＴＴＩ長で送信するアップリンク制御チャネルを選択して送信し、前記第１のＴＴＩ長で送信するアップリンクチャネルを放棄し、または、前記第２のＴＴＩ長で送信するアップリンク制御チャネルとオーバーラップする前記第１のＴＴＩ長で送信するアップリンクチャネル内のシンボル上の情報をパンクチャリングし、
第２の方式では、前記第１のＴＴＩ長で送信するアップリンクチャネルを選択し、前記第２のＴＴＩ長で送信するアップリンク制御チャネルを放棄し、
第３の方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第１の方式または前記第２の方式で同じ優先度のＵＣＩを搬送する複数のチャネルから選択し、
ルール５
第１のＴＴＩ長で送信するアップリンク共有チャネルが第２のＴＴＩ長で送信するアップリンク共有チャネルとオーバーラップする場合、以下の方式の少なくとも１つを適用し、
第４方式では、前記第２のＴＴＩ長で送信するアップリンク共有チャネルを選択して送信し、前記第１のＴＴＩ長で送信するアップリンク共有チャネルを放棄し、または、前記第２のＴＴＩ長で送信するアップリンク共有チャネルとオーバーラップする、前記第１のＴＴＩ長で送信するアップリンク共有チャネル内のシンボル上の情報をパンクチャリングし、
第５方式では、前記第１のＴＴＩ長で送信するアップリンク共有チャネルを選択して送信し、前記第２のＴＴＩ長で送信するアップリンク共有チャネルを放棄し、
第６方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第３方式または前記第４方式で同じ優先度のＵＣＩを搬送する複数のチャネルから選択し、
ルール６
第１のＴＴＩ長で送信するアップリンク制御チャネルが、第２のＴＴＩ長で送信するアップリンク共有チャネルとオーバーラップする場合、以下の方式の少なくとも１つを適用し、
第７方式では、前記第２のＴＴＩ長で送信するアップリンク共有チャネルを選択して送信し、前記第１のＴＴＩ長で送信するアップリンク制御チャネルを放棄し、または、前記第２のＴＴＩ長で送信するアップリンク共有チャネルとオーバーラップする前記第１のＴＴＩ長で送信するアップリンク制御チャネル内のシンボル上の情報をパンクチャリングし、
第８方式では、前記第１のＴＴＩ長で送信するアップリンク制御チャネルを選択して送信し、前記第２のＴＴＩ長で送信するアップリンク共有チャネルを放棄し、
第９方式では、ＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第７方式または前記第８方式で同じ優先度のＵＣＩを搬送する複数のチャネルから選択することを特徴とする請求項１５に記載のデータ伝送のための装置。 
【請求項１８】
前記送信モジュールが、前記ルール１ないしるる３のうちの１つで少なくも１つのアップリンクチャネルを選択して送信し、残りのアップリンクチャネルを放棄し、または、残りのアップリンクチャネルをパンクチャリングして送信する場合、前記送信モジュールは、さらに、
選択されていないアップリンクチャネル上のＵＣＩを所定の規則１の下で選択されたアップリンクチャネルに転送して送信し、
前記送信モジュールが、前記ルール４で少なくも１つのアップリンクチャネルを選択して送信し、残りのアップリンクチャネルを放棄し、または、残りのアップリンクチャネルをパンクチャリングして送信する場合、前記送信モジュールは、さらに、
前記第１の方式を適用する場合、前記第１のＴＴＩ長で送信するアップリンクチャネルで搬送されるＵＣＩを、所定の規則１または所定の規則２の下で前記第２のＴＴＩ長で送信するアップリンク制御チャネルに転送して送信し、
前記第２の方式を適用する場合、前記第２のＴＴＩ長で送信するアップリンク制御チャネルで搬送されるＵＣＩを、所定の規則１または所定の規則３の下で前記第１のＴＴＩ長で送信するアップリンクチャネルに転送して送信し、
前記第３方式を適用する場合、選択されていないアップリンクチャネル上のＵＣＩを、前記所定の規則１の下で選択されたアップリンクチャネルに転送して送信し、
前記送信モジュールが、前記ルール５で少なくも１つのアップリンクチャネルを選択して送信し、残りのアップリンクチャネルを放棄し、または、残りのアップリンクチャネルをパンクチャリングして送信する場合、前記送信モジュールは、さらに、
前記第４方式が適用される場合、前記第１のＴＴＩ長で送信するアップリンク共有チャネルで搬送されるＵＣＩを、所定の規則１または所定の規則４の下で前記第２のＴＴＩ長で送信するアップリンク共有チャネルに転送して送信し、 
前記第５方式が適用される場合、前記第２のＴＴＩ長で送信するアップリンク共有チャネルで搬送されるＵＣＩを、所定の規則１または所定の規則５の下で前記第１のＴＴＩ長で送信するアップリンク共有チャネルに転送して送信し、
前記第６方式が適用される場合、選択されていないアップリンクチャネル上のＵＣＩを所定の規則１の下で選択されたアップリンクチャネルに転送して送信し、
前記送信モジュールが、前記ルール６で少なくも１つのアップリンクチャネルを選択して送信し、残りのアップリンクチャネルを放棄し、または、残りのアップリンクチャネルをパンクチャリングして送信する場合、前記送信モジュールは、さらに、
前記第７方式が適用される場合、前記第１のＴＴＩ長で送信するアップリンク制御チャネルで搬送されるＵＣＩを、所定の規則１または所定の規則６の下で前記第２のＴＴＩ長で送信するアップリンク共有チャネルに転送して送信し、
前記第８方式が適用される場合、前記第２のＴＴＩ長で送信するアップリンク共有チャネルがＵＣＩを搬送している場合、前記ＵＣＩを所定の規則１または所定の規則７の下で前記第１のＴＴＩ長で送信するアップリンク制御チャネルに転送して送信し、
前記第９方式が適用される場合、選択されていないアップリンクチャネル上のＵＣＩを所定の規則１の下で選択されたアップリンクチャネルに転送して送信すすることを特徴とする請求項１７に記載のデータ伝送のための装置。 
【請求項１９】
前記第１の方式を適用する場合、前記所定の規則２は以下方式のうちの１つまたは組み合わせを含み、
前記第１のＴＴＩ長で送信するアップリンクチャネルで搬送されるＵＣＩのすべてを、前記第２のＴＴＩ長で送信するアップリンク制御チャネルに転送して送信し、
前記第１のＴＴＩ長で送信するアップリンクチャネルで搬送されるＵＣＩがＡＣＫ／ＮＡＣＫ及び/またはＳＲである場合、前記ＵＣＩを前記第２のＴＴＩ長で送信するアップリンク制御チャネルに転送して送信し、前記第１のＴＴＩ長で送信するアップリンクチャネルで搬送されるＵＣＩがＰ−ＣＳＩを含む場合、前記第１のＴＴＩ長で送信するアップリンクチャネルで搬送されるＰ−ＣＳＩを放棄し、または、前記第２のＴＴＩ長で送信するアップリンク制御チャネルにＰ−ＣＳＩが含まれる場合、前記第１のＴＴＩ長で送信するアップリンクチャネルで搬送されるＰ−ＣＳＩを放棄し、前記第２のＴＴＩ長で送信するアップリンク制御チャネルにＰ−ＣＳＩが含まれない場合、前記第１のＴＴＩ長で送信するアップリンクチャネルで搬送されるＰ−ＣＳＩを、第２のＴＴＩ長で送信するアップリンク制御チャネルに転送して送信し、
第１のＴＴＩ長で送信するアップリンクチャネルの送信期間の間に、第２のＴＴＩ長で送信するアップリンク制御チャネル複数があれば、
最初１つのまたは最後１つの第２のＴＴＩ長で送信するアップリンク制御チャネルを選択して前記ＵＣＩを搬送し、または、
Ｐ−ＣＳＩ搬送用の、第２のＴＴＩ長で送信するアップリンク制御チャネルを選択して、前記第１のＴＴＩ長で送信するアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンクチャネル内のＰ−ＣＳＩを搬送し、ＡＣＫ／ＮＡＣＫ及び/またはＳＲ搬送用の、第２のＴＴＩ長で送信するアップリンク制御チャネルを選択して、前記第１のＴＴＩ長で送信するアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンクチャネル内のＡＣＫ／ＮＡＣＫ及び/またはＳＲを搬送するためのものとし、Ｐ−ＣＳＩを搬送用の、前記第２のＴＴＩ長で送信するアップリンク制御チャネル複数があれば、前記複数のアップリンク制御チャネルから最初１つのまたは最後１つを選択して、前記第１のＴＴＩ長で送信するアップリンクチャネル内の対応のＵＣＩを搬送するためのものとし、ＡＣＫ／ＮＡＣＫ及び/またはＳＲ搬送用の、第２のＴＴＩ長で送信するアップリンク制御チャネル複数があれば、前記第１のＴＴＩ長で送信するアップリンク共有チャネル内の対応のＡＣＫ／ＮＡＣＫ及び/またはＳＲを搬送するためのものとし、
前記第２の方式を適用する場合、前記所定の規則３は、以下方式のうちの１つまたは組み合わせを含み、
前記第２のＴＴＩ長で送信するアップリンク制御チャネルで搬送されるＵＣＩすべてを、前記第２のＴＴＩ長で送信するアップリンク制御チャネルで搬送されるＵＣＩすべてを、前記第１のＴＴＩ長で送信するアップリンクチャネルに転送して送信し、
前記第２のＴＴＩ長で送信するアップリンク制御チャネルで搬送されるＵＣＩがＡＣＫ／ＮＡＣＫ及び/またはＳＲである場合、前記ＵＣＩを前記第１のＴＴＩ長で送信するアップリンクチャネルに転送して送信し、前記第２のＴＴＩ長で送信するアップリンク制御チャネルで搬送されるＵＣＩがＰ−ＣＳＩを含む場合、前記第２のＴＴＩ長で送信するアップリンク制御チャネルで搬送されるＰ−ＣＳＩを放棄し、または、前記第１のＴＴＩ長で送信するアップリンクチャネルがＰ−ＣＳＩを搬送する場合、前記第２のＴＴＩ長で送信するアップリンク制御チャネルで搬送されるＰ−ＣＳＩを放棄し、前記第１のＴＴＩ長で送信するアップリンクチャネルがＰ−ＣＳＩを搬送しない場合、前記第２のＴＴＩ長で送信するアップリンク制御チャネルで搬送されるＰ−ＣＳＩを、前記第２のＴＴＩ長で送信するアップリンクチャネルに転送して送信し、
前記第１のＴＴＩ長で送信するアップリンク共有チャネル及び第１のＴＴＩ長で送信するアップリンク制御チャネル両方があれば、そのうちの１つを選択して前記ＵＣＩを搬送し、または、前記ＵＣＩの一部を前記第１のＴＴＩ長で送信するアップリンク共有チャネルで搬送し、前記ＵＣＩの残りの部分を前記第１のＴＴＩ長で送信するアップリンク制御チャネルで搬送し、及び/または、第１のＴＴＩ長で送信するアップリンク共有チャネル複数があれば、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
前記第３方式を適用する場合、選択されたアップリンクチャネルが第２のＴＴＩ長で送信するアップリンク制御チャネルであれば、第１のＴＴＩ長で送信するアップリンクチャネルの送信期間の間に、第２のＴＴＩ長で送信するアップリンク制御チャネル複数があれば、前記所定の規則２の方式で前記ＵＣＩを搬送するチャネルを選択し、選択されたアップリンクチャネルが第１のＴＴＩ長で送信するアップリンクチャネルである場合、第１のＴＴＩ長で送信するアップリンク共有チャネル及びアップリンク制御チャネル両方があるか、または、複数の第１のＴＴＩ長で送信するアップリンク共有チャネルがあれば、前記所定の規則３の方式で、前記ＵＣＩを搬送するチャネルを選択し、
前記第４方式が適用される場合、前記所定の規則４は、以下方式のうちの１つまたは組み合わせを含み、
前記第１のＴＴＩ長で送信するアップリンク共有チャネルで搬送されるＵＣＩすべてを、前記第２のＴＴＩ長で送信するアップリンク共有チャネルに転送して送信し、
前記第１のＴＴＩ長で送信するアップリンク共有チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク共有チャネルで搬送されるＵＣＩがＰ−ＣＳＩを含む場合、前記第１のＴＴＩ長で送信するアップリンク共有チャネルで搬送されるＰ−ＣＳＩを放棄し、または、前記第２のＴＴＩ長で送信するアップリンク共有チャネルがＰ−ＣＳＩを搬送している場合、前記第１のＴＴＩ長で送信するアップリンク共有チャネルで搬送されるＰ−ＣＳＩを放棄し、前記第２のＴＴＩ長で送信するアップリンク共有チャネルがＰ−ＣＳＩを搬送していない場合、前記第１のＴＴＩ長で送信するアップリンク共有チャネルで搬送されるＰ−ＣＳＩを、前記第２のＴＴＩ長で送信するアップリンク共有チャネルに転送して送信し、
第１のＴＴＩ長で送信するアップリンク共有チャネルの送信期間に第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第５方式が適用される場合、前記所定の規則５は以下方式のうちの１つまたは組み合わせを含み、
前記第２のＴＴＩ長で送信するアップリンク共有チャネルで搬送されるＵＣＩすべてを、前記第１のＴＴＩ長で送信するアップリンク共有チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク共有チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク共有チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク共有チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク共有チャネルに転送して送信し、
第１のＴＴＩ長で送信するアップリンク共有チャネル複数があれば、ＰＣＣに前記第１のＴＴＩ長で送信するアップリンク共有チャネルがある場合、ＰＣＣ上の前記第１のＴＴＩ長送信するアップリンク共有チャネルを選択して、前記ｓＰＵＳＣＨ上のＵＣＩを送信し、ＰＣＣに第１のＴＴＩ長で送信するアップリンク共有チャネルがなければ、前記第１のＴＴＩ長で送信するアップリンク共有チャネルを有するＳＣＣのうちの最小キャリアインデックスのＳＣＣ上の前記第１のＴＴＩ長で送信するアップリンク共有チャネルを選択して、前記ｓＰＵＳＣＨ上のＵＣＩを送信し、前記選択された第１のＴＴＩ長で送信するアップリンク共有チャネルがＲＡＲ ｇｒａｎｔに対応するアップリンク共有チャネルである場合、前記ＵＣＩを送信しない、
前記第６方式が適用される場合、選択されたアップリンクチャネルが第２のＴＴＩ長で送信するアップリンク共有チャネルであるとき、第１のＴＴＩ長で送信するアップリンク共有チャネルの送信期間に第２のＴＴＩ長で送信するアップリンク共有チャネル複数があれば、前記所定の規則４の方式で、ＵＣＩを搬送するチャネルを選択し、選択されたアップリンクチャネルが第１のＴＴＩ長で送信するアップリンク共有チャネルであるとき、第１のＴＴＩ長で送信するアップリンク共有チャネル複数があれば、前記所定の規則５の方式で、ＵＣＩを搬送するチャネルを選択し、
前記第７方式が適用される場合、前記所定の規則６は、以下方式のうちの１つまたは組み合わせを含み、
前記第１のＴＴＩ長で送信するアップリンク制御チャネルで搬送されるＵＣＩすべてを、前記第２のＴＴＩ長で送信するアップリンク共有チャネルに転送して送信し、
前記第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク制御チャネルで搬送されるＵＣＩがＰ−ＣＳＩを含む場合、前記第１のＴＴＩ長で送信するアップリンク制御チャネルで搬送されるＰ−ＣＳＩを放棄し、または、前記第２のＴＴＩ長で送信するアップリンク共有チャネルがＰ−ＣＳＩを搬送する場合、前記第１のＴＴＩ長で送信するアップリンク制御チャネルで搬送されるＰ−ＣＳＩを放棄し、前記第２のＴＴＩ長で送信するアップリンク共有チャネルがＰ−ＣＳＩを搬送しない場合、前記第１のＴＴＩ長で送信するアップリンク制御チャネルで搬送されるＰ−ＣＳＩを、前記第２のＴＴＩ長で送信するアップリンク共有チャネルに転送して送信し、
第１のＴＴＩ長で送信するアップリンク制御チャネルの送信期間に複数の第２のＴＴＩ長で送信するアップリンク共有チャネル複数がある場合、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第８方式が適用される場合、前記所定の規則７は、以下方式のうちの１つまたは組み合わせを含み、
前記第２のＴＴＩ長で送信するアップリンク共有チャネルで搬送されるＵＣＩの全てを、前記第１のＴＴＩ長で送信するアップリンク制御チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク制御チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク制御チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク制御チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク制御チャネルに転送して送信し、
前記第９方式が適用される場合、選択されたアップリンクチャネルが第２のＴＴＩ長で送信するアップリンク共有チャネルであるとき、第１のＴＴＩ長で送信するアップリンク制御チャネルの送信期間に複数の第２のＴＴＩ長で送信するアップリンク共有チャネル複数がある場合、前記所定の規則７の方式でＵＣＩを搬送するチャネルを選択し、
前記所定の規則１は、以下方式のうちの１つまたは組み合わせを含み、
選択されていないアップリンクチャネル上のＵＣＩを選択されたアップリンクチャネルに転送して送信し、
選択されていないアップリンクチャネル上のＵＣＩがＡＣＫ／ＮＡＣＫ及び/またはＳＲである場合、前記ＵＣＩを選択されたアップリンクチャネルに転送して送信し、選択されていないアップリンクチャネル上のＵＣＩがＰ−ＣＳＩを含む場合、前記選択されていないアップリンクチャネル上のＰ−ＣＳＩを放棄し、または、選択されたアップリンクチャネルがＰ−ＣＳＩを搬送している場合、前記選択されていないアップリンクチャネル上のＰ−ＣＳＩを放棄し、選択されたアップリンクチャネルがＰ−ＣＳＩを搬送していない場合、選択されていないチャネルで搬送されるＰ−ＣＳＩを、選択されたアップリンクチャネルに転送して送信し、
選択されたアップリンクチャネルが第１のＴＴＩ長で送信するアップリンクチャネルである場合は、第１のＴＴＩ長で送信するアップリンク共有チャネル及び第１のＴＴＩ長で送信するアップリンク制御チャネル両方があるとき、そのうちの１つを選択して前記ＵＣＩを搬送し、または、前記ＵＣＩの一部を第１のＴＴＩ長で送信するアップリンク共有チャネルで搬送されるようにし、前記ＵＣＩの残りの部分を第１のＴＴＩ長で送信するアップリンク制御チャネルで搬送されるようにし、第１のＴＴＩ長を利用するアップリンク共有チャネル複数がある場合、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
選択されたアップリンクチャネルが第２のＴＴＩ長で送信するアップリンク制御チャネルであれば、前記第１のＴＴＩ長の間に第２のＴＴＩ長で送信するアップリンク制御チャネル複数があるとき、最初１つのまたは最後１つの第２のＴＴＩ長で送信するアップリンク制御チャネルを選択して前記ＵＣＩを搬送し、または、Ｐ−ＣＳＩ搬送用の、第２のＴＴＩ長で送信するアップリンク制御チャネルを選択して、前記選択されていないアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記選択されていないアップリンクチャネル内のＰ−ＣＳＩを搬送するためのものとし、ＡＣＫ／ＮＡＣＫ及び/またはＳＲ搬送用の、第２のＴＴＩ長で送信するアップリンク制御チャネルを選択して前記選択されていないアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して前記選択されていないアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記選択されていないアップリンクチャネル内の対応のＵＣＩを搬送するためのものとし、
選択されたアップリンクチャネルが第２のＴＴＩ長で送信するアップリンク共有チャネルであるとき、前記第１のＴＴＩ長の間に複数の第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを搬送し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して前記ＵＣＩを搬送し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しないことを特徴とする請求項１８に記載のデータ伝送のための装置。 
【請求項２０】
前記ＵＣＩ優先度は、ＳＲの優先度がＡＣＫ／ＮＡＣＫの優先度以上であり、ＡＣＫ／ＮＡＣＫの優先度がＰ−ＣＳＩの優先度よりも高いことを特徴とする請求項１７に記載のデータ伝送のための装置。 
【請求項２１】
第１のＴＴＩ長で送信するアップリンクチャネルの送信電力と、第２のＴＴＩ長で送信するアップリンクチャネルの送信電力との合計が、ＵＥに許容される最大送信電力を超えるかどうかを判定し、最大送信電力を超えると、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信し、及び/または、
第１のＴＴＩ長で送信するアップリンクチャネルと第２のＴＴＩ長で送信するアップリンクチャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信し、及び/または、
第１のＴＴＩ長で送信するアップリンク制御チャネルと第２のＴＴＩ長で送信するアップリンク共有チャネルとの同時送信をサポートするかどうかを判定し、及び/または、第１のＴＴＩ長で送信するアップリンク共有チャネルと第２のＴＴＩ長で送信するアップリンク制御チャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信することを特徴とする請求項１５に記載のデータ伝送のための装置。 
【請求項２２】
第１のＴＴＩ長で送信するアップリンクチャネルの送信期間が第２のＴＴＩ長で送信するアップリンクチャネルの送信期間とオーバーラップするかどうかを判定するように構成される、第２の決定モジュールと、
オーバーラップすると判定した場合、ＵＥが所定のルールの下でアップリンクチャネルを選択して送信することを決定し、残りのアップリンクチャネルを放棄するか、または、残りのアップリンクチャネルをパンクチャリングして送信するように構成される、送信決定モジュールと、
を備えることを特徴とするデータ伝送のための装置。
【請求項２３】
前記第１のＴＴＩ長が前記第２のＴＴＩ長より大きいことを特徴とする請求項２２に記載のデータ伝送のための装置。
【請求項２４】
前記送信決定モジュールが、所定のルールの下で１つのアップリンクチャネルを選択して送信し、残りのアップリンクチャネルを放棄し、または、残りのアップリンクチャネルをパンクチャリングして送信する場合、前記所定のルールは、以下のルールのうちの１つまたは組み合わせであり、
ルール１
アップリンク制御チャネルを選択し、アップリンク共有チャネルでの送信を放棄するか、またはアップリンク共有チャネルをパンクチャリングして送信し、
ルール２
第２のＴＴＩ長で送信するアップリンクチャネルを選択し、第１のＴＴＩ長で送信するアップリンクチャネルを放棄するか、または、第１のＴＴＩ長で送信するアップリンクチャネルをパンクチャリングして送信し、
ルール３
ＵＣＩを搬送するアップリンクチャネルを選択し、ＵＣＩを送信するアップリンクチャネルが複数ある場合、優先度の高いＵＣＩを搬送するアップリンクチャネルを選択し、優先度の高いＵＣＩを搬送するアップリンクチャネルが複数ある場合、前記ルール１またはルール２を再利用して選択し、残りのアップリンクチャネルを放棄するか、または、残りのアップリンクチャネルをパンクチャリングして送信し、
ルール４
第１のＴＴＩ長で送信するルアップリンクチャネルが、第２のＴＴＩ長で送信するアップリンク制御チャネルとオーバーラップする場合、以下の方式の少なくとも１つを適用し、前記アップリンクチャネルは少なくとも１つのアップリンク共有チャネルまたはアップリンク制御チャネルを含み、
第１の方式では、以下のことを決定し、ＵＥが前記第２のＴＴＩ長で送信するアップリンク制御チャネルを選択して送信し、前記第１のＴＴＩ長で送信するアップリンクチャネルを放棄し、または、前記第２のＴＴＩ長で送信するアップリンク制御チャネルとオーバーラップする前記第１のＴＴＩ長で送信するアップリンクチャネル内のシンボル上の情報をパンクチャリングし、
第２の方式では、ＵＥが前記第１のＴＴＩ長で送信するアップリンク共有チャネル及び/またはアップリンク制御チャネルを選択し、前記第２のＴＴＩ長で送信するアップリンク制御チャネルを放棄することを決定し、
第３の方式では、以下のことを決定し、ＵＥがＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第１の方式または前記第２の方式で同じ優先度のＵＣＩを搬送する複数のチャネルから選択し、
ルール５
第１のＴＴＩ長で送信するアップリンク共有チャネルが第２のＴＴＩ長で送信するアップリンク共有チャネルとオーバーラップする場合、以下の方式の少なくとも１つを適用し、
第４方式では、以下のことを決定し、ＵＥが前記第２のＴＴＩ長で送信するアップリンク共有チャネルを選択して送信し、前記第１のＴＴＩ長で送信するアップリンク共有チャネルを放棄し、または、前記第２のＴＴＩ長で送信するアップリンク共有チャネルとオーバーラップする、前記第１のＴＴＩ長で送信するアップリンク共有チャネル内のシンボル上の情報をパンクチャリングし、
第５方式では、以下のことを決定し、ＵＥが前記第１のＴＴＩ長で送信するアップリンク共有チャネルを選択して送信し、前記第２のＴＴＩ長で送信するアップリンク共有チャネルを放棄し、
第６方式では、以下のことを決定し、ＵＥがＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第３方式または前記第４方式で同じ優先度のＵＣＩを搬送する複数のチャネルから選択
ルール６
第１のＴＴＩ長で送信するアップリンク制御チャネルが、第２のＴＴＩ長で送信するアップリンク共有チャネルとオーバーラップする場合、以下の方式の少なくとも１つを適用し、
第７方式では、以下のことを決定し、ＵＥが前記第２のＴＴＩ長で送信するアップリンク共有チャネルを選択して送信し、前記第１のＴＴＩ長で送信するアップリンク制御チャネルを放棄し、または、前記第２のＴＴＩ長で送信するアップリンク共有チャネルとオーバーラップする前記第１のＴＴＩ長で送信するアップリンク制御チャネル内のシンボル上の情報をパンクチャリングし、
第８方式では、以下のことを決定し、ＵＥが前記第１のＴＴＩ長で送信するアップリンク制御チャネルを選択して送信し、前記第２のＴＴＩ長で送信するアップリンク共有チャネルを放棄し、
第９方式では、以下のことを決定し、ＵＥがＵＣＩを搬送するアップリンクチャネルを選択し、ＵＣＩを搬送するアップリンクチャネル複数がある場合、優先度の高いＵＣＩを搬送するアップリンクチャネルを選択し、残りのチャネルを放棄し、または、前記選択されたアップリンクチャネルとオーバーラップする残りのアップリンクチャネル内のシンボル上の情報をパンクチャリングし、前記第７方式または前記第８方式で同じ優先度のＵＣＩを搬送する複数のチャネルから選択することを特徴とする請求項２２に記載のデータ伝送のための装置。
【請求項２５】
前記送信決定モジュールがルール１ないしルール３のうちの１つで１つのアップリンクチャネルを選択して送信し、残りのアップリンクチャネルを放棄し、または、残りのアップリンクチャネルをパンクチャリングして送信する場合、前記送信決定モジュールは、
ＵＥが選択されていないアップリンクチャネル上のＵＣＩを所定の規則１の下で選択されたアップリンクチャネルに転送して送信することを決定し、
前記送信決定モジュールがルール４で１つのアップリンクチャネルを選択して送信し、残りのアップリンクチャネルを放棄し、または、残りのアップリンクチャネルをパンクチャリングして送信する場合、前記送信決定モジュールは、さらに、
前記第１の方式をを適用する場合、以下のことを決定し、ＵＥが前記第１のＴＴＩ長で送信するアップリンクチャネルで搬送されるＵＣＩを、所定の規則１または所定の規則２の下で前記第２のＴＴＩ長で送信するアップリンク制御チャネルに転送して送信し、
前記第２の方式をを適用する場合、以下のことを決定し、ＵＥが前記第２のＴＴＩ長で送信するアップリンク制御チャネルで搬送されるＵＣＩを、所定の規則１または所定の規則３の下で前記第１のＴＴＩ長で送信するアップリンクチャネルに転送して送信し、
前記第３方式を適用する場合、以下のことを決定し、ＵＥが選択されていないアップリンクチャネル上のＵＣＩを、前記所定の規則１の下で選択されたアップリンクチャネルに転送して送信し、
前記送信決定モジュールがルール５で１つのアップリンクチャネルを選択して送信し、残りのアップリンクチャネルを放棄し、または、残りのアップリンクチャネルをパンクチャリングして送信する場合、前記送信決定モジュールは、さらに、
前記第４方式が適用される場合、以下のことを決定し、ＵＥが前記第１のＴＴＩ長で送信するアップリンク共有チャネルで搬送されるＵＣＩを、所定の規則１または所定の規則４の下で前記第２のＴＴＩ長で送信するアップリンク共有チャネルに転送して送信し、 
前記第５方式が適用される場合、以下のことを決定し、ＵＥが前記第２のＴＴＩ長で送信するアップリンク共有チャネルで搬送されるＵＣＩを、所定の規則１または所定の規則５の下で前記第１のＴＴＩ長で送信するアップリンク共有チャネルに転送して送信し、
前記第６方式が適用される場合、ＵＥが選択されていないアップリンクチャネル上のＵＣＩを所定の規則１の下で選択されたアップリンクチャネルに転送して送信し、
前記送信決定モジュールがルール６で１つのアップリンクチャネルを選択して送信し、残りのアップリンクチャネルを放棄し、または、残りのアップリンクチャネルをパンクチャリングして送信する場合、前記送信決定モジュールは、さらに、
前記第７方式が適用される場合、以下のことを決定し、ＵＥが前記第１のＴＴＩ長で送信するアップリンク制御チャネルで搬送されるＵＣＩを、所定の規則１または所定の規則６の下で前記第２のＴＴＩ長で送信するアップリンク共有チャネルに転送して送信し、
前記第８方式が適用される場合、前記第２のＴＴＩ長で送信するアップリンク共有チャネルがＵＣＩを搬送している場合、ＵＥが前記ＵＣＩを所定の規則１または所定の規則７の下で前記第１のＴＴＩ長で送信するアップリンク制御チャネルに転送して送信することを決定し、
前記第９方式が適用される場合、ＵＥが選択されていないアップリンクチャネル上のＵＣＩを所定の規則１の下で選択されたアップリンクチャネルに転送して送信することを特徴とする請求項２４に記載のデータ伝送のための装置。
【請求項２６】
前記第１の方式を適用する場合、前記所定の規則２は以下方式のうちの１つまたは組み合わせを含み、
前記第１のＴＴＩ長で送信するアップリンクチャネルで搬送されるＵＣＩのすべてを、前記第２のＴＴＩ長で送信するアップリンク制御チャネルに転送して送信し、
前記第１のＴＴＩ長で送信するアップリンクチャネルで搬送されるＵＣＩがＡＣＫ／ＮＡＣＫ及び/またはＳＲである場合、前記ＵＣＩを前記第２のＴＴＩ長で送信するアップリンク制御チャネルに転送して送信し、前記第１のＴＴＩ長で送信するアップリンクチャネルで搬送されるＵＣＩがＰ−ＣＳＩを含む場合、前記第１のＴＴＩ長で送信するアップリンクチャネルで搬送されるＰ−ＣＳＩを放棄し、または、前記第２のＴＴＩ長で送信するアップリンク制御チャネルにＰ−ＣＳＩが含まれる場合、前記第１のＴＴＩ長で送信するアップリンクチャネルで搬送されるＰ−ＣＳＩを放棄し、前記第２のＴＴＩ長で送信するアップリンク制御チャネルにＰ−ＣＳＩが含まれない場合、前記第１のＴＴＩ長で送信するアップリンクチャネルで搬送されるＰ−ＣＳＩを、第２のＴＴＩ長で送信するアップリンク制御チャネルに転送して送信し、
第１のＴＴＩ長で送信するアップリンクチャネルの送信期間の間に、第２のＴＴＩ長で送信するアップリンク制御チャネル複数があれば、
最初１つのまたは最後１つの第２のＴＴＩ長で送信するアップリンク制御チャネルを選択して前記ＵＣＩを搬送し、または、
Ｐ−ＣＳＩ搬送用の、第２のＴＴＩ長で送信するアップリンク制御チャネルを選択して、前記第１のＴＴＩ長で送信するアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンクチャネル内のＰ−ＣＳＩを搬送し、ＡＣＫ／ＮＡＣＫ及び/またはＳＲ搬送用の、第２のＴＴＩ長で送信するアップリンク制御チャネルを選択して、前記第１のＴＴＩ長で送信するアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して、前記第１のＴＴＩ長で送信するアップリンクチャネル内のＡＣＫ／ＮＡＣＫ及び/またはＳＲを搬送するためのものとし、Ｐ−ＣＳＩを搬送用の、前記第２のＴＴＩ長で送信するアップリンク制御チャネル複数があれば、前記複数のアップリンク制御チャネルから最初１つのまたは最後１つを選択して、前記第１のＴＴＩ長で送信するアップリンクチャネル内の対応のＵＣＩを搬送するためのものとし、ＡＣＫ／ＮＡＣＫ及び/またはＳＲ搬送用の、第２のＴＴＩ長で送信するアップリンク制御チャネル複数があれば、前記第１のＴＴＩ長で送信するアップリンク共有チャネル内の対応のＡＣＫ／ＮＡＣＫ及び/またはＳＲを搬送するためのものとし、
前記第２の方式を適用する場合、前記所定の規則３は、以下方式のうちの１つまたは組み合わせを含み、
前記第２のＴＴＩ長で送信するアップリンク制御チャネルで搬送されるＵＣＩすべてを、前記第２のＴＴＩ長で送信するアップリンク制御チャネルで搬送されるＵＣＩすべてを、前記第１のＴＴＩ長で送信するアップリンクチャネルに転送して送信し、
前記第２のＴＴＩ長で送信するアップリンク制御チャネルで搬送されるＵＣＩがＡＣＫ／ＮＡＣＫ及び/またはＳＲである場合、前記ＵＣＩを前記第１のＴＴＩ長で送信するアップリンクチャネルに転送して送信し、前記第２のＴＴＩ長で送信するアップリンク制御チャネルで搬送されるＵＣＩがＰ−ＣＳＩを含む場合、前記第２のＴＴＩ長で送信するアップリンク制御チャネルで搬送されるＰ−ＣＳＩを放棄し、または、前記第１のＴＴＩ長で送信するアップリンクチャネルがＰ−ＣＳＩを搬送する場合、前記第２のＴＴＩ長で送信するアップリンク制御チャネルで搬送されるＰ−ＣＳＩを放棄し、前記第１のＴＴＩ長で送信するアップリンクチャネルがＰ−ＣＳＩを搬送しない場合、前記第２のＴＴＩ長で送信するアップリンク制御チャネルで搬送されるＰ−ＣＳＩを、前記第２のＴＴＩ長で送信するアップリンクチャネルに転送して送信し、
前記第１のＴＴＩ長で送信するアップリンク共有チャネル及び第１のＴＴＩ長で送信するアップリンク制御チャネル両方があれば、そのうちの１つを選択して前記ＵＣＩを搬送し、または、前記ＵＣＩの一部を前記第１のＴＴＩ長で送信するアップリンク共有チャネルで搬送し、前記ＵＣＩの残りの部分を前記第１のＴＴＩ長で送信するアップリンク制御チャネルで搬送し、及び/または、第１のＴＴＩ長で送信するアップリンク共有チャネル複数があれば、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
前記第３方式を適用する場合、選択されたアップリンクチャネルが第２のＴＴＩ長で送信するアップリンク制御チャネルであれば、第１のＴＴＩ長で送信するアップリンクチャネルの送信期間の間に、第２のＴＴＩ長で送信するアップリンク制御チャネル複数があれば、前記所定の規則２の方式で前記ＵＣＩを搬送するチャネルを選択し、選択されたアップリンクチャネルが第１のＴＴＩ長で送信するアップリンクチャネルである場合、第１のＴＴＩ長で送信するアップリンク共有チャネル及びアップリンク制御チャネル両方があるか、または、複数の第１のＴＴＩ長で送信するアップリンク共有チャネルがあれば、前記所定の規則３の方式で、前記ＵＣＩを搬送するチャネルを選択し、
前記第４方式が適用される場合、前記所定の規則４は、以下方式のうちの１つまたは組み合わせを含み、
前記第１のＴＴＩ長で送信するアップリンク共有チャネルで搬送されるＵＣＩすべてを、前記第２のＴＴＩ長で送信するアップリンク共有チャネルに転送して送信し、
前記第１のＴＴＩ長で送信するアップリンク共有チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク共有チャネルで搬送されるＵＣＩがＰ−ＣＳＩを含む場合、前記第１のＴＴＩ長で送信するアップリンク共有チャネルで搬送されるＰ−ＣＳＩを放棄し、または、前記第２のＴＴＩ長で送信するアップリンク共有チャネルがＰ−ＣＳＩを搬送している場合、前記第１のＴＴＩ長で送信するアップリンク共有チャネルで搬送されるＰ−ＣＳＩを放棄し、前記第２のＴＴＩ長で送信するアップリンク共有チャネルがＰ−ＣＳＩを搬送していない場合、前記第１のＴＴＩ長で送信するアップリンク共有チャネルで搬送されるＰ−ＣＳＩを、前記第２のＴＴＩ長で送信するアップリンク共有チャネルに転送して送信し、
第１のＴＴＩ長で送信するアップリンク共有チャネルの送信期間に第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第５方式が適用される場合、前記所定の規則５は以下方式のうちの１つまたは組み合わせを含み、
前記第２のＴＴＩ長で送信するアップリンク共有チャネルで搬送されるＵＣＩすべてを、前記第１のＴＴＩ長で送信するアップリンク共有チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク共有チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク共有チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク共有チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク共有チャネルに転送して送信し、
第１のＴＴＩ長で送信するアップリンク共有チャネル複数があれば、ＰＣＣに前記第１のＴＴＩ長で送信するアップリンク共有チャネルがある場合、ＰＣＣ上の前記第１のＴＴＩ長送信するアップリンク共有チャネルを選択して、前記ｓＰＵＳＣＨ上のＵＣＩを送信し、ＰＣＣに第１のＴＴＩ長で送信するアップリンク共有チャネルがなければ、前記第１のＴＴＩ長で送信するアップリンク共有チャネルを有するＳＣＣのうちの最小キャリアインデックスのＳＣＣ上の前記第１のＴＴＩ長で送信するアップリンク共有チャネルを選択して、前記ｓＰＵＳＣＨ上のＵＣＩを送信し、前記選択された第１のＴＴＩ長で送信するアップリンク共有チャネルがＲＡＲ ｇｒａｎｔに対応するアップリンク共有チャネルである場合、前記ＵＣＩを送信しない、
前記第６方式が適用される場合、選択されたアップリンクチャネルが第２のＴＴＩ長で送信するアップリンク共有チャネルであるとき、第１のＴＴＩ長で送信するアップリンク共有チャネルの送信期間に第２のＴＴＩ長で送信するアップリンク共有チャネル複数があれば、前記所定の規則４の方式で、ＵＣＩを搬送するチャネルを選択し、選択されたアップリンクチャネルが第１のＴＴＩ長で送信するアップリンク共有チャネルであるとき、第１のＴＴＩ長で送信するアップリンク共有チャネル複数があれば、前記所定の規則５の方式で、ＵＣＩを搬送するチャネルを選択し、
前記第７方式が適用される場合、前記所定の規則６は、以下方式のうちの１つまたは組み合わせを含み、
前記第１のＴＴＩ長で送信するアップリンク制御チャネルで搬送されるＵＣＩすべてを、前記第２のＴＴＩ長で送信するアップリンク共有チャネルに転送して送信し、
前記第１のＴＴＩ長で送信するアップリンク制御チャネルで搬送されるＵＣＩがＡＣＫ／ＮＡＣＫ及び/またはＳＲである場合、前記ＵＣＩを前記第２のＴＴＩ長で送信するアップリンク共有チャネルに転送して送信し、前記第１のＴＴＩ長で送信するアップリンク制御チャネルで搬送されるＵＣＩがＰ−ＣＳＩを含む場合、前記第１のＴＴＩ長で送信するアップリンク制御チャネルで搬送されるＰ−ＣＳＩを放棄し、または、前記第２のＴＴＩ長で送信するアップリンク共有チャネルがＰ−ＣＳＩを搬送する場合、前記第１のＴＴＩ長で送信するアップリンク制御チャネルで搬送されるＰ−ＣＳＩを放棄し、前記第２のＴＴＩ長で送信するアップリンク共有チャネルがＰ−ＣＳＩを搬送しない場合、前記第１のＴＴＩ長で送信するアップリンク制御チャネルで搬送されるＰ−ＣＳＩを、前記第２のＴＴＩ長で送信するアップリンク共有チャネルに転送して送信し、
第１のＴＴＩ長で送信するアップリンク制御チャネルの送信期間に複数の第２のＴＴＩ長で送信するアップリンク共有チャネル複数がある場合、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを送信し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して、前記ＵＣＩを送信し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しない、
前記第８方式が適用される場合、前記所定の規則７は、以下方式のうちの１つまたは組み合わせを含み、
前記第２のＴＴＩ長で送信するアップリンク共有チャネルで搬送されるＵＣＩの全てを、前記第１のＴＴＩ長で送信するアップリンク制御チャネルに転送して送信し、
前記第２のＴＴＩ長で送信するアップリンク共有チャネルで搬送されるＵＣＩがＡＣＫ／ＮＡＣＫ及び/またはＳＲである場合、前記ＵＣＩを前記第１のＴＴＩ長で送信するアップリンク制御チャネルに転送して送信し、前記第２のＴＴＩ長で送信するアップリンク共有チャネルで搬送されるＵＣＩがＰ−ＣＳＩを含む場合、前記第２のＴＴＩ長で送信するアップリンク共有チャネルで搬送されるＰ−ＣＳＩを放棄し、または、前記第１のＴＴＩ長で送信するアップリンク制御チャネルがＰ−ＣＳＩを搬送している場合、前記第２のＴＴＩ長で送信するアップリンク共有チャネルで搬送されるＰ−ＣＳＩを放棄し、前記第１のＴＴＩ長で送信するアップリンク制御チャネルがＰ−ＣＳＩを搬送していない場合、前記第２のＴＴＩ長で送信するアップリンク共有チャネルで搬送されるＰ−ＣＳＩを、前記第１のＴＴＩ長で送信するアップリンク制御チャネルに転送して送信し、
前記第９方式が適用される場合、選択されたアップリンクチャネルが第２のＴＴＩ長で送信するアップリンク共有チャネルであるとき、第１のＴＴＩ長で送信するアップリンク制御チャネルの送信期間に複数の第２のＴＴＩ長で送信するアップリンク共有チャネル複数がある場合、前記所定の規則７の方式でＵＣＩを搬送するチャネルを選択し、
前記所定の規則１は、以下方式のうちの１つまたは組み合わせを含み、
選択されていないアップリンクチャネル上のＵＣＩを選択されたアップリンクチャネルに転送して送信し、
選択されていないアップリンクチャネル上のＵＣＩがＡＣＫ／ＮＡＣＫ及び/またはＳＲである場合、前記ＵＣＩを選択されたアップリンクチャネルに転送して送信し、選択されていないアップリンクチャネル上のＵＣＩがＰ−ＣＳＩを含む場合、前記選択されていないアップリンクチャネル上のＰ−ＣＳＩを放棄し、または、選択されたアップリンクチャネルがＰ−ＣＳＩを搬送している場合、前記選択されていないアップリンクチャネル上のＰ−ＣＳＩを放棄し、選択されたアップリンクチャネルがＰ−ＣＳＩを搬送していない場合、選択されていないチャネルで搬送されるＰ−ＣＳＩを、選択されたアップリンクチャネルに転送して送信し、
選択されたアップリンクチャネルが第１のＴＴＩ長で送信するアップリンクチャネルである場合は、第１のＴＴＩ長で送信するアップリンク共有チャネル及び第１のＴＴＩ長で送信するアップリンク制御チャネル両方があるとき、そのうちの１つを選択して前記ＵＣＩを搬送し、または、前記ＵＣＩの一部を第１のＴＴＩ長で送信するアップリンク共有チャネルで搬送されるようにし、前記ＵＣＩの残りの部分を第１のＴＴＩ長で送信するアップリンク制御チャネルで搬送されるようにし、第１のＴＴＩ長を利用するアップリンク共有チャネル複数がある場合、ＰＣＣに第１のＴＴＩ長で送信するアップリンク共有チャネルがあれば、ＰＣＣ上の第１のＴＴＩ長で送信するアップリンク共有チャネルを選択してＵＣＩを搬送し、ＰＣＣに第１のＴＴＩ長で送信するアップリンク共有チャネルがなければ、第１のＴＴＩ長で送信するアップリンク共有チャネルが存在する最小のキャリアインデックスを有するＳＣＣ上の第１のＴＴＩ長で送信するアップリンク共有チャネルを選択してＵＣＩを搬送し、前記選択されたアップリンク共有チャネルがＲＡＲ ｇｒａｎｔに対応するアップリンク共有チャネルであれば、前記ＵＣＩを送信しない、
選択されたアップリンクチャネルが第２のＴＴＩ長で送信するアップリンク制御チャネルであれば、前記第１のＴＴＩ長の間に第２のＴＴＩ長で送信するアップリンク制御チャネル複数があるとき、最初１つのまたは最後１つの第２のＴＴＩ長で送信するアップリンク制御チャネルを選択して前記ＵＣＩを搬送し、または、Ｐ−ＣＳＩ搬送用の、第２のＴＴＩ長で送信するアップリンク制御チャネルを選択して、前記選択されていないアップリンクチャネル内のＰ−ＣＳＩを搬送し、Ｐ−ＣＳＩ搬送用の、第２のＴＴＩ長で送信するアップリンク制御チャネルがなければ、最初１つのまたは最後１つの第２のＴＴＩ長で送信するアップリンク制御チャネルを選択して、前記選択されていないアップリンクチャネル内のＰ−ＣＳＩを搬送するためのものとし、ＡＣＫ／ＮＡＣＫ及び/またはＳＲ搬送用の、第２のＴＴＩ長で送信するアップリンク制御チャネルを選択して前記選択されていないアップリンクチャネル内のＡＣＫ／ＮＡＣＫ及び/またはＳＲを搬送するためのものとし、ＡＣＫ／ＮＡＣＫ及び/またはＳＲ搬送用の、第２のＴＴＩ長で送信するアップリンク制御チャネルがなければ、最初１つのまたは最後１つの第２のＴＴＩ長で送信するアップリンク制御チャネルを選択して前記選択されていないアップリンクチャネル内のＡＣＫ／ＮＡＣＫ及び/またはＳＲを搬送するためのものとし、上述の条件を満たすチャネル複数があれば、上述の条件を満たす複数のチャネルから最初１つのまたは最後１つを選択して、前記選択されていないアップリンクチャネル内の対応のＵＣＩを搬送するためのものとし、
選択されたアップリンクチャネルが第２のＴＴＩ長で送信するアップリンク共有チャネルであるとき、前記第１のＴＴＩ長の間に複数の第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、または、ＵＥが複数のキャリアを集約した場合、ＰＣＣに前記第２のＴＴＩ長で送信するアップリンク共有チャネルがあれば、ＰＣＣ上の前記第２のＴＴＩ長で送信するアップリンク共有チャネルを選択して前記ＵＣＩを搬送し、ＰＣＣに第２のＴＴＩ長で送信するアップリンク共有チャネルがなければ、前記第２のＴＴＩ長で送信するアップリンク共有チャネルを有するＳＣＣのうちの最小キャリアインデックスのＳＣＣ上の前記第２のＴＴＩ長で送信するアップリンク共有チャネルを選択して前記ＵＣＩを搬送し、前記選択されたキャリアに前記第２のＴＴＩ長で送信するアップリンク共有チャネル複数があれば、最初１つのまたは最後１つの第２のＴＴＩ長で送信するアップリンク共有チャネルを選択して前記ＵＣＩを搬送し、前記選択された第２のＴＴＩ長で送信するアップリンク共有チャネルがＲＡＲ ｇｒａｎｔに対応するアップリンク共有チャネルであれば、前記ＵＣＩを送信しないことを特徴とする請求項２５に記載のデータ伝送のための装置。
【請求項２７】
前記ＵＣＩ優先度は、ＳＲの優先度がＡＣＫ／ＮＡＣＫの優先度以上であり、ＡＣＫ／ＮＡＣＫの優先度がＰ−ＣＳＩの優先度よりも高いことを特徴とする請求項２４に記載のデータ伝送のための装置。
【請求項２８】
ＵＥが以下の方式で動作することを決定し、
第１のＴＴＩ長で送信するアップリンクチャネルの送信電力と、第２のＴＴＩ長で送信するアップリンクチャネルの送信電力との合計が、ＵＥに許容される最大送信電力を超えるかどうかを判定し、最大送信電力を超えると、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信し、及び/または、
第１のＴＴＩ長で送信するアップリンクチャネルと第２のＴＴＩ長で送信するアップリンクチャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信し、及び/または、
第１のＴＴＩ長で送信するアップリンク制御チャネルと第２のＴＴＩ長で送信するアップリンク共有チャネルとの同時送信をサポートするかどうかを判定し、及び/または、第１のＴＴＩ長で送信するアップリンク共有チャネルと第２のＴＴＩ長で送信するアップリンク制御チャネルとの同時送信をサポートするかどうかを判定し、サポートしないと判定すれば、第１のＴＴＩ長で送信するアップリンクチャネルの送信期間が第２のＴＴＩ長で送信するアップリンクチャネルの送信期間とオーバーラップするかどうかを判定し、オーバーラップすると判定した場合、所定のルールの下で少なくも１つのアップリンクチャネルを選択して送信し、残りのアップリンクチャネルを放棄し、または、残りのアップリンクチャネルをパンクチャリングして送信することを特徴とする請求項２２に記載のデータ伝送のための装置。
【国際調査報告】
2019531657.tif 000011
2019531657.tif 000012
2019531657.tif 000013
2019531657.tif 000014
2019531657.tif 000015
2019531657.tif 000016
2019531657.tif 000017